(57)【要約】      （修正有）【課題】複屈折の波長分散特性が逆分散性を示すフィルムであって、空気中の水分による劣化を十分に防止でき、単層であっても逆分散性と耐熱性とを高水準でバランスよく発揮することが可能な逆分散性位相差フィルムを提供すること。【解決手段】スピロ型ノルボルネン系単量体による構造単位（Ａ）及び芳香族型ノルボルネン系単量体による構造単位（Ｂ）を含有し、且つ、前記構造単位（Ａ）と前記構造単位（Ｂ）のうちの前記波線ｆがｅｘｏの立体配置を示すｅｘｏ型構造単位との総量が、全構造単位に対して２０モル％以上６５モル％以下であるノルボルネン系開環共重合体からなるフィルムを延伸してなることを特徴とする逆分散性位相差フィルム。【選択図】なし【特許請求の範囲】
【請求項１】
下記一般式（１）：
【化１】
2010169952.tif 000012
［式（１）中、ｍは０又は１の整数を示し、
Ｒ１は、水素原子；ハロゲン原子；酸素原子、窒素原子、イオウ原子及びケイ素原子からなる群から選択される少なくとも１種の連結基を有していてもよい置換若しくは非置換の炭素原子数１〜３０の炭化水素基；及び極性基からなる群から選択される原子若しくは基を示し、
Ｘ１は、式：−ＣＨ＝ＣＨ−で表される基及び式：−ＣＨ２ＣＨ２−で表される基からなる群から選択されるいずれかの基を示し、
ａ及びｂは、それぞれ独立に０〜６の整数を示し、
Ｙは、一構造単位中に複数存在する場合は同一であってもあるいは異なっていてもよく、メチレン基、カルボニル基、オキシ基及び炭素数１〜５のアルキルイミノ基からなる群から選択される少なくとも一つの基を示し、
Ｚは、一構造単位中に複数存在する場合は同一であってもあるいは異なっていてもよく、メチレン基、カルボニル基、オキシ基及び炭素数１〜５のアルキルイミノ基からなる群から選択される少なくとも一つの基を示す。］
で表される構造単位（Ａ）及び下記一般式（２）:
【化２】
2010169952.tif 000013
［式（２）中、ｎは０又は１の整数を示し、
Ｘ２は、式：−ＣＨ＝ＣＨ−で表される基及び式：−ＣＨ２ＣＨ２−で表される基からなる群から選択されるいずれかの基を示し、
Ｒ２、Ｒ３、Ｒ４、Ｒ５はそれぞれ独立に、水素原子；ハロゲン原子；酸素原子、窒素原子、イオウ原子及びケイ素原子からなる群から選択される少なくとも１種の連結基を有していてもよい置換若しくは非置換の炭素原子数１〜３０の炭化水素基；及び極性基からなる群から選択される原子若しくは基を示し、
波線ｄ、ｅは、ｅｎｄｏ又はｅｘｏの立体配置を示し、
波線ｆは、ｅｎｄｏ又はｅｘｏの立体配置を示す。]
で表される構造単位（Ｂ）を含有し、且つ、
前記構造単位（Ａ）と、前記構造単位（Ｂ）のうちの前記波線ｆがｅｘｏの立体配置を示すｅｘｏ型構造単位との総量が、全構造単位に対して２０モル％以上６５モル％以下であるノルボルネン系開環共重合体からなるフィルムを延伸してなることを特徴とする逆分散性位相差フィルム。
【請求項２】
前記一般式（１）中のｍが０であり且つＲ１が水素原子であることを特徴とする請求項１に記載の逆分散性位相差フィルム。
【請求項３】
前記構造単位（Ａ）の含有量が、前記ノルボルネン系開環重合体中の全構造単位に対して６モル％以上４０モル％以下であることを特徴とする請求項１又は２に記載の逆分散性位相差フィルム。
【請求項４】
前記構造単位（Ａ）のうちの前記Ｘ１が式：−ＣＨ２ＣＨ２−で表される基である構造単位と、前記構造単位（Ｂ）のうちの前記Ｘ２が式：−ＣＨ２ＣＨ２−で表される基である構造単位との総量が、前記ノルボルネン系開環重合体中の全構造単位に対して９０モル％以上であることを特徴とする請求項１〜３のうちのいずれか一項に記載の逆分散性位相差フィルム。
【請求項５】
請求項１〜４のうちのいずれか一項に記載の逆分散性位相差フィルムを備えることを特徴とする液晶表示装置。
【発明の詳細な説明】
【技術分野】
【０００１】
本発明は、逆分散性位相差フィルム並びにそれを用いた液晶表示装置に関し、より詳しくは、１／２λ板、１／４λ板、保護フィルム、反射防止フィルム等に好適に利用することが可能な逆分散性位相差フィルム並びにそれを用いた液晶表示装置に関する。
【背景技術】
【０００２】
液晶ディスプレイ（ＬＣＤ）等の液晶表示装置には光学補償を目的として光学異方性が制御された位相差フィルムが利用されてきた。このような位相差フィルムとしては、可視光領域全域（４００〜８００ｎｍ）の広範な波長領域において１／４波長の位相差を与えること等が可能な逆分散性の位相差フィルムが注目されている。そして、このような位相差フィルムとしては、ノルボルネン系開環重合体を利用した位相差フィルムが開発されてきた。
【０００３】
例えば、特開２００３−２５５１０２号公報（特許文献１）、特開２００４−１７６０５１号公報（特許文献２）、特開２００４−３２３４８９号公報（特許文献３）には特定のノルボルネン系開環重合体からなる光学用フィルムが開示されている。しかしながら、特許文献１、２に記載されているような従来のノルボルネン系開環重合体からなる光学用フィルムでは、当該ノルボルネン系開環重合体にエステル基あるいはイミド基が含まれるため、開環重合体の耐加水分解性が低く、空気中の水分により光学フィルムが劣化する。また、特許文献３に記載されているような従来のノルボルネン系開環重合体からなる光学用フィルムでは、原料モノマーを合成する際に、−７８℃と言った極低温条件が必要であり、このため極低温状態を作り出すための特殊な冷凍設備が必要となり、工業的製造を考えた場合、製造設備が大掛かりなものとなってしまう問題点がある。
【０００４】
また、特開２００８−５２１１９号公報（特許文献４）においては、ｅｎｄｏ／ｅｘｏ比が調整された特定のノルボルネン誘導体から得られるノルボルネン系開環重合体を含有する逆分散性の位相差フィルムが開示されている。さらに、特開２００６−１８９４７４号公報（特許文献５）においては、スピロ環を含有するノルボルネン誘導体を用いて得られるノルボルネン系開環重合体を含有する位相差フィルムが開示されている。また、特開２００５−２９００４８号公報（特許文献６）及び特開２００８−７７３３号公報（特許文献６）においては、スピロ環を含有するノルボルネン誘導体を用いて得られるノルボルネン系開環重合体が開示されている。しかしながら、特許文献４〜７に記載のような従来のノルボルネン系開環重合体を用いた位相差フィルムは、耐熱性と逆分散性の両立という観点では必ずしも十分なものではなかった。
【先行技術文献】
【特許文献】
【０００５】
【特許文献１】特開２００３−２５５１０２号公報
【特許文献２】特開２００４−１７６０５１号公報
【特許文献３】特開２００４−３２３４８９号公報
【特許文献４】特開２００８−５２１１９号公報
【特許文献５】特開２００６−１８９４７４号公報
【特許文献６】特開２００５−２９００４８号公報
【特許文献７】特開２００８−７７３３号公報
【発明の概要】
【発明が解決しようとする課題】
【０００６】
本発明は、上記従来技術の有する課題に鑑みてなされたものであり、複屈折の波長分散特性が逆分散性を示すフィルムであって、空気中の水分による劣化を十分に防止でき、単層であっても逆分散性と耐熱性とを高水準でバランスよく発揮することが可能な逆分散性位相差フィルム、並びに、それを用いた液晶表示装置を提供することを目的とする。
【課題を解決するための手段】
【０００７】
本発明者らは、上記目的を達成すべく鋭意研究を重ねた結果、ノルボルネン系開環共重合体からなるフィルムを延伸してなる位相差フィルムにおいて、前記ノルボルネン系開環共重合体として、スピロ環を含有する下記一般式（１）で表される特定の構造単位（Ａ）と、ｅｘｏ異性体及びｅｎｄｏ異性体を含む下記一般式（２）で表される特定の構造単位（Ｂ）とを含有し且つ構造単位（Ａ）と構造単位（Ｂ）のｅｘｏ異性体との総量が全構造単位に対して２０モル％以上６５モル％以下となるノルボルネン系開環共重合体を用いることにより、逆分散性と耐熱性とを高水準でバランスよく発揮することが可能となることを見出し、本発明を完成するに至った。
【０００８】
すなわち、本発明の逆分散性位相差フィルムは、下記一般式（１）：
【０００９】
【化１】
2010169952.tif 000002
【００１０】
［式（１）中、ｍは０又は１の整数を示し、
Ｒ１は、水素原子；ハロゲン原子；酸素原子、窒素原子、イオウ原子及びケイ素原子からなる群から選択される少なくとも１種の連結基を有していてもよい置換若しくは非置換の炭素原子数１〜３０の炭化水素基；及び極性基からなる群から選択される原子若しくは基を示し、
Ｘ１は式：−ＣＨ＝ＣＨ−で表される基及び式：−ＣＨ２ＣＨ２−で表される基からなる群から選択されるいずれかの基を示し、
ａ及びｂは、それぞれ独立に０〜６の整数を示し、
Ｙは、一構造単位中に複数存在する場合は同一であってもあるいは異なっていてもよく、メチレン基、カルボニル基、オキシ基及び炭素数１〜５のアルキルイミノ基からなる群から選択される少なくとも一つの基を示し、
Ｚは、一構造単位中に複数存在する場合は同一であってもあるいは異なっていてもよく、メチレン基、カルボニル基、オキシ基及び炭素数１〜５のアルキルイミノ基からなる群から選択される少なくとも一つの基を示す。］
で表される構造単位（Ａ）及び下記一般式（２）:
【００１１】
【化２】
2010169952.tif 000003
【００１２】
［式（２）中、ｎは０又は１の整数を示し、
Ｘ２は、式：−ＣＨ＝ＣＨ−で表される基及び式：−ＣＨ２ＣＨ２−で表される基からなる群から選択されるいずれかの基を示し、
Ｒ２、Ｒ３、Ｒ４、Ｒ５はそれぞれ独立に、水素原子；ハロゲン原子；酸素原子、窒素原子、イオウ原子及びケイ素原子からなる群から選択される少なくとも１種の連結基を有していてもよい置換若しくは非置換の炭素原子数１〜３０の炭化水素基；及び極性基からなる群から選択される原子若しくは基を示し、
波線ｄ、ｅは、ｅｎｄｏ又はｅｘｏの立体配置を示し、
波線ｆは、ｅｎｄｏ又はｅｘｏの立体配置を示す。]
で表される構造単位（Ｂ）を含有し、且つ、
前記構造単位（Ａ）と、前記構造単位（Ｂ）のうちの前記波線ｆがｅｘｏの立体配置を示すｅｘｏ型構造単位との総量（［構造単位（Ａ）］＋［ｅｘｏ型構造単位］）が、全構造単位に対して２０モル％以上６５モル％以下であるノルボルネン系開環共重合体からなるフィルムを延伸してなることを特徴とするものである。
【００１３】
上記本発明の逆分散性位相差フィルムにおいては、前記一般式（１）中のｍが０であり且つＲ１が水素原子であることが好ましい。
【００１４】
上記本発明の逆分散性位相差フィルムにおいては、前記構造単位（Ａ）の含有量が、全構造単位に対して６モル％以上４０モル％以下であることが好ましい。
【００１５】
また、上記本発明の逆分散性位相差フィルムにおいては、前記構造単位（Ａ）のうちの前記Ｘ１が式：−ＣＨ２ＣＨ２−で表される基である構造単位と、前記構造単位（Ｂ）のうちの前記Ｘ２が式：−ＣＨ２ＣＨ２−で表される基である構造単位との総量が、前記ノルボルネン系開環重合体中の全構造単位に対して９０モル％以上であることが好ましい。
【００１６】
さらに、本発明の液晶表示装置は、上記本発明の逆分散性位相差フィルムを備えることを特徴とするものである。
【発明の効果】
【００１７】
本発明によれば、複屈折の波長分散特性が逆分散性を示すフィルムであって、空気中の水分による劣化を十分に防止でき、単層であっても逆分散性と耐熱性とを高水準でバランスよく発揮することが可能な逆分散性位相差フィルム、並びに、それを用いた液晶表示装置を提供することが可能となる。
【００１８】
また、このような本発明の位相差フィルムは、薄膜化が可能であり、更には、その製造工程が簡略化され、歩留りよく低コストで製造することも可能なものである。
【図面の簡単な説明】
【００１９】
【図１】５−(ｐ−ｔＢｕフェニル）ビシクロ［２．２．１］−２−ヘプテン／スピロ［３，４−ジヒドロナフタレン−２，２’−［５’］ノルボルネン］−１−オンの開環共重合体の水素添加物のＮＭＲチャートを示すグラフである。
【発明を実施するための形態】
【００２０】
以下、本発明をその好適な実施形態に即して詳細に説明する。
【００２１】
先ず、本発明の逆分散性位相差フィルムについて説明する。すなわち、本発明の逆分散性位相差フィルムは、下記一般式（１）：
【００２２】
【化３】
2010169952.tif 000004
【００２３】
［式（１）中、ｍは０又は１の整数を示し、
Ｒ１は、水素原子；ハロゲン原子；酸素原子、窒素原子、イオウ原子及びケイ素原子からなる群から選択される少なくとも１種の連結基を有していてもよい置換若しくは非置換の炭素原子数１〜３０の炭化水素基；及び極性基からなる群から選択される原子若しくは基を示し、
Ｘ１は式：−ＣＨ＝ＣＨ−で表される基及び式：−ＣＨ２ＣＨ２−で表される基からなる群から選択されるいずれかの基を示し、
ａ及びｂは、それぞれ独立に０〜６の整数を示し、
Ｙは、一構造単位中に複数存在する場合は同一であってもあるいは異なっていてもよく、メチレン基、カルボニル基、オキシ基及び炭素数１〜５のアルキルイミノ基からなる群から選択される少なくとも一つの基を示し、
Ｚは、一構造単位中に複数存在する場合は同一であってもあるいは異なっていてもよく、メチレン基、カルボニル基、オキシ基及び炭素数１〜５のアルキルイミノ基からなる群から選択される少なくとも一つの基を示す。］
で表される構造単位（Ａ）及び下記一般式（２）:
【００２４】
【化４】
2010169952.tif 000005
【００２５】
［式（２）中、ｎは０又は１の整数を示し、
Ｘ２は、式：−ＣＨ＝ＣＨ−で表される基及び式：−ＣＨ２ＣＨ２−で表される基からなる群から選択されるいずれかの基を示し、
Ｒ２、Ｒ３、Ｒ４、Ｒ５はそれぞれ独立に、水素原子；ハロゲン原子；酸素原子、窒素原子、イオウ原子及びケイ素原子からなる群から選択される少なくとも１種の連結基を有していてもよい置換若しくは非置換の炭素原子数１〜３０の炭化水素基；及び極性基からなる群から選択される原子若しくは基を示し、
波線ｄ、ｅは、ｅｎｄｏ又はｅｘｏの立体配置を示し、
波線ｆは、ｅｎｄｏ又はｅｘｏの立体配置を示す。]
で表される構造単位（Ｂ）を含有し、且つ、
前記構造単位（Ａ）と、前記構造単位（Ｂ）のうちの前記波線ｆがｅｘｏの立体配置を示すｅｘｏ型構造単位との総量が、全構造単位に対して２０モル％以上６５モル％以下であるノルボルネン系開環共重合体からなるフィルムを延伸してなることを特徴とするものである。
【００２６】
本発明にかかるノルボルネン系開環共重合体は、前記一般式（１）で表される構造単位（Ａ）と、前記一般式（２）で表される構造単位（Ｂ）を含有してなる。
【００２７】
このような構造単位（Ａ）は、前記一般式（１）で表されるようにスピロ骨格を有するものである。また、このような構造単位（Ａ）は、ノルボルネン単量体の開環重合によって得られたシクロペンタン環と、（Ｙ）ａ、（Ｚ）ｂ及び芳香環を含有する環状体とがスピロ原子を介して結合したものである。また、このような構造単位（Ａ）においては、前記式（１）中のｍは０又は１の整数を示す。つまり、このような構造単位（Ａ）においては、前記ノルボルネン系開環共重合体中に、ｍの値が０又は１の単一の構造単位を含有させてもよく、あるいは、ｍの値が０の構造単位とｍの値が１の構造単位とを共存させてもよい。このようなｍの値は、光学特性、耐熱性、フィルム加工性等の諸物性をバランスよくコントロールするために目的とする設計に応じて適宜調整することができ、ノルボルネン単量体の合成のし易さの観点からは、その値を０とすることが好ましい。
【００２８】
前記一般式（１）中のＹは、メチレン基（−ＣＨ２−）、カルボニル基（＞ＣＯ）、オキシ基（−Ｏ−）及び炭素数１〜５のアルキルイミノ基（＞ＮＲ［Ｒは炭素数１〜５のアルキル基を示す］）からなる群から選択される少なくとも一つの基である。また、前記一般式（１）中のＺは、メチレン基（−ＣＨ２−）、カルボニル基（＞ＣＯ）、オキシ基（−Ｏ−）及び炭素数１〜５のアルキルイミノ基（＞ＮＲ［Ｒは炭素数１〜５のアルキル基を示す］）からなる群から選択される少なくとも一つの基である。このようなＹ又はＺとしては、原料モノマーの入手性及び合成のし易さの観点から、メチレン基、カルボニル基、オキシ基が好ましく、中でも、メチレン基、カルボニル基がより好ましい。
【００２９】
また、前記Ｙの個数を示すａは０〜６（より好ましくは１〜５）の整数である。更に、このようなＺの個数を示すｂは０〜６（より好ましくは１〜５）の整数である。そのため、前記構造単位（Ａ）においては、前記Ｙ、前記Ｚがそれぞれ複数存在し得る。このように前記一般式（１）で表される一構造単位中にＹが複数存在する場合、すなわち、前記ａが２以上の場合は、一構造単位中に存在するＹは同一であってもよくあるいは異なっていてもよい。また、前記一般式（１）で表される一構造単位中にＺが複数存在する場合、すなわち、前記ｂが２以上の場合は、一構造単位中に存在するＺは同一であってもよくあるいは異なっていてもよい。また、このような複数のＹからなる基又は複数のＺからなる基としては、カルボニル基及びオキシ基からなる群から選択される少なくとも１種と、メチレン基とを含む基が好ましく、一つのカルボニル基及び／又は一つのオキシ基と、メチレン基とを含む基がより好ましい。
【００３０】
また、前記一般式（１）中のＸ１は、式：−ＣＨ＝ＣＨ−で表される基、又は、式：−ＣＨ２ＣＨ２−で表される基である。また、前記構造単位（Ａ）は、前記Ｘ１が前述の一方の基のみからなる単一の構造単位からなるものであってもよく、前記Ｘ１が式：−ＣＨ＝ＣＨ−で表される基である構造単位と前記Ｘ１が式：−ＣＨ２ＣＨ２−で表される基である構造単位とが共存してなるものであってもよい。
【００３１】
さらに、前記一般式（１）中のＲ１は、水素原子；ハロゲン原子；酸素原子、窒素原子、イオウ原子及びケイ素原子からなる群から選択される少なくとも１種の連結基を有していてもよい置換若しくは非置換の炭素原子数１〜３０（より好ましくは１〜１０）の炭化水素基；及び極性基からなる群から選択される原子若しくは基である。このような極性基としては、例えば、水酸基、メルカプト基、シアノ基、アミノ基、カルボキシル基、スルホン酸基等が挙げられる。更に、このような一般式（１）中のＲ１で表される置換基としては、原料モノマーの入手のし易さの観点から、水素原子及び炭素数１〜６のアルキル基が好ましく、水素原子が特に好ましい。なお、前記ノルボルネン系開環重合体中の前記構造単位（Ａ）としては、前記構造単位（Ａ）の１種を単独であるいは２種以上を組み合わせて含有させてもよい。
【００３２】
また、前記一般式（２）で表される構造単位（Ｂ）は、その置換基に芳香環を有しており、更にノルボルネン単量体の開環重合によって得られたシクロペンタン環と芳香環が直接もしくはビシクロ環を介して結合しているものである。
【００３３】
このような構造単位（Ｂ）においては、前記式（２）中のｎは０又は１の整数を示す。このような構造単位（Ｂ）においては、前記ノルボルネン系開環共重合体中に、ｎの値が０又は１の単一の構造単位を含有させてもよく、あるいは、ｎの値が０の構造単位とｎの値が１の構造単位とを共存させてもよい。このようなｎの値は、光学特性、耐熱性、フィルム加工性等の諸物性をバランスよくコントロールするために目的とする設計に応じて適宜調整することができ、ノルボルネン単量体の合成のし易さの観点からは、その値を０とすることが好ましい。
【００３４】
また、前記一般式（２）中の波線ｄ、波線ｅは、ｅｎｄｏ又はｅｘｏの立体配置を示す。さらに、前記一般式（２）中の波線ｆも、ｅｎｄｏ又はｅｘｏの立体配置を示す。本発明においては、前記構造単位（Ｂ）のうち、前記波線ｆがｅｎｄｏの立体配置を示す構造単位を「ｅｎｄｏ型構造単位」といい、前記波線ｆがｅｘｏの立体配置を示す構造単位を「ｅｘｏ型構造単位」という。
【００３５】
このような一般式（２）中の波線ｄ、ｅ、ｆで表される立体配置は、単量体製造時の反応条件、及び製造後の反応処理等によって適宜調整することができる。例えば、波線ｄ、ｅの立体配置は製造後の異性化処理によって容易に制御することが可能であり、波線ｆの立体配置は単量体の製造時の反応条件や製造後の熱処理によって制御することが可能である。
【００３６】
さらに、前記一般式（２）中のＲ２、Ｒ３、Ｒ４、Ｒ５で表される置換基は、同一でも又は異なっていてもよく、それぞれ、水素原子；ハロゲン原子；酸素原子、窒素原子、イオウ原子及びケイ素原子からなる群から選択される少なくとも１種の連結基を有していてもよい置換若しくは非置換の炭素原子数１〜３０（より好ましくは１〜１０）の炭化水素基；及び極性基からなる群から選択される原子若しくは基である。なお、このような極性基としては、例えば、水酸基、メルカプト基、シアノ基、アミノ基、カルボキシル基、スルホン酸基等が挙げられる。更に、このような一般式（２）中のＲ２、Ｒ３、Ｒ４で表される置換基としては、原料モノマーの入手のし易さの観点から、水素原子、メチル基、フェニル基等が好ましい。また、Ｒ５で表される置換基としては、得られる位相差フィルムにより高度な耐熱性を付与することができるという観点から、メチル基、プロピル基、ブチル基、２−メチルプロパン−２−イル基（ｔ−ブチル基）、シクロヘキシル基、フェニル基が好ましく、ｔ−ブチル基が特に好ましい。
【００３７】
また、前記一般式（２）中のＸ２は、式：−ＣＨ＝ＣＨ−で表される基、又は、式：−ＣＨ２ＣＨ２−で表される基である。また、前記構造単位（Ｂ）は、前記Ｘ２が前述の一方の基のみからなる単一の構造単位からなるものであってもよく、前記Ｘ２が式：−ＣＨ＝ＣＨ−で表される基である構造単位と前記Ｘ２が式：−ＣＨ２ＣＨ２−で表される基である構造単位とが共存してなるものであってもよい。このように、前記ノルボルネン系開環重合体中の前記構造単位（Ｂ）としては、構造単位（Ｂ）の１種を単独であるいは２種以上を組み合わせて含有させてもよい。
【００３８】
また、このような構造単位（Ａ）及び構造単位（Ｂ）を含有する前記ノルボルネン系開環共重合体においては、前記構造単位（Ａ）及び前記構造単位（Ｂ）のうちの前記波線ｆがｅｘｏの立体配置を示すｅｘｏ型構造単位の総量（［構造単位（Ａ）］＋［ｅｘｏ型構造単位］）が、全構造単位に対して２０モル％以上６５モル％以下である。前記構造単位（Ａ）と前記ｅｘｏ型構造単位との総量（合計量）が全構造単位（構造単位（Ａ）と構造単位（Ｂ）の総量）に対して２０モル％未満では、前記ノルボルネン開環共重合体のガラス転移温度が１１０℃未満となり、位相差フィルムの耐熱性が不十分なものとなる。また、前記構造単位（Ａ）と前記ｅｘｏ型構造単位との総量が全構造単位に対して６５モル％を超えると、波長分散値（Ｄ＝Δｎ（λ＝４８１ｎｍ）／Δｎ（λ＝５８９ｎｍ））が１．０以上の範囲となり、波長分散特性が正常分散となるため特異な光学特性を示すフィルムが得られない。また、より高度な水準で逆分散性と耐熱性とを両立させるという観点からは、前記構造単位（Ａ）と前記ｅｘｏ型構造単位との総量は、全構造単位に対して、２５モル％以上５０モル％以下であることがより好ましく、３０モル％以上４５モル％以下であることが特に好ましい。
【００３９】
また、前記ノルボルネン系開環共重合体においては、前記構造単位（Ａ）の含有量が、全構造単位に対して、６モル％以上４０モル％以下であることが好ましく、１０モル％以上４０モル％以下であることがより好ましく、１５モル％以上３０モル％以下であることが更に好ましい。このような構造単位（Ａ）の含有量が前記下限未満では、本発明の位相差フィルムにおいて、十分に高度な耐熱性が得られなくなる傾向にあり、他方、前記上限を超えると、逆分散特性を示さない傾向にある。
【００４０】
さらに、前記ノルボルネン系開環共重合体においては、前記波線ｄ、波線ｅの示す立体配置がｅｘｏの立体配置である構造単位の含有量は、前記構造単位（Ｂ）の総量に対して３５モル％以上６５モル％以下（より好ましくは４０モル％以上５０モル％以下）であることが好ましい。このような波線ｄ、ｅの示す立体配置がｅｘｏである構造単位の含有比率が３５モル％未満または６５モル％超となる場合には、逆分散特性を十分なものとすることが困難になる傾向にある。
【００４１】
また、前記ノルボルネン系開環共重合体においては、前記波線ｆがｅｘｏの立体配置を示すｅｘｏ型構造単位の含有量は、前記構造単位（Ｂ）の総量に対して１０モル％以上４０モル％以下であることが好ましく、１５モル％以上３０モル％以下であることがより好ましい。このような構造単位（Ｂ）中のｅｘｏ型構造単位の含有量が前記下限未満では、モノマー合成が困難となり、モノマー合成時の収率が低下する傾向にあり、他方、前記上限を超えると本発明の位相差フィルムの逆分散特性、耐熱性が低下する傾向にある。
【００４２】
また、前記ノルボルネン系開環共重合体は、主鎖に対する水素添加割合が高いほど、すなわち主鎖中の二重結合が少ないほど、より安定な重合体となる。そのため、本発明にかかるノルボルネン系開環重合体としては、充分に水素が添加され、主鎖中の二重結合が少ない重合体が好ましい。このような観点から、前記構造単位（Ａ）のうちの前記Ｘ１が式：−ＣＨ２ＣＨ２−で表される基である構造単位と、前記構造単位（Ｂ）のうちの前記Ｘ２が式：−ＣＨ２ＣＨ２−で表される基である構造単位との総量が、前記ノルボルネン系開環重合体中の全構造単位に対して９０モル％以上（より好ましくは９５モル％以上、特に好ましくは９８モル％以上）であることが好ましい。このような比率が９０モル％未満では、重合体の安定性が低下し、熱による着色や劣化を抑制することが困難となる傾向にある。
【００４３】
また、前記ノルボルネン系開環重合体の重量平均分子量は、１０００〜１０００００００であることが好ましく、１００００〜１００００００であることがより好ましい。前記一般式（６）で表されるノルボルネン系開環重合体の重量平均分子量が前記下限未満では、得られる芳香族型ノルボルネン系開環重合体の強度が低くなる傾向にあり、他方、前記上限を超えると、得られるノルボルネン系開環重合体の溶融粘度が高くなり過ぎ、位相差フィルム作成時の加工性が低下する傾向にある。
【００４４】
さらに、前記ノルボルネン系開環重合体のガラス転移温度（Ｔｇ）は、１１０℃以上であることが好ましく、１１５〜１３０℃であることがより好ましい。このようなガラス転移温度が前記下限未満では、得られる位相差フィルムに十分に高度な耐熱性を付与することができなくなる傾向にあり、他方、前記上限を超えると、フィルムの加工性が低下する傾向にある。
【００４５】
このようなノルボルネン系開環重合体を製造する方法は特に制限されないが、例えば、下記一般式（３）：
【００４６】
【化５】
2010169952.tif 000006
【００４７】
［式（３）中、Ｒ１、Ｙ、Ｚ、ａ、ｂ、ｍは、それぞれ前記一般式（１）中のＲ１、Ｙ、Ｚ、ａ、ｂ、ｍと同義である。］
で表されるスピロ型ノルボルネン系単量体と、下記一般式（４）：
【００４８】
【化６】
2010169952.tif 000007
【００４９】
［式（４）中、Ｒ２、Ｒ３、Ｒ４、Ｒ５、ｄ、ｅ、ｆ、ｎは、それぞれ前記一般式（２）中のＲ２、Ｒ３、Ｒ４、Ｒ５、ｄ、ｅ、ｆ、ｎと同義である。］
で表される芳香族型ノルボルネン単量体とを開環重合せしめて、前記一般式（１）で表される構造単位（Ａ）と前記一般式（２）で表される構造単位（Ｂ）を含有するノルボルネン系開環共重合体を得る方法を好適に採用できる。このようなノルボルネン系開環共重合体を製造する方法においては、前記スピロ型ノルボルネン系単量体と前記芳香族型ノルボルネン単量体とを開環重合せしめた際には、前記一般式（１）中のＸ１が式：−ＣＨ＝ＣＨ−で表される基である構造単位（Ａ）と前記一般式（２）中のＸ２が式：−ＣＨ＝ＣＨ−で表される基である構造単位（Ｂ）とを含有するノルボルネン系開環共重合体が得られるため、開環重合後に更に水素添加処理を施して、前記一般式（１）中のＸ１が式：−ＣＨ２ＣＨ２−で表される基である構造単位（Ａ）と前記一般式（２）中のＸ２が式：−ＣＨ２ＣＨ２−で表される基である構造単位（Ｂ）とを含有するノルボルネン系開環共重合体としてもよい。
【００５０】
このような一般式（３）で表されるスピロ型ノルボルネン単量体としては、例えば、以下の（i）〜（xv）に示す単量体を挙げることができる。
【００５１】
（i）１，２−ベンゾシクロペンテン−３−スピロ−５’−ビシクロ［２．２．１］−２’−ヘプテン、１，２−（３’’−メチルベンゾ）シクロペンテン−３−スピロ−５’−ビシクロ［２．２．１］−２’−ヘプテン、１，２−（４’’−メチルベンゾ）シクロペンテン−３−スピロ−５’−ビシクロ［２．２．１］−２’−ヘプテン、１，２−（５’’−メチルベンゾ）シクロペンテン−３−スピロ−５’−ビシクロ［２．２．１］−２’−ヘプテン、１，２−（６’’−メチルベンゾ）シクロペンテン−３−スピロ−５’−ビシクロ［２．２．１］−２’−ヘプテン、１，２−（３’’−エチルベンゾ）シクロペンテン−３−スピロ−５’−ビシクロ［２．２．１］−２’−ヘプテン、１，２−（４’’−エチルベンゾ）シクロペンテン−３−スピロ−５’−ビシクロ［２．２．１］−２’−ヘプテン、１，２−（５’’−エチルベンゾ）シクロペンテン−３−スピロ−５’−ビシクロ［２．２．１］−２’−ヘプテン、１，２−（６’’−エチルベンゾ）シクロペンテン−３−スピロ−５’−ビシクロ［２．２．１］−２’−ヘプテン、１，２−（３’−ｎ−プロピルベンゾ）シクロペンテン−３−スピロ−５’−ビシクロ［２．２．１］−２’−ヘプテン、１，２−（４’’−ｎ−プロピルベンゾ）シクロペンテン−３−スピロ−５’−ビシクロ［２．２．１］−２’−ヘプテン、１，２−（５’−ｎ−プロピルベンゾ）シクロペンテン−３−スピロ−５’−ビシクロ［２．２．１］−２’−ヘプテン、１，２−（６’’−ｎ−プロピルベンゾ）シクロペンテン−３−スピロ−５’−ビシクロ［２．２．１］−２’−ヘプテン、１，２−（３’’−ｉｓｏ−プロピルベンゾ）シクロペンテン−３−スピロ−５’−ビシクロ［２．２．１］−２’−ヘプテン、１，２−（４’’−ｉｓｏ−プロピルベンゾ）シクロペンテン−３−スピロ−５’−ビシクロ［２．２．１］−２’−ヘプテン、１，２−（５’’−ｉｓｏ−プロピルベンゾ）シクロペンテン−３−スピロ−５’−ビシクロ［２．２．１］−２’−ヘプテン、１，２−（６’’−ｉｓｏ−プロピルベンゾ）シクロペンテン−３−スピロ−５’−ビシクロ［２．２．１］−２’−ヘプテン、１，２−（３’’−ｎ−ブチルベンゾ）シクロペンテン−３−スピロ−５’−ビシクロ［２．２．１］−２’−ヘプテン、１，２−（４’’−ｎ−ブチルベンゾ）シクロペンテン−３−スピロ−５’−ビシクロ［２．２．１］−２’−ヘプテン、１，２−（５’’−ｎ−ブチルベンゾ）シクロペンテン−３−スピロ−５’−ビシクロ［２．２．１］−２’−ヘプテン、１，２−（６’’−ｎ−ブチルベンゾ）シクロペンテン−３−スピロ−５’−ビシクロ［２．２．１］−２’−ヘプテン、１，２−（３’’−ｉｓｏ−ブチルベンゾ）シクロペンテン−３−スピロ−５’−ビシクロ［２．２．１］−２’−ヘプテン、１，２−（４’’−ｉｓｏ−ブチルベンゾ）シクロペンテン−３−スピロ−５’−ビシクロ［２．２．１］−２’−ヘプテン、１，２−（５’’−ｉｓｏ−ブチルベンゾ）シクロペンテン−３−スピロ−５’−ビシクロ［２．２．１］−２’−ヘプテン、１，２−（６’’−ｉｓｏ−ブチルベンゾ）シクロペンテン−３−スピロ−５’−ビシクロ［２．２．１］−��’−ヘプテン、１，２−（３’’−ｓｅｃ−ブチルベンゾ）シクロペンテン−３−スピロ−５’−ビシクロ［２．２．１］−２’−ヘプテン、１，２−（４’’−ｓｅｃ−ブチルベンゾ）シクロペンテン−３−スピロ−５’−ビシクロ［２．２．１］−２’−ヘプテン、１，２−（５’’−ｓｅｃ−ブチルベンゾ）シクロペンテン−３−スピロ−５’−ビシクロ［２．２．１］−２’−ヘプテン、１，２−（６’’−ｓｅｃ−ブチルベンゾ）シクロペンテン−３−スピロ−５’−ビシクロ［２．２．１］−２’−ヘプテン、１，２−（３’’−ｔ−ブチルベンゾ）シクロペンテン−３−スピロ−５’−ビシクロ［２．２．１］−２’−ヘプテン、１，２−（４’’−ｔ−ブチルベンゾ）シクロペンテン−３−スピロ−５’−ビシクロ［２．２．１］−２’−ヘプテン、１，２−（５’’−ｔ−ブチルベンゾ）シクロペンテン−３−スピロ−５’−ビシクロ［２．２．１］−２’−ヘプテン、１，２−（６’’−ｔ−ブチルベンゾ）シクロペンテン−３−スピロ−５’−ビシクロ［２．２．１］−２’−ヘプテン、１，２−（３’’−シクロヘキシルベンゾ）シクロペンテン−３−スピロ−５’−ビシクロ［２．２．１］−２’−ヘプテン、１，２−（４’’−シクロヘキシルベンゾ）シクロペンテン−３−スピロ−５’−ビシクロ［２．２．１］−２’−ヘプテン、１，２−（５’’−シクロヘキシルベンゾ）シクロペンテン−３−スピロ−５’−ビシクロ［２．２．１］−２’−ヘプテン、１，２−（６’’−シクロヘキシルベンゾ）シクロペンテン−３−スピロ−５’−ビシクロ［２．２．１］−２’−ヘプテン、１，２−（３’’−フェニルベンゾ）シクロペンテン−３−スピロ−５’−ビシクロ［２．２．１］−２’−ヘプテン、１，２−（４’’−フェニルベンゾ）シクロペンテン−３−スピロ−５’−ビシクロ［２．２．１］−２’−ヘプテン、１，２−（５’’−フェニルベンゾ）シクロペンテン−３−スピロ−５’−ビシクロ［２．２．１］−２’−ヘプテン、１，２−（６’’−フェニルベンゾ）シクロペンテン−３−スピロ−５’−ビシクロ［２．２．１］−２’−ヘプテン、１，２−（３’’−クロロベンゾ）シクロペンテン−３−スピロ−５’−ビシクロ［２．２．１］−２’−ヘプテン、１，２−（４’’−クロロベンゾ）シクロペンテン−３−スピロ−５’−ビシクロ［２．２．１］−２’−ヘプテン、１，２−（５’’−クロロベンゾ）シクロペンテン−３−スピロ−５’−ビシクロ［２．２．１］−２’−ヘプテン、１，２−（６’’−クロロベンゾ）シクロペンテン−３−スピロ−５’−ビシクロ［２．２．１］−２’−ヘプテン、１，２−（３’’−アミノベンゾ）シクロペンテン−３−スピロ−５’−ビシクロ［２．２．１］−２’−ヘプテン、１，２−（４’’−アミノベンゾ）シクロペンテン−３−スピロ−５’−ビシクロ［２．２．１］−２’−ヘプテン、１，２−（５’’−アミノベンゾ）シクロペンテン−３−スピロ−５’−ビシクロ［２．２．１］−２’−ヘプテン、１，２−（６’’−アミノベンゾ）シクロペンテン−３−スピロ−５’−ビシクロ［２．２．１］−２’−ヘプテン、１，２−（３’’−メトキシベンゾ）シクロペンテン−３−スピロ−５’−ビシクロ［２．��．１］−２’−ヘプテン、１，２−（４’’−メトキシベンゾ）シクロペンテン−３−スピロ−５’−ビシクロ［２．２．１］−２’−ヘプテン、１，２−（５’’−メトキシベンゾ）シクロペンテン−３−スピロ−５’−ビシクロ［２．２．１］−２’−ヘプテン、１，２−（６’’−メトキシベンゾ）シクロペンテン−３−スピロ−５’−ビシクロ［２．２．１］−２’−ヘプテン、１，２−ベンゾシクロペンテン−４−スピロ−５’−ビシクロ［２．２．１］−２’−ヘプテン、１，２−（３’’−メチルベンゾ）シクロペンテン−４−スピロ−５’−ビシクロ［２．２．１］−２’−ヘプテン、１，２−（４’’−メチルベンゾ）シクロペンテン−４−スピロ−５’−ビシクロ［２．２．１］−２’−ヘプテン、１，２−（３’’−エチルベンゾ）シクロペンテン−４−スピロ−５’−ビシクロ［２．２．１］−２’−ヘプテン、１，２−（４’’−エチルベンゾ）シクロペンテン−４−スピロ−５’−ビシクロ［２．２．１］−２’−ヘプテン、１，２−（３’’−ｎ−プロピルベンゾ）シクロペンテン−４−スピロ−５’−ビシクロ［２．２．１］−２’−ヘプテン、１，２−（４’’−ｎ−プロピルベンゾ）シクロペンテン−４−スピロ−５’−ビシクロ［２．２．１］−２’−ヘプテン、１，２−（３’’−ｉｓｏ−プロピルベンゾ）シクロペンテン−４−スピロ−５’−ビシクロ［２．２．１］−２’−ヘプテン、１，２−（４’’−ｉｓｏ−プロピルベンゾ）シクロペンテン−４−スピロ−５’−ビシクロ［２．２．１］−２’−ヘプテン、１，２−（３’’−ｎ−ブチルベンゾ）シクロペンテン−４−スピロ−５’−ビシクロ［２．２．１］−２’−ヘプテン、１，２−（４’’−ｎ−ブチルベンゾ）シクロペンテン−４−スピロ−５’−ビシクロ［２．２．１］−２’−ヘプテン、１，２−（３’’−ｉｓｏ−ブチルベンゾ）シクロペンテン−４−スピロ−５’−ビシクロ［２．２．１］−２’−ヘプテン、１，２−（４’’−ｉｓｏ−ブチルベンゾ）シクロペンテン−４−スピロ−５’−ビシクロ［２．２．１］−２’−ヘプテン、１，２−（３’’−ｓｅｃ−ブチルベンゾ）シクロペンテン−４−スピロ−５’−ビシクロ［２．２．１］−２’−ヘプテン、１，２−（４’’−ｓｅｃ−ブチルベンゾ）シクロペンテン−４−スピロ−５’−ビシクロ［２．２．１］−２’−ヘプテン、１，２−（３’’−ｔ−ブチルベンゾ）シクロペンテン−４−スピロ−５’−ビシクロ［２．２．１］−２’−ヘプテン、１，２−（４’’−ｔ−ブチルベンゾ）シクロペンテン−４−スピロ−５’−ビシクロ［２．２．１］−２’−ヘプテン、１，２−（３’−シクロヘキシルベンゾ）シクロペンテン−４−スピロ−５‘−ビシクロ［２．２．１］−２’−ヘプテン、１，２−（４’’−シクロヘキシルベンゾ）シクロペンテン−４−スピロ−５’−ビシクロ［２．２．１］−２’−ヘプテン、１，２−（３’’−フェニルベンゾ）シクロペンテン−４−スピロ−５’−ビシクロ［２．２．１］−２’−ヘプテン、１，２−（４’’−フェニルベンゾ）シクロペンテン−４−スピロ−５’−ビシクロ［２．２．１］−２’−ヘプテン、１，２−（３’’−クロロベンゾ）シクロペンテン−４−スピロ−５’−ビシクロ��２．２．１］−２’−ヘプテン、１，２−（４’’−クロロベンゾ）シクロペンテン−４−スピロ−５’−ビシクロ［２．２．１］−２’−ヘプテン、１，２−（３’’−アミノベンゾ）シクロペンテン−４−スピロ−５’−ビシクロ［２．２．１］−２’−ヘプテン、１，２−（４’’−アミノベンゾ）シクロペンテン−４−スピロ−５’−ビシクロ［２．２．１］−２’−ヘプテン、１，２−（３’’−メトキシベンゾ）シクロペンテン−４−スピロ−５‘−ビシクロ［２．２．１］−２’−ヘプテン、１，２−（４’’−メトキシベンゾ）シクロペンテン−４−スピロ−５’−ビシクロ［２．２．１］−２’−ヘプテン。
【００５２】
（ii）スピロ［３，４−ジヒドロ−２Ｈ−ナフタレン−１，５’−２’−ノルボルネン］、スピロ［５−メチル−３，４−ジヒドロ−２Ｈ−ナフタレン−１，５’−２’−ノルボルネン］、スピロ［６−メチル−３，４−ジヒドロ−２Ｈ−ナフタレン−１，５’−２’−ノルボルネン］、スピロ［７−メチル−３，４−ジヒドロ−２Ｈ−ナフタレン−１，５’−２’−ノルボルネン］、スピロ［８−メチル−３，４−ジヒドロ−２Ｈ−ナフタレン−１，５’−２’−ノルボルネン］、スピロ［５−エチル−３，４−ジヒドロ−２Ｈ−ナフタレン−１，５’−２’−ノルボルネン］、スピロ［６−エチル−３，４−ジヒドロ−２Ｈ−ナフタレン−１，５’−２’−ノルボルネン］、スピロ［７−エチル−３，４−ジヒドロ−２Ｈ−ナフタレン−１，５’−２’−ノルボルネン］、スピロ［８−エチル−３，４−ジヒドロ−２Ｈ−ナフタレン−１，５’−２’−ノルボルネン］、スピロ［５−ｎ−プロピル−３，４−ジヒドロ−２Ｈ−ナフタレン−１，５’−２’−ノルボルネン］、スピロ［６−ｎ−プロピル−３，４−ジヒドロ−２Ｈ−ナフタレン−１，５’−２’−ノルボルネン］、スピロ［７−ｎ−プロピル−３，４−ジヒドロ−２Ｈ−ナフタレン−１，５’−２’−ノルボルネン］、スピロ［８−ｎ−プロピル−３，４−ジヒドロ−２Ｈ−ナフタレン−１，５’−２’−ノルボルネン］、スピロ［５−ｉｓｏ−プロピル−３，４−ジヒドロ−２Ｈ−ナフタレン−１，５’−２’−ノルボルネン］、スピロ［６−ｉｓｏ−プロピル−３，４−ジヒドロ−２Ｈ−ナフタレン−１，５’−２’−ノルボルネン］、スピロ［７−ｉｓｏ−プロピル−３，４−ジヒドロ−２Ｈ−ナフタレン−１，５’−２’−ノルボルネン］、スピロ［８−ｉｓｏ−プロピル−３，４−ジヒドロ−２Ｈ−ナフタレン−１，５’−２’−ノルボルネン］、スピロ［５−ｎ−ブチル−３，４−ジヒドロ−２Ｈ−ナフタレン−１，５’−２’−ノルボルネン］、スピロ［６−ｎ−ブチル−３，４−ジヒドロ−２Ｈ−ナフタレン−１，５’−２’−ノルボルネン］、スピロ［７−ｎ−ブチル−３，４−ジヒドロ−２Ｈ−ナフタレン−１，５’−２’−ノルボルネン］、スピロ［８−ｎ−ブチル−３，４−ジヒドロ−２Ｈ−ナフタレン−１，５’−２’−ノルボルネン］、スピロ［５−ｉｓｏ−ブチル−３，４−ジヒドロ−２Ｈ−ナフタレン−１，５’−２’−ノルボルネン］、スピロ［６−ｉｓｏ−ブチル−３，４−ジヒドロ−２Ｈ−ナフタレン−１，５’−２’−ノルボルネン］、スピロ［７−ｉｓｏ−ブチル−３，４−ジヒドロ−２Ｈ−ナフタレン−１，５’−２’−ノルボルネン］、スピロ［８−ｉｓｏ−ブチル−３，４−ジヒドロ−２Ｈ−ナフタレン−１，５’−２’−ノルボルネン］、スピロ［５−ｓｅｃ−ブチル−３，４−ジヒドロ−２Ｈ−ナフタレン−１，５’−２’−ノルボルネン］、スピロ［６−ｓｅｃ−ブチル−３，４−ジヒドロ−２Ｈ−ナフタレン−１，５’−２’−ノルボルネン］、スピロ［７−ｓｅｃ−ブチル−３，４−ジヒドロ−２Ｈ−ナフタレン−１，５’−２’−ノルボルネン］、スピロ［８−ｓｅｃ−ブチル−３，４−ジヒドロ−２Ｈ−ナフタレン−１，５’−２’−ノルボルネン］、スピロ［５−ｔ−ブチル−３，４−ジヒドロ���２Ｈ−ナフタレン−１，５’−２’−ノルボルネン］、スピロ［６−ｔ−ブチル−３，４−ジヒドロ−２Ｈ−ナフタレン−１，５’−２’−ノルボルネン］、スピロ［７−ｔ−ブチル−３，４−ジヒドロ−２Ｈ−ナフタレン−１，５’−２’−ノルボルネン］、スピロ［８−ｔ−ブチル−３，４−ジヒドロ−２Ｈ−ナフタレン−１，５’−２’−ノルボルネン］、スピロ［５−シクロヘキシル−３，４−ジヒドロ−２Ｈ−ナフタレン−１，５’−２’−ノルボルネン］、スピロ［６−シクロヘキシル−３，４−ジヒドロ−２Ｈ−ナフタレン−１，５’−２’−ノルボルネン］、スピロ［７−シクロヘキシル−３，４−ジヒドロ−２Ｈ−ナフタレン−１，５’−２’−ノルボルネン］、スピロ［８−シクロヘキシル−３，４−ジヒドロ−２Ｈ−ナフタレン−１，５’−２’−ノルボルネン］、スピロ［５−フェニル−３，４−ジヒドロ−２Ｈ−ナフタレン−１，５’−２’−ノルボルネン］、スピロ［６−フェニル−３，４−ジヒドロ−２Ｈ−ナフタレン−１，５’−２’−ノルボルネン］、スピロ［７−フェニル−３，４−ジヒドロ−２Ｈ−ナフタレン−１，５’−２’−ノルボルネン］、スピロ［８−フェニル−３，４−ジヒドロ−２Ｈ−ナフタレン−１，５’−２’−ノルボルネン］、スピロ［５−クロロ−３，４−ジヒドロ−２Ｈ−ナフタレン−１，５’−２’−ノルボルネン］、スピロ［６−クロロ−３，４−ジヒドロ−２Ｈ−ナフタレン−１，５’−２’−ノルボルネン］、スピロ［７−クロロ−３，４−ジヒドロ−２Ｈ−ナフタレン−１，５’−２’−ノルボルネン］、スピロ［８−クロロ−３，４−ジヒドロ−２Ｈ−ナフタレン−１，５’−２’−ノルボルネン］、スピロ［５−フェニル−３，４−ジヒドロ−２Ｈ−ナフタレン−１，５’−２’−ノルボルネン］、スピロ［６−フェニル−３，４−ジヒドロ−２Ｈ−ナフタレン−１，５’−２’−ノルボルネン］、スピロ［７−フェニル−３，４−ジヒドロ−２Ｈ−ナフタレン−１，５’−２’−ノルボルネン］、スピロ［８−フェニル−３，４−ジヒドロ−２Ｈ−ナフタレン−１，５’−２’−ノルボルネン］、スピロ［５−アミノ−３，４−ジヒドロ−２Ｈ−ナフタレン−１，５’−２’−ノルボルネン］、スピロ［６−アミノ−３，４−ジヒドロ−２Ｈ−ナフタレン−１，５’−２’−ノルボルネン］、スピロ［７−アミノ−３，４−ジヒドロ−２Ｈ−ナフタレン−１，５’−２’−ノルボルネン］、スピロ［８−アミノ−３，４−ジヒドロ−２Ｈ−ナフタレン−１，５’−２’−ノルボルネン］、スピロ［５−メトキシ−３，４−ジヒドロ−２Ｈ−ナフタレン−１，５’−２’−ノルボルネン］、スピロ［６−メトキシ−３，４−ジヒドロ−２Ｈ−ナフタレン−１，５’−２’−ノルボルネン］、スピロ［７−メトキシ−３，４−ジヒドロ−２Ｈ−ナフタレン−１，５’−２’−ノルボルネン］、スピロ［８−メトキシ−３，４−ジヒドロ−２Ｈ−ナフタレン−１，５’−２’−ノルボルネン］、スピロ［３，４−ジヒドロ−１Ｈ−ナフタレン−2，５’−２’−ノルボルネン］、スピロ［５−メチル−３，４−ジヒドロ−１Ｈ−ナフタレン−2，５’−２’−ノルボルネン］、スピロ［６−メチル−３，４−ジヒドロ−２Ｈ−ナフタレン−2，５’−２’−ノ���ボルネン］、スピロ［７−メチル−３，４−ジヒドロ−1Ｈ−ナフタレン−2，５’−２’−ノルボルネン］、スピロ［８−メチル−３，４−ジヒドロ−1Ｈ−ナフタレン−2，５’−２’−ノルボルネン］、スピロ［５−エチル−３，４−ジヒドロ−1Ｈ−ナフタレン−2，５’−２’−ノルボルネン］、スピロ［６−エチル−３，４−ジヒドロ−1Ｈ−ナフタレン−2，５’−２’−ノルボルネン］、スピロ［７−エチル−３，４−ジヒドロ−1Ｈ−ナフタレン−2，５’−２’−ノルボルネン］、スピロ［８−エチル−３，４−ジヒドロ−1Ｈ−ナフタレン−2，５’−２’−ノルボルネン］、スピロ［５−ｎ−プロピル−３，４−ジヒドロ−1Ｈ−ナフタレン−2，５’−２’−ノルボルネン］、スピロ［６−ｎ−プロピル−３，４−ジヒドロ−1Ｈ−ナフタレン−２，５’−２’−ノルボルネン］、スピロ［７−ｎ−プロピル−３，４−ジヒドロ−1Ｈ−ナフタレン−２，５’−２’−ノルボルネン］、スピロ［８−ｎ−プロピル−３，４−ジヒドロ−1Ｈ−ナフタレン−２，５’−２’−ノルボルネン］、スピロ［５−ｉｓｏ−プロピル−３，４−ジヒドロ−1Ｈ−ナフタレン−２，５’−２’−ノルボルネン］、スピロ［６−ｉｓｏ−プロピル−３，４−ジヒドロ−１Ｈ−ナフタレン−２，５’−２’−ノルボルネン］、スピロ［７−ｉｓｏ−プロピル−３，４−ジヒドロ−1Ｈ−ナフタレン−２，５’−２’−ノルボルネン］、スピロ［８−ｉｓｏ−プロピル−３，４−ジヒドロ−1Ｈ−ナフタレン−２，５’−５’−ノルボルネン］、スピロ［５−ｎ−ブチル−３，４−ジヒドロ−1Ｈ−ナフタレン−２，５’−２’−ノルボルネン］、スピロ［６−ｎ−ブチル−３，４−ジヒドロ−１Ｈ−ナフタレン−２，５’−２’−ノルボルネン］、スピロ［７−ｎ−ブチル−３，４−ジヒドロ−１Ｈ−ナフタレン−２，５’−２’−ノルボルネン］、スピロ［８−ｎ−ブチル−３，４−ジヒドロ−１Ｈ−ナフタレン−２，５’−２’−ノルボルネン］、スピロ［５−ｉｓｏ−ブチル−３，４−ジヒドロ−１Ｈ−ナフタレン−２，５’−２’−ノルボルネン］、スピロ［６−ｉｓｏ−ブチル−３，４−ジヒドロ−１Ｈ−ナフタレン−２，５’−２’−ノルボルネン］、スピロ［７−ｉｓｏ−ブチル−３，４−ジヒドロ−１Ｈ−ナフタレン−２，５’−２’−ノルボルネン］、スピロ［８−ｉｓｏ−ブチル−３，４−ジヒドロ−１Ｈ−ナフタレン−２，５’−２’−ノルボルネン］、スピロ［５−ｓｅｃ−ブチル−３，４−ジヒドロ−１Ｈ−ナフタレン−２，５’−２’−ノルボルネン］、スピロ［６−ｓｅｃ−ブチル−３，４−ジヒドロ−１Ｈ−ナフタレン−２，５’−２’−ノルボルネン］、スピロ［７−ｓｅｃ−ブチル−３，４−ジヒドロ−１Ｈ−ナフタレン−２，５’−２’−ノルボルネン］、スピロ［８−ｓｅｃ−ブチル−３，４−ジヒドロ−１Ｈ−ナフタレン−２，５’−２’−ノルボルネン］、スピロ［５−ｔ−ブチル−３，４−ジヒドロ−１Ｈ−ナフタレン−２，５’−２’−ノルボルネン］、スピロ［６−ｔ−ブチル−３，４−ジヒドロ−１Ｈ−ナフタレン−２，５’−２’−ノルボルネン］、スピロ［７−ｔ−ブチル−３，４−ジヒドロ−１Ｈ−ナフタレン−２，５’−２’−ノルボルネン］、スピロ［８−ｔ−ブチル−３，４−ジヒ���ロ−１Ｈ−ナフタレン−２，５’−２’−ノルボルネン］、スピロ［５−シクロヘキシル−３，４−ジヒドロ−１Ｈ−ナフタレン−２，５’−２’−ノルボルネン］、スピロ［６−シクロヘキシル−３，４−ジヒドロ−１Ｈ−ナフタレン−２，５’−２’−ノルボルネン］、スピロ［７−シクロヘキシル−３，４−ジヒドロ−１Ｈ−ナフタレン−２，５’−２’−ノルボルネン］、スピロ［８−シクロヘキシル−３，４−ジヒドロ−１Ｈ−ナフタレン−２，５’−２’−ノルボルネン］、スピロ［５−フェニル−３，４−ジヒドロ−１Ｈ−ナフタレン−２，５’−２’−ノルボルネン］、スピロ［６−フェニル−３，４−ジヒドロ−１Ｈ−ナフタレン−２，５’−２’−ノルボルネン］、スピロ［７−フェニル−３，４−ジヒドロ−１Ｈ−ナフタレン−２，５’−２’−ノルボルネン］、スピロ［８−フェニル−３，４−ジヒドロ−１Ｈ−ナフタレン−２，５’−２’−ノルボルネン］、スピロ［５−クロロ−３，４−ジヒドロ−１Ｈ−ナフタレン−２，５’−２’−ノルボルネン］、スピロ［６−クロロ−３，４−ジヒドロ−１Ｈ−ナフタレン−２，５’−２’−ノルボルネン］、スピロ［７−クロロ−３，４−ジヒドロ−１Ｈ−ナフタレン−２，５’−２’−ノルボルネン］、スピロ［８−クロロ−３，４−ジヒドロ−１Ｈ−ナフタレン−２，５’−２’−ノルボルネン］、スピロ［５−フェニル−３，４−ジヒドロ−１Ｈ−ナフタレン−２，５’−２’−ノルボルネン］、スピロ［６−フェニル−３，４−ジヒドロ−１Ｈ−ナフタレン−２，５’−２’−ノルボルネン］、スピロ［７−フェニル−３，４−ジヒドロ−１Ｈ−ナフタレン−２，５’−２’−ノルボルネン］、スピロ［８−フェニル−３，４−ジヒドロ−１Ｈ−ナフタレン−２，５’−２’−ノルボルネン］、スピロ［５−アミノ−３，４−ジヒドロ−１Ｈ−ナフタレン−２，５’−２’−ノルボルネン］、スピロ［６−アミノ−３，４−ジヒドロ−１Ｈ−ナフタレン−２，５’−２’−ノルボルネン］、スピロ［７−アミノ−３，４−ジヒドロ−１Ｈ−ナフタレン−２，５’−２’−ノルボルネン］、スピロ［８−アミノ−３，４−ジヒドロ−１Ｈ−ナフタレン−２，５’−２’−ノルボルネン］、スピロ［５−メトキシ−３，４−ジヒドロ−１Ｈ−ナフタレン−２，５’−２’−ノルボルネン］、スピロ［６−メトキシ−３，４−ジヒドロ−１Ｈ−ナフタレン−２，５’−２’−ノルボルネン］
、スピロ［７−メトキシ−３，４−ジヒドロ−１Ｈ−ナフタレン−２，５’−２’−ノルボルネン］、スピロ［８−メトキシ−３，４−ジヒドロ−１Ｈ−ナフタレン−２，５’−２’−ノルボルネン］。
【００５３】
（iii）１，２−ベンゾシクロヘプテン−３−スピロ−５’−ビシクロ［２．２．１］−２’−ヘプテン、１，２−（３’’−メチルベンゾ）シクロヘプテン−３−スピロ−５’−ビシクロ［２．２．１］−２’−ヘプテン、１，２−（４’’−メチルベンゾ）シクロヘプテン−３−スピロ−５’−ビシクロ［２．２．１］−２’−ヘプテン、１，２−（３’’−エチルベンゾ）シクロヘプテン−３−スピロ−５’−ビシクロ［２．２．１］−２’−ヘプテン、１，２−（４’’−エチルベンゾ）シクロヘプテン−３−スピロ−５’−ビシクロ［２．２．１］−２’−ヘプテン、１，２−（３’’−ｎ−プロピルベンゾ）シクロヘプテン−３−スピロ−５’−ビシクロ［２．２．１］−２’−ヘプテン、１，２−（４’’−ｎ−プロピルベンゾ）シクロヘプテン−３−スピロ−５’−ビシクロ［２．２．１］−２’−ヘプテン、１，２−（３’’−ｉｓｏ−プロピルベンゾ）シクロヘプテン−３−スピロ−５’−ビシクロ［２．２．１］−２’−ヘプテン、１，２−（４’’−ｉｓｏ−プロピルベンゾ）シクロヘプテン−３−スピロ−５’−ビシクロ［２．２．１］−２’−ヘプテン、１，２−（３’’−ｎ−ブチルベンゾ）シクロヘプテン−３−スピロ−５’−ビシクロ［２．２．１］−２’−ヘプテン、１，２−（４’’−ｎ−ブチルベンゾ）シクロヘプテン−３−スピロ−５’−ビシクロ［２．２．１］−２’−ヘプテン、１，２−（３’’−ｉｓｏ−ブチルベンゾ）シクロヘプテン−３−スピロ−５’−ビシクロ［２．２．１］−２’−ヘプテン、１，２−（４’’−ｉｓｏ−ブチルベンゾ）シクロヘプテン−３−４−スピロ−５’−ビシクロ［２．２．１］−２’−ヘプテン、１，２−（３’’−ｓｅｃ−ブチルベンゾ）シクロヘプテン−３−スピロ−５’−ビシクロ［２．２．１］−２’−ヘプテン、１，２−（４’’−ｓｅｃ−ブチルベンゾ）シクロヘプテン−３−スピロ−５’−ビシクロ［２．２．１］−２’−ヘプテン、１，２−（３’’−ｔ−ブチルベンゾ）シクロヘプテン−３−スピロ−５’−ビシクロ［２．２．１］−２’−ヘプテン、１，２−（４’’−ｔ−ブチルベンゾ）シクロヘプテン−３−スピロ−５’−ビシクロ［２．２．１］−２’−ヘプテン、１，２−（３’−シクロヘキシルベンゾ）シクロヘプテン−３−スピロ−５‘−ビシクロ［２．２．１］−２’−ヘプテン、１，２−（４’’−シクロヘキシルベンゾ）シクロヘプテン−３−スピロ−５’−ビシクロ［２．２．１］−２’−ヘプテン、１，２−（３’’−フェニルベンゾ）シクロヘプテン−３−スピロ−５’−ビシクロ［２．２．１］−２’−ヘプテン、１，２−（４’’−フェニルベンゾ）シクロヘプテン−３−スピロ−５’−ビシクロ［２．２．１］−２’−ヘプテン、１，２−（３’’−クロロベンゾ）シクロヘプテン−３−スピロ−５’−ビシクロ［２．２．１］−２’−ヘプテン、１，２−（４’’−クロロベンゾ）シクロヘプテン−３−スピロ−５’−ビシクロ［２．２．１］−２’−ヘプテン、１，２−（３’’−アミノベンゾ）シクロヘプテン−３−スピロ−５’−ビシクロ［２．２．１］−２’−ヘプテン、１，２−（４’’−アミノベンゾ）シクロヘプテン−３−スピロ−５’−ビシクロ［２．２．１］−２’−ヘプテン、１，２−（３’’−メトキシベンゾ）シクロヘプテン−３−スピロ−５‘−ビシクロ［２．２．１］−２’−ヘプテン、１，２−（４’’−メトキシベンゾ）シクロヘプテン−３−スピロ−５’−ビシクロ［２．２．１］−２’−ヘプテン、１，２−ベンゾシクロヘプテン−４−スピロ−５’−ビシクロ［２．２．１］−２’−ヘプテン、１，２−（３’’−メチルベンゾ）シクロヘプテン−４−スピロ−５’−ビシクロ［２．２．１］−２’−ヘプテン、１，２−（４’’−メチルベンゾ）シクロヘプテン−４−スピロ−５’−ビシクロ［２．２．１］−２’−ヘプテン、１，２−（５’’−メチルベンゾ）シクロヘプテン−４−スピロ−５’−ビシクロ［２．２．１］−２’−ヘプテン、１，２−（５’’−メチルベンゾ）シクロヘプテン−４−スピロ−５’−ビシクロ［２．２．１］−２’−ヘプテン、１，２−（３’’−エチルベンゾ）シクロヘプテン−４−スピロ−５’−ビシクロ［２．２．１］−２’−ヘプテン、１，２−（４’’−エチルベンゾ）シクロヘプテン−４−スピロ−５’−ビシクロ［２．２．１］−２’−ヘプテン、１，２−（５’’−エチルベンゾ）シクロヘプテン−４−スピロ−５’−ビシクロ［２．２．１］−２’−ヘプテン、１，２−（６’’−エチルベンゾ）シクロヘプテン−４−スピロ−５’−ビシクロ［２．２．１］−２’−ヘプテン、１，２−（３’’−ｎ−プロピルベンゾ）シクロヘプテン−４−スピロ−５’−ビシクロ［２．２．１］−２’−ヘプテン、１，２−（４’’−ｎ−プロピルベンゾ）シクロヘプテン−４−スピロ−５’−ビシクロ［２．２．１］−２’−ヘプテン、１，２−（５’’−ｎ−プロピルベンゾ）シクロヘプテン−４−スピロ−５’−ビシクロ［２．２．１］−２’−ヘプテン、１，２−（６’’−ｎ−プロピルベンゾ）シクロヘプテン−４−スピロ−５’−ビシクロ［２．２．１］−２’−ヘプテン、１，２−（３’’−ｉｓｏ−プロピルベンゾ）シクロヘプテン−４−スピロ−５’−ビシクロ［２．２．１］−２’−ヘプテン、１，２−（４’’−ｉｓｏ−プロピルベンゾ）シクロヘプテン−４−スピロ−５’−ビシクロ［２．２．１］−２’−ヘプテン、１，２−（５’’−ｉｓｏ−プロピルベンゾ）シクロヘプテン−４−スピロ−５’−ビシクロ［２．２．１］−２’−ヘプテン、１，２−（６’’−ｉｓｏ−プロピルベンゾ）シクロヘプテン−４−スピロ−５’−ビシクロ［２．２．１］−２’−ヘプテン、１，２−（３’’−ｎ−ブチルベンゾ）シクロヘプテン−４−スピロ−５’−ビシクロ［２．２．１］−２’−ヘプテン、１，２−（４’’−ｎ−ブチルベンゾ）シクロヘプテン−４−スピロ−５’−ビシクロ［２．２．１］−２’−ヘプテン、１，２−（５’’−ｎ−ブチルベンゾ）シクロヘプテン−４−スピロ−５’−ビシクロ［２．２．１］−２’−ヘプテン、１，２−（６’’−ｎ−ブチルベンゾ）シクロヘプテン−４−スピロ−５’−ビシクロ［２．２．１］−２’−ヘプテン、１，２−（３’’−ｉｓｏ−ブチルベンゾ）シクロヘプテン−４−スピロ−５’−ビシクロ［２．２．１］−２’−ヘプテン、１，２−（４’’−ｉｓｏ−ブチルベンゾ）シクロヘプテン−４−スピロ−５’−ビシクロ［２．２．１］−２’−ヘプテン、１，２−（５’’−ｉｓｏ−ブチルベンゾ）シクロヘプテン−４−スピロ−５’−ビシクロ［２．２．１］−２’−ヘプテン、１，２−（６’’−ｉｓｏ−ブチルベンゾ）シクロヘプテン−４−スピロ−５’−ビシクロ［２．２．１］−２’−ヘプテン、１，２−（３’’−ｓｅｃ−ブチルベンゾ）シクロヘプテン−４−スピロ−５’−ビシクロ［２．２．１］−２’−ヘプテン、１，２−（４’’−ｓｅｃ−ブチルベンゾ）シクロヘプテン−４−スピロ−５’−ビシクロ［２．２．１］−２’−ヘプテン、１，２−（５’’−ｓｅｃ−ブチルベンゾ）シクロヘプテン−４−スピロ−５’−ビシクロ［２．２．１］−２’−ヘプテン、１，２−（６’’−ｓｅｃ−ブチルベンゾ）シクロヘプテン−４−スピロ−５’−ビシクロ［２．２．１］−２’−ヘプテン、１，２−（３’’−ｔ−ブチルベンゾ）シクロヘプテン−４−スピロ−５’−ビシクロ［２．２．１］−２’−ヘプテン、１，２−（４’’−ｔ−ブチルベンゾ）シクロヘプテン−４−スピロ−５’−ビシクロ［２．２．１］−２’−ヘプテン、１，２−（５’’−ｔ−ブチルベンゾ）シクロヘプテン−４−スピロ−５’−ビシクロ［２．２．１］−２’−ヘプテン、１，２−（６’’−ｔ−ブチルベンゾ）シクロヘプテン−４−スピロ−５’−ビシクロ［２．２．１］−２’−ヘプテン、１，２−（３’−シクロヘキシルベンゾ）シクロヘプテン−４−スピロ−５‘−ビシクロ［２．２．１］−２’−ヘプテン、１，２−（４’’−シクロヘキシルベンゾ）シクロヘプテン−４−スピロ−５’−ビシクロ［２．２．１］−２’−ヘプテン、１，２−（５’’−シクロヘキシルベンゾ）シクロヘプテン−４−スピロ−５’−ビシクロ［２．２．１］−２’−ヘプテン、１，２−（６’’−シクロヘキシルベンゾ）シクロヘプテン−４−スピロ−５’−ビシクロ［２．２．１］−２’−ヘプテン、１，２−（３’’−フェニルベンゾ）シクロヘプテン−４−スピロ−５’−ビシクロ［２．２．１］−２’−ヘプテン、１，２−（４’’−フェニルベンゾ）シクロヘプテン−４−スピロ−５’−ビシクロ［２．２．１］−２’−ヘプテン、１，２−（５’’−フェニルベンゾ）シクロヘプテン−４−スピロ−５’−ビシクロ［２．２．１］−２’−ヘプテン、１，２−（６’’−フェニルベンゾ）シクロヘプテン−４−スピロ−５’−ビシクロ［２．２．１］−２’−ヘプテン、１，２−（３’’−クロロベンゾ）シクロヘプテン−４−スピロ−５’−ビシクロ［２．２．１］−２’−ヘプテン、１，２−（４’’−クロロベンゾ）シクロヘプテン−４−スピロ−５’−ビシクロ［２．２．１］−２’−ヘプテン、１，２−（５’’−クロロベンゾ）シクロヘプテン−４−スピロ−５’−ビシクロ［２．２．１］−２’−ヘプテン、１，２−（６’’−クロロベンゾ）シクロヘプテン−４−スピロ−５’−ビシクロ［２．２．１］−２’−ヘプテン、１，２−（３’’−アミノベンゾ）シクロヘプテン−４−スピロ−５’−ビシクロ［２．２．１］−２’−ヘプテン、１，２−（４’’−アミノベンゾ）シクロヘプテン−４−スピロ−５’−ビシクロ［２．２．１］−２’−ヘプテン、１，２−（５’’−アミノベンゾ）シクロヘプテン−４−スピロ−５’−ビシクロ［２．２．１］−２’−ヘプテン、１，２−（６’’−アミノベンゾ）シクロヘプテン−４−スピロ−５’−ビシクロ［２．２．１］−２’−ヘプテン、１，２−（３’’−メトキシベンゾ）シクロヘプテン−４−スピロ−５‘−ビシクロ［２．２．１］−２’−ヘプテン、１，２−（４’’−メトキシベンゾ）シクロヘプテン−４−スピロ−５’−ビシクロ［２．２．１］−２’−ヘプテン、１，２−（５’’−メトキシベンゾ）シクロヘプテン−４−スピロ−５’−ビシクロ［２．２．１］−２’−ヘプテン、１，２−（６’’−メトキシベンゾ）シクロヘプテン−４−スピロ−５’−ビシクロ［２．２．１］−２’−ヘプテン、１，２−ベンゾシクロヘプテン−５−スピロ−５’−ビシクロ［２．２．１］−２’−ヘプテン、１，２−（３’’−メチルベンゾ）シクロヘプテン−５−スピロ−５’−ビシクロ［２．２．１］−２’−ヘプテン、１，２−（４’’−メチルベンゾ）シクロヘプテン−５−スピロ−５’−ビシクロ［２．２．１］−２’−ヘプテン、１，２−（３’’−エチルベンゾ）シクロヘプテン−５−スピロ−５’−ビシクロ［２．２．１］−２’−ヘプテン、１，２−（４’’−エチルベンゾ）シクロヘプテン−５−スピロ−５’−ビシクロ［２．２．１］−２’−ヘプテン、１，２−（３’’−ｎ−プロピルベンゾ）シクロヘプテン−５−スピロ−５’−ビシクロ［２．２．１］−２’−ヘプテン、１，２−（４’’−ｎ−プロピルベンゾ）シクロヘプテン−４−スピロ−５’−ビシクロ［２．２．１］−２’−ヘプテン、１，２−（３’’−ｉｓｏ−プロピルベンゾ）シクロヘプテン−５−スピロ−５’−ビシクロ［２．２．１］−２’−ヘプテン、１，２−（４’’−ｉｓｏ−プロピルベンゾ）シクロヘプテン−５−スピロ−５’−ビシクロ［２．２．１］−２’−ヘプテン、１，２−（３’’−ｎ−ブチルベンゾ）シクロヘプテン−５−スピロ−５’−ビシクロ［２．２．１］−２’−ヘプテン、１，２−（４’’−ｎ−ブチルベンゾ）シクロヘプテン−５−スピロ−５’−ビシクロ［２．２．１］−２’−ヘプテン、１，２−（３’’−ｉｓｏ−ブチルベンゾ）シクロヘプテン−５−スピロ−５’−ビシクロ［２．２．１］−２’−ヘプテン、１，２−（４’’−ｉｓｏ−ブチルベンゾ）シクロヘプテン−５−スピロ−５’−ビシクロ［２．２．１］−２’−ヘプテン、１，２−（３’’−ｓｅｃ−ブチルベンゾ）シクロヘプテン−５−
スピロ−５’−ビシクロ［２．２．１］−２’−ヘプテン、１，２−（４’’−ｓｅｃ−ブチルベンゾ）シクロヘプテン−５−スピロ−５’−ビシクロ［２．２．１］−２’−ヘプテン、１，２−（３’’−ｔ−ブチルベンゾ）シクロヘプテン−５−スピロ−５’−ビシクロ［２．２．１］−２’−ヘプテン、１，２−（４’’−ｔ−ブチルベンゾ）シクロヘプテン−５−スピロ−５’−ビシクロ［２．２．１］−２’−ヘプテン、１，２−（３’’−シクロヘキシルベンゾ）シクロヘプテン−５−スピロ−５‘−ビシクロ［２．２．１］−２’−ヘプテン、１，２−（４’’−シクロヘキシルベンゾ）シクロヘプテン−５−スピロ−５’−ビシクロ［２．２．１］−２’−ヘプテン、１，２−（３’’−フェニルベンゾ）シクロヘプテン−５−スピロ−５’−ビシクロ［２．２．１］−２’−ヘプテン、１，２−（４’’−フェニルベンゾ）シクロヘプテン−５−スピロ−５’−ビシクロ［２．２．１］−２’−ヘプテン、１，２−（３’’−クロロベンゾ）シクロヘプテン−５−スピロ−５’−ビシクロ［２．２．１］−２’−ヘプテン、１，２−（４’’−クロロベンゾ）シクロヘプテン−５−スピロ−５’−ビシクロ［２．２．１］−２’−ヘプテン、１，２−（３’’−アミノベンゾ）シクロヘプテン−５−スピロ−５’−ビシクロ［２．２．１］−２’−ヘプテン、１，２−（４’’−アミノベンゾ）シクロヘプテン−５−スピロ−５’−ビシクロ［２．２．１］−２’−ヘプテン、１，２−（３’’−メトキシベンゾ）シクロヘプテン−５−スピロ−５‘−ビシクロ［２．２．１］−２’−ヘプテン、１，２−（４’’−メトキシベンゾ）シクロヘプテン−５−スピロ−５’−ビシクロ［２．２．１］−２’−ヘプテン。
【００５４】
（iv）１，２−ベンゾシクロオクテン−３−スピロ−５’−ビシクロ［２．２．１］−２’−ヘプテン、１，２−（３’’−メチルベンゾ）シクロオクテン−３−スピロ−５’−ビシクロ［２．２．１］−２’−ヘプテン、１，２−（４’’−メチルベンゾ）シクロオクテン−３−スピロ−５’−ビシクロ［２．２．１］−２’−ヘプテン、１，２−（５’’−メチルベンゾ）シクロオクテン−３−スピロ−５’−ビシクロ［２．２．１］−２’−ヘプテン、１，２−（６’’−メチルベンゾ）シクロオクテン−３−スピロ−５’−ビシクロ［２．２．１］−２’−ヘプテン、１，２−（３’’−エチルベンゾ）シクロオクテン−３−スピロ−５’−ビシクロ［２．２．１］−２’−ヘプテン、１，２−（４’’−エチルベンゾ）シクロヘプテン−３−スピロ−５’−ビシクロ［２．２．１］−２’−ヘプテン、１，２−（３’’−ｎ−プロピルベンゾ）シクロヘプテン−３−スピロ−５’−ビシクロ［２．２．１］−２’−ヘプテン、１，２−（４’’−ｎ−プロピルベンゾ）シクロオクテン−３−スピロ−５’−ビシクロ［２．２．１］−２’−ヘプテン、１，２−（５’’−ｎ−プロピルベンゾ）シクロオクテン−３−スピロ−５’−ビシクロ［２．２．１］−２’−ヘプテン、１，２−（６’’−ｎ−プロピルベンゾ）シクロオクテン−３−スピロ−５’−ビシクロ［２．２．１］−２’−ヘプテン、１，２−（３’’−ｉｓｏ−プロピルベンゾ）シクロオクテン−３−スピロ−５’−ビシクロ［２．２．１］−２’−ヘプテン、１，２−（４’’−ｉｓｏ−プロピルベンゾ）シクロオクテン−３−スピロ−５’−ビシクロ［２．２．１］−２’−ヘプテン、１，２−（５’’−ｉｓｏ−プロピルベンゾ）シクロオクテン−３−スピロ−５’−ビシクロ［２．２．１］−２’−ヘプテン、１，２−（６’’−ｉｓｏ−プロピルベンゾ）シクロオクテン−３−スピロ−５’−ビシクロ［２．２．１］−２’−ヘプテン、１，２−（３’’−ｎ−ブチルベンゾ）シクロオクテン−３−スピロ−５’−ビシクロ［２．２．１］−２’−ヘプテン、１，２−（４’’−ｎ−ブチルベンゾ）シクロオクテン−３−スピロ−５’−ビシクロ［２．２．１］−２’−ヘプテン、１，２−（３’’−ｉｓｏ−ブチルベンゾ）シクロオクテン−３−スピロ−５’−ビシクロ［２．２．１］−２’−ヘプテン、１，２−（４’’−ｉｓｏ−ブチルベンゾ）シクロオクテン−３−スピロ−５’−ビシクロ［２．２．１］−２’−ヘプテン、１，２−（５’’−ｉｓｏ−ブチルベンゾ）シクロオクテン−３−スピロ−５’−ビシクロ［２．２．１］−２’−ヘプテン、１，２−（６’’−ｉｓｏ−ブチルベンゾ）シクロオクテン−３−スピロ−５’−ビシクロ［２．２．１］−２’−ヘプテン、１，２−（３’’−ｓｅｃ−ブチルベンゾ）シクロヘプテン−３−スピロ−５’−ビシクロ［２．２．１］−２’−ヘプテン、１，２−（４’’−ｓｅｃ−ブチルベンゾ）シクロオクテン−３−スピロ−５’−ビシクロ［２．２．１］−２’−ヘプテン、１，２−（３’’−ｔ−ブチルベンゾ）シクロオクテン−３−スピロ−５’−ビシクロ［２．２．１］−２’−ヘプテン、１，２−（４’’−ｔ−ブチルベンゾ）シクロオクテン−３−スピロ−５’−ビシ���ロ［２．２．１］−２’−ヘプテン、１，２−（３’−シクロヘキシルベンゾ）シクロオクテン−３−スピロ−５‘−ビシクロ［２．２．１］−２’−ヘプテン、１，２−（４’’−シクロヘキシルベンゾ）シクロオクテン−３−スピロ−５’−ビシクロ［２．２．１］−２’−ヘプテン、１，２−（５’’−シクロヘキシルベンゾ）シクロオクテン−３−スピロ−５’−ビシクロ［２．２．１］−２’−ヘプテン、１，２−（６’’−シクロヘキシルベンゾ）シクロオクテン−３−スピロ−５’−ビシクロ［２．２．１］−２’−ヘプテン、１，２−（３’’−フェニルベンゾ）シクロオクテン−３−スピロ−５’−ビシクロ［２．２．１］−２’−ヘプテン、１，２−（４’’−フェニルベンゾ）シクロオクテン−３−スピロ−５’−ビシクロ［２．２．１］−２’−ヘプテン、１，２−（３’’−クロロベンゾ）シクロオクテン−３−スピロ−５’−ビシクロ［２．２．１］−２’−ヘプテン、１，２−（４’’−クロロベンゾ）シクロオクテン−３−スピロ−５’−ビシクロ［２．２．１］−２’−ヘプテン、１，２−（５’’−クロロベンゾ）シクロオクテン−３−スピロ−５’−ビシクロ［２．２．１］−２’−ヘプテン、１，２−（６’’−クロロベンゾ）シクロオクテン−３−スピロ−５’−ビシクロ［２．２．１］−２’−ヘプテン、１，２−（３’’−アミノベンゾ）シクロオクテン−３−スピロ−５’−ビシクロ［２．２．１］−２’−ヘプテン、１，２−（４’’−アミノベンゾ）シクロオクテン−３−スピロ−５’−ビシクロ［２．２．１］−２’−ヘプテン、１，２−（３’’−メトキシベンゾ）シクロオクテン−３−スピロ−５‘−ビシクロ［２．２．１］−２’−ヘプテン、１，２−（４’’−メトキシベンゾ）シクロオクテン−３−スピロ−５’−ビシクロ［２．２．１］−２’−ヘプテン、１，２−（５’’−メトキシベンゾ）シクロオクテン−３−スピロ−５’−ビシクロ［２．２．１］−２’−ヘプテン、１，２−（６’’−メトキシベンゾ）シクロオクテン−３−スピロ−５’−ビシクロ［２．２．１］−２’−ヘプテン、１，２−ベンゾシクロオクテン−４−スピロ−５’−ビシクロ［２．２．１］−２’−ヘプテン、１，２−（３’’−メチルベンゾ）シクロオクテン−４−スピロ−５’−ビシクロ［２．２．１］−２’−ヘプテン、１，２−（４’’−メチルベンゾ）シクロオクテン−４−スピロ−５’−ビシクロ［２．２．１］−２’−ヘプテン、１，２−（５’’−メチルベンゾ）シクロオクテン−４−スピロ−５’−ビシクロ［２．２．１］−２’−ヘプテン、１，２−（６’’−メチルベンゾ）シクロオクテン−４−スピロ−５’−ビシクロ［２．２．１］−２’−ヘプテン、１，２−（３’’−エチルベンゾ）シクロオクテン−４−スピロ−５’−ビシクロ［２．２．１］−２’−ヘプテン、１，２−（４’’−エチルベンゾ）シクロヘプテン−４−スピロ−５’−ビシクロ［２．２．１］−２’−ヘプテン、１，２−（３’’−ｎ−プロピルベンゾ）シクロヘプテン−４−スピロ−５’−ビシクロ［２．２．１］−２’−ヘプテン、１，２−（４’’−ｎ−プロピルベンゾ）シクロオクテン−４−スピロ−５’−ビシクロ［２．２．１］−２’−ヘプテン、１，２−���５’’−ｎ−プロピルベンゾ）シクロオクテン−４−スピロ−５’−ビシクロ［２．２．１］−２’−ヘプテン、１，２−（６’’−ｎ−プロピルベンゾ）シクロオクテン−４−スピロ−５’−ビシクロ［２．２．１］−２’−ヘプテン、１，２−（３’’−ｉｓｏ−プロピルベンゾ）シクロオクテン−４−スピロ−５’−ビシクロ［２．２．１］−２’−ヘプテン、１，２−（４’’−ｉｓｏ−プロピルベンゾ）シクロオクテン−４−スピロ−５’−ビシクロ［２．２．１］−２’−ヘプテン、１，２−（５’’−ｉｓｏ−プロピルベンゾ）シクロオクテン−４−スピロ−５’−ビシクロ［２．２．１］−２’−ヘプテン、１，２−（６’’−ｉｓｏ−プロピルベンゾ）シクロオクテン−４−スピロ−５’−ビシクロ［２．２．１］−２’−ヘプテン、１，２−（３’’−ｎ−ブチルベンゾ）シクロオクテン−４−スピロ−５’−ビシクロ［２．２．１］−２’−ヘプテン、１，２−（４’’−ｎ−ブチルベンゾ）シクロオクテン−４−スピロ−５’−ビシクロ［２．２．１］−２’−ヘプテン、１，２−（３’’−ｉｓｏ−ブチルベンゾ）シクロオクテン−３−スピロ−５’−ビシクロ［２．２．１］−２’−ヘプテン、１，２−（４’’−ｉｓｏ−ブチルベンゾ）シクロオクテン−４−スピロ−５’−ビシクロ［２．２．１］−２’−ヘプテン、１，２−（５’’−ｉｓｏ−ブチルベンゾ）シクロオクテン−４−スピロ−５’−ビシクロ［２．２．１］−２’−ヘプテン、１，２−（６’’−ｉｓｏ−ブチルベンゾ）シクロオクテン−４−スピロ−５’−ビシクロ［２．２．１］−２’−ヘプテン、１，２−（３’’−ｓｅｃ−ブチルベンゾ）シクロヘプテン−４−スピロ−５’−ビシクロ［２．２．１］−２’−ヘプテン、１，２−（４’’−ｓｅｃ−ブチルベンゾ）シクロオクテン−４−スピロ−５’−ビシクロ［２．２．１］−２’−ヘプテン、１，２−（３’’−ｔ−ブチルベンゾ）シクロオクテン−４−スピロ−５’−ビシクロ［２．２．１］−２’−ヘプテン、１，２−（４’’−ｔ−ブチルベンゾ）シクロオクテン−４−スピロ−５’−ビシクロ［２．２．１］−２’−ヘプテン、１，２−（３’−シクロヘキシルベンゾ）シクロオクテン−４−スピロ−５‘−ビシクロ［２．２．１］−２’−ヘプテン、１，２−（４’’−シクロヘキシルベンゾ）シクロオクテン−４−スピロ−５’−ビシクロ［２．２．１］−２’−ヘプテン、１，２−（５’’−シクロヘキシルベンゾ）シクロオクテン−４−スピロ−５’−ビシクロ［２．２．１］−２’−ヘプテン、１，２−（６’’−シクロヘキシルベンゾ）シクロオクテン−４−スピロ−５’−ビシクロ［２．２．１］−２’−ヘプテン、１，２−（３’’−フェニルベンゾ）シクロオクテン−３−スピロ−５’−ビシクロ［２．２．１］−２’−ヘプテン、１，２−（４’’−フェニルベンゾ）シクロオクテン−４−スピロ−５’−ビシクロ［２．２．１］−２’−ヘプテン、１，２−（３’’−クロロベンゾ）シクロオクテン−４−スピロ−５’−ビシクロ［２．２．１］−２’−ヘプテン、１，２−（４’’−クロロベンゾ）シクロオクテン−４−スピロ−５’−ビシクロ［２．２．１］−２’−ヘプテン、１，２−（５’’−クロロベンゾ）シクロオクテ���−４−スピロ−５’−ビシクロ［２．２．１］−２’−ヘプテン、１，２−（６’’−クロロベンゾ）シクロオクテン−４−スピロ−５’−ビシクロ［２．２．１］−２’−ヘプテン、１，２−（３’’−アミノベンゾ）シクロオクテン−４−スピロ−５’−ビシクロ［２．２．１］−２’−ヘプテン、１，２−（４’’−アミノベンゾ）シクロオクテン−４−スピロ−５’−ビシクロ［２．２．１］−２’−ヘプテン、１，２−（３’’−メトキシベンゾ）シクロオクテン−４−スピロ−５‘−ビシクロ［２．２．１］−２’−ヘプテン、１，２−（４’’−メトキシベンゾ）シクロオクテン−４−スピロ−５’−ビシクロ［２．２．１］−２’−ヘプテン、１，２−（５’’−メトキシベンゾ）シクロオクテン−４−スピロ−５’−ビシクロ［２．２．１］−２’−ヘプテン、１，２−（６’’−メトキシベンゾ）シクロオクテン−４−スピロ−５’−ビシクロ［２．２．１］−２’−ヘプテン、１，２−ベンゾシクロオクテン−５−スピロ−５’−ビシクロ［２．２．１］−２’−ヘプテン、１，２−（３’’−メチルベンゾ）シクロオクテン−５−スピロ−５’−ビシクロ［２．２．１］−２’−ヘプテン、１，２−（４’’−メチルベンゾ）シクロオクテン−５−スピロ−５’−ビシクロ［２．２．１］−２’−ヘプテン、１，２−（５’’−メチルベンゾ）シクロオクテン−５−スピロ−５’−ビシクロ［２．２．１］−２’−ヘプテン、１，２−（６’’−メチルベンゾ）シクロオクテン−５−スピロ−５’−ビシクロ［２．２．１］−２’−ヘプテン、１，２−（３’’−エチルベンゾ）シクロオクテン−５−スピロ−５’−ビシクロ［２．２．１］−２’−ヘプテン、１，２−（４’’−エチルベンゾ）シクロヘプテン−５−スピロ−５’−ビシクロ［２．２．１］−２’−ヘプテン、１，２−（３’’−ｎ−プロピルベンゾ）シクロヘプテン−５−スピロ−５’−ビシクロ［２．２．１］−２’−ヘプテン、１，２−（４’’−ｎ−プロピルベンゾ）シクロオクテン−５−スピロ−５’−ビシクロ［２．２．１］−２’−ヘプテン、１，２−（５’’−ｎ−プロピルベンゾ）シクロオクテン−５−スピロ−５’−ビシクロ［２．２．１］−２’−ヘプテン、１，２−（６’’−ｎ−プロピルベンゾ）シクロオクテン−５−スピロ−５’−ビシクロ［２．２．１］−２’−ヘプテン、１，２−（３’’−ｉｓｏ−プロピルベンゾ）シクロオクテン−５−スピ
ロ−５’−ビシクロ［２．２．１］−２’−ヘプテン、１，２−（４’’−ｉｓｏ−プロピルベンゾ）シクロオクテン−５−スピロ−５’−ビシクロ［２．２．１］−２’−ヘプテン、１，２−（５’’−ｉｓｏ−プロピルベンゾ）シクロオクテン−５−スピロ−５’−ビシクロ［２．２．１］−２’−ヘプテン、１，２−（６’’−ｉｓｏ−プロピルベンゾ）シクロオクテン−５−スピロ−５’−ビシクロ［２．２．１］−２’−ヘプテン、１，２−（３’’−ｎ−ブチルベンゾ）シクロオクテン−５−スピロ−５’−ビシクロ［２．２．１］−２’−ヘプテン、１，２−（４’’−ｎ−ブチルベンゾ）シクロオクテン−５−スピロ−５’−ビシクロ［２．２．１］−２’−ヘプテン、１，２−（３’’−ｉｓｏ−ブチルベンゾ）シクロオクテン−５−スピロ−５’−ビシクロ［２．２．１］−２’−ヘプテン、１，２−（４’’−ｉｓｏ−ブチルベンゾ）シクロオクテン−５−スピロ−５’−ビシクロ［２．２．１］−２’−ヘプテン、１，２−（５’’−ｉｓｏ−ブチルベンゾ）シクロオクテン−５−スピロ−５’−ビシクロ［２．２．１］−２’−ヘプテン、１，２−（６’’−ｉｓｏ−ブチルベンゾ）シクロオクテン−５−スピロ−５’−ビシクロ［２．２．１］−２’−ヘプテン、１，２−（３’’−ｓｅｃ−ブチルベンゾ）シクロヘプテン−５−スピロ−５’−ビシクロ［２．２．１］−２’−ヘプテン、１，２−（４’’−ｓｅｃ−ブチルベンゾ）シクロオクテン−５−スピロ−５’−ビシクロ［２．２．１］−２’−ヘプテン、１，２−（３’’−ｔ−ブチルベンゾ）シクロオクテン−５−スピロ−５’−ビシクロ［２．２．１］−２’−ヘプテン、１，２−（４’’−ｔ−ブチルベンゾ）シクロオクテン−５−スピロ−５’−ビシクロ［２．２．１］−２’−ヘプテン、１，２−（３’−シクロヘキシルベンゾ）シクロオクテン−５−スピロ−５‘−ビシクロ［２．２．１］−２’−ヘプテン、１，２−（４’’−シクロヘキシルベンゾ）シクロオクテン−５−スピロ−５’−ビシクロ［２．２．１］−２’−ヘプテン、１，２−（５’’−シクロヘキシルベンゾ）シクロオクテン−５−スピロ−５’−ビシクロ［２．２．１］−２’−ヘプテン、１，２−（６’’−シクロヘキシルベンゾ）シクロオクテン−５−スピロ−５’−ビシクロ［２．２．１］−２’−ヘプテン、１，２−（３’’−フェニルベンゾ）シクロオクテン−５−スピロ−５’−ビシクロ［２．２．１］−２’−ヘプテン、１，２−（４’’−フェニルベンゾ）シクロオクテン−５−スピロ−５’−ビシクロ［２．２．１］−２’−ヘプテン、１，２−（３’’−クロロベンゾ）シクロオクテン−４−スピロ−５’−ビシクロ［２．２．１］−２’−ヘプテン、１，２−（４’’−クロロベンゾ）シクロオクテン−５−スピロ−５’−ビシクロ［２．２．１］−２’−ヘプテン、１，２−（５’’−クロロベンゾ）シクロオクテン−５−スピロ−５’−ビシクロ［２．２．１］−２’−ヘプテン、１，２−（６’’−クロロベンゾ）シクロオクテン−５−スピロ−５’−ビシクロ［２．２．１］−２’−ヘプテン、１，２−（３’’−アミノベンゾ）シクロオクテン−５−スピロ−５’−ビシクロ［２．２．１］−２’−ヘプテン、１，２−（４’’−アミノベンゾ）シクロオクテン−５−スピロ−５’−ビシクロ［２．２．１］−２’−ヘプテン、１，２−（３’’−メトキシベンゾ）シクロオクテン−５−スピロ−５‘−ビシクロ［２．２．１］−２’−ヘプテン、１，２−（４’’−メトキシベンゾ）シクロオクテン−５−スピロ−５’−ビシクロ［２．２．１］−２’−ヘプテン、１，２−（５’’−メトキシベンゾ）シクロオクテン−５−スピロ−５’−ビシクロ［２．２．１］−２’−ヘプテン、１，２−（６’’−メトキシベンゾ）シクロオクテン−５−スピロ−５’−ビシクロ［２．２．１］−２’−ヘプテン。
【００５５】
（v）２，３−ベンゾシクロペンテン−１−オン−４−スピロ−５’−ビシクロ［２．２．１］−２’−ヘプテン、２，３−（３’’−メチルベンゾ）シクロペンテン−１−オン−４−スピロ−５’−ビシクロ［２．２．１］−２’−ヘプテン、２，３−（４’’−メチルベンゾ）シクロペンテン−１−オン−４−スピロ−５’−ビシクロ［２．２．１］−２’−ヘプテン、２，３−（５’’−メチルベンゾ）シクロペンテン−１−オン−４−スピロ−５’−ビシクロ［２．２．１］−２’−ヘプテン、２，３−（６’’−メチルベンゾ）シクロペンテン−１−オン−４−スピロ−５’−ビシクロ［２．２．１］−２’−ヘプテン、２，３−（３’’−エチルベンゾ）シクロペンテン−１−オン−４−スピロ−５’−ビシクロ［２．２．１］−２’−ヘプテン、２，３−（４’’−エチルベンゾ）シクロペンテン−１−オン−４−スピロ−５’−ビシクロ［２．２．１］−２’−ヘプテン、２，３−（５’’−エチルベンゾ）シクロペンテン−１−オン−４−スピロ−５’−ビシクロ［２．２．１］−２’−ヘプテン、２，３−（６’’−エチルベンゾ）シクロペンテン−１−オン−４−スピロ−５’−ビシクロ［２．２．１］−２’−ヘプテン、２，３−（３’’−ｎ−プロピルベンゾ）シクロペンテン−１−オン−４−スピロ−５’−ビシクロ［２．２．１］−２’−ヘプテン、２，３−（４’’−ｎ−プロピルベンゾ）シクロペンテン−１−オン−４−スピロ−５’−ビシクロ［２．２．１］−２’−ヘプテン、２，３−（５’’−ｎ−プロピルベンゾ）シクロペンテン−１−オン−４−スピロ−５’−ビシクロ［２．２．１］−２’−ヘプテン、２，３−（６’’−ｎ−プロピルベンゾ）シクロペンテン−１−オン−４−スピロ−５’−ビシクロ［２．２．１］−２’−ヘプテン、２，３−（３’’−ｉｓｏ−プロピルベンゾ）シクロペンテン−１−オン−４−スピロ−５’−ビシクロ［２．２．１］−２’−ヘプテン、２，３−（４’’−ｉｓｏ−プロピルベンゾ）シクロペンテン−１−オン−４−スピロ−５’−ビシクロ［２．２．１］−２’−ヘプテン、２，３−（５’’−ｉｓｏ−プロピルベンゾ）シクロペンテン−１−オン−４−スピロ−５’−ビシクロ［２．２．１］−２’−ヘプテン、２，３−（６’’−ｉｓｏ−プロピルベンゾ）シクロペンテン−１−オン−４−スピロ−５’−ビシクロ［２．２．１］−２’−ヘプテン、２，３−（３’’−ｎ−ブチルベンゾ）シクロペンテン−１−オン−４−スピロ−５’−ビシクロ［２．２．１］−２’−ヘプテン、２，３−（４’’−ｎ−ブチルベンゾ）シクロペンテン−１−オン−４−スピロ−５’−ビシクロ［２．２．１］−２’−ヘプテン、２，３−（５’’−ｎ−ブチルベンゾ）シクロペンテン−１−オン−４−スピロ−５’−ビシクロ［２．２．１］−２’−ヘプテン、２，３−（６’’−ｎ−ブチルベンゾ）シクロペンテン−１−オン−４−スピロ−５’−ビシクロ［２．２．１］−２’−ヘプテン、２，３−（３’’−ｉｓｏ−ブチルベンゾ）シクロペンテン−１−オン−４−スピロ−５’−ビシクロ［２．２．１］−２’−ヘプテン、２，３−（４’’−ｉｓｏ−ブチルベンゾ）シクロペンテン−１−オン−４−スピロ−５’−ビシクロ［２．２．��］−２’−ヘプテン、２，３−（５’’−ｉｓｏ−ブチルベンゾ）シクロペンテン−１−オン−４−スピロ−５’−ビシクロ［２．２．１］−２’−ヘプテン、２，３−（６’’−ｉｓｏ−ブチルベンゾ）シクロペンテン−１−オン−４−スピロ−５’−ビシクロ［２．２．１］−２’−ヘプテン、２，３−（３’’−ｓｅｃ−ブチルベンゾ）シクロペンテン−１−オン−４−スピロ−５’−ビシクロ［２．２．１］−２’−ヘプテン、２，３−（４’’−ｓｅｃ−ブチルベンゾ）シクロペンテン−１−オン−４−スピロ−５’−ビシクロ［２．２．１］−２’−ヘプテン、２，３−（５’’−ｓｅｃ−ブチルベンゾ）シクロペンテン−１−オン−４−スピロ−５’−ビシクロ［２．２．１］−２’−ヘプテン、２，３−（６’’−ｓｅｃ−ブチルベンゾ）シクロペンテン−１−オン−４−スピロ−５’−ビシクロ［２．２．１］−２’−ヘプテン、２，３−（３’’−ｔ−ブチルベンゾ）シクロペンテン−１−オン−４−スピロ−５’−ビシクロ［２．２．１］−２’−ヘプテン、２，３−（４’’−ｔ−ブチルベンゾ）シクロペンテン−１−オン−４−スピロ−５’−ビシクロ［２．２．１］−２’−ヘプテン、２，３−（５’’−ｔ−ブチルベンゾ）シクロペンテン−１−オン−４−スピロ−５’−ビシクロ［２．２．１］−２’−ヘプテン、２，３−（６’’−ｔ−ブチルベンゾ）シクロペンテン−１−オン−４−スピロ−５’−ビシクロ［２．２．１］−２’−ヘプテン、２，３−（３’’−シクロヘキシルベンゾ）シクロペンテン−１−オン−４−スピロ−５’−ビシクロ［２．２．１］−２’−ヘプテン、１，２−（４’’−シクロヘキシルベンゾ）シクロペンテン−１−オン−４−スピロ−５’−ビシクロ［２．２．１］−２’−ヘプテン、２，３−（５’’−シクロヘキシルベンゾ）シクロペンテン−１−オン−４−スピロ−５’−ビシクロ［２．２．１］−２’−ヘプテン、２，３−（６’’−シクロヘキシルベンゾ）シクロペンテン−１−オン−４−スピロ−５’−ビシクロ［２．２．１］−２’−ヘプテン、２，３−（３’’−フェニルベンゾ）シクロペンテン−１−オン−４−スピロ−５’−ビシクロ［２．２．１］−２’−ヘプテン、２，３−（４’’−フェニルベンゾ）シクロペンテン−１−オン−４−スピロ−５’−ビシクロ［２．２．１］−２’−ヘプテン、２，３−（５’’−フェニルベンゾ）シクロペンテン−１−オン−４−スピロ−５’−ビシクロ［２．２．１］−２’−ヘプテン、２，３−（６’’−フェニルベンゾ）シクロペンテン−１−オン−４−スピロ−５’−ビシクロ［２．２．１］−２’−ヘプテン、２，３−（３’’−クロロベンゾ）シクロペンテン−１−オン−４−スピロ−５’−ビシクロ［２．２．１］−２’−ヘプテン、２，３−（４’’−クロロベンゾ）シクロペンテン−１−オン−４−スピロ−５’−ビシクロ［２．２．１］−２’−ヘプテン、２，３−（５’’−クロロベンゾ）シクロペンテン−１−オン−４−スピロ−５’−ビシクロ［２．２．１］−２’−ヘプテン、２，３−（６’’−クロロベンゾ）シクロペンテン−１−オン−４−スピロ−５’−ビシクロ［２．２．１］−２’−ヘプテン、２，３−（３’’−アミノベンゾ）シクロペンテン−１−��ン−４−スピロ−５’−ビシクロ［２．２．１］−２’−ヘプテン、２，３−（４’’−アミノベンゾ）シクロペンテン−１−オン−４−スピロ−５’−ビシクロ［２．２．１］−２’−ヘプテン、２，３−（５’’−アミノベンゾ）シクロペンテン−１−オン−４−スピロ−５’−ビシクロ［２．２．１］−２’−ヘプテン、２，３−（６’’−アミノベンゾ）シクロペンテン−１−オン−４−スピロ−５’−ビシクロ［２．２．１］−２’−ヘプテン、２，３−（３’’−メトキシベンゾ）シクロペンテン−１−オン−４−スピロ−５’−ビシクロ［２．２．１］−２’−ヘプテン、２，３−（４’’−メトキシベンゾ）シクロペンテン−１−オン−４−スピロ−５’−ビシクロ［２．２．１］−２’−ヘプテン、２，３−（５’’−メトキシベンゾ）シクロペンテン−１−オン−４−スピロ−５’−ビシクロ［２．２．１］−２’−ヘプテン、２，３−（６’’−メトキシベンゾ）シクロペンテン−１−オン−４−スピロ−５’−ビシクロ［２．２．１］−２’−ヘプテン、２，３−ベンゾシクロペンテン−１−オン−５−スピロ−５’−ビシクロ［２．２．１］−２’−ヘプテン、２，３−（３’’−メチルベンゾ）シクロペンテン−１−オン−５−スピロ−５’−ビシクロ［２．２．１］−２’−ヘプテン、２，３−（４’’−メチルベンゾ）シクロペンテン−１−オン−５−スピロ−５’−ビシクロ［２．２．１］−２’−ヘプテン、２，３−（５’’−メチルベンゾ）シクロペンテン−１−オン−５−スピロ−５’−ビシクロ［２．２．１］−２’−ヘプテン、２，３−（６’’−メチルベンゾ）シクロペンテン−１−オン−５−スピロ−５’−ビシクロ［２．２．１］−２’−ヘプテン、２，３−（３’’−エチルベンゾ）シクロペンテン−１−オン−５−スピロ−５’−ビシクロ［２．２．１］−２’−ヘプテン、２，３−（４’’−エチルベンゾ）シクロペンテン−１−オン−５−スピロ−５’−ビシクロ［２．２．１］−２’−ヘプテン、２，３−（５’’−エチルベンゾ）シクロペンテン−１−オン−５−スピロ−５’−ビシクロ［２．２．１］−２’−ヘプテン、２，３−（６’’−エチルベンゾ）シクロペンテン−１−オン−５−スピロ−５’−ビシクロ［２．２．１］−２’−ヘプテン、２，３−（３’’−ｎ−プロピルベンゾ）シクロペンテン−１−オン−５−スピロ−５’−ビシクロ［２．２．１］−２’−ヘプテン、２，３−（４’’−ｎ−プロピルベンゾ）シクロペンテン−１−オン−５−スピロ−５’−ビシクロ［２．２．１］−２’−ヘプテン、２，３−（５’’−ｎ−プロピルベンゾ）シクロペンテン−１−オン−５−スピロ−５’−ビシクロ［２．２．１］−２’−ヘプテン、２，３−（６’’−ｎ−プロピルベンゾ）シクロペンテン−１−オン−５−スピロ−５’−ビシクロ［２．２．１］−２’−ヘプテン、２，３−（３’’−ｉｓｏ−プロピルベンゾ）シクロペンテン−１−オン−５−スピロ−５’−ビシクロ［２．２．１］−２’−ヘプテン、２，３−（４’’−ｉｓｏ−プロピルベンゾ）シクロペンテン−１−オン−５−スピロ−５’−ビシクロ［２．２．１］−２’−ヘプテン、２，３−（５’’−ｉｓｏ−プロピルベンゾ）シクロペンテン−１−オン−５−スピロ−��’−ビシクロ［２．２．１］−２’−ヘプテン、２，３−（６’’−ｉｓｏ−プロピルベンゾ）シクロペンテン−１−オン−５−スピロ−５’−ビシクロ［２．２．１］−２’−ヘプテン、２，３−（３’’−ｎ−ブチルベンゾ）シクロペンテン−１−オン−５−スピロ−５’−ビシクロ［２．２．１］−２’−ヘプテン、２，３−（４’’−ｎ−ブチルベンゾ）シクロペンテン−１−オン−５−スピロ−５’−ビシクロ［２．２．１］−２’−ヘプテン、２，３−（５’’−ｎ−ブチルベンゾ）シクロペンテン−１−オン−５−スピロ−５’−ビシクロ［２．２．１］−２’−ヘプテン、２，３−（６’’−ｎ−ブチルベンゾ）シクロペンテン−１−オン−５−スピロ−５’−ビシクロ［２．２．１］−２’−ヘプテン、２，３−（３’’−ｉｓｏ−ブチルベンゾ）シクロペンテン−１−オン−５−スピロ−５’−ビシクロ［２．２．１］−２’−ヘプテン、２，３−（４’’−ｉｓｏ−ブチルベンゾ）シクロペンテン−１−オン−５−スピロ−５’−ビシクロ［２．２．１］−２’−ヘプテン、２，３−（５’’−ｉｓｏ−ブチルベンゾ）シクロペンテン−１−オン−５−スピロ−５’−ビシクロ［２．２．１］−２’−ヘプテン、２，３−（６’’−ｉｓｏ−ブチルベンゾ）シクロペンテン−１−オン−５−スピロ−５’−ビシクロ［２．２．１］−２’−ヘプテン、２，３−（３’’−ｓｅｃ−ブチルベンゾ）シクロペンテン−１−オン−５−スピロ−５’−ビシクロ［２．２．１］−２’−ヘプテン、２，３−（４’’−ｓｅｃ−ブチルベンゾ）シクロペンテン−１−オン−５−スピロ−５’−ビシクロ［２．２．１］−２’−ヘプテン、２，３−（５’’−ｓｅｃ−ブチルベンゾ）シクロペンテン−１−オン−５−スピロ−５’−ビシクロ［２．２．１］−２’−ヘプテン、２，３−（６’’−ｓｅｃ−ブチルベンゾ）シクロペンテン−１−オン−５−スピロ−５’−ビシクロ［２．２．１］−２’−ヘプテン、２，３−（３’’−ｔ−ブチルベンゾ）シクロペンテン−１−オン−５−スピロ−５’−ビシクロ［２．２．１］−２’−ヘプテン、２，３−（４’’−ｔ−ブチルベンゾ）シクロペンテン−１−オン−５−スピロ−５’−ビシクロ［２．２．１］−２’−ヘプテン、２，３−（５’’−ｔ−ブチルベンゾ）シクロペンテン−１−オン−５−スピロ−５’−ビシクロ［２．２．１］−２’−ヘプテン、２，３−（６’’−ｔ−ブチルベンゾ）シクロペン
テン−１−オン−５−スピロ−５’−ビシクロ［２．２．１］−２’−ヘプテン、２，３−（３’’−シクロヘキシルベンゾ）シクロペンテン−１−オン−５−スピロ−５’−ビシクロ［２．２．１］−２’−ヘプテン、２，３−（４’’−シクロヘキシルベンゾ）シクロペンテン−１−オン−５−スピロ−５’−ビシクロ［２．２．１］−２’−ヘプテン、２，３−（５’’−シクロヘキシルベンゾ）シクロペンテン−１−オン−５−スピロ−５’−ビシクロ［２．２．１］−２’−ヘプテン、２，３−（６’’−シクロヘキシルベンゾ）シクロペンテン−１−オン−５−スピロ−５’−ビシクロ［２．２．１］−２’−ヘプテン、２，３−（３’’−フェニルベンゾ）シクロペンテン−１−オン−５−スピロ−５’−ビシクロ［２．２．１］−２’−ヘプテン、２，３−（４’’−フェニルベンゾ）シクロペンテン−１−オン−５−スピロ−５’−ビシクロ［２．２．１］−２’−ヘプテン、２，３−（５’’−フェニルベンゾ）シクロペンテン−１−オン−５−スピロ−５’−ビシクロ［２．２．１］−２’−ヘプテン、２，３−（６’’−フェニルベンゾ）シクロペンテン−１−オン−５−スピロ−５’−ビシクロ［２．２．１］−２’−ヘプテン、２，３−（３’’−クロロベンゾ）シクロペンテン−１−オン−５−スピロ−５’−ビシクロ［２．２．１］−２’−ヘプテン、２，３−（４’’−クロロベンゾ）シクロペンテン−１−オン−５−スピロ−５’−ビシクロ［２．２．１］−２’−ヘプテン、２，３−（５’’−クロロベンゾ）シクロペンテン−１−オン−５−スピロ−５’−ビシクロ［２．２．１］−２’−ヘプテン、２，３−（６’’−クロロベンゾ）シクロペンテン−１−オン−５−スピロ−５’−ビシクロ［２．２．１］−２’−ヘプテン、２，３−（３’’−アミノベンゾ）シクロペンテン−１−オン−５−スピロ−５’−ビシクロ［２．２．１］−２’−ヘプテン、２，３−（４’’−アミノベンゾ）シクロペンテン−１−オン−５−スピロ−５’−ビシクロ［２．２．１］−２’−ヘプテン、２，３−（５’’−アミノベンゾ）シクロペンテン−１−オン−５−スピロ−５’−ビシクロ［２．２．１］−２’−ヘプテン、２，３−（６’’−アミノベンゾ）シクロペンテン−１−オン−５−スピロ−５’−ビシクロ［２．２．１］−２’−ヘプテン、２，３−（３’’−メトキシベンゾ）シクロペンテン−１−オン−５−スピロ−５’−ビシクロ［２．２．１］−２’−ヘプテン、２，３−（４’’−メトキシベンゾ）シクロペンテン−１−オン−５−スピロ−５’−ビシクロ［２．２．１］−２’−ヘプテン、２，３−（５’’−メトキシベンゾ）シクロペンテン−１−オン−５−スピロ−５’−ビシクロ［２．２．１］−２’−ヘプテン、２，３−（６’’−メトキシベンゾ）シクロペンテン−１−オン−５−スピロ−５’−ビシクロ［２．２．１］−２’−ヘプテン、３，４−ベンゾシクロペンテン−１−オン−２−スピロ−５’−ビシクロ［２．２．１］−２’−ヘプテン、３，４−（３’’−メチルベンゾ）シクロペンテン−１−オン−２−スピロ−５’−ビシクロ［２．２．１］−２’−ヘプテン、３，４−（４’’−メチルベンゾ）シクロペンテン−１−オン−２−スピロ−５’−ビシクロ［２．２．１］−２’−ヘプテン、３，４−（５’’−メチルベンゾ）シクロペンテン−１−オン−２−スピロ−５’−ビシクロ［２．２．１］−２’−ヘプテン、３，４−（６’’−メチルベンゾ）シクロペンテン−１−オン−２−スピロ−５’−ビシクロ［２．２．１］−２’−ヘプテン、３，４−（３’’−エチルベンゾ）シクロペンテン−１−オン−２−スピロ−５’−ビシクロ［２．２．１］−２’−ヘプテン、３，４−（４’’−エチルベンゾ）シクロペンテン−１−オン−２−スピロ−５’−ビシクロ［２．２．１］−２’−ヘプテン、３，４−（５’’−エチルベンゾ）シクロペンテン−１−オン−２−スピロ−５’−ビシクロ［２．２．１］−２’−ヘプテン、３，４−（６’’−エチルベンゾ）シクロペンテン−１−オン−２−スピロ−５’−ビシクロ［２．２．１］−２’−ヘプテン、３，４−（３’’−ｎ−プロピルベンゾ）シクロペンテン−１−オン−２−スピロ−５’−ビシクロ［２．２．１］−２’−ヘプテン、３，４−（４’’−ｎ−プロピルベンゾ）シクロペンテン−１−オン−２−スピロ−５’−ビシクロ［２．２．１］−２’−ヘプテン、３，４−（５’’−ｎ−プロピルベンゾ）シクロペンテン−１−オン−２−スピロ−５’−ビシクロ［２．２．１］−２’−ヘプテン、３，４−（６’’−ｎ−プロピルベンゾ）シクロペンテン−１−オン−２−スピロ−５’−ビシクロ［２．２．１］−２’−ヘプテン、３，４−（３’’−ｉｓｏ−プロピルベンゾ）シクロペンテン−１−オン−２−スピロ−５’−ビシクロ［２．２．１］−２’−ヘプテン、３，４−（４’’−ｉｓｏ−プロピルベンゾ）シクロペンテン−１−オン−２−スピロ−５’−ビシクロ［２．２．１］−２’−ヘプテン、３，４−（５’’−ｉｓｏ−プロピルベンゾ）シクロペンテン−１−オン−２−スピロ−５’−ビシクロ［２．２．１］−２’−ヘプテン、２，３−（６’’−ｉｓｏ−プロピルベンゾ）シクロペンテン−１−オン−２−スピロ−５’−ビシクロ［２．２．１］−２’−ヘプテン、３，４−（３’’−ｎ−ブチルベンゾ）シクロペンテン−１−オン−２−スピロ−５’−ビシクロ［２．２．１］−２’−ヘプテン、３，４−（４’’−ｎ−ブチルベンゾ）シクロペンテン−１−オン−２−スピロ−５’−ビシクロ［２．２．１］−２’−ヘプテン、３，４−（５’’−ｎ−ブチルベンゾ）シクロペンテン−１−オン−２−スピロ−５’−ビシクロ［２．２．１］−２’−ヘプテン、３，４−（６’’−ｎ−ブチルベンゾ）シクロペンテン−１−オン−２−スピロ−５’−ビシクロ［２．２．１］−２’−ヘプテン、３，４２，３−（３’’−ｉｓｏ−ブチルベンゾ）シクロペンテン−１−オン−２−スピロ−５’−ビシクロ［２．２．１］−２’−ヘプテン、３，４２，３−（４’’−ｉｓｏ−ブチルベンゾ）シクロペンテン−１−オン−２−スピロ−５’−ビシクロ［２．２．１］−２’−ヘプテン、３，４−（５’’−ｉｓｏ−ブチルベンゾ）シクロペンテン−１−オン−２−スピロ−５’−ビシクロ［２．２．１］−２’−ヘプテン、３，４−（６’’−ｉｓｏ−ブチルベンゾ）シクロペンテン−１−オン−２−スピロ−５’−ビシクロ［２．２．１］−２’−ヘプテン、３，４−（３’’−ｓｅｃ−ブチルベンゾ）シクロペンテン−１−オン−２−スピロ−５’−ビシクロ［２．２．１］−２’−ヘプテン、３，４−（４’’−ｓｅｃ−ブチルベンゾ）シクロペンテン−１−オン−２−スピロ−５’−ビシクロ［２．２．１］−２’−ヘプテン、３，４−（５’’−ｓｅｃ−ブチルベンゾ）シクロペンテン−１−オン−２−スピロ−５’−ビシクロ［２．２．１］−２’−ヘプテン、３，４−（６’’−ｓｅｃ−ブチルベンゾ）シクロペンテン−１−オン−２−スピロ−５’−ビシクロ［２．２．１］−２’−ヘプテン、３，４−（３’’−ｔ−ブチルベンゾ）シクロペンテン−１−オン−２−スピロ−５’−ビシクロ［２．２．１］−２’−ヘプテン、３，４−（４’’−ｔ−ブチルベンゾ）シクロペンテン−１−オン−２−スピロ−５’−ビシクロ［２．２．１］−２’−ヘプテン、３，４−（５’’−ｔ−ブチルベンゾ）シクロペンテン−１−オン−２−スピロ−５’−ビシクロ［２．２．１］−２’−ヘプテン、３，４−（６’’−ｔ−ブチルベンゾ）シクロペンテン−１−オン−２−スピロ−５’−ビシクロ［２．２．１］−２’−ヘプテン、３，４−（３’’−シクロヘキシルベンゾ）シクロペンテン−１−オン−２−スピロ−５’−ビシクロ［２．２．１］−２’−ヘプテン、３，４−（４’’−シクロヘキシルベンゾ）シクロペンテン−１−オン−２−スピロ−５’−ビシクロ［２．２．１］−２’−ヘプテン、３，４−（５’’−シクロヘキシルベンゾ）シクロペンテン−１−オン−５−スピロ−５’−ビシクロ［２．２．１］−２’−ヘプテン、３，４−（６’’−シクロヘキシルベンゾ）シクロペンテン−１−オン−２−スピロ−５’−ビシクロ［２．２．１］−２’−ヘプテン、３，４−（３’’−フェニルベンゾ）シクロペンテン−１−オン−２−スピロ−５’−ビシクロ［２．２．１］−２’−ヘプテン、３，４−（４’’−フェニルベンゾ）シクロペンテン−１−オン−２−スピロ−５’−ビシクロ［２．２．１］−２’−ヘプテン、３，４−（５’’−フェニルベンゾ）シクロペンテン−１−オン−２−スピロ−５’−ビシクロ［２．２．１］−２’−ヘプテン、３，４−（６’’−フェニルベンゾ）シクロペンテン−１−オン−２−スピロ−５’−ビシクロ［２．２．１］−２’−ヘプテン、３，４−（３’’−クロロベンゾ）シクロペンテン−１−オン−２−スピロ−５’−ビシクロ［２．２．１］−２’−ヘプテン、３，４−（４’’−クロロベンゾ）シクロペンテン−１−オン−２−スピロ−５’−ビシクロ［２．２．１］−２’−ヘプテン、３，４−（５’’−クロロベンゾ）シクロペンテン−１−オン−２−スピロ−５’−ビシクロ［２．２．１］−２’−ヘプテン、３，４−（６’’−クロロベンゾ）シクロペンテン−１−オン−２−スピロ−５’−ビシクロ［２．２．１］−２’−ヘプテン、３，４−（３’’−アミノベンゾ）シクロペンテン−１−オン−２−スピロ−５’−ビシクロ［２．２．１］−２’−ヘプテン、３，４−（４’’−アミノベンゾ）シクロペンテン−１−オン−２−スピロ−５’−ビシクロ［２．２．１］−２’−ヘプテン、３，４−（５’’−アミノベンゾ）シクロペンテン−１−オン−２−スピロ−５’−ビシクロ［２．２．１］−２’−ヘプテン、３，４−（６’’−アミノベンゾ）シクロペンテン−１−オン−２−スピロ−５’−ビシクロ［２．２．１］−２’−ヘプテン、３，４−（３’’−メトキシベンゾ）シクロペンテン−１−オン−２−スピロ−５’−ビシクロ［２．２．１］−２’−ヘプテン、３，４−（４’’−メトキシベンゾ）シクロペンテン−１−オン−２−スピロ−５’−ビシクロ［２．２．１］−２’−ヘプテン、３，４−（５’’−メトキシベンゾ）シクロペンテン−１−オン−２−スピロ−５’−ビシクロ［２．２．１］−２’−ヘプテン、３，４−（６’’−メトキシベンゾ）シクロペンテン−１−オン−２−スピロ−５’−ビシクロ［２．２．１］−２’−ヘプテン。
【００５６】
（vi）スピロ［３，４−ジヒドロナフタレン−１−オン−２，５’−２’−ノルボルネン］、スピロ［５−メチル−３，４−ジヒドロナフタレン−１−オン−２，５’−２’−ノルボルネン］、スピロ［６−メチル−３，４−ジヒドロナフタレン−１−オン−２，５’−２’−ノルボルネン］、スピロ［７−メチル−３，４−ジヒドロナフタレン−１−オン−２，５’−２’−ノルボルネン］、スピロ［８−メチル−３，４−ジヒドロナフタレン−１−オン−２，５’−２’−ノルボルネン］、スピロ［５−エチル−３，４−ジヒドロナフタレン−１−オン−２，５’−２’−ノルボルネン］、スピロ［６−エチル−３，４−ジヒドロナフタレン−１−オン−２，５’−２’−ノルボルネン］、スピロ［７−エチル−３，４−ジヒドロナフタレン−１−オン−２，５’−２’−ノルボルネン］、スピロ［８−エチル−３，４−ジヒドロナフタレン−１−オン−２，５’−２’−ノルボルネン］、スピロ［５−ｎ−プロピル−３，４−ジヒドロナフタレン−１−オン−２，５’−２’−ノルボルネン］、スピロ［６−ｎ−プロピル−３，４−ジヒドロナフタレン−１−オン−２，５’−２’−ノルボルネン］、スピロ［７−ｎ−プロピル−３，４−ジヒドロナフタレン−１−オン−２，５’−２’−ノルボルネン］、スピロ［８−ｎ−プロピル−３，４−ジヒドロナフタレン−１−オン−２，５’−２’−ノルボルネン］、スピロ［５−ｉｓｏ−プロピル−３，４−ジヒドロナフタレン−１−オン−２，５’−２’−ノルボルネン］、スピロ［６−ｉｓｏ−プロピル−３，４−ジヒドロナフタレン−１−オン−２，５’−２’−ノルボルネン］、スピロ［７−ｉｓｏ−プロピル−３，４−ジヒドロナフタレン−１−オン−２，５’−２’−ノルボルネン］、スピロ［８−ｉｓｏ−プロピル−３，４−ジヒドロナフタレン−１−オン−２，５’−２’−ノルボルネン］、スピロ［５−ｎ−ブチル−３，４−ジヒドロナフタレン−１−オン−２，５’−２’−ノルボルネン］、スピロ［６−ｎ−ブチル−３，４−ジヒドロナフタレン−１−オン−２，５’−２’−ノルボルネン］、スピロ［７−ｎ−ブチル−３，４−ジヒドロナフタレン−１−オン−２，５’−２’−ノルボルネン］、スピロ［８−ｎ−ブチル−３，４−ジヒドロナフタレン−１−オン−２，５’−２’−ノルボルネン］、スピロ［５−ｉｓｏ−ブチル−３，４−ジヒドロナフタレン−１−オン−２，５’−２’−ノルボルネン］、スピロ［６−ｉｓｏ−ブチル−３，４−ジヒドロナフタレン−１−オン−２，５’−２’−ノルボルネン］、スピロ［７−ｉｓｏ−ブチル−３，４−ジヒドロナフタレン−１−オン−２，５’−２’−ノルボルネン］、スピロ［８−ｉｓｏ−ブチル−３，４−ジヒドロナフタレン−１−オン−２，５’−２’−ノルボルネン］、スピロ［５−ｓｅｃ−ブチル−３，４−ジヒドロナフタレン−１−オン−２，５’−２’−ノルボルネン］、スピロ［６−ｓｅｃ−ブチル−３，４−ジヒドロナフタレン−１−オン−２，５’−２’−ノルボルネン］、スピロ［７−ｓｅｃ−ブチル−３，４−ジヒドロナフタレン−１−オン−２，５’−２’−ノルボルネン］、スピロ［８−ｓｅｃ−ブチル−３，４−ジヒドロナフタレン−１−オン−２，５’−２’���ノルボルネン］、スピロ［５−ｔ−ブチル−３，４−ジヒドロナフタレン−１−オン−２，５’−２’−ノルボルネン］、スピロ［６−ｔ−ブチル−３，４−ジヒドロナフタレン−１−オン−２，５’−２’−ノルボルネン］、スピロ［７−ｔ−ブチル−３，４−ジヒドロナフタレン−１−オン−２，５’−２’−ノルボルネン］、スピロ［８−ｔ−ブチル−３，４−ジヒドロナフタレン−１−オン−２，５’−２’−ノルボルネン］、スピロ［５−シクロヘキシル−３，４−ジヒドロナフタレン−１−オン−２，５’−２’−ノルボルネン］、スピロ［６−シクロヘキシル−３，４−ジヒドロナフタレン−１−オン−２，５’−２’−ノルボルネン］、スピロ［７−シクロヘキシル−３，４−ジヒドロナフタレン−１−オン−２，５’−２’−ノルボルネン］、スピロ［８−シクロヘキシル−３，４−ジヒドロナフタレン−１−オン−２，５’−２’−ノルボルネン］、スピロ［５−フェニル−３，４−ジヒドロナフタレン−１−オン−２，５’−２’−ノルボルネン］、スピロ［６−フェニル−３，４−ジヒドロナフタレン−１−オン−２，５’−２’−ノルボルネン］、スピロ［７−フェニル−３，４−ジヒドロナフタレン−１−オン−２，５’−２’−ノルボルネン］、スピロ［８−フェニル−３，４−ジヒドロナフタレン−１−オン−２，５’−２’−ノルボルネン］、スピロ［５−クロロ−３，４−ジヒドロナフタレン−１−オン−２，５’−２’−ノルボルネン］、スピロ［６−クロロ−３，４−ジヒドロナフタレン−１−オン−２，５’−２’−ノルボルネン］、スピロ［７−クロロ−３，４−ジヒドロナフタレン−１−オン−２，５’−２’−ノルボルネン］、スピロ［８−クロロ−３，４−ジヒドロナフタレン−１−オン−２，５’−２’−ノルボルネン］、スピロ［５−フェニル−３，４−ジヒドロナフタレン−１−オン−２，５’−２’−ノルボルネン］、スピロ［６−フェニル−３，４−ジヒドロナフタレン−１−オン−２，５’−２’−ノルボルネン］、スピロ［７−フェニル−３，４−ジヒドロナフタレン−１−オン−２，５’−２’−ノルボルネン］、スピロ［８−フェニル−３，４−ジヒドロナフタレン−１−オン−２，５’−２’−ノルボルネン］、スピロ［５−アミノ−３，４−ジヒドロナフタレン−１−オン−２，５’−２’−ノルボルネン］、スピロ［６−アミノ−３，４−ジヒドロナフタレン−１−オン−２，５’−２’−ノルボルネン］、スピロ［７−アミノ−３，４−ジヒドロナフタレン−１−オン−２，５’−２’−ノルボルネン］、スピロ［８−アミノ−３，４−ジヒドロナフタレン−１−オン−２，５’−２’−ノルボルネン］、スピロ［５−メトキシ−３，４−ジヒドロナフタレン−１−オン−２，５’−２’−ノルボルネン］、スピロ［６−メトキシ−３，４−ジヒドロナフタレン−１−オン−２，５’−２’−ノルボルネン］、スピロ［７−メトキシ−３，４−ジヒドロナフタレン−１−オン−２，５’−２’−ノルボルネン］、スピロ［８−メトキシ−３，４−ジヒドロナフタレン−１−オン−２，５’−２’−ノルボルネン］、スピロ［２，４−ジヒドロナフタレン−１−オン−３，５’−２’−ノルボルネン］、スピロ［５−メチル−２，４−ジヒドロナフタ���ン−１−オン−３，５’−２’−ノルボルネン］、スピロ［６−メチル−２，４−ジヒドロナフタレン−１−オン−３，５’−２’−ノルボルネン］、スピロ［７−メチル−２，４−ジヒドロナフタレン−１−オン−３，５’−２’−ノルボルネン］、スピロ［８−メチル−２，４−ジヒドロナフタレン−１−オン−３，５’−２’−ノルボルネン］、スピロ［５−エチル−２，４−ジヒドロナフタレン−１−オン−３，５’−２’−ノルボルネン］、スピロ［６−エチル−２，４−ジヒドロナフタレン−１−オン−３，５’−２’−ノルボルネン］、スピロ［７−エチル−２，４−ジヒドロナフタレン−１−オン−３，５’−２’−ノルボルネン］、スピロ［８−エチル−２，４−ジヒドロナフタレン−１−オン−３，５’−２’−ノルボルネン］、スピロ［５−ｎ−プロピル−２，４−ジヒドロナフタレン−１−オン−３，５’−２’−ノルボルネン］、スピロ［６−ｎ−プロピル−２，４−ジヒドロナフタレン−１−オン−３，５’−２’−ノルボルネン］、スピロ［７−ｎ−プロピル−２，４−ジヒドロナフタレン−１−オン−３，５’−２’−ノルボルネン］、スピロ［８−ｎ−プロピル−２，４−ジヒドロナフタレン−１−オン−３，５’−２’−ノルボルネン］、スピロ［５−ｉｓｏ−プロピル−２，４−ジヒドロナフタレン−１−オン−３，５’−２’−ノルボルネン］、スピロ［６−ｉｓｏ−プロピル−２，４−ジヒドロナフタレン−１−オン−３，５’−２’−ノルボルネン］、スピロ［７−ｉｓｏ−プロピル−２，４−ジヒドロナフタレン−１−オン−３，５’−２’−ノルボルネン］、スピロ［８−ｉｓｏ−プロピル−２，４−ジヒドロナフタレン−１−オン−３，５’−２’−ノルボルネン］、スピロ［５−ｎ−ブチル−２，４−ジヒドロナフタレン−１−オン−３，５’−２’−ノルボルネン］、スピロ［６−ｎ−ブチル−２，４−ジヒドロナフタレン−１−オン−３，５’−２’−ノルボルネン］、スピロ［７−ｎ−ブチル−２，４−ジヒドロナフタレン−１−オン−３，５’−２’−ノルボルネン］、スピロ［８−ｎ−ブチル−２，４−ジヒドロナフタレン−１−オン−３，５’−２’−ノルボルネン］、スピロ［５−ｉｓｏ−ブチル−２，４−ジヒドロナフタレン−１−オン−３，５’−２’−ノルボルネン］、スピロ［６−ｉｓｏ−ブチル−２，４−ジヒドロナフタレン−１−オン−３，５’−２’−ノルボルネン］、スピロ［７−ｉｓｏ−ブチル−２，４−ジヒドロナフタレン−１−オン−３，５’−２’−ノルボルネン］、スピロ［８−ｉｓｏ−ブチル−２，４−ジヒドロナフタレン−１−オン−３，５’−２’−ノルボルネン］、スピロ［５−ｓｅｃ−ブチル−２，４−ジヒドロナフタレン−１−オン−３，５’−２’−ノルボルネン］、スピロ［６−ｓｅｃ−ブチル−２，４−ジヒドロナフタレン−１−オン−３，５’−２’−ノルボルネン］、スピロ［７−ｓｅｃ−ブチル−２，４−ジヒドロナフタレン−１−オン−３，５’−２’−ノルボルネン］、スピロ［８−ｓｅｃ−ブチル−２，４−ジヒドロナフタレン−１−オン−３，５’−２’−ノルボルネン］、スピロ［５−ｔ−ブチル−２，４−ジヒドロナフタレン−１−オン−３，５’−２’−ノルボルネン］、スピロ［６−ｔ���ブチル−２，４−ジヒドロナフタレン−１−オン−３，５’−２’−ノルボルネン］、スピロ［７−ｔ−ブチル−２，４−ジヒドロナフタレン−１−オン−３，５’−２’−ノルボルネン］、スピロ［８−ｔ−ブチル−２，４−ジヒドロナフタレン−１−オン−３，５’−２’−ノルボルネン］、スピロ［５−シクロヘキシル−２，４−ジヒドロナフタレン−１−オン−３，５’−２’−ノルボルネン］、スピロ［６−シクロヘキシル−２，４−ジヒドロナフタレン−１−オン−３，５’−２’−ノルボルネン］、スピロ［７−シクロヘキシル−２，４−ジヒドロナフタレン−１−オン−３，５’−２’−ノルボルネン］、スピロ［８−シクロヘキシル−２，４−ジヒドロナフタレン−１−オン−３，５’−２’−ノルボルネン］、スピロ［５−フェニル−２，４−ジヒドロナフタレン−１−オン−３，５’−２’−ノルボルネン］、スピロ［６−フェニル−２，４−ジヒドロナフタレン−１−オン−３，５’−２’−ノルボルネン］、スピロ［７−フェニル−２，４−ジヒドロナフタレン−１−オン−３，５’−２’−ノルボルネン］、スピロ［８−フェニル−２，４−ジヒドロナフタレン−１−オン−３，５’−２’−ノルボルネン］、スピロ［５−クロロ−２，４−ジヒドロナフタレン−１−オン−３，５’−２’−ノルボルネン］、スピロ［６−クロロ−２，４−ジヒドロナフタレン−１−オン−３，５’−２’−ノルボルネン］、スピロ［７−クロロ−２，４−ジヒドロナフタレン−１−オン−３，５’−２’−ノルボルネン］、スピロ［８−クロロ−２，４−ジヒドロナフタレン−１−オン−３，５’−２’−ノルボルネン］、スピロ［５−フェニル−２，４−ジヒドロナフタレン−１−オン−３，５’−２’−ノルボルネン］、スピロ［６−フェニル−２，４−ジヒドロナフタレン−１−オン−３，５’−２’−ノルボルネン］、スピロ［７−フェニル−２，４−ジヒドロナフタレン−１−オン−３，５’−２’−ノルボルネン］、スピロ［８−フェニル−２，４−ジヒドロナフタレン−１−オン−３，５’−２’−ノルボルネン］、スピロ［５−アミノ−２，４−ジヒドロナフタレン−１−オン−３，５’−２’−ノルボルネン］、スピロ［６−アミノ−２，４−ジヒドロナフタレン−１−オン−３，５’−２’−ノルボルネン］、スピロ［７−アミノ−２，４−ジヒドロナフタレン−１−オン−３，５’−２’−ノルボルネン］、スピロ［８−アミノ−２，
４−ジヒドロナフタレン−１−オン−３，５’−２’−ノルボルネン］、スピロ［５−メトキシ−２，４−ジヒドロナフタレン−１−オン−３，５’−２’−ノルボルネン］、スピロ［６−メトキシ−２，４−ジヒドロナフタレン−１−オン−３，５’−２’−ノルボルネン］、スピロ［７−メトキシ−２，４−ジヒドロナフタレン−１−オン−３，５’−２’−ノルボルネン］、スピロ［８−メトキシ−２，４−ジヒドロナフタレン−１−オン−３，５’−２’−ノルボルネン］、スピロ［２，３−ジヒドロナフタレン−１−オン−４，５’−２’−ノルボルネン］、スピロ［５−メチル−２，３−ジヒドロナフタレン−１−オン−４，５’−２’−ノルボルネン］、スピロ［６−メチル−２，３−ジヒドロナフタレン−１−オン−４，５’−２’−ノルボルネン］、スピロ［７−メチル−２，３−ジヒドロナフタレン−１−オン−４，５’−２’−ノルボルネン］、スピロ［８−メチル−２，３−ジヒドロナフタレン−１−オン−４，５’−２’−ノルボルネン］、スピロ［５−エチル−２，３−ジヒドロナフタレン−１−オン−４，５’−２’−ノルボルネン］、スピロ［６−エチル−２，３−ジヒドロナフタレン−１−オン−４，５’−２’−ノルボルネン］、スピロ［７−エチル−２，３−ジヒドロナフタレン−１−オン−４，５’−２’−ノルボルネン］、スピロ［８−エチル−２，３−ジヒドロナフタレン−１−オン−４，５’−２’−ノルボルネン］、スピロ［５−ｎ−プロピル−２，３−ジヒドロナフタレン−１−オン−４，５’−２’−ノルボルネン］、スピロ［６−ｎ−プロピル−２，３−ジヒドロナフタレン−１−オン−４，５’−２’−ノルボルネン］、スピロ［７−ｎ−プロピル−２，３−ジヒドロナフタレン−１−オン−４，５’−２’−ノルボルネン］、スピロ［８−ｎ−プロピル−２，３−ジヒドロナフタレン−１−オン−４，５’−２’−ノルボルネン］、スピロ［５−ｉｓｏ−プロピル−２，３−ジヒドロナフタレン−１−オン−４，５’−２’−ノルボルネン］、スピロ［６−ｉｓｏ−プロピル−２，３−ジヒドロナフタレン−１−オン−４，５’−２’−ノルボルネン］、スピロ［７−ｉｓｏ−プロピル−２，３−ジヒドロナフタレン−１−オン−４，５’−２’−ノルボルネン］、スピロ［８−ｉｓｏ−プロピル−２，３−ジヒドロナフタレン−１−オン−４，５’−２’−ノルボルネン］、スピロ［５−ｎ−ブチル−２，３−ジヒドロナフタレン−１−オン−４，５’−２’−ノルボルネン］、スピロ［６−ｎ−ブチル−２，３−ジヒドロナフタレン−１−オン−４，５’−２’−ノルボルネン］、スピロ［７−ｎ−ブチル−２，３−ジヒドロナフタレン−１−オン−４，５’−２’−ノルボルネン］、スピロ［８−ｎ−ブチル−２，３−ジヒドロナフタレン−１−オン−４，５’−２’−ノルボルネン］、スピロ［５−ｉｓｏ−ブチル−２，３−ジヒドロナフタレン−１−オン−４，５’−２’−ノルボルネン］、スピロ［６−ｉｓｏ−ブチル−２，３−ジヒドロナフタレン−１−オン−４，５’−２’−ノルボルネン］、スピロ［７−ｉｓｏ−ブチル−２，３−ジヒドロナフタレン−１−オン−４，５’−２’−ノルボルネン］、スピロ［８−ｉｓｏ−ブチル−２，３−ジヒドロナフタレン−１−オン−４，５’−２’−ノルボルネン］、スピロ［５−ｓｅｃ−ブチル−２，３−ジヒドロナフタレン−１−オン−４，５’−２’−ノルボルネン］、スピロ［６−ｓｅｃ−ブチル−２，３−ジヒドロナフタレン−１−オン−４，５’−２’−ノルボルネン］、スピロ［７−ｓｅｃ−ブチル−２，３−ジヒドロナフタレン−１−オン−４，５’−２’−ノルボルネン］、スピロ［８−ｓｅｃ−ブチル−２，３−ジヒドロナフタレン−１−オン−４，５’−２’−ノルボルネン］、スピロ［５−ｔ−ブチル−２，３−ジヒドロナフタレン−１−オン−４，５’−２’−ノルボルネン］、スピロ［６−ｔ−ブチル−２，３−ジヒドロナフタレン−１−オン−４，５’−２’−ノルボルネン］、スピロ［７−ｔ−ブチル−２，３−ジヒドロナフタレン−１−オン−４，５’−２’−ノルボルネン］、スピロ［８−ｔ−ブチル−２，３−ジヒドロナフタレン−１−オン−４，５’−２’−ノルボルネン］、スピロ［５−シクロヘキシル−２，３−ジヒドロナフタレン−１−オン−４，５’−２’−ノルボルネン］、スピロ［６−シクロヘキシル−２，３−ジヒドロナフタレン−１−オン−４，５’−２’−ノルボルネン］、スピロ［７−シクロヘキシル−２，３−ジヒドロナフタレン−１−オン−４，５’−２’−ノルボルネン］、スピロ［８−シクロヘキシル−２，３−ジヒドロナフタレン−１−オン−４，５’−２’−ノルボルネン］、スピロ［５−フェニル−２，３−ジヒドロナフタレン−１−オン−４，５’−２’−ノルボルネン］、スピロ［６−フェニル−２，３−ジヒドロナフタレン−１−オン−４，５’−２’−ノルボルネン］、スピロ［７−フェニル−２，３−ジヒドロナフタレン−１−オン−４，５’−２’−ノルボルネン］、スピロ［８−フェニル−２，３−ジヒドロナフタレン−１−オン−４，５’−２’−ノルボルネン］、スピロ［５−クロロ−２，３−ジヒドロナフタレン−１−オン−４，５’−２’−ノルボルネン］、スピロ［６−クロロ−２，３−ジヒドロナフタレン−１−オン−４，５’−２’−ノルボルネン］、スピロ［７−クロロ−２，３−ジヒドロナフタレン−１−オン−４，５’−２’−ノルボルネン］、スピロ［８−クロロ−２，３−ジヒドロナフタレン−１−オン−４，５’−２’−ノルボルネン］、スピロ［５−フェニル−２，３−ジヒドロナフタレン−１−オン−４，５’−２’−ノルボルネン］、スピロ［６−フェニル−２，３−ジヒドロナフタレン−１−オン−４，５’−２’−ノルボルネン］、スピロ［７−フェニル−２，３−ジヒドロナフタレン−１−オン−４，５’−２’−ノルボルネン］、スピロ［８−フェニル−２，３−ジヒドロナフタレン−１−オン−４，５’−２’−ノルボルネン］、スピロ［５−アミノ−２，３−ジヒドロナフタレン−１−オン−４，５’−２’−ノルボルネン］、スピロ［６−アミノ−２，３−ジヒドロナフタレン−１−オン−４，５’−２’−ノルボルネン］、スピロ［７−アミノ−２，３−ジヒドロナフタレン−１−オン−４，５’−２’−ノルボルネン］、スピロ［８−アミノ−２，３−ジヒドロナフタレン−１−オン−４，５’−２’−ノルボルネン］、スピロ［５−メトキシ−２，３−ジヒドロナフタレン−１−オン−４，５’−２’−ノルボルネン］、スピロ［６−メトキシ−２，３−ジヒドロナフタレン−１−オン−４，５’−２’−ノルボルネン］、スピロ［７−メトキシ−２，３−ジヒドロナフタレン−１−オン−４，５’−２’−ノルボルネン］、スピロ［８−メトキシ−２，３−ジヒドロナフタレン−１−オン−４，５’−２’−ノルボルネン］、スピロ［３，４−ジヒドロナフタレン−２−オン−１，５’−２’−ノルボルネン］、スピロ［５−メチル−３，４−ジヒドロナフタレン−２−オン−１，５’−２’−ノルボルネン］、スピロ［６−メチル−３，４−ジヒドロナフタレン−２−オン−１，５’−２’−ノルボルネン］、スピロ［７−メチル−３，４−ジヒドロナフタレン−２−オン−１，５’−２’−ノルボルネン］、スピロ［８−メチル−３，４−ジヒドロナフタレン−２−オン−１，５’−２’−ノルボルネン］、スピロ［５−エチル−３，４−ジヒドロナフタレン−２−オン−１，５’−２’−ノルボルネン］、スピロ［６−エチル−３，４−ジヒドロナフタレン−２−オン−１，５’−２’−ノルボルネン］、スピロ［７−エチル−３，４−ジヒドロナフタレン−２−オン−１，５’−２’−ノルボルネン］、スピロ［８−エチル−３，４−ジヒドロナフタレン−２−オン−１，５’−２’−ノルボルネン］、スピロ［５−ｎ−プロピル−３，４−ジヒドロナフタレン−２−オン−１，５’−２’−ノルボルネン］、スピロ［６−ｎ−プロピル−３，４−ジヒドロナフタレン−２−オン−１，５’−２’−ノルボルネン］、スピロ［７−ｎ−プロピル−３，４−ジヒドロナフタレン−２−オン−１，５’−２’−ノルボルネン］、スピロ［８−ｎ−プロピル−３，４−ジヒドロナフタレン−２−オン−１，５’−２’−ノルボルネン］、スピロ［５−ｉｓｏ−プロピル−３，４−ジヒドロナフタレン−２−オン−１，５’−２’−ノルボルネン］、スピロ［６−ｉｓｏ−プロピル−３，４−ジヒドロナフタレン−２−オン−１，５’−２’−ノルボルネン］、スピロ［７−ｉｓｏ−プロピル−３，４−ジヒドロナフタレン−２−オン−１，５’−２’−ノルボルネン］、スピロ［８−ｉｓｏ−プロピル−３，４−ジヒドロナフタレン−２−オン−１，５’−２’−ノルボルネン］、スピロ［５−ｎ−ブチル−３，４−ジヒドロナフタレン−２−オン−１，５’−２’−ノルボルネン］、スピロ［６−ｎ−ブチル−３，４−ジヒドロナフタレン−２−オン−１，５’−２’−ノルボルネン］、スピロ［７−ｎ−ブチル−３，４−ジヒドロナフタレン−２−オン−１，５’−２’−ノルボルネン］、スピロ［８−ｎ−ブチル−３，４−ジヒドロナフタレン−２−オン−１，５’−２’−ノルボルネン］、スピロ［５−ｉｓｏ−ブチル−３，４−ジヒドロナフタレン−２−オン−１，５’−２’−ノルボルネン］、スピロ［６−ｉｓｏ−ブチル−３，４−ジヒドロナフタレン−２−オン−１，５’−２’−ノルボルネン］、スピロ［７−ｉｓｏ−ブチル−３，４−ジヒドロナフタレン−２−オン−１，５’−２’−ノルボルネン］、スピロ［８−ｉｓｏ−ブチル−３，４−ジヒドロナフタレン−２−オン−１，５’−２’−ノルボルネン］、スピロ［５−ｓｅｃ−ブチル−３，４−ジヒドロナフタレン−２−オン−１，５’−２’−ノルボルネン］、スピロ［６−ｓｅｃ−ブチル−３，４−ジヒドロナフタレン−２−オン−１，５’−２’−ノルボルネン］、スピロ［７−ｓｅｃ−ブチル−３，４−ジヒドロナフタレン−２−オン−１，５’−２’−ノルボルネン］、スピロ［８−ｓｅｃ−ブチル−３，４−ジヒドロナフタレン−２−オン−１，５’−２’−ノルボルネン］、スピロ［５−ｔ−ブチル−３，４−ジヒドロナフタレン−２−オン−１，５’−２’−ノルボルネン］、スピロ［６−ｔ−ブチル−３，４−ジヒドロナフタレン−２−オン−１，５’−２’−ノルボルネン］、スピロ［７−ｔ−ブチル−３，４−ジヒドロナフタレン−２−オン−１，５’−２’−ノルボルネン］、スピロ［８−ｔ−ブチル−３，４−ジヒドロナフタレン−２−オン−１，５’−２’−ノルボルネン］、スピロ［５−シクロヘキシル−３，４−ジヒドロナフタレン−２−オン−１，５’−２’−ノルボルネン］、スピロ［６−シクロヘキシル−３，４−ジヒドロナフタレン−２−オン−１，５’−２’−ノルボルネン］、スピロ［７−シクロヘキシル−３，４−ジヒドロナフタレン−２−オン−１，５’−２’−ノルボルネン］、スピロ［８−シクロヘキシル−３，４−ジヒドロナフタレン−２−オン−１，５’−２’−ノルボルネン］、スピロ［５−フェニル−３，４−ジヒドロナフタレン−２−オン−１，５’−２’−ノルボルネン］、スピロ［６−フェニル−３，４−ジヒドロナフタレン−２−オン−１，５’−２’−ノルボルネン］、スピロ［７−フェニル−３，４−ジヒドロナフタレン−２−オン−１，５’−２’−ノルボルネン］、スピロ［８−フェニル−３，４−ジヒドロナフタレン−２−オン−１，５’−２’−ノルボルネン］、スピロ［５−クロロ−３，４−ジヒドロナフタレン−２−オン−１，５’−２’−ノルボルネン］、スピロ［６−クロロ−３，４−ジヒドロナフタレン−２−オン−１，５’−２’−ノルボルネン］、スピロ［７−クロロ−３，４−ジヒドロナフタレン−２−オン−１，５’−２’−ノルボルネン］、スピロ［８−クロロ−３，４−ジヒドロナフタレン−２−オン−１，５’−２’−ノルボルネン］、スピロ［５−フェニル−３，４−ジヒドロナフタレン−２−オン−１，５’−２’−ノルボルネン］、スピロ［６−フェニル−３，４−ジヒドロナフタレン−２−オン−１，５’−２’−ノルボルネン］、スピロ［７−フェニル−３，４−ジヒドロナフタレン−２
−オン−１，５’−２’−ノルボルネン］、スピロ［８−フェニル−３，４−ジヒドロナフタレン−２−オン−１，５’−２’−ノルボルネン］、スピロ［５−アミノ−３，４−ジヒドロナフタレン−２−オン−１，５’−２’−ノルボルネン］、スピロ［６−アミノ−３，４−ジヒドロナフタレン−２−オン−１，５’−２’−ノルボルネン］、スピロ［７−アミノ−３，４−ジヒドロナフタレン−２−オン−１，５’−２’−ノルボルネン］、スピロ［８−アミノ−３，４−ジヒドロナフタレン−２−オン−１，５’−２’−ノルボルネン］、スピロ［５−メトキシ−３，４−ジヒドロナフタレン−２−オン−１，５’−２’−ノルボルネン］、スピロ［６−メトキシ−３，４−ジヒドロナフタレン−２−オン−１，５’−２’−ノルボルネン］、スピロ［７−メトキシ−３，４−ジヒドロナフタレン−２−オン−１，５’−２’−ノルボルネン］、スピロ［８−メトキシ−３，４−ジヒドロナフタレン−２−オン−１，５’−２’−ノルボルネン］、スピロ［１，４−ジヒドロナフタレン−２−オン−３，５’−２’−ノルボルネン］、スピロ［５−メチル−１，４−ジヒドロナフタレン−２−オン−３，５’−２’−ノルボルネン］、スピロ［６−メチル−１，４−ジヒドロナフタレン−２−オン−３，５’−２’−ノルボルネン］、スピロ［７−メチル−１，４−ジヒドロナフタレン−２−オン−３，５’−２’−ノルボルネン］、スピロ［８−メチル−１，４−ジヒドロナフタレン−２−オン−３，５’−２’−ノルボルネン］、スピロ［５−エチル−１，４−ジヒドロナフタレン−２−オン−３，５’−２’−ノルボルネン］、スピロ［６−エチル−１，４−ジヒドロナフタレン−２−オン−３，５’−２’−ノルボルネン］、スピロ［７−エチル−１，４−ジヒドロナフタレン−２−オン−３，５’−２’−ノルボルネン］、スピロ［８−エチル−１，４−ジヒドロナフタレン−２−オン−３，５’−２’−ノルボルネン］、スピロ［５−ｎ−プロピル−１，４−ジヒドロナフタレン−２−オン−３，５’−２’−ノルボルネン］、スピロ［６−ｎ−プロピル−１，４−ジヒドロナフタレン−２−オン−３，５’−２’−ノルボルネン］、スピロ［７−ｎ−プロピル−１，４−ジヒドロナフタレン−２−オン−３，５’−２’−ノルボルネン］、スピロ［８−ｎ−プロピル−１，４−ジヒドロナフタレン−２−オン−３，５’−２’−ノルボルネン］、スピロ［５−ｉｓｏ−プロピル−１，４−ジヒドロナフタレン−２−オン−３，５’−２’−ノルボルネン］、スピロ［６−ｉｓｏ−プロピル−１，４−ジヒドロナフタレン−２−オン−３，５’−２’−ノルボルネン］、スピロ［７−ｉｓｏ−プロピル−１，４−ジヒドロナフタレン−２−オン−３，５’−２’−ノルボルネン］、スピロ［８−ｉｓｏ−プロピル−１，４−ジヒドロナフタレン−２−オン−３，５’−２’−ノルボルネン］、スピロ［５−ｎ−ブチル−１，４−ジヒドロナフタレン−２−オン−３，５’−２’−ノルボルネン］、スピロ［６−ｎ−ブチル−１，４−ジヒドロナフタレン−２−オン−３，５’−２’−ノルボルネン］、スピロ［７−ｎ−ブチル−１，４−ジヒドロナフタレン−２−オン−３，５’−２’−ノルボルネン］、スピロ［８−ｎ−ブチル−１，４−ジヒドロナフタレン−２−オン−３，５’−２’−ノルボルネン］、スピロ［５−ｉｓｏ−ブチル−１，４−ジヒドロナフタレン−２−オン−３，５’−２’−ノルボルネン］、スピロ［６−ｉｓｏ−ブチル−１，４−ジヒドロナフタレン−２−オン−３，５’−２’−ノルボルネン］、スピロ［７−ｉｓｏ−ブチル−１，４−ジヒドロナフタレン−２−オン−３，５’−２’−ノルボルネン］、スピロ［８−ｉｓｏ−ブチル−１，４−ジヒドロナフタレン−２−オン−３，５’−２’−ノルボルネン］、スピロ［５−ｓｅｃ−ブチル−１，４−ジヒドロナフタレン−２−オン−３，５’−２’−ノルボルネン］、スピロ［６−ｓｅｃ−ブチル−１，４−ジヒドロナフタレン−２−オン−３，５’−２’−ノルボルネン］、スピロ［７−ｓｅｃ−ブチル−１，４−ジヒドロナフタレン−２−オン−３，５’−２’−ノルボルネン］、スピロ［８−ｓｅｃ−ブチル−１，４−ジヒドロナフタレン−２−オン−３，５’−２’−ノルボルネン］、スピロ［５−ｔ−ブチル−１，４−ジヒドロナフタレン−２−オン−３，５’−２’−ノルボルネン］、スピロ［６−ｔ−ブチル−１，４−ジヒドロナフタレン−２−オン−３，５’−２’−ノルボルネン］、スピロ［７−ｔ−ブチル−１，４−ジヒドロナフタレン−２−オン−３，５’−２’−ノルボルネン］、スピロ［８−ｔ−ブチル−１，４−ジヒドロナフタレン−２−オン−３，５’−２’−ノルボルネン］、スピロ［５−シクロヘキシル−１，４−ジヒドロナフタレン−２−オン−３，５’−２’−ノルボルネン］、スピロ［６−シクロヘキシル−１，４−ジヒドロナフタレン−２−オン−３，５’−２’−ノルボルネン］、スピロ［７−シクロヘキシル−１，４−ジヒドロナフタレン−２−オン−３，５’−２’−ノルボルネン］、スピロ［８−シクロヘキシル−１，４−ジヒドロナフタレン−２−オン−３，５’−２’−ノルボルネン］、スピロ［５−フェニル−１，４−ジヒドロナフタレン−２−オン−３，５’−２’−ノルボルネン］、スピロ［６−フェニル−１，４−ジヒドロナフタレン−２−オン−３，５’−２’−ノルボルネン］、スピロ［７−フェニル−１，４−ジヒドロナフタレン−２−オン−３，５’−２’−ノルボルネン］、スピロ［８−フェニル−１，４−ジヒドロナフタレン−２−オン−３，５’−２’−ノルボルネン］、スピロ［５−クロロ−１，４−ジヒドロナフタレン−２−オン−３，５’−２’−ノルボルネン］、スピロ［６−クロロ−１，４−ジヒドロナフタレン−２−オン−３，５’−２’−ノルボルネン］、スピロ［７−クロロ−１，４−ジヒドロナフタレン−２−オン−３，５’−２’−ノルボルネン］、スピロ［８−クロロ−１，４−ジヒドロナフタレン−２−オン−３，５’−２’−ノルボルネン］、スピロ［５−フェニル−１，４−ジヒドロナフタレン−２−オン−３，５’−２’−ノルボルネン］、スピロ［６−フェニル−１，４−ジヒドロナフタレン−２−オン−３，５’−２’−ノルボルネン］、スピロ［７−フェニル−１，４−ジヒドロナフタレン−２−オン−３，５’−２’−ノルボルネン］、スピロ［８−フェニル−１，４−ジヒドロナフタレン−２−オン−３，５’−２’−ノルボルネン］、スピロ［５−アミノ−１，４−ジヒドロナフタレン−２−オン−３，５’−２’−ノルボルネン］、スピロ［６−アミノ−１，４−ジヒドロナフタレン−２−オン−３，５’−２’−ノルボルネン］、スピロ［７−アミノ−１，４−ジヒドロナフタレン−２−オン−３，５’−２’−ノルボルネン］、スピロ［８−アミノ−１，４−ジヒドロナフタレン−２−オン−３，５’−２’−ノルボルネン］、スピロ［５−メトキシ−１，４−ジヒドロナフタレン−２−オン−３，５’−２’−ノルボルネン］、スピロ［６−メトキシ−１，４−ジヒドロナフタレン−２−オン−３，５’−２’−ノルボルネン］、スピロ［７−メトキシ−１，４−ジヒドロナフタレン−２−オン−３，５’−２’−ノルボルネン］、スピロ［８−メトキシ−１，４−ジヒドロナフタレン−２−オン−３，５’−２’−ノルボルネン］、スピロ［１，３−ジヒドロナフタレン−２−オン−４，５’−２’−ノルボルネン］、スピロ［５−メチル−１，３−ジヒドロナフタレン−２−オン−４，５’−２’−ノルボルネン］、スピロ［６−メチル−１，３−ジヒドロナフタレン−２−オン−４，５’−２’−ノルボルネン］、スピロ［７−メチル−１，３−ジヒドロナフタレン−２−オン−４，５’−２’−ノルボルネン］、スピロ［８−メチル−１，３−ジヒドロナフタレン−２−オン−４，５’−２’−ノルボルネン］、スピロ［５−エチル−１，３−ジヒドロナフタレン−２−オン−４，５’−２’−ノルボルネン］、スピロ［６−エチル−１，３−ジヒドロナフタレン−２−オン−４，５’−２’−ノルボルネン］、スピロ［７−エチル−１，３−ジヒドロナフタレン−２−オン−４，５’−２’−ノルボルネン］、スピロ［８−エチル−１，３−ジヒドロナフタレン−２−オン−４，５’−２’−ノルボルネン］、スピロ［５−ｎ−プロピル−１，３−ジヒドロナフタレン−２−オン−４，５’−２’−ノルボルネン］、スピロ［６−ｎ−プロピル−１，３−ジヒドロナフタレン−２−オン−４，５’−２’−ノルボルネン］、スピロ［７−ｎ−プロピル−１，３−ジヒドロナフタレン−２−オン−４，５’−２’−ノルボルネン］、スピロ［８−ｎ−プロピル−１，３−ジヒドロナフタレン−２−オン−４，５’−２’−ノルボルネン］、スピロ［５−ｉｓｏ−プロピル−１，３−ジヒドロナフタレン−２−オン−４，５’−２’−ノルボルネン］、スピロ［６−ｉｓｏ−プロピル−１，３−ジヒドロナフタレン−２−オン−４，５’−２’−ノルボルネン］、スピロ［７−ｉｓｏ−プロピル−１，３−ジヒドロナフタレン−２−オン−４，５’−２’−ノルボルネン］、スピロ［８−ｉｓｏ−プロピル−１，３−ジヒドロナフタレン−２−オン−４，５’−２’−ノルボルネン］、スピロ［５−ｎ−ブチル−１，３−ジヒドロナフタレン−２−オン−４，５’−２’−ノルボルネン］、スピロ［６−ｎ−ブチル−１，３−ジヒドロナフタレン−２−オン−４，５’−２’−ノルボルネン］、スピロ［７−ｎ−ブチル−１，３−ジヒドロナフタレン−２−オン−４，５’−２’−ノルボルネン］、スピロ［８−ｎ−ブチル−１，３−ジヒドロナフタレン−２−オン−４，５’−２’−ノルボルネン］、スピロ［５−ｉｓｏ−ブチル−１，３−ジヒドロナフタレン−２−オン−４，５’−２’−ノルボルネン］、スピロ［６−ｉｓｏ−ブチル−１，３−ジヒドロナフタレン−２−オン−４，５’−２’−ノルボルネン］、スピロ［７−ｉｓｏ−ブチル−１，３−ジヒドロナフタレン−２−オン−４，５’−２’−ノルボルネン］、スピロ［８−ｉｓｏ−ブチル−１，３−ジヒドロナフタレン−２−オン−４，５’−２’−ノルボルネン］、スピロ［５−ｓｅｃ−ブチル−１，３−ジヒドロナフタレン−２−オン−４，５’−２’−ノルボルネン］、スピロ［６−ｓｅｃ−ブチル−１，３−ジヒドロナフタレン−２−オン−４，５’−２’−ノルボルネン］、スピロ［７−ｓｅｃ−ブチル−１，３−ジヒドロナフタレン−２−オン−４，５’−２’−ノルボルネン］、スピロ［８−ｓｅｃ−ブチル−１，３−ジヒドロナフタレン−２−オン−４，５’−２’−ノルボルネン］、スピロ［５−ｔ−ブチル−１，３−ジヒドロナフタレン−２−オン−４，５’−２’−ノルボルネン］、スピロ［６−ｔ−ブチル−１，３−ジヒドロナフタレン−２−オン−４，５’−２’−ノルボルネン］、スピロ［７−ｔ−ブチル−１，３−ジヒドロナフタレン−２−オン−４，５’−２’−ノルボルネン］、スピロ［８−ｔ−ブチル−１，３−ジヒドロナフタレン−２−オン−４，５’−２’−ノルボルネン］、スピロ［５−シクロヘキシル−１，３−ジヒドロナフタレン−２−オン−４，５’−２’−ノルボルネン］、スピロ［６−シクロヘキシル−１，３−ジヒドロナフタレン−２−オン−４，５’−２’−ノルボルネン］、スピロ［７−シクロヘキシル−１，３−ジヒドロナフタレン−２−オン−４，５’−２’−ノルボルネン］、スピロ［８−シクロヘキシル−１，３−ジヒドロナフタレン−２−オン−４，５’−２’−ノルボルネン］、スピロ［５−フェニル−１，３−ジヒドロナフタレン−２−オン−４，５’−２’−ノルボルネン］、スピロ［６−フェニル−１，３−ジヒドロナフタレン−２−オン−４，５’−２’−ノルボルネン］、スピロ［７−フェニル−１，３−ジヒドロナフタレン−２−オン−４，５’−２’−ノルボルネン］、スピロ［８−フェニル−１，３−ジヒドロナフタレン−２−オン−４，５’−２’−ノルボルネン］、スピロ［５−クロロ−１，３−ジヒドロナフタレン−２−オン−４，５’−２’−ノルボルネン］、スピロ［６−クロロ−１，３−ジヒドロナフタレン−２−オン−４，５’−２’−ノルボ
ルネン］、スピロ［７−クロロ−１，３−ジヒドロナフタレン−２−オン−４，５’−２’−ノルボルネン］、スピロ［８−クロロ−１，３−ジヒドロナフタレン−２−オン−４，５’−２’−ノルボルネン］、スピロ［５−フェニル−１，３−ジヒドロナフタレン−２−オン−４，５’−２’−ノルボルネン］、スピロ［６−フェニル−１，３−ジヒドロナフタレン−２−オン−４，５’−２’−ノルボルネン］、スピロ［７−フェニル−１，３−ジヒドロナフタレン−２−オン−４，５’−２’−ノルボルネン］、スピロ［８−フェニル−１，３−ジヒドロナフタレン−２−オン−４，５’−２’−ノルボルネン］、スピロ［５−アミノ−１，３−ジヒドロナフタレン−２−オン−４，５’−２’−ノルボルネン］、スピロ［６−アミノ−１，３−ジヒドロナフタレン−２−オン−４，５’−２’−ノルボルネン］、スピロ［７−アミノ−１，３−ジヒドロナフタレン−２−オン−４，５’−２’−ノルボルネン］、スピロ［８−アミノ−１，３−ジヒドロナフタレン−２−オン−４，５’−２’−ノルボルネン］、スピロ［５−メトキシ−１，３−ジヒドロナフタレン−２−オン−４，５’−２’−ノルボルネン］、スピロ［６−メトキシ−１，３−ジヒドロナフタレン−２−オン−４，５’−２’−ノルボルネン］、スピロ［７−メトキシ−１，３−ジヒドロナフタレン−２−オン−４，５’−２’−ノルボルネン］、スピロ［８−メトキシ−１，３−ジヒドロナフタレン−２−オン−４，５’−２’−ノルボルネン］。
【００５７】
（vii）２，３−ベンゾシクロヘプテン−１−オン−４−スピロ−５’−ビシクロ［２．２．１］−２’−ヘプテン、２，３−（３’’−メチルベンゾ）シクロヘプテン−１−オン−４−スピロ−５’−ビシクロ［２．２．１］−２’−ヘプテン、２，３−（４’’−メチルベンゾ）シクロヘプテン−１−オン−４−スピロ−５’−ビシクロ［２．２．１］−２’−ヘプテン、２，３−（５’’−メチルベンゾ）シクロヘプテン−１−オン−４−スピロ−５’−ビシクロ［２．２．１］−２’−ヘプテン、２，３−（６’’−メチルベンゾ）シクロヘプテン−１−オン−４−スピロ−５’−ビシクロ［２．２．１］−２’−ヘプテン、２，３−（３’’−エチルベンゾ）シクロヘプテン−１−オン−４−スピロ−５’−ビシクロ［２．２．１］−２’−ヘプテン、２，３−（４’’−エチルベンゾ）シクロヘプテン−１−オン−４−スピロ−５’−ビシクロ［２．２．１］−２’−ヘプテン、２，３−（５’’−エチルベンゾ）シクロヘプテン−１−オン−４−スピロ−５’−ビシクロ［２．２．１］−２’−ヘプテン、２，３−（６’’−エチルベンゾ）シクロヘプテン−１−オン−４−スピロ−５’−ビシクロ［２．２．１］−２’−ヘプテン、２，３−（３’’−ｎ−プロピルベンゾ）シクロヘプテン−１−オン−４−スピロ−５’−ビシクロ［２．２．１］−２’−ヘプテン、２，３−（４’’−ｎ−プロピルベンゾ）シクロヘプテン−１−オン−４−スピロ−５’−ビシクロ［２．２．１］−２’−ヘプテン、２，３−（５’’−ｎ−プロピルベンゾ）シクロヘプテン−１−オン−４−スピロ−５’−ビシクロ［２．２．１］−２’−ヘプテン、２，３−（６’’−ｎ−プロピルベンゾ）シクロヘプテン−１−オン−４−スピロ−５’−ビシクロ［２．２．１］−２’−ヘプテン、２，３−（３’’−ｉｓｏ−プロピルベンゾ）シクロヘプテン−１−オン−４−スピロ−５’−ビシクロ［２．２．１］−２’−ヘプテン、２，３−（４’’−ｉｓｏ−プロピルベンゾ）シクロヘプテン−１−オン−４−スピロ−５’−ビシクロ［２．２．１］−２’−ヘプテン、２，３−（５’’−ｉｓｏ−プロピルベンゾ）シクロヘプテン−１−オン−４−スピロ−５’−ビシクロ［２．２．１］−２’−ヘプテン、２，３−（６’’−ｉｓｏ−プロピルベンゾ）シクロヘプテン−１−オン−４−スピロ−５’−ビシクロ［２．２．１］−２’−ヘプテン、２，３−（３’’−ｎ−ブチルベンゾ）シクロヘプテン−１−オン−４−スピロ−５’−ビシクロ［２．２．１］−２’−ヘプテン、２，３−（４’’−ｎ−ブチルベンゾ）シクロヘプテン−１−オン−４−スピロ−５’−ビシクロ［２．２．１］−２’−ヘプテン、２，３−（５’’−ｎ−ブチルベンゾ）シクロヘプテン−１−オン−４−スピロ−５’−ビシクロ［２．２．１］−２’−ヘプテン、２，３−（６’’−ｎ−ブチルベンゾ）シクロヘプテン−１−オン−４−スピロ−５’−ビシクロ［２．２．１］−２’−ヘプテン、２，３−（３’’−ｉｓｏ−ブチルベンゾ）シクロヘプテン−１−オン−４−スピロ−５’−ビシクロ［２．２．１］−２’−ヘプテン、２，３−（４’’−ｉｓｏ−ブチルベンゾ）シクロヘプテン−１−オン−４−スピロ−５’−ビシクロ［２．２．１］−２’−ヘプテン、２，３−（５’’−ｉｓｏ−ブチルベンゾ）シクロヘプテン−１−オン−４−スピロ−５’−ビシクロ［２．２．１］−２’−ヘプテン、２，３−（６’’−ｉｓｏ−ブチルベンゾ）シクロヘプテン−１−オン−４−スピロ−５’−ビシクロ［２．２．１］−２’−ヘプテン、２，３−（３’’−ｓｅｃ−ブチルベンゾ）シクロヘプテン−１−オン−４−スピロ−５’−ビシクロ［２．２．１］−２’−ヘプテン、２，３−（４’’−ｓｅｃ−ブチルベンゾ）シクロヘプテン−１−オン−４−スピロ−５’−ビシクロ［２．２．１］−２’−ヘプテン、２，３−（５’’−ｓｅｃ−ブチルベンゾ）シクロヘプテン−１−オン−４−スピロ−５’−ビシクロ［２．２．１］−２’−ヘプテン、２，３−（６’’−ｓｅｃ−ブチルベンゾ）シクロヘプテン−１−オン−４−スピロ−５’−ビシクロ［２．２．１］−２’−ヘプテン、２，３−（３’’−ｔ−ブチルベンゾ）シクロヘプテン−１−オン−４−スピロ−５’−ビシクロ［２．２．１］−２’−ヘプテン、２，３−（４’’−ｔ−ブチルベンゾ）シクロヘプテン−１−オン−４−スピロ−５’−ビシクロ［２．２．１］−２’−ヘプテン、２，３−（５’’−ｔ−ブチルベンゾ）シクロヘプテン−１−オン−４−スピロ−５’−ビシクロ［２．２．１］−２’−ヘプテン、２，３−（６’’−ｔ−ブチルベンゾ）シクロヘプテン−１−オン−４−スピロ−５’−ビシクロ［２．２．１］−２’−ヘプテン、２，３−（３’’−シクロヘキシルベンゾ）シクロヘプテン−１−オン−４−スピロ−５‘−ビシクロ［２．２．１］−２’−ヘプテン、２，３−（４’’−シクロヘキシルベンゾ）シクロヘプテン−１−オン−４−スピロ−５’−ビシクロ［２．２．１］−２’−ヘプテン、２，３−（５’’−シクロヘキシルベンゾ）シクロヘプテン−１−オン−４−スピロ−５’−ビシクロ［２．２．１］−２’−ヘプテン、２，３−（６’’−シクロヘキシルベンゾ）シクロヘプテン−１−オン−４−スピロ−５’−ビシクロ［２．２．１］−２’−ヘプテン、２，３−（３’’−フェニルベンゾ）シクロヘプテン−１−オン−４−スピロ−５’−ビシクロ［２．２．１］−２’−ヘプテン、２，３−（４’’−フェニルベンゾ）シクロヘプテン−１−オン−４−スピロ−５’−ビシクロ［２．２．１］−２’−ヘプテン、２，３−（５’’−フェニルベンゾ）シクロヘプテン−１−オン−４−スピロ−５’−ビシクロ［２．２．１］−２’−ヘプテン、２，３−（６’’−フェニルベンゾ）シクロヘプテン−１−オン−４−スピロ−５’−ビシクロ［２．２．１］−２’−ヘプテン、２，３−（３’’−クロロベンゾ）シクロヘプテン−１−オン−４−スピロ−５’−ビシクロ［２．２．１］−２’−ヘプテン、２，３−（４’’−クロロベンゾ）シクロヘプテン−１−オン−４−スピロ−５’−ビシクロ［２．２．１］−２’−ヘプテン、２，３−（４’’−クロロベンゾ）シクロヘプテン−１−オン−４−スピロ−５’−ビシクロ［２．２．１］−２’−ヘプテン、２，３−（４’’−クロロベンゾ）シクロヘプテン−１−オン−４−スピロ−５’−ビシクロ［２．２．１］−２’−ヘプテン、２，３−（５’’−クロロベンゾ）シクロヘプテン−１−オン−４−スピロ−５’−ビシクロ［２．２．１］−２’−ヘプテン、２，３−（６’’−クロロベンゾ）シクロヘプテン−１−オン−４−スピロ−５’−ビシクロ［２．２．１］−２’−ヘプテン、２，３−（３’’−アミノベンゾ）シクロヘプテン−１−オン−４−スピロ−５’−ビシクロ［２．２．１］−２’−ヘプテン、２，３−（４’’−アミノベンゾ）シクロヘプテン−１−オン−４−スピロ−５’−ビシクロ［２．２．１］−２’−ヘプテン、２，３−（５’’−アミノベンゾ）シクロヘプテン−１−オン−４−スピロ−５’−ビシクロ［２．２．１］−２’−ヘプテン、２，３−（６’’−アミノベンゾ）シクロヘプテン−１−オン−４−スピロ−５’−ビシクロ［２．２．１］−２’−ヘプテン、２，３−（３’’−メトキシベンゾ）シクロヘプテン−１−オン−４−スピロ−５‘−ビシクロ［２．２．１］−２’−ヘプテン、２，３−（４’’−メトキシベンゾ）シクロヘプテン−１−オン−４−スピロ−５’−ビシクロ［２．２．１］−２’−ヘプテン、２，３−（５’’−メトキシベンゾ）シクロヘプテン−１−オン−４−スピロ−５’−ビシクロ［２．２．１］−２’−ヘプテン、２，３−（６’’−メトキシベンゾ）シクロヘプテン−１−オン−４−スピロ−５’−ビシクロ［２．２．１］−２’−ヘプテン、２，３−ベンゾシクロヘプテン−１−オン−５−スピロ−５’−ビシクロ［２．２．１］−２’−ヘプテン、２，３−（３’’−メチルベンゾ）シクロヘプテン−１−オン−５−スピロ−５’−ビシクロ［２．２．１］−２’−ヘプテン、２，３−（４’’−メチルベンゾ）シクロヘプテン−１−オン−５−スピロ−５’−ビシクロ［２．２．１］−２’−ヘプテン、２，３−（５’’−メチルベンゾ）シクロヘプテン−１−オン−５−スピロ−５’−ビシクロ［２．２．１］−２’−ヘプテン、２，３−（６’’−メチルベンゾ）シクロヘプテン−１−オン−５−スピロ−５’−ビシクロ［２．２．１］−２’−ヘプテン、２，３−（３’’−エチルベンゾ）シクロヘプテン−１−オン−５−スピロ−５’−ビシクロ［２．２．１］−２’−ヘプテン、２，３−（４’’−エチルベンゾ）シクロヘプテン−１−オン−５−スピロ−５’−ビシクロ［２．２．１］−２’−ヘプテン、２，３−（５’’−エチルベンゾ）シクロヘプテン−１−オン−５−スピロ−５’−ビシクロ［２．２．１］−２’−ヘプテン、２，３−（６’’−エチルベンゾ）シクロヘプテン−１−オン−５−スピロ−５’−ビシクロ［２．２．１］−２’−ヘプテン、２，３−（３’’−ｎ−プロピルベンゾ）シクロヘプテン−１−オン−５−スピロ−５’−ビシクロ［２．２．１］−２’−ヘプテン、２，３−（４’’−ｎ−プロピルベンゾ）シクロヘプテン−１−オン−５−スピロ−５’−ビシクロ［２．２．１］−２’−ヘプテン、２，３−（５’’−ｎ−プロピルベンゾ）シクロヘプテン−１−オン−５−スピロ−５’−ビシクロ［２．２．１］−２’−ヘプテン、２，３−（６’’−ｎ−プロピルベンゾ）シクロヘプテン−１−オン−５−スピロ−５’−ビシクロ［２．２．１］−２’−ヘプテン、２，３−（３’’−ｉｓｏ−プロピルベンゾ）シクロヘプテン−１−オン−５−スピロ−５’−ビシクロ［２．２．１］−２’−ヘプテン、２，３−（４’’−ｉｓｏ−プロピルベンゾ）シクロヘプテン−１−オン−５−スピロ−５’−ビシクロ［２．２．１］−２’−ヘプテン、２，３−（５’’−ｉｓｏ−プロピルベンゾ）シクロヘプテン−１−オン−５−スピロ−５’−ビシクロ［２．２．１］−２’−ヘプテン、２，３−（６’’−ｉｓｏ−プロピルベンゾ）シクロヘプテン−１−オン−５−スピロ−５’−ビシクロ［２．２．１］−２’−ヘプテン、２，３−（３’’−ｎ−ブチルベンゾ）シクロヘプテン−１−オン−５−スピロ−５’−ビシクロ［２．２．１］−２’−ヘプテン、２，３−（４’’−ｎ−ブチルベンゾ）シクロヘプテン−１−オン−５−スピロ−５’−ビシクロ［２．２．１］−２’−ヘプテン、２，３−（５’’−ｎ−ブチルベンゾ）シクロヘプテン−１−オン−５−スピロ−５’−ビシクロ［２．２．１］−２’−ヘプテン、２，３−（６’’−ｎ−ブチルベンゾ）シクロヘプテン−１−オン−５−スピロ−５’−ビシクロ［２．２．１］−２’−ヘプテン、２，３−（３’’−ｉｓｏ−ブチルベンゾ）シクロヘプテン−１−オン−５−スピロ−５’−ビシクロ［２．２．１］−２’−ヘプテン、２，３−（４’’−ｉｓｏ−ブチルベンゾ）シクロヘプテン−１−オン−４−スピロ−５’−ビシクロ［２．２．１］−２’−ヘプテン、２，３−（５’’−ｉｓｏ−ブチルベンゾ）シクロヘプテン−１−オン−５−スピロ−５’−ビシクロ［２．２．１］−２’−ヘプテン、２，３−（６’’−ｉｓｏ−ブチルベンゾ）シクロヘプテン−１−オン−５−スピロ−５’−ビシクロ［２．２．１］−２’−ヘプテン、２，３−（３’’−ｓｅｃ−ブチルベンゾ）シクロヘプテン−１−オン−５−スピロ−５’−ビシクロ［２．２．１］−２’−ヘプテン、２，３−（４’’−ｓｅｃ−ブチルベンゾ）シクロヘプテン−１−オン−５−スピロ−５’−ビシクロ［２．２．１］−２’−ヘプテン、２，３−（５’’−ｓｅｃ−ブチルベンゾ）シクロヘプテン−１−オン−５−スピロ−５’−ビシクロ［２．２．１］−２’−ヘプテン、２，３−（６’’−ｓｅｃ−ブチルベンゾ）シクロヘプテン−１−オン−５−スピロ−５’−ビシクロ［２．２．１］−２’−ヘプテン、２，３−（３’’−ｔ−ブチルベンゾ）シクロヘプテン−１−オン−５−スピロ−５’−ビシクロ［２．２．１］−２’−ヘプテン、２，３−（４’’−ｔ−ブチルベンゾ）シクロヘプテン−
１−オン−５−スピロ−５’−ビシクロ［２．２．１］−２’−ヘプテン、２，３−（５’’−ｔ−ブチルベンゾ）シクロヘプテン−１−オン−５−スピロ−５’−ビシクロ［２．２．１］−２’−ヘプテン、２，３−（６’’−ｔ−ブチルベンゾ）シクロヘプテン−１−オン−５−スピロ−５’−ビシクロ［２．２．１］−２’−ヘプテン、２，３−（３’’−シクロヘキシルベンゾ）シクロヘプテン−１−オン−５−スピロ−５‘−ビシクロ［２．２．１］−２’−ヘプテン、２，３−（４’’−シクロヘキシルベンゾ）シクロヘプテン−１−オン−５−スピロ−５’−ビシクロ［２．２．１］−２’−ヘプテン、２，３−（５’’−シクロヘキシルベンゾ）シクロヘプテン−１−オン−５−スピロ−５’−ビシクロ［２．２．１］−２’−ヘプテン、２，３−（６’’−シクロヘキシルベンゾ）シクロヘプテン−１−オン−５−スピロ−５’−ビシクロ［２．２．１］−２’−ヘプテン、２，３−（３’’−フェニルベンゾ）シクロヘプテン−１−オン−５−スピロ−５’−ビシクロ［２．２．１］−２’−ヘプテン、２，３−（４’’−フェニルベンゾ）シクロヘプテン−１−オン−５−スピロ−５’−ビシクロ［２．２．１］−２’−ヘプテン、２，３−（５’’−フェニルベンゾ）シクロヘプテン−１−オン−５−スピロ−５’−ビシクロ［２．２．１］−２’−ヘプテン、２，３−（６’’−フェニルベンゾ）シクロヘプテン−１−オン−５−スピロ−５’−ビシクロ［２．２．１］−２’−ヘプテン、２，３−（３’’−クロロベンゾ）シクロヘプテン−１−オン−５−スピロ−５’−ビシクロ［２．２．１］−２’−ヘプテン、２，３−（４’’−クロロベンゾ）シクロヘプテン−１−オン−５−スピロ−５’−ビシクロ［２．２．１］−２’−ヘプテン、２，３−（４’’−クロロベンゾ）シクロヘプテン−１−オン−５−スピロ−５’−ビシクロ［２．２．１］−２’−ヘプテン、２，３−（４’’−クロロベンゾ）シクロヘプテン−１−オン−５−スピロ−５’−ビシクロ［２．２．１］−２’−ヘプテン、２，３−（５’’−クロロベンゾ）シクロヘプテン−１−オン−５−スピロ−５’−ビシクロ［２．２．１］−２’−ヘプテン、２，３−（６’’−クロロベンゾ）シクロヘプテン−１−オン−５−スピロ−５’−ビシクロ［２．２．１］−２’−ヘプテン、２，３−（３’’−アミノベンゾ）シクロヘプテン−１−オン−５−スピロ−５’−ビシクロ［２．２．１］−２’−ヘプテン、２，３−（４’’−アミノベンゾ）シクロヘプテン−１−オン−５−スピロ−５’−ビシクロ［２．２．１］−２’−ヘプテン、２，３−（５’’−アミノベンゾ）シクロヘプテン−１−オン−５−スピロ−５’−ビシクロ［２．２．１］−２’−ヘプテン、２，３−（６’’−アミノベンゾ）シクロヘプテン−１−オン−５−スピロ−５’−ビシクロ［２．２．１］−２’−ヘプテン、２，３−（３’’−メトキシベンゾ）シクロヘプテン−１−オン−５−スピロ−５‘−ビシクロ［２．２．１］−２’−ヘプテン、２，３−（４’’−メトキシベンゾ）シクロヘプテン−１−オン−５−スピロ−５’−ビシクロ［２．２．１］−２’−ヘプテン、２，３−（５’’−メトキシベンゾ）シクロヘプテン−１−オン−５−スピロ−５’−ビシクロ［２．２．１］−２’−ヘプテン、２，３−（６’’−メトキシベンゾ）シクロヘプテン−１−オン−５−スピロ−５’−ビシクロ［２．２．１］−２’−ヘプテン、２，３−ベンゾシクロヘプテン−１−オン−６−スピロ−５’−ビシクロ［２．２．１］−２’−ヘプテン、２，３−（３’’−メチルベンゾ）シクロヘプテン−１−オン−６−スピロ−５’−ビシクロ［２．２．１］−２’−ヘプテン、２，３−（４’’−メチルベンゾ）シクロヘプテン−１−オン−６−スピロ−５’−ビシクロ［２．２．１］−２’−ヘプテン、２，３−（５’’−メチルベンゾ）シクロヘプテン−１−オン−６−スピロ−５’−ビシクロ［２．２．１］−２’−ヘプテン、２，３−（６’’−メチルベンゾ）シクロヘプテン−１−オン−６−スピロ−５’−ビシクロ［２．２．１］−２’−ヘプテン、２，３−（３’’−エチルベンゾ）シクロヘプテン−１−オン−６−スピロ−５’−ビシクロ［２．２．１］−２’−ヘプテン、２，３−（４’’−エチルベンゾ）シクロヘプテン−１−オン−６−スピロ−５’−ビシクロ［２．２．１］−２’−ヘプテン、２，３−（５’’−エチルベンゾ）シクロヘプテン−１−オン−6−スピロ−５’−ビシクロ［２．２．１］−２’−ヘプテン、２，３−（６’’−エチルベンゾ）シクロヘプテン−１−オン−６−スピロ−５’−ビシクロ［２．２．１］−２’−ヘプテン、２，３−（３’’−ｎ−プロピルベンゾ）シクロヘプテン−１−オン−６−スピロ−５’−ビシクロ［２．２．１］−２’−ヘプテン、２，３−（４’’−ｎ−プロピルベンゾ）シクロヘプテン−１−オン−６−スピロ−５’−ビシクロ［２．２．１］−２’−ヘプテン、２，３−（５’’−ｎ−プロピルベンゾ）シクロヘプテン−１−オン−６−スピロ−５’−ビシクロ［２．２．１］−２’−ヘプテン、２，３−（６’’−ｎ−プロピルベンゾ）シクロヘプテン−１−オン−６−スピロ−５’−ビシクロ［２．２．１］−２’−ヘプテン、２，３−（３’’−ｉｓｏ−プロピルベンゾ）シクロヘプテン−１−オン−６−スピロ−５’−ビシクロ［２．２．１］−２’−ヘプテン、２，３−（４’’−ｉｓｏ−プロピルベンゾ）シクロヘプテン−１−オン−６−スピロ−５’−ビシクロ［２．２．１］−２’−ヘプテン、２，３−（５’’−ｉｓｏ−プロピルベンゾ）シクロヘプテン−１−オン−６−スピロ−５’−ビシクロ［２．２．１］−２’−ヘプテン、２，３−（６’’−ｉｓｏ−プロピルベンゾ）シクロヘプテン−１−オン−６−スピロ−５’−ビシクロ［２．２．１］−２’−ヘプテン、２，３−（３’’−ｎ−ブチルベンゾ）シクロヘプテン−１−オン−６−スピロ−５’−ビシクロ［２．２．１］−２’−ヘプテン、２，３−（４’’−ｎ−ブチルベンゾ）シクロヘプテン−１−オン−６−スピロ−５’−ビシクロ［２．２．１］−２’−ヘプテン、２，３−（５’’−ｎ−ブチルベンゾ）シクロヘプテン−１−オン−６−スピロ−５’−ビシクロ［２．２．１］−２’−ヘプテン、２，３−（６’’−ｎ−ブチルベンゾ）シクロヘプテン−１−オン−６−スピロ−５’−ビシクロ［２．２．１］−２’−ヘプテン、２，３−（３’’−ｉｓｏ−ブチルベンゾ）シクロヘプテン��１−オン−６−スピロ−５’−ビシクロ［２．２．１］−２’−ヘプテン、２，３−（４’’−ｉｓｏ−ブチルベンゾ）シクロヘプテン−１−オン−６−スピロ−５’−ビシクロ［２．２．１］−２’−ヘプテン、２，３−（５’’−ｉｓｏ−ブチルベンゾ）シクロヘプテン−１−オン−６−スピロ−５’−ビシクロ［２．２．１］−２’−ヘプテン、２，３−（６’’−ｉｓｏ−ブチルベンゾ）シクロヘプテン−１−オン−６−スピロ−５’−ビシクロ［２．２．１］−２’−ヘプテン、２，３−（３’’−ｓｅｃ−ブチルベンゾ）シクロヘプテン−１−オン−６−スピロ−５’−ビシクロ［２．２．１］−２’−ヘプテン、２，３−（４’’−ｓｅｃ−ブチルベンゾ）シクロヘプテン−１−オン−６−スピロ−５’−ビシクロ［２．２．１］−２’−ヘプテン、２，３−（５’’−ｓｅｃ−ブチルベンゾ）シクロヘプテン−１−オン−６−スピロ−５’−ビシクロ［２．２．１］−２’−ヘプテン、２，３−（６’’−ｓｅｃ−ブチルベンゾ）シクロヘプテン−１−オン−６−スピロ−５’−ビシクロ［２．２．１］−２’−ヘプテン、２，３−（３’’−ｔ−ブチルベンゾ）シクロヘプテン−１−オン−６−スピロ−５’−ビシクロ［２．２．１］−２’−ヘプテン、２，３−（４’’−ｔ−ブチルベンゾ）シクロヘプテン−１−オン−６−スピロ−５’−ビシクロ［２．２．１］−２’−ヘプテン、２，３−（５’’−ｔ−ブチルベンゾ）シクロヘプテン−１−オン−６−スピロ−５’−ビシクロ［２．２．１］−２’−ヘプテン、２，３−（６’’−ｔ−ブチルベンゾ）シクロヘプテン−１−オン−６−スピロ−５’−ビシクロ［２．２．１］−２’−ヘプテン、２，３−（３’’−シクロヘキシルベンゾ）シクロヘプテン−１−オン−６−スピロ−５‘−ビシクロ［２．２．１］−２’−ヘプテン、２，３−（４’’−シクロヘキシルベンゾ）シクロヘプテン−１−オン−６−スピロ−５’−ビシクロ［２．２．１］−２’−ヘプテン、２，３−（５’’−シクロヘキシルベンゾ）シクロヘプテン−１−オン−６−スピロ−５’−ビシクロ［２．２．１］−２’−ヘプテン、２，３−（６’’−シクロヘキシルベンゾ）シクロヘプテン−１−オン−６−スピロ−５’−ビシクロ［２．２．１］−２’−ヘプテン、２，３−（３’’−フェニルベンゾ）シクロヘプテン−１−オン−６−スピロ−５’−ビシクロ［２．２．１］−２’−ヘプテン、２，３−（４’’−フェニルベンゾ）シクロヘプテン−１−オン−６−スピロ−５’−ビシクロ［２．２．１］−２’−ヘプテン、２，３−（５’’−フェニルベンゾ）シクロヘプテン−１−オン−６−スピロ−５’−ビシクロ［２．２．１］−２’−ヘプテン、２，３−（６’’−フェニルベンゾ）シクロヘプテン−１−オン−６−スピロ−５’−ビシクロ［２．２．１］−２’−ヘプテン、２，３−（３’’−クロロベンゾ）シクロヘプテン−１−オン−６−スピロ−５’−ビシクロ［２．２．１］−２’−ヘプテン、２，３−（４’’−クロロベンゾ）シクロヘプテン−１−オン−６−スピロ−５’−ビシクロ［２．２．１］−２’−ヘプテン、２，３−（４’’−クロロベンゾ）シクロヘプテン−１−オン−６−スピロ−５’−ビシクロ［２．２．１］−２’−ヘプテ��、２，３−（４’’−クロロベンゾ）シクロヘプテン−１−オン−６−スピロ−５’−ビシクロ［２．２．１］−２’−ヘプテン、２，３−（５’’−クロロベンゾ）シクロヘプテン−１−オン−６−スピロ−５’−ビシクロ［２．２．１］−２’−ヘプテン、２，３−（６’’−クロロベンゾ）シクロヘプテン−１−オン−６−スピロ−５’−ビシクロ［２．２．１］−２’−ヘプテン、２，３−（３’’−アミノベンゾ）シクロヘプテン−１−オン−６−スピロ−５’−ビシクロ［２．２．１］−２’−ヘプテン、２，３−（４’’−アミノベンゾ）シクロヘプテン−１−オン−６−スピロ−５’−ビシクロ［２．２．１］−２’−ヘプテン、２，３−（５’’−アミノベンゾ）シクロヘプテン−１−オン−６−スピロ−５’−ビシクロ［２．２．１］−２’−ヘプテン、２，３−（６’’−アミノベンゾ）シクロヘプテン−１−オン−６−スピロ−５’−ビシクロ［２．２．１］−２’−ヘプテン、２，３−（３’’−メトキシベンゾ）シクロヘプテン−１−オン−６−スピロ−５‘−ビシクロ［２．２．１］−２’−ヘプテン、２，３−（４’’−メトキシベンゾ）シクロヘプテン−１−オン−６−スピロ−５’−ビシクロ［２．２．１］−２’−ヘプテン、２，３−（５’’−メトキシベンゾ）シクロヘプテン−１−オン−６−スピロ−５’−ビシクロ［２．２．１］−２’−ヘプテン、２，３−（６’’−メトキシベンゾ）シクロヘプテン−１−オン−６−スピロ−５’−ビシクロ［２．２．１］−２’−ヘプテン、２，３−ベンゾシクロヘプテン−１−オン−７−スピロ−５’−ビシクロ［２．２．１］−２’−ヘプテン、２，３−（３’’−メチルベンゾ）シクロヘプテン−１−オン−７−スピロ−５’−ビシクロ［２．２．１］−２’−ヘプテン、２，３−（４’’−メチルベンゾ）シクロヘプテン−１−オン−７−スピロ−５’−ビシクロ［２．２．１］−２’−ヘプテン、２，３−（５’’−メチルベンゾ）シクロヘプテン−１−オン−７−スピロ−５’−ビシクロ［２．２．１］−２’−ヘプテン、２，３−（６’’−メチルベンゾ）シクロヘプテン−１−オン−７−スピロ−５’−ビシクロ［２．２．１］−２’−ヘプテン、２，３−（３’’−エチルベンゾ）シクロヘプテン−１−オン−７−スピロ−５’−ビシクロ［２．２．１］−２’−ヘプテン、２，３−（４’’−エチルベンゾ）シクロヘプテン−１−オン−７−スピロ−５’−ビシクロ［
２．２．１］−２’−ヘプテン、２，３−（５’’−エチルベンゾ）シクロヘプテン−１−オン−７−スピロ−５’−ビシクロ［２．２．１］−２’−ヘプテン、２，３−（６’’−エチルベンゾ）シクロヘプテン−１−オン−７−スピロ−５’−ビシクロ［２．２．１］−２’−ヘプテン、２，３−（３’’−ｎ−プロピルベンゾ）シクロヘプテン−１−オン−７−スピロ−５’−ビシクロ［２．２．１］−２’−ヘプテン、２，３−（４’’−ｎ−プロピルベンゾ）シクロヘプテン−１−オン−７−スピロ−５’−ビシクロ［２．２．１］−２’−ヘプテン、２，３−（５’’−ｎ−プロピルベンゾ）シクロヘプテン−１−オン−７−スピロ−５’−ビシクロ［２．２．１］−２’−ヘプテン、２，３−（６’’−ｎ−プロピルベンゾ）シクロヘプテン−１−オン−７−スピロ−５’−ビシクロ［２．２．１］−２’−ヘプテン、２，３−（３’’−ｉｓｏ−プロピルベンゾ）シクロヘプテン−１−オン−７−スピロ−５’−ビシクロ［２．２．１］−２’−ヘプテン、２，３−（４’’−ｉｓｏ−プロピルベンゾ）シクロヘプテン−１−オン−７−スピロ−５’−ビシクロ［２．２．１］−２’−ヘプテン、２，３−（５’’−ｉｓｏ−プロピルベンゾ）シクロヘプテン−１−オン−７−スピロ−５’−ビシクロ［２．２．１］−２’−ヘプテン、２，３−（６’’−ｉｓｏ−プロピルベンゾ）シクロヘプテン−１−オン−７−スピロ−５’−ビシクロ［２．２．１］−２’−ヘプテン、２，３−（３’’−ｎ−ブチルベンゾ）シクロヘプテン−１−オン−７−スピロ−５’−ビシクロ［２．２．１］−２’−ヘプテン、２，３−（４’’−ｎ−ブチルベンゾ）シクロヘプテン−１−オン−７−スピロ−５’−ビシクロ［２．２．１］−２’−ヘプテン、２，３−（５’’−ｎ−ブチルベンゾ）シクロヘプテン−１−オン−７−スピロ−５’−ビシクロ［２．２．１］−２’−ヘプテン、２，３−（６’’−ｎ−ブチルベンゾ）シクロヘプテン−１−オン−７−スピロ−５’−ビシクロ［２．２．１］−２’−ヘプテン、２，３−（３’’−ｉｓｏ−ブチルベンゾ）シクロヘプテン−１−オン−７−スピロ−５’−ビシクロ［２．２．１］−２’−ヘプテン、２，３−（４’’−ｉｓｏ−ブチルベンゾ）シクロヘプテン−１−オン−７−スピロ−５’−ビシクロ［２．２．１］−２’−ヘプテン、２，３−（５’’−ｉｓｏ−ブチルベンゾ）シクロヘプテン−１−オン−７−スピロ−５’−ビシクロ［２．２．１］−２’−ヘプテン、２，３−（６’’−ｉｓｏ−ブチルベンゾ）シクロヘプテン−１−オン−７−スピロ−５’−ビシクロ［２．２．１］−２’−ヘプテン、２，３−（３’’−ｓｅｃ−ブチルベンゾ）シクロヘプテン−１−オン−７−スピロ−５’−ビシクロ［２．２．１］−２’−ヘプテン、２，３−（４’’−ｓｅｃ−ブチルベンゾ）シクロヘプテン−１−オン−７−スピロ−５’−ビシクロ［２．２．１］−２’−ヘプテン、２，３−（５’’−ｓｅｃ−ブチルベンゾ）シクロヘプテン−１−オン−７−スピロ−５’−ビシクロ［２．２．１］−２’−ヘプテン、２，３−（６’’−ｓｅｃ−ブチルベンゾ）シクロヘプテン−１−オン−７−スピロ−５’−ビシクロ［２．２．１］−２’−ヘプテン、２，３−（３’’−ｔ−ブチルベンゾ）シクロヘプテン−１−オン−７−スピロ−５’−ビシクロ［２．２．１］−２’−ヘプテン、２，３−（４’’−ｔ−ブチルベンゾ）シクロヘプテン−１−オン−７−スピロ−５’−ビシクロ［２．２．１］−２’−ヘプテン、２，３−（５’’−ｔ−ブチルベンゾ）シクロヘプテン−１−オン−７−スピロ−５’−ビシクロ［２．２．１］−２’−ヘプテン、２，３−（６’’−ｔ−ブチルベンゾ）シクロヘプテン−１−オン−７−スピロ−５’−ビシクロ［２．２．１］−２’−ヘプテン、２，３−（３’’−シクロヘキシルベンゾ）シクロヘプテン−１−オン−７−スピロ−５‘−ビシクロ［２．２．１］−２’−ヘプテン、２，３−（４’’−シクロヘキシルベンゾ）シクロヘプテン−１−オン−７−スピロ−５’−ビシクロ［２．２．１］−２’−ヘプテン、２，３−（５’’−シクロヘキシルベンゾ）シクロヘプテン−１−オン−７−スピロ−５’−ビシクロ［２．２．１］−２’−ヘプテン、２，３−（６’’−シクロヘキシルベンゾ）シクロヘプテン−１−オン−７−スピロ−５’−ビシクロ［２．２．１］−２’−ヘプテン、２，３−（３’’−フェニルベンゾ）シクロヘプテン−１−オン−７−スピロ−５’−ビシクロ［２．２．１］−２’−ヘプテン、２，３−（４’’−フェニルベンゾ）シクロヘプテン−１−オン−７−スピロ−５’−ビシクロ［２．２．１］−２’−ヘプテン、２，３−（５’’−フェニルベンゾ）シクロヘプテン−１−オン−７−スピロ−５’−ビシクロ［２．２．１］−２’−ヘプテン、２，３−（６’’−フェニルベンゾ）シクロヘプテン−１−オン−７−スピロ−５’−ビシクロ［２．２．１］−２’−ヘプテン、２，３−（３’’−クロロベンゾ）シクロヘプテン−１−オン−７−スピロ−５’−ビシクロ［２．２．１］−２’−ヘプテン、２，３−（４’’−クロロベンゾ）シクロヘプテン−１−オン−７−スピロ−５’−ビシクロ［２．２．１］−２’−ヘプテン、２，３−（４’’−クロロベンゾ）シクロヘプテン−１−オン−７−スピロ−５’−ビシクロ［２．２．１］−２’−ヘプテン、２，３−（４’’−クロロベンゾ）シクロヘプテン−１−オン−７−スピロ−５’−ビシクロ［２．２．１］−２’−ヘプテン、２，３−（５’’−クロロベンゾ）シクロヘプテン−１−オン−７−スピロ−５’−ビシクロ［２．２．１］−２’−ヘプテン、２，３−（６’’−クロロベンゾ）シクロヘプテン−１−オン−７−スピロ−５’−ビシクロ［２．２．１］−２’−ヘプテン、２，３−（３’’−アミノベンゾ）シクロヘプテン−１−オン−７−スピロ−５’−ビシクロ［２．２．１］−２’−ヘプテン、２，３−（４’’−アミノベンゾ）シクロヘプテン−１−オン−７−スピロ−５’−ビシクロ［２．２．１］−２’−ヘプテン、２，３−（５’’−アミノベンゾ）シクロヘプテン−１−オン−７−スピロ−５’−ビシクロ［２．２．１］−２’−ヘプテン、２，３−（６’’−アミノベンゾ）シクロヘプテン−１−オン−７−スピロ−５’−ビシクロ［２．２．１］−２’−ヘプテン、２，３−（３’’−メトキシベンゾ）シクロヘプテン−１−オン−７−スピロ−５‘−ビシクロ［２．２．１］−２’−ヘプテン、２，３−（４’’−メトキシベンゾ）シクロヘプテン−１−オン−７−スピロ−５’−ビシクロ［２．２．１］−２’−ヘプテン、２，３−（５’’−メトキシベンゾ）シクロヘプテン−１−オン−７−スピロ−５’−ビシクロ［２．２．１］−２’−ヘプテン、２，３−（６’’−メトキシベンゾ）シクロヘプテン−１−オン−７−スピロ−５’−ビシクロ［２．２．１］−２’−ヘプテン、３，４−ベンゾシクロヘプテン−１−オン−２−スピロ−５’−ビシクロ［２．２．１］−２’−ヘプテン、３，４−（３’’−メチルベンゾ）シクロヘプテン−１−オン−２−スピロ−５’−ビシクロ［２．２．１］−２’−ヘプテン、３，４−（４’’−メチルベンゾ）シクロヘプテン−１−オン−２−スピロ−５’−ビシクロ［２．２．１］−２’−ヘプテン、３，４−（５’’−メチルベンゾ）シクロヘプテン−１−オン−２−スピロ−５’−ビシクロ［２．２．１］−２’−ヘプテン、３，４−（６’’−メチルベンゾ）シクロヘプテン−１−オン−２−スピロ−５’−ビシクロ［２．２．１］−２’−ヘプテン、３，４−（３’’−エチルベンゾ）シクロヘプテン−１−オン−２−スピロ−５’−ビシクロ［２．２．１］−２’−ヘプテン、３，４−（４’’−エチルベンゾ）シクロヘプテン−１−オン−２−スピロ−５’−ビシクロ［２．２．１］−２’−ヘプテン、３，４−（５’’−エチルベンゾ）シクロヘプテン−１−オン−２−スピロ−５’−ビシクロ［２．２．１］−２’−ヘプテン、３，４−（６’’−エチルベンゾ）シクロヘプテン−１−オン−２−スピロ−５’−ビシクロ［２．２．１］−２’−ヘプテン、３，４−（３’’−ｎ−プロピルベンゾ）シクロヘプテン−１−オン−２−スピロ−５’−ビシクロ［２．２．１］−２’−ヘプテン、３，４−（４’’−ｎ−プロピルベンゾ）シクロヘプテン−１−オン−２−スピロ−５’−ビシクロ［２．２．１］−２’−ヘプテン、３，４−（５’’−ｎ−プロピルベンゾ）シクロヘプテン−１−オン−２−スピロ−５’−ビシクロ［２．２．１］−２’−ヘプテン、３，４−（６’’−ｎ−プロピルベンゾ）シクロヘプテン−１−オン−２−スピロ−５’−ビシクロ［２．２．１］−２’−ヘプテン、３，４−（３’’−ｉｓｏ−プロピルベンゾ）シクロヘプテン−１−オン−２−スピロ−５’−ビシクロ［２．２．１］−２’−ヘプテン、３，４−（４’’−ｉｓｏ−プロピルベンゾ）シクロヘプテン−１−オン−２−スピロ−５’−ビシクロ［２．２．１］−２’−ヘプテン、３，４−（５’’−ｉｓｏ−プロピルベンゾ）シクロヘプテン−１−オン−２−スピロ−５’−ビシクロ［２．２．１］−２’−ヘプテン、３，４−（６’’−ｉｓｏ−プロピルベンゾ）シクロヘプテン−１−オン−２−スピロ−５’−ビシクロ［２．２．１］−２’−ヘプテン、３，４−（３’’−ｎ−ブチルベンゾ）シクロヘプテン−１−オン−２−スピロ−５’−ビシクロ［２．２．１］−２’−ヘプテン、３，４−（４’’−ｎ−ブチルベンゾ）シクロヘプテン−１−オン−２−スピロ−５’−ビシクロ［２．２．１］−２’−ヘプテン、３，４−（５’’−ｎ−ブチルベンゾ）シクロヘプテン−１−オン−２−スピロ−５’−ビシクロ［２．２．１］−２’−ヘプテン、３，４−（６’’−ｎ−ブチルベンゾ）シクロヘプテン−１−オン−２−スピロ−５’−ビシクロ［２．２．１］−２’−ヘプテン、３，４−（３’’−ｉｓｏ−ブチルベンゾ）シクロヘプテン−１−オン−２−スピロ−５’−ビシクロ［２．２．１］−２’−ヘプテン、３，４−（４’’−ｉｓｏ−ブチルベンゾ）シクロヘプテン−１−オン−２−スピロ−５’−ビシクロ［２．２．１］−２’−ヘプテン、３，４−（５’’−ｉｓｏ−ブチルベンゾ）シクロヘプテン−１−オン−２−スピロ−５’−ビシクロ［２．２．１］−２’−ヘプテン、３，４−（６’’−ｉｓｏ−ブチルベンゾ）シクロヘプテン−１−オン−２−スピロ−５’−ビシクロ［２．２．１］−２’−ヘプテン、３，４−（３’’−ｓｅｃ−ブチルベンゾ）シクロヘプテン−１−オン−２−スピロ−５’−ビシクロ［２．２．１］−２’−ヘプテン、３，４−（４’’−ｓｅｃ−ブチルベンゾ）シクロヘプテン−１−オン−２−スピロ−５’−ビシクロ［２．２．１］−２’−ヘプテン、３，４−（５’’−ｓｅｃ−ブチルベンゾ）シクロヘプテン−１−オン−２−スピロ−５’−ビシクロ［２．２．１］−２’−ヘプテン、３，４−（６’’−ｓｅｃ−ブチルベンゾ）シクロヘプテン−１−オン−２−スピロ−５’−ビシクロ［２．２．１］−２’−ヘプテン、３，４−（３’’−ｔ−ブチルベンゾ）シクロヘプテン−１−オン−２−スピロ−５’−ビシクロ［２．２．１］−２’−ヘプテン、３，４−（４’’−ｔ−ブチルベンゾ）シクロヘプテン−１−オン−２−スピロ−５’−ビシクロ［２．２．１］−２’−ヘプテン、３，４−（５’’−ｔ−ブチルベンゾ）シクロヘプテン−１−オン−２−スピロ−５’−ビシクロ［２．２．１］−２’−ヘプテン、３，４−（６’’−ｔ−ブチルベンゾ）シクロヘプテン−１−オン−２−スピロ−５’−ビシクロ［２．２．１］−２’−ヘプテン、３，４−（３’’−シクロヘキシルベンゾ）シクロヘプテン−１−オン−２−スピロ−５‘−ビシクロ［２．２．１］−２’−ヘプテン、３，４−（４’’−シクロヘキシルベンゾ）シクロヘプテン−１−オン−２−スピロ−５’−ビシクロ［２．２．１］−２’−ヘプテン、３，４−（５’’−シクロヘキシルベンゾ）シクロヘプテン−１−オン−２−スピロ−５’−ビシクロ［２．２．１］−２’−ヘプテン、３，４−（６’’−シクロヘキシルベンゾ）シクロヘプテン−１−オン−２−スピロ−５’−ビシクロ［
２．２．１］−２’−ヘプテン、３，４−（３’’−フェニルベンゾ）シクロヘプテン−１−オン−２−スピロ−５’−ビシクロ［２．２．１］−２’−ヘプテン、３，４−（４’’−フェニルベンゾ）シクロヘプテン−１−オン−２−スピロ−５’−ビシクロ［２．２．１］−２’−ヘプテン、３，４−（５’’−フェニルベンゾ）シクロヘプテン−１−オン−２−スピロ−５’−ビシクロ［２．２．１］−２’−ヘプテン、３，４−（６’’−フェニルベンゾ）シクロヘプテン−１−オン−２−スピロ−５’−ビシクロ［２．２．１］−２’−ヘプテン、３，４−（３’’−クロロベンゾ）シクロヘプテン−１−オン−２−スピロ−５’−ビシクロ［２．２．１］−２’−ヘプテン、３，４−（４’’−クロロベンゾ）シクロヘプテン−１−オン−２−スピロ−５’−ビシクロ［２．２．１］−２’−ヘプテン、３，４−（４’’−クロロベンゾ）シクロヘプテン−１−オン−２−スピロ−５’−ビシクロ［２．２．１］−２’−ヘプテン、３，４−（４’’−クロロベンゾ）シクロヘプテン−１−オン−２−スピロ−５’−ビシクロ［２．２．１］−２’−ヘプテン、３，４−（５’’−クロロベンゾ）シクロヘプテン−１−オン−２−スピロ−５’−ビシクロ［２．２．１］−２’−ヘプテン、３，４−（６’’−クロロベンゾ）シクロヘプテン−１−オン−２−スピロ−５’−ビシクロ［２．２．１］−２’−ヘプテン、３，４−（３’’−アミノベンゾ）シクロヘプテン−１−オン−２−スピロ−５’−ビシクロ［２．２．１］−２’−ヘプテン、３，４−（４’’−アミノベンゾ）シクロヘプテン−１−オン−２−スピロ−５’−ビシクロ［２．２．１］−２’−ヘプテン、３，４−（５’’−アミノベンゾ）シクロヘプテン−１−オン−２−スピロ−５’−ビシクロ［２．２．１］−２’−ヘプテン、３，４−（６’’−アミノベンゾ）シクロヘプテン−１−オン−２−スピロ−５’−ビシクロ［２．２．１］−２’−ヘプテン、３，４−（３’’−メトキシベンゾ）シクロヘプテン−１−オン−２−スピロ−５‘−ビシクロ［２．２．１］−２’−ヘプテン、３，４−（４’’−メトキシベンゾ）シクロヘプテン−１−オン−２−スピロ−５’−ビシクロ［２．２．１］−２’−ヘプテン、３，４−（５’’−メトキシベンゾ）シクロヘプテン−１−オン−２−スピロ−５’−ビシクロ［２．２．１］−２’−ヘプテン、３，４−（６’’−メトキシベンゾ）シクロヘプテン−１−オン−２−スピロ−５’−ビシクロ［２．２．１］−２’−ヘプテン、３，４−ベンゾシクロヘプテン−１−オン−５−スピロ−５’−ビシクロ［２．２．１］−２’−ヘプテン、３，４−（３’’−メチルベンゾ）シクロヘプテン−１−オン−５−スピロ−５’−ビシクロ［２．２．１］−２’−ヘプテン、３，４−（４’’−メチルベンゾ）シクロヘプテン−１−オン−５−スピロ−５’−ビシクロ［２．２．１］−２’−ヘプテン、３，４−（５’’−メチルベンゾ）シクロヘプテン−１−オン−５−スピロ−５’−ビシクロ［２．２．１］−２’−ヘプテン、３，４−（６’’−メチルベンゾ）シクロヘプテン−１−オン−５−スピロ−５’−ビシクロ［２．２．１］−２’−ヘプテン、３，４−（３’’−エチルベンゾ）シクロヘプテン−１−オン−５−スピロ−５’−ビシクロ［２．２．１］−２’−ヘプテン、３，４−（４’’−エチルベンゾ）シクロヘプテン−１−オン−５−スピロ−５’−ビシクロ［２．２．１］−２’−ヘプテン、３，４−（５’’−エチルベンゾ）シクロヘプテン−１−オン−５−スピロ−５’−ビシクロ［２．２．１］−２’−ヘプテン、３，４−（６’’−エチルベンゾ）シクロヘプテン−１−オン−５−スピロ−５’−ビシクロ［２．２．１］−２’−ヘプテン、３，４−（３’’−ｎ−プロピルベンゾ）シクロヘプテン−１−オン−５−スピロ−５’−ビシクロ［２．２．１］−２’−ヘプテン、３，４−（４’’−ｎ−プロピルベンゾ）シクロヘプテン−１−オン−５−スピロ−５’−ビシクロ［２．２．１］−２’−ヘプテン、３，４−（５’’−ｎ−プロピルベンゾ）シクロヘプテン−１−オン−５−スピロ−５’−ビシクロ［２．２．１］−２’−ヘプテン、３，４−（６’’−ｎ−プロピルベンゾ）シクロヘプテン−１−オン−５−スピロ−５’−ビシクロ［２．２．１］−２’−ヘプテン、３，４−（３’’−ｉｓｏ−プロピルベンゾ）シクロヘプテン−１−オン−５−スピロ−５’−ビシクロ［２．２．１］−２’−ヘプテン、３，４−（４’’−ｉｓｏ−プロピルベンゾ）シクロヘプテン−１−オン−５−スピロ−５’−ビシクロ［２．２．１］−２’−ヘプテン、３，４−（５’’−ｉｓｏ−プロピルベンゾ）シクロヘプテン−１−オン−５−スピロ−５’−ビシクロ［２．２．１］−２’−ヘプテン、３，４−（６’’−ｉｓｏ−プロピルベンゾ）シクロヘプテン−１−オン−５−スピロ−５’−ビシクロ［２．２．１］−２’−ヘプテン、３，４−（３’’−ｎ−ブチルベンゾ）シクロヘプテン−１−オン−５−スピロ−５’−ビシクロ［２．２．１］−２’−ヘプテン、３，４−（４’’−ｎ−ブチルベンゾ）シクロヘプテン−１−オン−５−スピロ−５’−ビシクロ［２．２．１］−２’−ヘプテン、３，４−（５’’−ｎ−ブチルベンゾ）シクロヘプテン−１−オン−５−スピロ−５’−ビシクロ［２．２．１］−２’−ヘプテン、３，４−（６’’−ｎ−ブチルベンゾ）シクロヘプテン−１−オン−５−スピロ−５’−ビシクロ［２．２．１］−２’−ヘプテン、３，４−（３’’−ｉｓｏ−ブチルベンゾ）シクロヘプテン−１−オン−５−スピロ−５’−ビシクロ［２．２．１］−２’−ヘプテン、３，４−（４’’−ｉｓｏ−ブチルベンゾ）シクロヘプテン−１−オン−５−スピロ−５’−ビシクロ［２．２．１］−２’−ヘプテン、３，４−（５’’−ｉｓｏ−ブチルベンゾ）シクロヘプテン−１−オン−５−スピロ−５’−ビシクロ［２．２．１］−２’−ヘプテン、３，４−（６’’−ｉｓｏ−ブチルベンゾ）シクロヘプテン−１−オン−５−スピロ−５’−ビシクロ［２．２．１］−２’−ヘプテン、３，４−（３’’−ｓｅｃ−ブチルベンゾ）シクロヘプテン−１−オン−５−スピロ−５’−ビシクロ［２．２．１］−２’−ヘプテン、３，４−（４’’−ｓｅｃ−ブチルベンゾ）シクロヘプテン−１−オン−５−スピロ−５’−ビシクロ［２．２．１］−２’−ヘプテン、３，４−（５’’−ｓｅｃ−ブチルベンゾ）シクロヘプテン−１−オン−５−スピロ−５’−ビシクロ［２．２．１］−２’−ヘプテン、３，４−（６’’−ｓｅｃ−ブチルベンゾ）シクロヘプテン−１−オン−５−スピロ−５’−ビシクロ［２．２．１］−２’−ヘプテン、３，４−（３’’−ｔ−ブチルベンゾ）シクロヘプテン−１−オン−５−スピロ−５’−ビシクロ［２．２．１］−２’−ヘプテン、３，４−（４’’−ｔ−ブチルベンゾ）シクロヘプテン−１−オン−５−スピロ−５’−ビシクロ［２．２．１］−２’−ヘプテン、３，４−（５’’−ｔ−ブチルベンゾ）シクロヘプテン−１−オン−５−スピロ−５’−ビシクロ［２．２．１］−２’−ヘプテン、３，４−（６’’−ｔ−ブチルベンゾ）シクロヘプテン−１−オン−５−スピロ−５’−ビシクロ［２．２．１］−２’−ヘプテン、３，４−（３’’−シクロヘキシルベンゾ）シクロヘプテン−１−オン−５−スピロ−５‘−ビシクロ［２．２．１］−２’−ヘプテン、３，４−（４’’−シクロヘキシルベンゾ）シクロヘプテン−１−オン−５−スピロ−５’−ビシクロ［２．２．１］−２’−ヘプテン、３，４−（５’’−シクロヘキシルベンゾ）シクロヘプテン−１−オン−５−スピロ−５’−ビシクロ［２．２．１］−２’−ヘプテン、３，４−（６’’−シクロヘキシルベンゾ）シクロヘプテン−１−オン−５−スピロ−５’−ビシクロ［２．２．１］−２’−ヘプテン、３，４−（３’’−フェニルベンゾ）シクロヘプテン−１−オン−５−スピロ−５’−ビシクロ［２．２．１］−２’−ヘプテン、３，４−（４’’−フェニルベンゾ）シクロヘプテン−１−オン−５−スピロ−５’−ビシクロ［２．２．１］−２’−ヘプテン、３，４−（５’’−フェニルベンゾ）シクロヘプテン−１−オン−５−スピロ−５’−ビシクロ［２．２．１］−２’−ヘプテン、３，４−（６’’−フェニルベンゾ）シクロヘプテン−１−オン−５−スピロ−５’−ビシクロ［２．２．１］−２’−ヘプテン、３，４−（３’’−クロロベンゾ）シクロヘプテン−１−オン−５−スピロ−５’−ビシクロ［２．２．１］−２’−ヘプテン、３，４−（４’’−クロロベンゾ）シクロヘプテン−１−オン−５−スピロ−５’−ビシクロ［２．２．１］−２’−ヘプテン、３，４−（４’’−クロロベンゾ）シクロヘプテン−１−オン−５−スピロ−５’−ビシクロ［２．２．１］−２’−ヘプテン、３，４−（４’’−クロロベンゾ）シクロヘプテン−１−オン−５−スピロ−５’−ビシクロ［２．２．１］−２’−ヘプテン、３，４−（５’’−クロロベンゾ）シクロヘプテン−１−オン−５−スピロ−５’−ビシクロ［２．２．１］−２’−ヘプテン、３，４−（６’’−クロロベンゾ）シクロヘプテン−１−オン−５−スピロ−５’−ビシクロ［２．２．１］−２’−ヘプテン、３，４−（３’’−アミノベンゾ）シクロヘプテン−１−オン−５−スピロ−５’−ビシクロ［２．２．１］−２’−ヘプテン、３，４−（４’’−アミノベンゾ）シクロヘプテン−１−オン−５−スピロ−５’−ビシクロ［２．２．１］−２’−ヘプテン、３，４−（５’’−アミノベンゾ）シクロヘプテン−１−オン−５−スピロ−５’−ビシクロ［２．２．１］−２’−ヘプテン、３，４−（６’’−アミノベンゾ）シクロヘプテン−１−オン−５−スピロ−５’−ビシクロ［２．２．１］−２’−ヘプテン、３，４−（３’’−メトキシベンゾ）シクロヘプテン−１−オン−５−スピロ−５‘−ビシクロ［２．２．１］−２’−ヘプテン、３，４−（４’’−メトキシベンゾ）シクロヘプテン−１−オン−５−スピロ−５’−ビシクロ［２．２．１］−２’−ヘプテン、３，４−（５’’−メトキシベンゾ）シクロヘプテン−１−オン−５−スピロ−５’−ビシクロ［２．２．１］−２’−ヘプテン、３，４−（６’’−メトキシベンゾ）シクロヘプテン−１−オン−５−スピロ−５’−ビシクロ［２．２．１］−２’−ヘプテン、３，４−ベンゾシクロヘプテン−１−オン−６−スピロ−５’−ビシクロ［２．２．１］−２’−ヘプテン、３，４−（３’’−メチルベンゾ）シクロヘプテン−１−オン−６−スピロ−５’−ビシクロ［２．２．１］−２’−ヘプテン、３，４−（４’’−メチルベンゾ）シクロヘプテン−１−オン−６−スピロ−５’−ビシクロ［２．２．１］−２’−ヘプテン、３，４−（５’’−メチルベンゾ）シクロヘプテン−１−オン−６−スピロ−５’−ビシクロ［２．２．１］−２’−ヘプテン、３，４−（６’’−メチルベンゾ）シクロヘプテン−１−オン−６−スピロ−５’−ビシクロ［２．２．１］−２’−ヘプテン、３，４−（３’’−エチルベンゾ）シクロヘプテン−１−オン−６−スピロ−５’−ビシクロ［２．２．１］−２’−ヘプテン、３，４−（４’’−エチルベンゾ）シクロヘプテン−１−オン−６−スピロ−５’−ビシクロ［２．２．１］−２’−ヘプテン、３，４−（５’’−エチルベンゾ）シクロヘプテン−１−オン−６−スピロ−５’−ビシクロ［２．２．１］−２’−ヘプテン、３，４−（６’’−エチルベンゾ）シクロヘプテン−１−オン−６−スピロ−５’−ビシクロ［２．２．１］−２’−ヘプテン、３，４−（３’’−ｎ−プロピルベンゾ）シクロヘプテン−１−オン−６−スピロ−５’−ビシクロ［２．２．１］−２’−ヘプテン、３，４−（４’’−ｎ−プロピルベンゾ）シクロヘプテン−１−オン−６−スピロ−５’−ビシクロ［２．２．１］−２’−ヘプテン、３，４−（５’’−ｎ−プロピルベンゾ）シクロヘプテン−１−オン−６−スピロ−５’−ビシクロ［２．２．１］−２’−ヘプテン、３，４−（６’’−ｎ−プロピルベンゾ）シクロヘプテン−１−オン−６−スピロ−５’−ビシクロ［２．２．１］−２’−ヘプテン、３，４−（３’’−ｉｓｏ
−プロピルベンゾ）シクロヘプテン−１−オン−６−スピロ−５’−ビシクロ［２．２．１］−２’−ヘプテン、３，４−（４’’−ｉｓｏ−プロピルベンゾ）シクロヘプテン−１−オン−６−スピロ−５’−ビシクロ［２．２．１］−２’−ヘプテン、３，４−（５’’−ｉｓｏ−プロピルベンゾ）シクロヘプテン−１−オン−６−スピロ−５’−ビシクロ［２．２．１］−２’−ヘプテン、３，４−（６’’−ｉｓｏ−プロピルベンゾ）シクロヘプテン−１−オン−６−スピロ−５’−ビシクロ［２．２．１］−２’−ヘプテン、３，４−（３’’−ｎ−ブチルベンゾ）シクロヘプテン−１−オン−６−スピロ−５’−ビシクロ［２．２．１］−２’−ヘプテン、３，４−（４’’−ｎ−ブチルベンゾ）シクロヘプテン−１−オン−６−スピロ−５’−ビシクロ［２．２．１］−２’−ヘプテン、３，４−（５’’−ｎ−ブチルベンゾ）シクロヘプテン−１−オン−６−スピロ−５’−ビシクロ［２．２．１］−２’−ヘプテン、３，４−（６’’−ｎ−ブチルベンゾ）シクロヘプテン−１−オン−６−スピロ−５’−ビシクロ［２．２．１］−２’−ヘプテン、３，４−（３’’−ｉｓｏ−ブチルベンゾ）シクロヘプテン−１−オン−６−スピロ−５’−ビシクロ［２．２．１］−２’−ヘプテン、３，４−（４’’−ｉｓｏ−ブチルベンゾ）シクロヘプテン−１−オン−６−スピロ−５’−ビシクロ［２．２．１］−２’−ヘプテン、３，４−（５’’−ｉｓｏ−ブチルベンゾ）シクロヘプテン−１−オン−６−スピロ−５’−ビシクロ［２．２．１］−２’−ヘプテン、３，４−（６’’−ｉｓｏ−ブチルベンゾ）シクロヘプテン−１−オン−６−スピロ−５’−ビシクロ［２．２．１］−２’−ヘプテン、３，４−（３’’−ｓｅｃ−ブチルベンゾ）シクロヘプテン−１−オン−６−スピロ−５’−ビシクロ［２．２．１］−２’−ヘプテン、３，４−（４’’−ｓｅｃ−ブチルベンゾ）シクロヘプテン−１−オン−６−スピロ−５’−ビシクロ［２．２．１］−２’−ヘプテン、３，４−（５’’−ｓｅｃ−ブチルベンゾ）シクロヘプテン−１−オン−６−スピロ−５’−ビシクロ［２．２．１］−２’−ヘプテン、３，４−（６’’−ｓｅｃ−ブチルベンゾ）シクロヘプテン−１−オン−６−スピロ−５’−ビシクロ［２．２．１］−２’−ヘプテン、３，４−（３’’−ｔ−ブチルベンゾ）シクロヘプテン−１−オン−６−スピロ−５’−ビシクロ［２．２．１］−２’−ヘプテン、３，４−（４’’−ｔ−ブチルベンゾ）シクロヘプテン−１−オン−６−スピロ−５’−ビシクロ［２．２．１］−２’−ヘプテン、３，４−（５’’−ｔ−ブチルベンゾ）シクロヘプテン−１−オン−６−スピロ−５’−ビシクロ［２．２．１］−２’−ヘプテン、３，４−（６’’−ｔ−ブチルベンゾ）シクロヘプテン−１−オン−６−スピロ−５’−ビシクロ［２．２．１］−２’−ヘプテン、３，４−（３’’−シクロヘキシルベンゾ）シクロヘプテン−１−オン−６−スピロ−５‘−ビシクロ［２．２．１］−２’−ヘプテン、３，４−（４’’−シクロヘキシルベンゾ）シクロヘプテン−１−オン−６−スピロ−５’−ビシクロ［２．２．１］−２’−ヘプテン、３，４−（５’’−シクロヘキシルベンゾ）シクロヘプテン−１−オン−６−スピロ−５’−ビシクロ［２．２．１］−２’−ヘプテン、３，４−（６’’−シクロヘキシルベンゾ）シクロヘプテン−１−オン−６−スピロ−５’−ビシクロ［２．２．１］−２’−ヘプテン、３，４−（３’’−フェニルベンゾ）シクロヘプテン−１−オン−６−スピロ−５’−ビシクロ［２．２．１］−２’−ヘプテン、３，４−（４’’−フェニルベンゾ）シクロヘプテン−１−オン−６−スピロ−５’−ビシクロ［２．２．１］−２’−ヘプテン、３，４−（５’’−フェニルベンゾ）シクロヘプテン−１−オン−６−スピロ−５’−ビシクロ［２．２．１］−２’−ヘプテン、３，４−（６’’−フェニルベンゾ）シクロヘプテン−１−オン−６−スピロ−５’−ビシクロ［２．２．１］−２’−ヘプテン、３，４−（３’’−クロロベンゾ）シクロヘプテン−１−オン−６−スピロ−５’−ビシクロ［２．２．１］−２’−ヘプテン、３，４−（４’’−クロロベンゾ）シクロヘプテン−１−オン−６−スピロ−５’−ビシクロ［２．２．１］−２’−ヘプテン、３，４−（４’’−クロロベンゾ）シクロヘプテン−１−オン−６−スピロ−５’−ビシクロ［２．２．１］−２’−ヘプテン、３，４−（４’’−クロロベンゾ）シクロヘプテン−１−オン−６−スピロ−５’−ビシクロ［２．２．１］−２’−ヘプテン、３，４−（５’’−クロロベンゾ）シクロヘプテン−１−オン−６−スピロ−５’−ビシクロ［２．２．１］−２’−ヘプテン、３，４−（６’’−クロロベンゾ）シクロヘプテン−１−オン−６−スピロ−５’−ビシクロ［２．２．１］−２’−ヘプテン、３，４−（３’’−アミノベンゾ）シクロヘプテン−１−オン−６−スピロ−５’−ビシクロ［２．２．１］−２’−ヘプテン、３，４−（４’’−アミノベンゾ）シクロヘプテン−１−オン−６−スピロ−５’−ビシクロ［２．２．１］−２’−ヘプテン、３，４−（５’’−アミノベンゾ）シクロヘプテン−１−オン−６−スピロ−５’−ビシクロ［２．２．１］−２’−ヘプテン、３，４−（６’’−アミノベンゾ）シクロヘプテン−１−オン−６−スピロ−５’−ビシクロ［２．２．１］−２’−ヘプテン、３，４−（３’’−メトキシベンゾ）シクロヘプテン−１−オン−６−スピロ−５‘−ビシクロ［２．２．１］−２’−ヘプテン、３，４−（４’’−メトキシベンゾ）シクロヘプテン−１−オン−６−スピロ−５’−ビシクロ［２．２．１］−２’−ヘプテン、３，４−（５’’−メトキシベンゾ）シクロヘプテン−１−オン−６−スピロ−５’−ビシクロ［２．２．１］−２’−ヘプテン、３，４−（６’’−メトキシベンゾ）シクロヘプテン−１−オン−６−スピロ−５’−ビシクロ［２．２．１］−２’−ヘプテン、３，４−ベンゾシクロヘプテン−１−オン−７−スピロ−５’−ビシクロ［２．２．１］−２’−ヘプテン、３，４−（３’’−メチルベンゾ）シクロヘプテン−１−オン−７−スピロ−５’−ビシクロ［２．２．１］−２’−ヘプテン、３，４−（４’’−メチルベンゾ）シクロヘプテン−１−オン−７−スピロ−５’−ビシクロ［２．２．１］−２’−ヘプテン、３，４−（５’’−メチルベンゾ）シクロヘプテン−１−オン−７−スピロ−５’−ビシクロ［２．２．１］−２’−ヘプテン、３，４−（６’’−メチルベンゾ）シクロヘプテン−１−オン−７−スピロ−５’−ビシクロ［２．２．１］−２’−ヘプテン、３，４−（３’’−エチルベンゾ）シクロヘプテン−１−オン−７−スピロ−５’−ビシクロ［２．２．１］−２’−ヘプテン、３，４−（４’’−エチルベンゾ）シクロヘプテン−１−オン−７−スピロ−５’−ビシクロ［２．２．１］−２’−ヘプテン、３，４−（５’’−エチルベンゾ）シクロヘプテン−１−オン−７−スピロ−５’−ビシクロ［２．２．１］−２’−ヘプテン、３，４−（６’’−エチルベンゾ）シクロヘプテン−１−オン−７−スピロ−５’−ビシクロ［２．２．１］−２’−ヘプテン、３，４−（３’’−ｎ−プロピルベンゾ）シクロヘプテン−１−オン−７−スピロ−５’−ビシクロ［２．２．１］−２’−ヘプテン、３，４−（４’’−ｎ−プロピルベンゾ）シクロヘプテン−１−オン−７−スピロ−５’−ビシクロ［２．２．１］−２’−ヘプテン、３，４−（５’’−ｎ−プロピルベンゾ）シクロヘプテン−１−オン−７−スピロ−５’−ビシクロ［２．２．１］−２’−ヘプテン、３，４−（６’’−ｎ−プロピルベンゾ）シクロヘプテン−１−オン−７−スピロ−５’−ビシクロ［２．２．１］−２’−ヘプテン、３，４−（３’’−ｉｓｏ−プロピルベンゾ）シクロヘプテン−１−オン−７−スピロ−５’−ビシクロ［２．２．１］−２’−ヘプテン、３，４−（４’’−ｉｓｏ−プロピルベンゾ）シクロヘプテン−１−オン−７−スピロ−５’−ビシクロ［２．２．１］−２’−ヘプテン、３，４−（５’’−ｉｓｏ−プロピルベンゾ）シクロヘプテン−１−オン−７−スピロ−５’−ビシクロ［２．２．１］−２’−ヘプテン、３，４−（６’’−ｉｓｏ−プロピルベンゾ）シクロヘプテン−１−オン−７−スピロ−５’−ビシクロ［２．２．１］−２’−ヘプテン、３，４−（３’’−ｎ−ブチルベンゾ）シクロヘプテン−１−オン−７−スピロ−５’−ビシクロ［２．２．１］−２’−ヘプテン、３，４−（４’’−ｎ−ブチルベンゾ）シクロヘプテン−１−オン−７−スピロ−５’−ビシクロ［２．２．１］−２’−ヘプテン、３，４−（５’’−ｎ−ブチルベンゾ）シクロヘプテン−１−オン−７−スピロ−５’−ビシクロ［２．２．１］−２’−ヘプテン、３，４−（６’’−ｎ−ブチルベンゾ）シクロヘプテン−１−オン−７−スピロ−５’−ビシクロ［２．２．１］−２’−ヘプテン、３，４−（３’’−ｉｓｏ−ブチルベンゾ）シクロヘプテン−１−オン−７−スピロ−５’−ビシクロ［２．２．１］−２’−ヘプテン、３，４−（４’’−ｉｓｏ−ブチルベンゾ）シクロヘプテン−１−オン−７−スピロ−５’−ビシクロ［２．２．１］−２’−ヘプテン、３，４−（５’’−ｉｓｏ−ブチルベンゾ）シクロヘプテン−１−オン−７−スピロ−５’−ビシクロ［２．２．１］−２’−ヘプテン、３，４−（６’’−ｉｓｏ−ブチルベンゾ）シクロヘプテン−１−オン−７−スピロ−５’−ビシクロ［２．２．１］−２’−ヘプテン、３，４−（３’’−ｓｅｃ−ブチルベンゾ）シクロヘプテン−１−オン−７−スピロ−５’−ビシクロ［２．２．１］−２’−ヘプテン、３，４−（４’’−ｓｅｃ−ブチルベンゾ）シクロヘプテン−１−オン−７−スピロ−５’−ビシクロ［２．２．１］−２’−ヘプテン、３，４−（５’’−ｓｅｃ−ブチルベンゾ）シクロヘプテン−１−オン−７−スピロ−５’−ビシクロ［２．２．１］−２’−ヘプテン、３，４−（６’’−ｓｅｃ−ブチルベンゾ）シクロヘプテン−１−オン−７−スピロ−５’−ビシクロ［２．２．１］−２’−ヘプテン、３，４−（３’’−ｔ−ブチルベンゾ）シクロヘプテン−１−オン−７−スピロ−５’−ビシクロ［２．２．１］−２’−ヘプテン、３，４−（４’’−ｔ−ブチルベンゾ）シクロヘプテン−１−オン−７−スピロ−５’−ビシクロ［２．２．１］−２’−ヘプテン、３，４−（５’’−ｔ−ブチルベンゾ）シクロヘプテン−１−オン−７−スピロ−５’−ビシクロ［２．２．１］−２’−ヘプテン、３，４−（６’’−ｔ−ブチルベンゾ）シクロヘプテン−１−オン−７−スピロ−５’−ビシクロ［２．２．１］−２’−ヘプテン、３，４−（３’’−シクロヘキシルベンゾ）シクロヘプテン−１−オン−７−スピロ−５‘−ビシクロ［２．２．１］−２’−ヘプテン、３，４−（４’’−シクロヘキシルベンゾ）シクロヘプテン−１−オン−７−スピロ−５’−ビシクロ［２．２．１］−２’−ヘプテン、３，４−（５’’−シクロヘキシルベンゾ）シクロヘプテン−１−オン−７−スピロ−５’−ビシクロ［２．２．１］−２’−ヘプテン、３，４−（６’’−シクロヘキシルベンゾ）シクロヘプテン−１−オン−７−スピロ−５’−ビシクロ［２．２．１］−２’−ヘプテン、３，４−（３’’−フェニルベンゾ）シクロヘプテン−１−オン−７−スピロ−５’−ビシクロ［２．２．１］−２’−ヘプテン、３，４−（４’’−フェニルベンゾ）シクロヘプテン−１−オン−７−スピロ−５’−ビシクロ［２．２．１］−２’−ヘプテン、３，４−（５’’−フェニルベンゾ）シクロヘプテン−１−オン−７−スピロ−５’−ビシクロ［２．２．１］−２’−ヘプテン、３，４−（６’’−フェニルベンゾ）シクロヘプテン−１−オン−７−スピロ−５’−ビシクロ［２．２．１］−２’−ヘプテン、３，４−（３’’−クロロベンゾ）シクロヘプテン−１−オン−７−スピロ−５’−ビシクロ［２．２．１］−２’−ヘプテン、３，４−（４’’−クロロベンゾ）シクロヘプテン−１−オン−７−スピロ−５’−ビシクロ［２．２．１］−２’−ヘプテン、３，４−（４’’−クロロベンゾ）シクロヘ
プテン−１−オン−７−スピロ−５’−ビシクロ［２．２．１］−２’−ヘプテン、３，４−（４’’−クロロベンゾ）シクロヘプテン−１−オン−７−スピロ−５’−ビシクロ［２．２．１］−２’−ヘプテン、３，４−（５’’−クロロベンゾ）シクロヘプテン−１−オン−７−スピロ−５’−ビシクロ［２．２．１］−２’−ヘプテン、３，４−（６’’−クロロベンゾ）シクロヘプテン−１−オン−７−スピロ−５’−ビシクロ［２．２．１］−２’−ヘプテン、３，４−（３’’−アミノベンゾ）シクロヘプテン−１−オン−７−スピロ−５’−ビシクロ［２．２．１］−２’−ヘプテン、３，４−（４’’−アミノベンゾ）シクロヘプテン−１−オン−７−スピロ−５’−ビシクロ［２．２．１］−２’−ヘプテン、３，４−（５’’−アミノベンゾ）シクロヘプテン−１−オン−７−スピロ−５’−ビシクロ［２．２．１］−２’−ヘプテン、３，４−（６’’−アミノベンゾ）シクロヘプテン−１−オン−７−スピロ−５’−ビシクロ［２．２．１］−２’−ヘプテン、３，４−（３’’−メトキシベンゾ）シクロヘプテン−１−オン−７−スピロ−５‘−ビシクロ［２．２．１］−２’−ヘプテン、３，４−（４’’−メトキシベンゾ）シクロヘプテン−１−オン−７−スピロ−５’−ビシクロ［２．２．１］−２’−ヘプテン、３，４−（５’’−メトキシベンゾ）シクロヘプテン−１−オン−７−スピロ−５’−ビシクロ［２．２．１］−２’−ヘプテン、３，４−（６’’−メトキシベンゾ）シクロヘプテン−１−オン−７−スピロ−５’−ビシクロ［２．２．１］−２’−ヘプテン
４，５−ベンゾシクロヘプテン−１−オン−２−スピロ−５’−ビシクロ［２．２．１］−２’−ヘプテン、４，５−（３’’−メチルベンゾ）シクロヘプテン−１−オン−２−スピロ−５’−ビシクロ［２．２．１］−２’−ヘプテン、４，５−（４’’−メチルベンゾ）シクロヘプテン−１−オン−２−スピロ−５’−ビシクロ［２．２．１］−２’−ヘプテン、４，５−（５’’−メチルベンゾ）シクロヘプテン−１−オン−２−スピロ−５’−ビシクロ［２．２．１］−２’−ヘプテン、４，５−（６’’−メチルベンゾ）シクロヘプテン−１−オン−２−スピロ−５’−ビシクロ［２．２．１］−２’−ヘプテン、４，５−（３’’−エチルベンゾ）シクロヘプテン−１−オン−２−スピロ−５’−ビシクロ［２．２．１］−２’−ヘプテン、４，５−（４’’−エチルベンゾ）シクロヘプテン−１−オン−２−スピロ−５’−ビシクロ［２．２．１］−２’−ヘプテン、４，５−（５’’−エチルベンゾ）シクロヘプテン−１−オン−２−スピロ−５’−ビシクロ［２．２．１］−２’−ヘプテン、４，５−（６’’−エチルベンゾ）シクロヘプテン−１−オン−２−スピロ−５’−ビシクロ［２．２．１］−２’−ヘプテン、４，５−（３’’−ｎ−プロピルベンゾ）シクロヘプテン−１−オン−２−スピロ−５’−ビシクロ［２．２．１］−２’−ヘプテン、４，５−（４’’−ｎ−プロピルベンゾ）シクロヘプテン−１−オン−２−スピロ−５’−ビシクロ［２．２．１］−２’−ヘプテン、４，５−（５’’−ｎ−プロピルベンゾ）シクロヘプテン−１−オン−２−スピロ−５’−ビシクロ［２．２．１］−２’−ヘプテン、４，５−（６’’−ｎ−プロピルベンゾ）シクロヘプテン−１−オン−２−スピロ−５’−ビシクロ［２．２．１］−２’−ヘプテン、４，５−（３’’−ｉｓｏ−プロピルベンゾ）シクロヘプテン−１−オン−２−スピロ−５’−ビシクロ［２．２．１］−２’−ヘプテン、４，５−（４’’−ｉｓｏ−プロピルベンゾ）シクロヘプテン−１−オン−２−スピロ−５’−ビシクロ［２．２．１］−２’−ヘプテン、４，５−（５’’−ｉｓｏ−プロピルベンゾ）シクロヘプテン−１−オン−２−スピロ−５’−ビシクロ［２．２．１］−２’−ヘプテン、４，５−（６’’−ｉｓｏ−プロピルベンゾ）シクロヘプテン−１−オン−２−スピロ−５’−ビシクロ［２．２．１］−２’−ヘプテン、４，５−（３’’−ｎ−ブチルベンゾ）シクロヘプテン−１−オン−２−スピロ−５’−ビシクロ［２．２．１］−２’−ヘプテン、４，５−（４’’−ｎ−ブチルベンゾ）シクロヘプテン−１−オン−２−スピロ−５’−ビシクロ［２．２．１］−２’−ヘプテン、４，５−（５’’−ｎ−ブチルベンゾ）シクロヘプテン−１−オン−２−スピロ−５’−ビシクロ［２．２．１］−２’−ヘプテン、４，５−（６’’−ｎ−ブチルベンゾ）シクロヘプテン−１−オン−２−スピロ−５’−ビシクロ［２．２．１］−２’−ヘプテン、４，５−（３’’−ｉｓｏ−ブチルベンゾ）シクロヘプテン−１−オン−２−スピロ−５’−ビシクロ［２．２．１］−２’−ヘプテン、４，５−（４’’−ｉｓｏ−ブチルベンゾ）シクロヘプテン−１−オン−２−スピロ−５’−ビシクロ［２．２．１］−２’−ヘプテン、４，５−（５’’−ｉｓｏ−ブチルベンゾ）シクロヘプテン−１−オン−２−スピロ−５’−ビシクロ［２．２．１］−２’−ヘプテン、４，５−（６’’−ｉｓｏ−ブチルベンゾ）シクロヘプテン−１−オン−２−スピロ−５’−ビシクロ［２．２．１］−２’−ヘプテン、４，５−（３’’−ｓｅｃ−ブチルベンゾ）シクロヘプテン−１−オン−２−スピロ−５’−ビシクロ［２．２．１］−２’−ヘプテン、４，５−（４’’−ｓｅｃ−ブチルベンゾ）シクロヘプテン−１−オン−２−スピロ−５’−ビシクロ［２．２．１］−２’−ヘプテン、４，５−（５’’−ｓｅｃ−ブチルベンゾ）シクロヘプテン−１−オン−２−スピロ−５’−ビシクロ［２．２．１］−２’−ヘプテン、４，５−（６’’−ｓｅｃ−ブチルベンゾ）シクロヘプテン−１−オン−２−スピロ−５’−ビシクロ［２．２．１］−２’−ヘプテン、４，５−（３’’−ｔ−ブチルベンゾ）シクロヘプテン−１−オン−２−スピロ−５’−ビシクロ［２．２．１］−２’−ヘプテン、４，５−（４’’−ｔ−ブチルベンゾ）シクロヘプテン−１−オン−２−スピロ−５’−ビシクロ［２．２．１］−２’−ヘプテン、４，５−（５’’−ｔ−ブチルベンゾ）シクロヘプテン−１−オン−２−スピロ−５’−ビシクロ［２．２．１］−２’−ヘプテン、４，５−（６’’−ｔ−ブチルベンゾ）シクロヘプテン−１−オン−２−スピロ−５’−ビシクロ［２．２．１］−２’−ヘプテン、４，５−（３’’−シクロヘキシルベンゾ）シクロヘプテン−１−オン−２−スピロ−５‘−ビシクロ［２．２．１］−２’−ヘプテン、４，５−（４’’−シクロヘキシルベンゾ）シクロヘプテン−１−オン−２−スピロ−５’−ビシクロ［２．２．１］−２’−ヘプテン、４，５−（５’’−シクロヘキシルベンゾ）シクロヘプテン−１−オン−２−スピロ−５’−ビシクロ［２．２．１］−２’−ヘプテン、４，５−（６’’−シクロヘキシルベンゾ）シクロヘプテン−１−オン−２−スピロ−５’−ビシクロ［２．２．１］−２’−ヘプテン、４，５−（３’’−フェニルベンゾ）シクロヘプテン−１−オン−２−スピロ−５’−ビシクロ［２．２．１］−２’−ヘプテン、４，５−（４’’−フェニルベンゾ）シクロヘプテン−１−オン−２−スピロ−５’−ビシクロ［２．２．１］−２’−ヘプテン、４，５−（５’’−フェニルベンゾ）シクロヘプテン−１−オン−２−スピロ−５’−ビシクロ［２．２．１］−２’−ヘプテン、４，５−（６’’−フェニルベンゾ）シクロヘプテン−１−オン−２−スピロ−５’−ビシクロ［２．２．１］−２’−ヘプテン、４，５−（３’’−クロロベンゾ）シクロヘプテン−１−オン−２−スピロ−５’−ビシクロ［２．２．１］−２’−ヘプテン、４，５−（４’’−クロロベンゾ）シクロヘプテン−１−オン−２−スピロ−５’−ビシクロ［２．２．１］−２’−ヘプテン、４，５−（４’’−クロロベンゾ）シクロヘプテン−１−オン−２−スピロ−５’−ビシクロ［２．２．１］−２’−ヘプテン、４，５−（４’’−クロロベンゾ）シクロヘプテン−１−オン−２−スピロ−５’−ビシクロ［２．２．１］−２’−ヘプテン、４，５−（５’’−クロロベンゾ）シクロヘプテン−１−オン−２−スピロ−５’−ビシクロ［２．２．１］−２’−ヘプテン、４，５−（６’’−クロロベンゾ）シクロヘプテン−１−オン−２−スピロ−５’−ビシクロ［２．２．１］−２’−ヘプテン、４，５−（３’’−アミノベンゾ）シクロヘプテン−１−オン−２−スピロ−５’−ビシクロ［２．２．１］−２’−ヘプテン、４，５−（４’’−アミノベンゾ）シクロヘプテン−１−オン−２−スピロ−５’−ビシクロ［２．２．１］−２’−ヘプテン、４，５−（５’’−アミノベンゾ）シクロヘプテン−１−オン−２−スピロ−５’−ビシクロ［２．２．１］−２’−ヘプテン、４，５−（６’’−アミノベンゾ）シクロヘプテン−１−オン−２−スピロ−５’−ビシクロ［２．２．１］−２’−ヘプテン、４，５−（３’’−メトキシベンゾ）シクロヘプテン−１−オン−２−スピロ−５‘−ビシクロ［２．２．１］−２’−ヘプテン、４，５−（４’’−メトキシベンゾ）シクロヘプテン−１−オン−２−スピロ−５’−ビシクロ［２．２．１］−２’−ヘプテン、４，５−（５’’−メトキシベンゾ）シクロヘプテン−１−オン−２−スピロ−５’−ビシクロ［２．２．１］−２’−ヘプテン、４，５−（６’’−メトキシベンゾ）シクロヘプテン−１−オン−２−スピロ−５’−ビシクロ［２．２．１］−２’−ヘプテン、４，５−ベンゾシクロヘプテン−１−オン−３−スピロ−５’−ビシクロ［２．２．１］−２’−ヘプテン、４，５−（３’’−メチルベンゾ）シクロヘプテン−１−オン−３−スピロ−５’−ビシクロ［２．２．１］−２’−ヘプテン、４，５−（４’’−メチルベンゾ）シクロヘプテン−１−オン−３−スピロ−５’−ビシクロ［２．２．１］−２’−ヘプテン、４，５−（５’’−メチルベンゾ）シクロヘプテン−１−オン−３−スピロ−５’−ビシクロ［２．２．１］−２’−ヘプテン、４，５−（６’’−メチルベンゾ）シクロヘプテン−１−オン−２−スピロ−５’−ビシクロ［２．２．１］−２’−ヘプテン、４，５−（３’’−エチルベンゾ）シクロヘプテン−１−オン−３−スピロ−５’−ビシクロ［２．２．１］−２’−ヘプテン、４，５−（４’’−エチルベンゾ）シクロヘプテン−１−オン−３−スピロ−５’−ビシクロ［２．２．１］−２’−ヘプテン、４，５−（５’’−エチルベンゾ）シクロヘプテン−１−オン−３−スピロ−５’−ビシクロ［２．２．１］−２’−ヘプテン、４，５−（６’’−エチルベンゾ）シクロヘプテン−１−オン−３−スピロ−５’−ビシクロ［２．２．１］−２’−ヘプテン、４，５−（３’’−ｎ−プロピルベンゾ）シクロヘプテン−１−オン−３−スピロ−５’−ビシクロ［２．２．１］−２’−ヘプテン、４，５−（４’’−ｎ−プロピルベンゾ）シクロヘプテン−１−オン−３−スピロ−５’−ビシクロ［２．２．１］−２’−ヘプテン、４，５−（５’’−ｎ−プロピルベンゾ）シクロヘプテン−１−オン−３−スピロ−５’−ビシクロ［２．２．１］−２’−ヘプテン、４，５−（６’’−ｎ−プロピルベンゾ）シクロヘプテン−１−オン−３−スピロ−５’−ビシクロ［２．２．１］−２’−ヘプテン、４，５−（３’’−ｉｓｏ−プロピルベンゾ）シクロヘプテン−１−オン−３−スピロ−５’−ビシクロ［２．２．１］−２’−ヘプテン、４，５−（４’’−ｉｓｏ−プロピルベンゾ）シクロヘプテン−１−オン−３−スピロ−５’−ビシクロ［２．２．１］−２’−ヘプテン、４，５−（５’’−ｉｓｏ−プロピルベンゾ）シクロヘプテン−１−オン−３−スピロ−５’−ビシクロ［２．２．１］−２’−ヘプテン、４，５−（６’’−ｉｓｏ−プロピルベンゾ）シクロヘプテン−１−オン−３−スピロ−５’−ビシクロ［２．２．１］−２’−ヘプテン、４，５−（３’’−ｎ−ブチルベンゾ）シクロヘプテン−１−オン−３−スピロ−５’−ビシクロ［２．２．１］−２’−ヘプテン、４，５−（４’’−ｎ−ブチルベンゾ）シクロヘプテン−１−オン−３−スピロ−５’−ビシクロ［２．２．１］−２’−ヘプテン、４，５−（５’’−ｎ−ブチルベンゾ）シクロヘプテン−１−オン−３−スピロ−５’−ビシクロ［２．２．１］−２’−ヘプテン、４，５−（６’’−ｎ−ブチルベンゾ）シクロヘプテン−１−オン−３−スピロ−５’−ビシクロ［２．２．１］−２’−ヘプテン、４，５−（３’’−ｉｓｏ−ブチルベンゾ）シクロヘプテン−１−オン−３−スピロ−５’−ビシクロ［２．２．１］−２’−ヘプテン、４，５−（４’’−ｉｓｏ−ブチルベンゾ）シクロヘプテン−１−オン−３−スピロ−５’−ビシクロ［２．２．１］−２’−ヘプテン、４，５−（５’’−ｉｓｏ−ブチルベンゾ）シクロヘプテン−１−オン−３−スピロ−５’−ビシクロ［２．２．１］−２’−ヘプテン、４，５−（６’’−ｉｓｏ−ブチルベンゾ）シクロヘプテン−１−オン−３−スピロ−５’−ビシクロ［２．２．１］−２’−ヘプテン、４，５−（３’’−ｓｅｃ−ブチルベンゾ）シクロヘプテン−１−オン−３−スピロ−５’−ビシクロ［２．２．１］−２’−ヘプテン、４，５−（４’’−ｓｅｃ−ブチルベンゾ）シクロヘプテン−１−オン−３−スピロ−５’−ビシクロ［２．２．１］−２’−ヘプテン、４，５−（５’’−ｓｅｃ−ブチルベンゾ）シクロヘプテン−１−オン−３−スピロ−５’−ビシクロ［２．２．１］−２’−ヘプテン、４，５−（６’’−ｓｅｃ−ブチルベンゾ）シクロヘプテン−１−オン−３−スピロ−５’−ビシクロ［２．２．１］−２’−ヘプテン、４，５−（３’’−ｔ−ブチルベンゾ）シクロヘプテン−１−オン−３−スピロ−５’−ビシクロ［２．２．１］−２’−ヘプテン、４，５−（４’’−ｔ−ブチルベンゾ）シクロヘプテン−１−オン−
３−スピロ−５’−ビシクロ［２．２．１］−２’−ヘプテン、４，５−（５’’−ｔ−ブチルベンゾ）シクロヘプテン−１−オン−３−スピロ−５’−ビシクロ［２．２．１］−２’−ヘプテン、４，５−（６’’−ｔ−ブチルベンゾ）シクロヘプテン−１−オン−３−スピロ−５’−ビシクロ［２．２．１］−２’−ヘプテン、４，５−（３’’−シクロヘキシルベンゾ）シクロヘプテン−１−オン−３−スピロ−５‘−ビシクロ［２．２．１］−２’−ヘプテン、４，５−（４’’−シクロヘキシルベンゾ）シクロヘプテン−１−オン−３−スピロ−５’−ビシクロ［２．２．１］−２’−ヘプテン、４，５−（５’’−シクロヘキシルベンゾ）シクロヘプテン−１−オン−３−スピロ−５’−ビシクロ［２．２．１］−２’−ヘプテン、４，５−（６’’−シクロヘキシルベンゾ）シクロヘプテン−１−オン−３−スピロ−５’−ビシクロ［２．２．１］−２’−ヘプテン、４，５−（３’’−フェニルベンゾ）シクロヘプテン−１−オン−３−スピロ−５’−ビシクロ［２．２．１］−２’−ヘプテン、４，５−（４’’−フェニルベンゾ）シクロヘプテン−１−オン−３−スピロ−５’−ビシクロ［２．２．１］−２’−ヘプテン、４，５−（５’’−フェニルベンゾ）シクロヘプテン−１−オン−３−スピロ−５’−ビシクロ［２．２．１］−２’−ヘプテン、４，５−（６’’−フェニルベンゾ）シクロヘプテン−１−オン−３−スピロ−５’−ビシクロ［２．２．１］−２’−ヘプテン、４，５−（３’’−クロロベンゾ）シクロヘプテン−１−オン−３−スピロ−５’−ビシクロ［２．２．１］−２’−ヘプテン、４，５−（４’’−クロロベンゾ）シクロヘプテン−１−オン−３−スピロ−５’−ビシクロ［２．２．１］−２’−ヘプテン、４，５−（４’’−クロロベンゾ）シクロヘプテン−１−オン−３−スピロ−５’−ビシクロ［２．２．１］−２’−ヘプテン、４，５−（４’’−クロロベンゾ）シクロヘプテン−１−オン−３−スピロ−５’−ビシクロ［２．２．１］−２’−ヘプテン、４，５−（５’’−クロロベンゾ）シクロヘプテン−１−オン−３−スピロ−５’−ビシクロ［２．２．１］−２’−ヘプテン、４，５−（６’’−クロロベンゾ）シクロヘプテン−１−オン−３−スピロ−５’−ビシクロ［２．２．１］−２’−ヘプテン、４，５−（３’’−アミノベンゾ）シクロヘプテン−１−オン−３−スピロ−５’−ビシクロ［２．２．１］−２’−ヘプテン、４，５−（４’’−アミノベンゾ）シクロヘプテン−１−オン−３−スピロ−５’−ビシクロ［２．２．１］−２’−ヘプテン、４，５−（５’’−アミノベンゾ）シクロヘプテン−１−オン−３−スピロ−５’−ビシクロ［２．２．１］−２’−ヘプテン、４，５−（６’’−アミノベンゾ）シクロヘプテン−１−オン−３−スピロ−５’−ビシクロ［２．２．１］−２’−ヘプテン、４，５−（３’’−メトキシベンゾ）シクロヘプテン−１−オン−３−スピロ−５‘−ビシクロ［２．２．１］−２’−ヘプテン、４，５−（４’’−メトキシベンゾ）シクロヘプテン−１−オン−３−スピロ−５’−ビシクロ［２．２．１］−２’−ヘプテン、４，５−（５’’−メトキシベンゾ）シクロヘプテン−１−オン−３−スピロ−５’−ビシクロ［２．２．１］−２’−ヘプテン、４，５−（６’’−メトキシベンゾ）シクロヘプテン−１−オン−３−スピロ−５’−ビシクロ［２．２．１］−２’−ヘプテン、２，３−ベンゾシクロオクテン−１−オン−４−スピロ−５’−ビシクロ［２．２．１］−２’−ヘプテン、２，３−（３’’−メチルベンゾ）シクロオクテン−１−オン−４−スピロ−５’−ビシクロ［２．２．１］−２’−ヘプテン、２，３−（４’’−メチルベンゾ）シクロオクテン−１−オン−４−スピロ−５’−ビシクロ［２．２．１］−２’−ヘプテン、２，３−（５’’−メチルベンゾ）シクロオクテン−１−オン−４−スピロ−５’−ビシクロ［２．２．１］−２’−ヘプテン、２，３−（６’’−メチルベンゾ）シクロオクテン−１−オン−４−スピロ−５’−ビシクロ［２．２．１］−２’−ヘプテン、２，３−（３’’−エチルベンゾ）シクロオクテン−１−オン−４−スピロ−５’−ビシクロ［２．２．１］−２’−ヘプテン、２，３−（４’’−エチルベンゾ）シクロオクテン−１−オン−４−スピロ−５’−ビシクロ［２．２．１］−２’−ヘプテン、２，３−（５’’−エチルベンゾ）シクロオクテン−１−オン−４−スピロ−５’−ビシクロ［２．２．１］−２’−ヘプテン、２，３−（６’’−エチルベンゾ）シクロオクテン−１−オン−４−スピロ−５’−ビシクロ［２．２．１］−２’−ヘプテン、２，３−（３’’−ｎ−プロピルベンゾ）シクロオクテン−１−オン−４−スピロ−５’−ビシクロ［２．２．１］−２’−ヘプテン、２，３−（４’’−ｎ−プロピルベンゾ）シクロオクテン−１−オン−４−スピロ−５’−ビシクロ［２．２．１］−２’−ヘプテン、２，３−（５’’−ｎ−プロピルベンゾ）シクロオクテン−１−オン−４−スピロ−５’−ビシクロ［２．２．１］−２’−ヘプテン、２，３−（６’’−ｎ−プロピルベンゾ）シクロオクテン−１−オン−４−スピロ−５’−ビシクロ［２．２．１］−２’−ヘプテン、２，３−（３’’−ｉｓｏ−プロピルベンゾ）シクロヘプテン−１−オン−４−スピロ−５’−ビシクロ［２．２．１］−２’−ヘプテン、２，３−（４’’−ｉｓｏ−プロピルベンゾ）シクロオクテン−１−オン−４−スピロ−５’−ビシクロ［２．２．１］−２’−ヘプテン、２，３−（５’’−ｉｓｏ−プロピルベンゾ）シクロオクテン−１−オン−４−スピロ−５’−ビシクロ［２．２．１］−２’−ヘプテン、２，３−（６’’−ｉｓｏ−プロピルベンゾ）シクロオクテン−１−オン−４−スピロ−５’−ビシクロ［２．２．１］−２’−ヘプテン、２，３−（３’’−ｎ−ブチルベンゾ）シクロオクテン−１−オン−４−スピロ−５’−ビシクロ［２．２．１］−２’−ヘプテン、２，３−（４’’−ｎ−ブチルベンゾ）シクロオクテン−１−オン−４−スピロ−５’−ビシクロ［２．２．１］−２’−ヘプテン、２，３−（５’’−ｎ−ブチルベンゾ）シクロオクテン−１−オン−４−スピロ−５’−ビシクロ［２．２．１］−２’−ヘプテン、２，３−（６’’−ｎ−ブチルベンゾ）シクロオクテン−１−オン−４−スピロ−５’−ビシクロ［２．２．１］−２’−ヘプテン、２，３−（３’’−ｉｓｏ−ブチルベンゾ）シクロオクテン−１−オン−４−スピロ−５’−ビシクロ［２．２．１］−２’−ヘプテン、２，３−（４’’−ｉｓｏ−ブチルベンゾ）シクロオクテン−１−オン−４−スピロ−５’−ビシクロ［２．２．１］−２’−ヘプテン、２，３−（５’’−ｉｓｏ−ブチルベンゾ）シクロオクテン−１−オン−４−スピロ−５’−ビシクロ［２．２．１］−２’−ヘプテン、２，３−（６’’−ｉｓｏ−ブチルベンゾ）シクロオクテン−１−オン−４−スピロ−５’−ビシクロ［２．２．１］−２’−ヘプテン、２，３−（３’’−ｓｅｃ−ブチルベンゾ）シクロオクテン−１−オン−４−スピロ−５’−ビシクロ［２．２．１］−２’−ヘプテン、２，３−（４’’−ｓｅｃ−ブチルベンゾ）シクロオクテン−１−オン−４−スピロ−５’−ビシクロ［２．２．１］−２’−ヘプテン、２，３−（５’’−ｓｅｃ−ブチルベンゾ）シクロオクテン−１−オン−４−スピロ−５’−ビシクロ［２．２．１］−２’−ヘプテン、２，３−（６’’−ｓｅｃ−ブチルベンゾ）シクロオクテン−１−オン−４−スピロ−５’−ビシクロ［２．２．１］−２’−ヘプテン、２，３−（３’’−ｔ−ブチルベンゾ）シクロオクテン−１−オン−４−スピロ−５’−ビシクロ［２．２．１］−２’−ヘプテン、２，３−（４’’−ｔ−ブチルベンゾ）シクロオクテン−１−オン−４−スピロ−５’−ビシクロ［２．２．１］−２’−ヘプテン、２，３−（５’’−ｔ−ブチルベンゾ）シクロオクテン−１−オン−４−スピロ−５’−ビシクロ［２．２．１］−２’−ヘプテン、２，３−（６’’−ｔ−ブチルベンゾ）シクロオクテン−１−オン−４−スピロ−５’−ビシクロ［２．２．１］−２’−ヘプテン、２，３−（３’’−シクロヘキシルベンゾ）シクロオクテン−１−オン−４−スピロ−５‘−ビシクロ［２．２．１］−２’−ヘプテン、２，３−（４’’−シクロヘキシルベンゾ）シクロオクテン−１−オン−４−スピロ−５’−ビシクロ［２．２．１］−２’−ヘプテン、２，３−（５’’−シクロヘキシルベンゾ）シクロオクテン−１−オン−４−スピロ−５’−ビシクロ［２．２．１］−２’−ヘプテン、２，３−（６’’−シクロヘキシルベンゾ）シクロオクテン−１−オン−４−スピロ−５’−ビシクロ［２．２．１］−２’−ヘプテン、２，３−（３’’−フェニルベンゾ）シクロオクテン−１−オン−４−スピロ−５’−ビシクロ［２．２．１］−２’−ヘプテン、２，３−（４’’−フェニルベンゾ）シクロオクテン−１−オン−４−スピロ−５’−ビシクロ［２．２．１］−２’−ヘプテン、２，３−（５’’−フェニルベンゾ）シクロオクテン−１−オン−４−スピロ−５’−ビシクロ［２．２．１］−２’−ヘプテン、２，３−（６’’−フェニルベンゾ）シクロオクテン−１−オン−４−スピロ−５’−ビシクロ［２．２．１］−２’−ヘプテン、２，３−（３’’−クロロベンゾ）シクロオクテン−１−オン−４−スピロ−５’−ビシクロ［２．２．１］−２’−ヘプテン、２，３−（４’’−クロロベンゾ）シクロオクテン−１−オン−４−スピロ−５’−ビシクロ［２．２．１］−２’−ヘプテン、２，３−（４’’−クロロベンゾ）シクロオクテン−１−オン−４−スピロ−５’−ビシクロ［２．２．１］−２’−ヘプテン、２，３−（４’’−クロロベンゾ）シクロオクテン−１−オン−４−スピロ−５’−ビシクロ［２．２．１］−２’−ヘプテン、２，３−（５’’−クロロベンゾ）シクロオクテン−１−オン−４−スピロ−５’−ビシクロ［２．２．１］−２’−ヘプテン、２，３−（６’’−クロロベンゾ）シクロオクテン−１−オン−４−スピロ−５’−ビシクロ［２．２．１］−２’−ヘプテン、２，３−（３’’−アミノベンゾ）シクロオクテン−１−オン−４−スピロ−５’−ビシクロ［２．２．１］−２’−ヘプテン、２，３−（４’’−アミノベンゾ）シクロオクテン−１−オン−４−スピロ−５’−ビシクロ［２．２．１］−２’−ヘプテン、２，３−（５’’−アミノベンゾ）シクロオクテン−１−オン−４−スピロ−５’−ビシクロ［２．２．１］−２’−ヘプテン、２，３−（６’’−アミノベンゾ）シクロオクテン−１−オン−４−スピロ−５’−ビシクロ［２．２．１］−２’−ヘプテン、２，３−（３’’−メトキシベンゾ）シクロオクテン−１−オン−４−スピロ−５‘−ビシクロ［２．２．１］−２’−ヘプテン、２，３−（４’’−メトキシベンゾ）シクロオクテン−１−オン−４−スピロ−５’−ビシクロ［２．２．１］−２’−ヘプテン、２，３−（５’’−メトキシベンゾ）シクロオクテン−１−オン−４−スピロ−５’−ビシクロ［２．２．１］−２’−ヘプテン、２，３−（６’’−メトキシベンゾ）シクロオクテン−１−オン−４−スピロ−５’−ビシクロ［２．２．１］−２’−ヘプテン。
【００５８】
（viii）２，３−ベンゾシクロオクテン−１−オン−５−スピロ−５’−ビシクロ［２．２．１］−２’−ヘプテン、２，３−（３’’−メチルベンゾ）シクロオクテン−１−オン−５−スピロ−５’−ビシクロ［２．２．１］−２’−ヘプテン、２，３−（４’’−メチルベンゾ）シクロオクテン−１−オン−５−スピロ−５’−ビシクロ［２．２．１］−２’−ヘプテン、２，３−（５’’−メチルベンゾ）シクロオクテン−１−オン−５−スピロ−５’−ビシクロ［２．２．１］−２’−ヘプテン、２，３−（６’’−メチルベンゾ）シクロオクテン−１−オン−５−スピロ−５’−ビシクロ［２．２．１］−２’−ヘプテン、２，３−（３’’−エチルベンゾ）シクロオクテン−１−オン−５−スピロ−５’−ビシクロ［２．２．１］−２’−ヘプテン、２，３−（４’’−エチルベンゾ）シクロオクテン−１−オン−５−スピロ−５’−ビシクロ［２．２．１］−２’−ヘプテン、２，３−（５’’−エチルベンゾ）シクロオクテン−１−オン−５−スピロ−５’−ビシクロ［２．２．１］−２’−ヘプテン、２，３−（６’’−エチルベンゾ）シクロオクテン−１−オン−５−スピロ−５’−ビシクロ［２．２．１］−２’−ヘプテン、２，３−（３’’−ｎ−プロピルベンゾ）シクロオクテン−１−オン−５−スピロ−５’−ビシクロ［２．２．１］−２’−ヘプテン、２，３−（４’’−ｎ−プロピルベンゾ）シクロオクテン−１−オン−５−スピロ−５’−ビシクロ［２．２．１］−２’−ヘプテン、２，３−（５’’−ｎ−プロピルベンゾ）シクロオクテン−１−オン−５−スピロ−５’−ビシクロ［２．２．１］−２’−ヘプテン、２，３−（６’’−ｎ−プロピルベンゾ）シクロオクテン−１−オン−５−スピロ−５’−ビシクロ［２．２．１］−２’−ヘプテン、２，３−（３’’−ｉｓｏ−プロピルベンゾ）シクロヘプテン−１−オン−５−スピロ−５’−ビシクロ［２．２．１］−２’−ヘプテン、２，３−（４’’−ｉｓｏ−プロピルベンゾ）シクロオクテン−１−オン−５−スピロ−５’−ビシクロ［２．２．１］−２’−ヘプテン、２，３−（５’’−ｉｓｏ−プロピルベンゾ）シクロオクテン−１−オン−５−スピロ−５’−ビシクロ［２．２．１］−２’−ヘプテン、２，３−（６’’−ｉｓｏ−プロピルベンゾ）シクロオクテン−１−オン−５−スピロ−５’−ビシクロ［２．２．１］−２’−ヘプテン、２，３−（３’’−ｎ−ブチルベンゾ）シクロオクテン−１−オン−５−スピロ−５’−ビシクロ［２．２．１］−２’−ヘプテン、２，３−（４’’−ｎ−ブチルベンゾ）シクロオクテン−１−オン−５−スピロ−５’−ビシクロ［２．２．１］−２’−ヘプテン、２，３−（５’’−ｎ−ブチルベンゾ）シクロオクテン−１−オン−５−スピロ−５’−ビシクロ［２．２．１］−２’−ヘプテン、２，３−（６’’−ｎ−ブチルベンゾ）シクロオクテン−１−オン−５−スピロ−５’−ビシクロ［２．２．１］−２’−ヘプテン、２，３−（３’’−ｉｓｏ−ブチルベンゾ）シクロオクテン−１−オン−５−スピロ−５’−ビシクロ［２．２．１］−２’−ヘプテン、２，３−（４’’−ｉｓｏ−ブチルベンゾ）シクロオクテン−１−オン−５−スピロ−５’−ビシクロ［２．２��１］−２’−ヘプテン、２，３−（５’’−ｉｓｏ−ブチルベンゾ）シクロオクテン−１−オン−５−スピロ−５’−ビシクロ［２．２．１］−２’−ヘプテン、２，３−（６’’−ｉｓｏ−ブチルベンゾ）シクロオクテン−１−オン−５−スピロ−５’−ビシクロ［２．２．１］−２’−ヘプテン、２，３−（３’’−ｓｅｃ−ブチルベンゾ）シクロオクテン−１−オン−５−スピロ−５’−ビシクロ［２．２．１］−２’−ヘプテン、２，３−（４’’−ｓｅｃ−ブチルベンゾ）シクロオクテン−１−オン−５−スピロ−５’−ビシクロ［２．２．１］−２’−ヘプテン、２，３−（５’’−ｓｅｃ−ブチルベンゾ）シクロオクテン−１−オン−５−スピロ−５’−ビシクロ［２．２．１］−２’−ヘプテン、２，３−（６’’−ｓｅｃ−ブチルベンゾ）シクロオクテン−１−オン−５−スピロ−５’−ビシクロ［２．２．１］−２’−ヘプテン、２，３−（３’’−ｔ−ブチルベンゾ）シクロオクテン−１−オン−５−スピロ−５’−ビシクロ［２．２．１］−２’−ヘプテン、２，３−（４’’−ｔ−ブチルベンゾ）シクロオクテン−１−オン−５−スピロ−５’−ビシクロ［２．２．１］−２’−ヘプテン、２，３−（５’’−ｔ−ブチルベンゾ）シクロオクテン−１−オン−５−スピロ−５’−ビシクロ［２．２．１］−２’−ヘプテン、２，３−（６’’−ｔ−ブチルベンゾ）シクロオクテン−１−オン−５−スピロ−５’−ビシクロ［２．２．１］−２’−ヘプテン、２，３−（３’’−シクロヘキシルベンゾ）シクロオクテン−１−オン−５−スピロ−５‘−ビシクロ［２．２．１］−２’−ヘプテン、２，３−（４’’−シクロヘキシルベンゾ）シクロオクテン−１−オン−５−スピロ−５’−ビシクロ［２．２．１］−２’−ヘプテン、２，３−（５’’−シクロヘキシルベンゾ）シクロオクテン−１−オン−５−スピロ−５’−ビシクロ［２．２．１］−２’−ヘプテン、２，３−（６’’−シクロヘキシルベンゾ）シクロオクテン−１−オン−５−スピロ−５’−ビシクロ［２．２．１］−２’−ヘプテン、２，３−（３’’−フェニルベンゾ）シクロオクテン−１−オン−５−スピロ−５’−ビシクロ［２．２．１］−２’−ヘプテン、２，３−（４’’−フェニルベンゾ）シクロオクテン−１−オン−５−スピロ−５’−ビシクロ［２．２．１］−２’−ヘプテン、２，３−（５’’−フェニルベンゾ）シクロオクテン−１−オン−５−スピロ−５’−ビシクロ［２．２．１］−２’−ヘプテン、２，３−（６’’−フェニルベンゾ）シクロオクテン−１−オン−５−スピロ−５’−ビシクロ［２．２．１］−２’−ヘプテン、２，３−（３’’−クロロベンゾ）シクロオクテン−１−オン−５−スピロ−５’−ビシクロ［２．２．１］−２’−ヘプテン、２，３−（４’’−クロロベンゾ）シクロオクテン−１−オン−５−スピロ−５’−ビシクロ［２．２．１］−２’−ヘプテン、２，３−（４’’−クロロベンゾ）シクロオクテン−１−オン−５−スピロ−５’−ビシクロ［２．２．１］−２’−ヘプテン、２，３−（４’’−クロロベンゾ）シクロオクテン−１−オン−５−スピロ−５’−ビシクロ［２．２．１］−２’−ヘプテン、２，３−（５’’−クロロベンゾ）シクロオクテン−１��オン−５−スピロ−５’−ビシクロ［２．２．１］−２’−ヘプテン、２，３−（６’’−クロロベンゾ）シクロオクテン−１−オン−５−スピロ−５’−ビシクロ［２．２．１］−２’−ヘプテン、２，３−（３’’−アミノベンゾ）シクロオクテン−１−オン−５−スピロ−５’−ビシクロ［２．２．１］−２’−ヘプテン、２，３−（４’’−アミノベンゾ）シクロオクテン−１−オン−５−スピロ−５’−ビシクロ［２．２．１］−２’−ヘプテン、２，３−（５’’−アミノベンゾ）シクロオクテン−１−オン−５−スピロ−５’−ビシクロ［２．２．１］−２’−ヘプテン、２，３−（６’’−アミノベンゾ）シクロオクテン−１−オン−５−スピロ−５’−ビシクロ［２．２．１］−２’−ヘプテン、２，３−（３’’−メトキシベンゾ）シクロオクテン−１−オン−５−スピロ−５‘−ビシクロ［２．２．１］−２’−ヘプテン、２，３−（４’’−メトキシベンゾ）シクロオクテン−１−オン−５−スピロ−５’−ビシクロ［２．２．１］−２’−ヘプテン、２，３−（５’’−メトキシベンゾ）シクロオクテン−１−オン−５−スピロ−５’−ビシクロ［２．２．１］−２’−ヘプテン、２，３−（６’’−メトキシベンゾ）シクロオクテン−１−オン−５−スピロ−５’−ビシクロ［２．２．１］−２’−ヘプテン、２，３−ベンゾシクロオクテン−１−オン−６−スピロ−５’−ビシクロ［２．２．１］−２’−ヘプテン、２，３−（３’’−メチルベンゾ）シクロオクテン−１−オン−６−スピロ−５’−ビシクロ［２．２．１］−２’−ヘプテン、２，３−（４’’−メチルベンゾ）シクロオクテン−１−オン−６−スピロ−５’−ビシクロ［２．２．１］−２’−ヘプテン、２，３−（５’’−メチルベンゾ）シクロオクテン−１−オン−６−スピロ−５’−ビシクロ［２．２．１］−２’−ヘプテン、２，３−（６’’−メチルベンゾ）シクロオクテン−１−オン−６−スピロ−５’−ビシクロ［２．２．１］−２’−ヘプテン、２，３−（３’’−エチルベンゾ）シクロオクテン−１−オン−６−スピロ−５’−ビシクロ［２．２．１］−２’−ヘプテン、２，３−（４’’−エチルベンゾ）シクロオクテン−１−オン−６−スピロ−５’−ビシクロ［２．２．１］−２’−ヘプテン、２，３−（５’’−エチルベンゾ）シクロオクテン−１−オン−６−スピロ−５’−ビシクロ［２．２．１］−２’−ヘプテン、２，３−（６’’−エチルベンゾ）シクロオクテン−１−オン−６−スピロ−５’−ビシクロ［２．２．１］−２’−ヘプテン、２，３−（３’’−ｎ−プロピルベンゾ）シクロオクテン−１−オン−６−スピロ−５’−ビシクロ［２．２．１］−２’−ヘプテン、２，３−（４’’−ｎ−プロピルベンゾ）シクロオクテン−１−オン−６−スピロ−５’−ビシクロ［２．２．１］−２’−ヘプテン、２，３−（５’’−ｎ−プロピルベンゾ）シクロオクテン−１−オン−６−スピロ−５’−ビシクロ［２．２．１］−２’−ヘプテン、２，３−（６’’−ｎ−プロピルベンゾ）シクロオクテン−１−オン−６−スピロ−５’−ビシクロ［２．２．１］−２’−ヘプテン、２，３−（３’’−ｉｓｏ−プロピルベンゾ）シクロヘプテン−１−オン−６−スピロ−５’−ビシクロ［２��２．１］−２’−ヘプテン、２，３−（４’’−ｉｓｏ−プロピルベンゾ）シクロオクテン−１−オン−６−スピロ−５’−ビシクロ［２．２．１］−２’−ヘプテン、２，３−（５’’−ｉｓｏ−プロピルベンゾ）シクロオクテン−１−オン−６−スピロ−５’−ビシクロ［２．２．１］−２’−ヘプテン、２，３−（６’’−ｉｓｏ−プロピルベンゾ）シクロオクテン−１−オン−６−スピロ−５’−ビシクロ［２．２．１］−２’−ヘプテン、２，３−（３’’−ｎ−ブチルベンゾ）シクロオクテン−１−オン−６−スピロ−５’−ビシクロ［２．２．１］−２’−ヘプテン、２，３−（４’’−ｎ−ブチルベンゾ）シクロオクテン−１−オン−６−スピロ−５’−ビシクロ［２．２．１］−２’−ヘプテン、２，３−（５’’−ｎ−ブチルベンゾ）シクロオクテン−１−オン−６−スピロ−５’−ビシクロ［２．２．１］−２’−ヘプテン、２，３−（６’’−ｎ−ブチルベンゾ）シクロオクテン−１−オン−６−スピロ−５’−ビシクロ［２．２．１］−２’−ヘプテン、２，３−（３’’−ｉｓｏ−ブチルベンゾ）シクロオクテン−１−オン−６−スピロ−５’−ビシクロ［２．２．１］−２’−ヘプテン、２，３−（４’’−ｉｓｏ−ブチルベンゾ）シクロオクテン−１−オン−６−スピロ−５’−ビシクロ［２．２．１］−２’−ヘプテン、２，３−（５’’−ｉｓｏ−ブチルベンゾ）シクロオクテン−１−オン−６−スピロ−５’−ビシクロ［２．２．１］−２’−ヘプテン、２，３−（６’’−ｉｓｏ−ブチルベンゾ）シクロオクテン−１−オン−６−スピロ−５’−ビシクロ［２．２．１］−２’−ヘプテン、２，３−（３’’−ｓｅｃ−ブチルベンゾ）シクロオクテン−１−オン−６−スピロ−５’−ビシクロ［２．２．１］−２’−ヘプテン、２，３−（４’’−ｓｅｃ−ブチルベンゾ）シクロオクテン−１−オン−６−スピロ−５’−ビシクロ［２．２．１］−２’−ヘプテン、２，３−（５’’−ｓｅｃ−ブチルベンゾ）シクロオクテン−１−オン−６−スピロ−５’−ビシクロ［２．２．１］−２’−ヘプテン、２，３−（６’’−ｓｅｃ−ブチルベンゾ）シクロオクテン−１−オン−６−スピロ−５’−ビシクロ［２．２．１］−２’−ヘプテン、２，３−（３’’−ｔ−ブチルベンゾ）シクロオクテン−１−オン−６−スピロ−５’−ビシクロ［２．２．１］−２’−ヘプテン、２，３−（４’’−ｔ−ブチルベンゾ）シクロオクテン−
１−オン−６−スピロ−５’−ビシクロ［２．２．１］−２’−ヘプテン、２，３−（５’’−ｔ−ブチルベンゾ）シクロオクテン−１−オン−６−スピロ−５’−ビシクロ［２．２．１］−２’−ヘプテン、２，３−（６’’−ｔ−ブチルベンゾ）シクロオクテン−１−オン−６−スピロ−５’−ビシクロ［２．２．１］−２’−ヘプテン、２，３−（３’’−シクロヘキシルベンゾ）シクロオクテン−１−オン−６−スピロ−５‘−ビシクロ［２．２．１］−２’−ヘプテン、２，３−（４’’−シクロヘキシルベンゾ）シクロオクテン−１−オン−６−スピロ−５’−ビシクロ［２．２．１］−２’−ヘプテン、２，３−（５’’−シクロヘキシルベンゾ）シクロオクテン−１−オン−６−スピロ−５’−ビシクロ［２．２．１］−２’−ヘプテン、２，３−（６’’−シクロヘキシルベンゾ）シクロオクテン−１−オン−６−スピロ−５’−ビシクロ［２．２．１］−２’−ヘプテン、２，３−（３’’−フェニルベンゾ）シクロオクテン−１−オン−６−スピロ−５’−ビシクロ［２．２．１］−２’−ヘプテン、２，３−（４’’−フェニルベンゾ）シクロオクテン−１−オン−６−スピロ−５’−ビシクロ［２．２．１］−２’−ヘプテン、２，３−（５’’−フェニルベンゾ）シクロオクテン−１−オン−６−スピロ−５’−ビシクロ［２．２．１］−２’−ヘプテン、２，３−（６’’−フェニルベンゾ）シクロオクテン−１−オン−６−スピロ−５’−ビシクロ［２．２．１］−２’−ヘプテン、２，３−（３’’−クロロベンゾ）シクロオクテン−１−オン−６−スピロ−５’−ビシクロ［２．２．１］−２’−ヘプテン、２，３−（４’’−クロロベンゾ）シクロオクテン−１−オン−６−スピロ−５’−ビシクロ［２．２．１］−２’−ヘプテン、２，３−（４’’−クロロベンゾ）シクロオクテン−１−オン−６−スピロ−５’−ビシクロ［２．２．１］−２’−ヘプテン、２，３−（４’’−クロロベンゾ）シクロオクテン−１−オン−６−スピロ−５’−ビシクロ［２．２．１］−２’−ヘプテン、２，３−（５’’−クロロベンゾ）シクロオクテン−１−オン−６−スピロ−５’−ビシクロ［２．２．１］−２’−ヘプテン、２，３−（６’’−クロロベンゾ）シクロオクテン−１−オン−６−スピロ−５’−ビシクロ［２．２．１］−２’−ヘプテン、２，３−（３’’−アミノベンゾ）シクロオクテン−１−オン−６−スピロ−５’−ビシクロ［２．２．１］−２’−ヘプテン、２，３−（４’’−アミノベンゾ）シクロオクテン−１−オン−６−スピロ−５’−ビシクロ［２．２．１］−２’−ヘプテン、２，３−（５’’−アミノベンゾ）シクロオクテン−１−オン−６−スピロ−５’−ビシクロ［２．２．１］−２’−ヘプテン、２，３−（６’’−アミノベンゾ）シクロオクテン−１−オン−６−スピロ−５’−ビシクロ［２．２．１］−２’−ヘプテン、２，３−（３’’−メトキシベンゾ）シクロオクテン−１−オン−６−スピロ−５‘−ビシクロ［２．２．１］−２’−ヘプテン、２，３−（４’’−メトキシベンゾ）シクロオクテン−１−オン−６−スピロ−５’−ビシクロ［２．２．１］−２’−ヘプテン、２，３−（５’’−メトキシベンゾ）シクロオクテン−１−オン−６−スピロ−５’−ビシクロ［２．２．１］−２’−ヘプテン、２，３−（６’’−メトキシベンゾ）シクロオクテン−１−オン−６−スピロ−５’−ビシクロ［２．２．１］−２’−ヘプテン、２，３−ベンゾシクロオクテン−１−オン−７−スピロ−５’−ビシクロ［２．２．１］−２’−ヘプテン、２，３−（３’’−メチルベンゾ）シクロオクテン−１−オン−７−スピロ−５’−ビシクロ［２．２．１］−２’−ヘプテン、２，３−（４’’−メチルベンゾ）シクロオクテン−１−オン−７−スピロ−５’−ビシクロ［２．２．１］−２’−ヘプテン、２，３−（５’’−メチルベンゾ）シクロオクテン−１−オン−７−スピロ−５’−ビシクロ［２．２．１］−２’−ヘプテン、２，３−（６’’−メチルベンゾ）シクロオクテン−１−オン−７−スピロ−５’−ビシクロ［２．２．１］−２’−ヘプテン、２，３−（３’’−エチルベンゾ）シクロオクテン−１−オン−７−スピロ−５’−ビシクロ［２．２．１］−２’−ヘプテン、２，３−（４’’−エチルベンゾ）シクロオクテン−１−オン−７−スピロ−５’−ビシクロ［２．２．１］−２’−ヘプテン、２，３−（５’’−エチルベンゾ）シクロオクテン−１−オン−７−スピロ−５’−ビシクロ［２．２．１］−２’−ヘプテン、２，３−（６’’−エチルベンゾ）シクロオクテン−１−オン−７−スピロ−５’−ビシクロ［２．２．１］−２’−ヘプテン、２，３−（３’’−ｎ−プロピルベンゾ）シクロオクテン−１−オン−７−スピロ−５’−ビシクロ［２．２．１］−２’−ヘプテン、２，３−（４’’−ｎ−プロピルベンゾ）シクロオクテン−１−オン−７−スピロ−５’−ビシクロ［２．２．１］−２’−ヘプテン、２，３−（５’’−ｎ−プロピルベンゾ）シクロオクテン−１−オン−７−スピロ−５’−ビシクロ［２．２．１］−２’−ヘプテン、２，３−（６’’−ｎ−プロピルベンゾ）シクロオクテン−１−オン−７−スピロ−５’−ビシクロ［２．２．１］−２’−ヘプテン、２，３−（３’’−ｉｓｏ−プロピルベンゾ）シクロヘプテン−１−オン−７−スピロ−５’−ビシクロ［２．２．１］−２’−ヘプテン、２，３−（４’’−ｉｓｏ−プロピルベンゾ）シクロオクテン−１−オン−７−スピロ−５’−ビシクロ［２．２．１］−２’−ヘプテン、２，３−（５’’−ｉｓｏ−プロピルベンゾ）シクロオクテン−１−オン−７−スピロ−５’−ビシクロ［２．２．１］−２’−ヘプテン、２，３−（６’’−ｉｓｏ−プロピルベンゾ）シクロオクテン−１−オン−７−スピロ−５’−ビシクロ［２．２．１］−２’−ヘプテン、２，３−（３’’−ｎ−ブチルベンゾ）シクロオクテン−１−オン−７−スピロ−５’−ビシクロ［２．２．１］−２’−ヘプテン、２，３−（４’’−ｎ−ブチルベンゾ）シクロオクテン−１−オン−７−スピロ−５’−ビシクロ［２．２．１］−２’−ヘプテン、２，３−（５’’−ｎ−ブチルベンゾ）シクロオクテン−１−オン−７−スピロ−５’−ビシクロ［２．２．１］−２’−ヘプテン、２，３−（６’’−ｎ−ブチルベンゾ）シクロオクテン−１−オン−７−スピロ−５’−ビシクロ［２．２．１］−２’−ヘプテン、２，３−（３’’−ｉｓｏ−ブチルベンゾ）シクロオクテン−１−オン−７−スピロ−５’−ビシクロ［２．２．１］−２’−ヘプテン、２，３−（４’’−ｉｓｏ−ブチルベンゾ）シクロオクテン−１−オン−７−スピロ−５’−ビシクロ［２．２．１］−２’−ヘプテン、２，３−（５’’−ｉｓｏ−ブチルベンゾ）シクロオクテン−１−オン−７−スピロ−５’−ビシクロ［２．２．１］−２’−ヘプテン、２，３−（６’’−ｉｓｏ−ブチルベンゾ）シクロオクテン−１−オン−７−スピロ−５’−ビシクロ［２．２．１］−２’−ヘプテン、２，３−（３’’−ｓｅｃ−ブチルベンゾ）シクロオクテン−１−オン−７−スピロ−５’−ビシクロ［２．２．１］−２’−ヘプテン、２，３−（４’’−ｓｅｃ−ブチルベンゾ）シクロオクテン−１−オン−７−スピロ−５’−ビシクロ［２．２．１］−２’−ヘプテン、２，３−（５’’−ｓｅｃ−ブチルベンゾ）シクロオクテン−１−オン−７−スピロ−５’−ビシクロ［２．２．１］−２’−ヘプテン、２，３−（６’’−ｓｅｃ−ブチルベンゾ）シクロオクテン−１−オン−７−スピロ−５’−ビシクロ［２．２．１］−２’−ヘプテン、２，３−（３’’−ｔ−ブチルベンゾ）シクロオクテン−１−オン−７−スピロ−５’−ビシクロ［２．２．１］−２’−ヘプテン、２，３−（４’’−ｔ−ブチルベンゾ）シクロオクテン−１−オン−７−スピロ−５’−ビシクロ［２．２．１］−２’−ヘプテン、２，３−（５’’−ｔ−ブチルベンゾ）シクロオクテン−１−オン−７−スピロ−５’−ビシクロ［２．２．１］−２’−ヘプテン、２，３−（６’’−ｔ−ブチルベンゾ）シクロオクテン−１−オン−７−スピロ−５’−ビシクロ［２．２．１］−２’−ヘプテン、２，３−（３’’−シクロヘキシルベンゾ）シクロオクテン−１−オン−７−スピロ−５‘−ビシクロ［２．２．１］−２’−ヘプテン、２，３−（４’’−シクロヘキシルベンゾ）シクロオクテン−１−オン−７−スピロ−５’−ビシクロ［２．２．１］−２’−ヘプテン、２，３−（５’’−シクロヘキシルベンゾ）シクロオクテン−１−オン−７−スピロ−５’−ビシクロ［２．２．１］−２’−ヘプテン、２，３−（６’’−シクロヘキシルベンゾ）シクロオクテン−１−オン−７−スピロ−５’−ビシクロ［２．２．１］−２’−ヘプテン、２，３−（３’’−フェニルベンゾ）シクロオクテン−１−オン−７−スピロ−５’−ビシクロ［２．２．１］−２’−ヘプテン、２，３−（４’’−フェニルベンゾ）シクロオクテン−１−オン−７−スピロ−５’−ビシクロ［２．２．１］−２’−ヘプテン、２，３−（５’’−フェニルベンゾ）シクロオクテン−１−オン−７−スピロ−５’−ビシクロ［２．２．１］−２’−ヘプテン、２，３−（６’’−フェニルベンゾ）シクロオクテン−１−オン−７−スピロ−５’−ビシクロ［２．２．１］−２’−ヘプテン、２，３−（３’’−クロロベンゾ）シクロオクテン−１−オン−７−スピロ−５’−ビシクロ［２．２．１］−２’−ヘプテン、２，３−（４’’−クロロベンゾ）シクロオクテン−１−オン−７−スピロ−５’−ビシクロ［２．２．１］−２’−ヘプテン、２，３−（４’’−クロロベンゾ）シクロオクテン−１−オン−７−スピロ−５’−ビシクロ［２．２．１］−２’−ヘプテン、２，３−（４’’−クロロベンゾ）シクロオクテン−１−オン−７−スピロ−５’−ビシクロ［２．２．１］−２’−ヘプテン、２，３−（５’’−クロロベンゾ）シクロオクテン−１−オン−７−スピロ−５’−ビシクロ［２．２．１］−２’−ヘプテン、２，３−（６’’−クロロベンゾ）シクロオクテン−１−オン−７−スピロ−５’−ビシクロ［２．２．１］−２’−ヘプテン、２，３−（３’’−アミノベンゾ）シクロオクテン−１−オン−７−スピロ−５’−ビシクロ［２．２．１］−２’−ヘプテン、２，３−（４’’−アミノベンゾ）シクロオクテン−１−オン−７−スピロ−５’−ビシクロ［２．２．１］−２’−ヘプテン、２，３−（５’’−アミノベンゾ）シクロオクテン−１−オン−７−スピロ−５’−ビシクロ［２．２．１］−２’−ヘプテン、２，３−（６’’−アミノベンゾ）シクロオクテン−１−オン−７−スピロ−５’−ビシクロ［２．２．１］−２’−ヘプテン、２，３−（３’’−メトキシベンゾ）シクロオクテン−１−オン−７−スピロ−５‘−ビシクロ［２．２．１］−２’−ヘプテン、２，３−（４’’−メトキシベンゾ）シクロオクテン−１−オン−７−スピロ−５’−ビシクロ［２．２．１］−２’−ヘプテン、２，３−（５’’−メトキシベンゾ）シクロオクテン−１−オン−７−スピロ−５’−ビシクロ［２．２．１］−２’−ヘプテン、２，３−（６’’−メトキシベンゾ）シクロオクテン−１−オン−７−スピロ−５’−ビシクロ［２．２．１］−２’−ヘプテン、２，３−ベンゾシクロオクテン−１−オン−８−スピロ−５’−ビシクロ［２．２．１］−２’−ヘプテン、２，３−（３’’−メチルベンゾ）シクロオクテン−１−オン−８−スピロ−５’−ビシクロ［２．２．１］−２’−ヘプテン、２，３−（４’’−メチルベンゾ）シクロオクテン−１−オン−８−スピロ−５’−ビシクロ［２．２．１］−２’−ヘプテン、２，３−（５’’−メチルベンゾ）シクロオクテン−１−オン−８−スピロ−５’−ビシクロ［２．２．１］−２’−ヘプテン、２，３−（６’’−メチルベンゾ）シクロオクテン−１−オン−８−スピロ−５’−ビシクロ［２．２．１］−２’−ヘプテン、２，３−（３’’−エチルベンゾ）シクロオクテン−１−オン−８−スピロ−５’−ビシクロ［２．２．１］−２’−ヘプテン、２，３−（４’’−エチルベンゾ）シクロオクテン−１−オン−８−スピロ−５’−ビシクロ［
２．２．１］−２’−ヘプテン、２，３−（５’’−エチルベンゾ）シクロオクテン−１−オン−８−スピロ−５’−ビシクロ［２．２．１］−２’−ヘプテン、２，３−（６’’−エチルベンゾ）シクロオクテン−１−オン−８−スピロ−５’−ビシクロ［２．２．１］−２’−ヘプテン、２，３−（３’’−ｎ−プロピルベンゾ）シクロオクテン−１−オン−８−スピロ−５’−ビシクロ［２．２．１］−２’−ヘプテン、２，３−（４’’−ｎ−プロピルベンゾ）シクロオクテン−１−オン−８−スピロ−５’−ビシクロ［２．２．１］−２’−ヘプテン、２，３−（５’’−ｎ−プロピルベンゾ）シクロオクテン−１−オン−８−スピロ−５’−ビシクロ［２．２．１］−２’−ヘプテン、２，３−（６’’−ｎ−プロピルベンゾ）シクロオクテン−１−オン−８−スピロ−５’−ビシクロ［２．２．１］−２’−ヘプテン、２，３−（３’’−ｉｓｏ−プロピルベンゾ）シクロヘプテン−１−オン−８−スピロ−５’−ビシクロ［２．２．１］−２’−ヘプテン、２，３−（４’’−ｉｓｏ−プロピルベンゾ）シクロオクテン−１−オン−８−スピロ−５’−ビシクロ［２．２．１］−２’−ヘプテン、２，３−（５’’−ｉｓｏ−プロピルベンゾ）シクロオクテン−１−オン−８−スピロ−５’−ビシクロ［２．２．１］−２’−ヘプテン、２，３−（６’’−ｉｓｏ−プロピルベンゾ）シクロオクテン−１−オン−８−スピロ−５’−ビシクロ［２．２．１］−２’−ヘプテン、２，３−（３’’−ｎ−ブチルベンゾ）シクロオクテン−１−オン−８−スピロ−５’−ビシクロ［２．２．１］−２’−ヘプテン、２，３−（４’’−ｎ−ブチルベンゾ）シクロオクテン−１−オン−８−スピロ−５’−ビシクロ［２．２．１］−２’−ヘプテン、２，３−（５’’−ｎ−ブチルベンゾ）シクロオクテン−１−オン−８−スピロ−５’−ビシクロ［２．２．１］−２’−ヘプテン、２，３−（６’’−ｎ−ブチルベンゾ）シクロオクテン−１−オン−８−スピロ−５’−ビシクロ［２．２．１］−２’−ヘプテン、２，３−（３’’−ｉｓｏ−ブチルベンゾ）シクロオクテン−１−オン−８−スピロ−５’−ビシクロ［２．２．１］−２’−ヘプテン、２，３−（４’’−ｉｓｏ−ブチルベンゾ）シクロオクテン−１−オン−８−スピロ−５’−ビシクロ［２．２．１］−２’−ヘプテン、２，３−（５’’−ｉｓｏ−ブチルベンゾ）シクロオクテン−１−オン−８−スピロ−５’−ビシクロ［２．２．１］−２’−ヘプテン、２，３−（６’’−ｉｓｏ−ブチルベンゾ）シクロオクテン−１−オン−８−スピロ−５’−ビシクロ［２．２．１］−２’−ヘプテン、２，３−（３’’−ｓｅｃ−ブチルベンゾ）シクロオクテン−１−オン−８−スピロ−５’−ビシクロ［２．２．１］−２’−ヘプテン、２，３−（４’’−ｓｅｃ−ブチルベンゾ）シクロオクテン−１−オン−８−スピロ−５’−ビシクロ［２．２．１］−２’−ヘプテン、２，３−（５’’−ｓｅｃ−ブチルベンゾ）シクロオクテン−１−オン−８−スピロ−５’−ビシクロ［２．２．１］−２’−ヘプテン、２，３−（６’’−ｓｅｃ−ブチルベンゾ）シクロオクテン−１−オン−８−スピロ−５’−ビシクロ［２．２．１］−２’−ヘプテン、２，３−（３’’−ｔ−ブチルベンゾ）シクロオクテン−１−オン−８−スピロ−５’−ビシクロ［２．２．１］−２’−ヘプテン、２，３−（４’’−ｔ−ブチルベンゾ）シクロオクテン−１−オン−７−スピロ−５’−ビシクロ［２．２．１］−２’−ヘプテン、２，３−（５’’−ｔ−ブチルベンゾ）シクロオクテン−１−オン−８−スピロ−５’−ビシクロ［２．２．１］−２’−ヘプテン、２，３−（６’’−ｔ−ブチルベンゾ）シクロオクテン−１−オン−８−スピロ−５’−ビシクロ［２．２．１］−２’−ヘプテン、２，３−（３’’−シクロヘキシルベンゾ）シクロオクテン−１−オン−８−スピロ−５‘−ビシクロ［２．２．１］−２’−ヘプテン、２，３−（４’’−シクロヘキシルベンゾ）シクロオクテン−１−オン−８−スピロ−５’−ビシクロ［２．２．１］−２’−ヘプテン、２，３−（５’’−シクロヘキシルベンゾ）シクロオクテン−１−オン−８−スピロ−５’−ビシクロ［２．２．１］−２’−ヘプテン、２，３−（６’’−シクロヘキシルベンゾ）シクロオクテン−１−オン−８−スピロ−５’−ビシクロ［２．２．１］−２’−ヘプテン、２，３−（３’’−フェニルベンゾ）シクロオクテン−１−オン−８−スピロ−５’−ビシクロ［２．２．１］−２’−ヘプテン、２，３−（４’’−フェニルベンゾ）シクロオクテン−１−オン−８−スピロ−５’−ビシクロ［２．２．１］−２’−ヘプテン、２，３−（５’’−フェニルベンゾ）シクロオクテン−１−オン−８−スピロ−５’−ビシクロ［２．２．１］−２’−ヘプテン、２，３−（６’’−フェニルベンゾ）シクロオクテン−１−オン−８−スピロ−５’−ビシクロ［２．２．１］−２’−ヘプテン、２，３−（３’’−クロロベンゾ）シクロオクテン−１−オン−８−スピロ−５’−ビシクロ［２．２．１］−２’−ヘプテン、２，３−（４’’−クロロベンゾ）シクロオクテン−１−オン−８−スピロ−５’−ビシクロ［２．２．１］−２’−ヘプテン、２，３−（４’’−クロロベンゾ）シクロオクテン−１−オン−８−スピロ−５’−ビシクロ［２．２．１］−２’−ヘプテン、２，３−（４’’−クロロベンゾ）シクロオクテン−１−オン−８−スピロ−５’−ビシクロ［２．２．１］−２’−ヘプテン、２，３−（５’’−クロロベンゾ）シクロオクテン−１−オン−８−スピロ−５’−ビシクロ［２．２．１］−２’−ヘプテン、２，３−（６’’−クロロベンゾ）シクロオクテン−１−オン−８−スピロ−５’−ビシクロ［２．２．１］−２’−ヘプテン、２，３−（３’’−アミノベンゾ）シクロオクテン−１−オン−８−スピロ−５’−ビシクロ［２．２．１］−２’−ヘプテン、２，３−（４’’−アミノベンゾ）シクロオクテン−１−オン−８−スピロ−５’−ビシクロ［２．２．１］−２’−ヘプテン、２，３−（５’’−アミノベンゾ）シクロオクテン−１−オン−８−スピロ−５’−ビシクロ［２．２．１］−２’−ヘプテン、２，３−（６’’−アミノベンゾ）シクロオクテン−１−オン−８−スピロ−５’−ビシクロ［２．２．１］−２’−ヘプテン、２，３−（３’’−メトキシベンゾ）シクロオクテン−１−オン−８−スピロ−５‘−ビシクロ［２．２．１］−２’−ヘプテン、２，３−（４’’−メトキシベンゾ）シクロオクテン−１−オン−８−スピロ−５’−ビシクロ［２．２．１］−２’−ヘプテン、２，３−（５’’−メトキシベンゾ）シクロオクテン−１−オン−７−スピロ−５’−ビシクロ［２．２．１］−２’−ヘプテン、２，３−（６’’−メトキシベンゾ）シクロオクテン−１−オン−８−スピロ−５’−ビシクロ［２．２．１］−２’−ヘプテン、３，４−ベンゾシクロオクテン−１−オン−２−スピロ−５’−ビシクロ［２．２．１］−２’−ヘプテン、３，４−（３’’−メチルベンゾ）シクロオクテン−１−オン−２−スピロ−５’−ビシクロ［２．２．１］−２’−ヘプテン、３，４−（４’’−メチルベンゾ）シクロオクテン−１−オン−２−スピロ−５’−ビシクロ［２．２．１］−２’−ヘプテン、３，４−（５’’−メチルベンゾ）シクロオクテン−１−オン−２−スピロ−５’−ビシクロ［２．２．１］−２’−ヘプテン、３，４−（６’’−メチルベンゾ）シクロオクテン−１−オン−２−スピロ−５’−ビシクロ［２．２．１］−２’−ヘプテン、３，４−（３’’−エチルベンゾ）シクロオクテン−１−オン−２−スピロ−５’−ビシクロ［２．２．１］−２’−ヘプテン、３，４−（４’’−エチルベンゾ）シクロオクテン−１−オン−２−スピロ−５’−ビシクロ［２．２．１］−２’−ヘプテン、３，４−（５’’−エチルベンゾ）シクロオクテン−１−オン−２−スピロ−５’−ビシクロ［２．２．１］−２’−ヘプテン、３，４−（６’’−エチルベンゾ）シクロオクテン−１−オン−２−スピロ−５’−ビシクロ［２．２．１］−２’−ヘプテン、３，４−（３’’−ｎ−プロピルベンゾ）シクロオクテン−１−オン−２−スピロ−５’−ビシクロ［２．２．１］−２’−ヘプテン、３，４−（４’’−ｎ−プロピルベンゾ）シクロオクテン−１−オン−２−スピロ−５’−ビシクロ［２．２．１］−２’−ヘプテン、３，４−（５’’−ｎ−プロピルベンゾ）シクロオクテン−１−オン−２−スピロ−５’−ビシクロ［２．２．１］−２’−ヘプテン、３，４−（６’’−ｎ−プロピルベンゾ）シクロオクテン−１−オン−２−スピロ−５’−ビシクロ［２．２．１］−２’−ヘプテン、３，４−（３’’−ｉｓｏ−プロピルベンゾ）シクロオクテン−１−オン−２−スピロ−５’−ビシクロ［２．２．１］−２’−ヘプテン、３，４−（４’’−ｉｓｏ−プロピルベンゾ）シクロオクテン−１−オン−２−スピロ−５’−ビシクロ［２．２．１］−２’−ヘプテン、３，４−（５’’−ｉｓｏ−プロピルベンゾ）シクロオクテン−１−オン−２−スピロ−５’−ビシクロ［２．２．１］−２’−ヘプテン、３，４−（６’’−ｉｓｏ−プロピルベンゾ）シクロオクテン−１−オン−２−スピロ−５’−ビシクロ［２．２．１］−２’−ヘプテン、３，４−（３’’−ｎ−ブチルベンゾ）シクロオクテン−１−オン−２−スピロ−５’−ビシクロ［２．２．１］−２’−ヘプテン、３，４−（４’’−ｎ−ブチルベンゾ）シクロオクテン−１−オン−２−スピロ−５’−ビシクロ［２．２．１］−２’−ヘプテン、３，４−（５’’−ｎ−ブチルベンゾ）シクロオクテン−１−オン−２−スピロ−５’−ビシクロ［２．２．１］−２’−ヘプテン、３，４−（６’’−ｎ−ブチルベンゾ）シクロオクテン−１−オン−２−スピロ−５’−ビシクロ［２．２．１］−２’−ヘプテン、３，４−（３’’−ｉｓｏ−ブチルベンゾ）シクロオクテン−１−オン−２−スピロ−５’−ビシクロ［２．２．１］−２’−ヘプテン、３，４−（４’’−ｉｓｏ−ブチルベンゾ）シクロオクテン−１−オン−２−スピロ−５’−ビシクロ［２．２．１］−２’−ヘプテン、３，４−（５’’−ｉｓｏ−ブチルベンゾ）シクロオクテン−１−オン−２−スピロ−５’−ビシクロ［２．２．１］−２’−ヘプテン、３，４−（６’’−ｉｓｏ−ブチルベンゾ）シクロオクテン−１−オン−２−スピロ−５’−ビシクロ［２．２．１］−２’−ヘプテン、３，４−（３’’−ｓｅｃ−ブチルベンゾ）シクロオクテン−１−オン−２−スピロ−５’−ビシクロ［２．２．１］−２’−ヘプテン、３，４−（４’’−ｓｅｃ−ブチルベンゾ）シクロオクテン−１−オン−２−スピロ−５’−ビシクロ［２．２．１］−２’−ヘプテン、３，４−（５’’−ｓｅｃ−ブチルベンゾ）シクロオクテン−１−オン−２−スピロ−５’−ビシクロ［２．２．１］−２’−ヘプテン、３，４−（６’’−ｓｅｃ−ブチルベンゾ）シクロオクテン−１−オン−２−スピロ−５’−ビシクロ［２．２．１］−２’−ヘプテン、３，４−（３’’−ｔ−ブチルベンゾ）シクロオクテン−１−オン−２−スピロ−５’−ビシクロ［２．２．１］−２’−ヘプテン、３，４−（４’’−ｔ−ブチルベンゾ）シクロオクテン−１−オン−２−スピロ−５’−ビシクロ［２．２．１］−２’−ヘプテン、３，４−（５’’−ｔ−ブチルベンゾ）シクロオクテン−１−オン−２−スピロ−５’−ビシクロ［２．２．１］−２’−ヘプテン、３，４−（６’’−ｔ−ブチルベンゾ）シクロオクテン−１−オン−２−スピロ−５’−ビシクロ［２．２．１］−２’−ヘプテン、３，４−（３’’−シクロヘキシルベンゾ）シクロオクテン−１−オン−２−スピロ−５‘−ビシクロ［２．２．１］−２’−ヘプテン、３，４−（４’’−シクロヘキシルベンゾ）シクロオクテン−１−オン−２−スピロ−５’−ビシクロ［２．２．１］−２’−ヘプテン、３，４−（５’’−シクロヘキシルベンゾ）シクロヘプテン−１−オン−２−スピロ−５’−ビシクロ［２．２．１］−２’−ヘプテン、３，４−（６’’−シクロヘキシルベンゾ）シクロオクテン−１−オン−２−スピロ−５’−ビシクロ［
２．２．１］−２’−ヘプテン、３，４−（３’’−フェニルベンゾ）シクロオクテン−１−オン−２−スピロ−５’−ビシクロ［２．２．１］−２’−ヘプテン、３，４−（４’’−フェニルベンゾ）シクロオクテン−１−オン−２−スピロ−５’−ビシクロ［２．２．１］−２’−ヘプテン、３，４−（５’’−フェニルベンゾ）シクロオクテン−１−オン−２−スピロ−５’−ビシクロ［２．２．１］−２’−ヘプテン、３，４−（６’’−フェニルベンゾ）シクロオクテン−１−オン−２−スピロ−５’−ビシクロ［２．２．１］−２’−ヘプテン、３，４−（３’’−クロロベンゾ）シクロヘオクテン−１−オン−２−スピロ−５’−ビシクロ［２．２．１］−２’−ヘプテン、３，４−（４’’−クロロベンゾ）シクロオクテン−１−オン−２−スピロ−５’−ビシクロ［２．２．１］−２’−ヘプテン、３，４−（４’’−クロロベンゾ）シクロオクテン−１−オン−２−スピロ−５’−ビシクロ［２．２．１］−２’−ヘプテン、３，４−（４’’−クロロベンゾ）シクロオクテン−１−オン−２−スピロ−５’−ビシクロ［２．２．１］−２’−ヘプテン、３，４−（５’’−クロロベンゾ）シクロオクテン−１−オン−２−スピロ−５’−ビシクロ［２．２．１］−２’−ヘプテン、３，４−（６’’−クロロベンゾ）シクロオクテン−１−オン−２−スピロ−５’−ビシクロ［２．２．１］−２’−ヘプテン、３，４−（３’’−アミノベンゾ）シクロオクテン−１−オン−２−スピロ−５’−ビシクロ［２．２．１］−２’−ヘプテン、３，４−（４’’−アミノベンゾ）シクロオクテン−１−オン−２−スピロ−５’−ビシクロ［２．２．１］−２’−ヘプテン、３，４−（５’’−アミノベンゾ）シクロオクテン−１−オン−２−スピロ−５’−ビシクロ［２．２．１］−２’−ヘプテン、３，４−（６’’−アミノベンゾ）シクロオクテン−１−オン−２−スピロ−５’−ビシクロ［２．２．１］−２’−ヘプテン、３，４−（３’’−メトキシベンゾ）シクロオクテン−１−オン−２−スピロ−５‘−ビシクロ［２．２．１］−２’−ヘプテン、３，４−（４’’−メトキシベンゾ）シクロオクテン−１−オン−２−スピロ−５’−ビシクロ［２．２．１］−２’−ヘプテン、３，４−（５’’−メトキシベンゾ）シクロオクテン−１−オン−２−スピロ−５’−ビシクロ［２．２．１］−２’−ヘプテン、３，４−（６’’−メトキシベンゾ）シクロオクテン−１−オン−２−スピロ−５’−ビシクロ［２．２．１］−２’−ヘプテン、３，４−ベンゾシクロオクテン−１−オン−５−スピロ−５’−ビシクロ［２．２．１］−２’−ヘプテン、３，４−（３’’−メチルベンゾ）シクロオクテン−１−オン−５−スピロ−５’−ビシクロ［２．２．１］−２’−ヘプテン、３，４−（４’’−メチルベンゾ）シクロオクテン−１−オン−５−スピロ−５’−ビシクロ［２．２．１］−２’−ヘプテン、３，４−（５’’−メチルベンゾ）シクロオクテン−１−オン−５−スピロ−５’−ビシクロ［２．２．１］−２’−ヘプテン、３，４−（６’’−メチルベンゾ）シクロオクテン−１−オン−５−スピロ−５’−ビシクロ［２．２．１］−２’−ヘプテン、３，４−（３’’−エチルベンゾ）シクロオクテン−１−オン−５−スピロ−５’−ビシクロ［２．２．１］−２’−ヘプテン、３，４−（４’’−エチルベンゾ）シクロオクテン−１−オン−５−スピロ−５’−ビシクロ［２．２．１］−２’−ヘプテン、３，４−（５’’−エチルベンゾ）シクロオクテン−１−オン−５−スピロ−５’−ビシクロ［２．２．１］−２’−ヘプテン、３，４−（６’’−エチルベンゾ）シクロオクテン−１−オン−５−スピロ−５’−ビシクロ［２．２．１］−２’−ヘプテン、３，４−（３’’−ｎ−プロピルベンゾ）シクロオクテン−１−オン−５−スピロ−５’−ビシクロ［２．２．１］−２’−ヘプテン、３，４−（４’’−ｎ−プロピルベンゾ）シクロオクテン−１−オン−５−スピロ−５’−ビシクロ［２．２．１］−２’−ヘプテン、３，４−（５’’−ｎ−プロピルベンゾ）シクロオクテン−１−オン−５−スピロ−５’−ビシクロ［２．２．１］−２’−ヘプテン、３，４−（６’’−ｎ−プロピルベンゾ）シクロオクテン−１−オン−５−スピロ−５’−ビシクロ［２．２．１］−２’−ヘプテン、３，４−（３’’−ｉｓｏ−プロピルベンゾ）シクロオクテン−１−オン−５−スピロ−５’−ビシクロ［２．２．１］−２’−ヘプテン、３，４−（４’’−ｉｓｏ−プロピルベンゾ）シクロオクテン−１−オン−５−スピロ−５’−ビシクロ［２．２．１］−２’−ヘプテン、３，４−（５’’−ｉｓｏ−プロピルベンゾ）シクロオクテン−１−オン−５−スピロ−５’−ビシクロ［２．２．１］−２’−ヘプテン、３，４−（６’’−ｉｓｏ−プロピルベンゾ）シクロオクテン−１−オン−５−スピロ−５’−ビシクロ［２．２．１］−２’−ヘプテン、３，４−（３’’−ｎ−ブチルベンゾ）シクロオクテン−１−オン−５−スピロ−５’−ビシクロ［２．２．１］−２’−ヘプテン、３，４−（４’’−ｎ−ブチルベンゾ）シクロオクテン−１−オン−５−スピロ−５’−ビシクロ［２．２．１］−２’−ヘプテン、３，４−（５’’−ｎ−ブチルベンゾ）シクロオクテン−１−オン−５−スピロ−５’−ビシクロ［２．２．１］−２’−ヘプテン、３，４−（６’’−ｎ−ブチルベンゾ）シクロオクテン−１−オン−５−スピロ−５’−ビシクロ［２．２．１］−２’−ヘプテン、３，４−（３’’−ｉｓｏ−ブチルベンゾ）シクロオクテン−１−オン−５−スピロ−５’−ビシクロ［２．２．１］−２’−ヘプテン、３，４−（４’’−ｉｓｏ−ブチルベンゾ）シクロオクテン−１−オン−５−スピロ−５’−ビシクロ［２．２．１］−２’−ヘプテン、３，４−（５’’−ｉｓｏ−ブチルベンゾ）シクロオクテン−１−オン−５−スピロ−５’−ビシクロ［２．２．１］−２’−ヘプテン、３，４−（６’’−ｉｓｏ−ブチルベンゾ）シクロオクテン−１−オン−５−スピロ−５’−ビシクロ［２．２．１］−２’−ヘプテン、３，４−（３’’−ｓｅｃ−ブチルベンゾ）シクロオクテン−１−オン−５−スピロ−５’−ビシクロ［２．２．１］−２’−ヘプテン、３，４−（４’’−ｓｅｃ−ブチルベンゾ）シクロオクテン−１−オン−５−スピロ−５’−ビシクロ［２．２．１］−２’−ヘプテン、３，４−（５’’−ｓｅｃ−ブチルベンゾ）シクロオクテン−１−オン−５−スピロ−５’−ビシクロ［２．２．１］−２’−ヘプテン、３，４−（６’’−ｓｅｃ−ブチルベンゾ）シクロオクテン−１−オン−５−スピロ−５’−ビシクロ［２．２．１］−２’−ヘプテン、３，４−（３’’−ｔ−ブチルベンゾ）シクロオクテン−１−オン−５−スピロ−５’−ビシクロ［２．２．１］−２’−ヘプテン、３，４−（４’’−ｔ−ブチルベンゾ）シクロオクテン−１−オン−５−スピロ−５’−ビシクロ［２．２．１］−２’−ヘプテン、３，４−（５’’−ｔ−ブチルベンゾ）シクロオクテン−１−オン−５−スピロ−５’−ビシクロ［２．２．１］−２’−ヘプテン、３，４−（６’’−ｔ−ブチルベンゾ）シクロオクテン−１−オン−５−スピロ−５’−ビシクロ［２．２．１］−２’−ヘプテン、３，４−（３’’−シクロヘキシルベンゾ）シクロオクテン−１−オン−５−スピロ−５‘−ビシクロ［２．２．１］−２’−ヘプテン、３，４−（４’’−シクロヘキシルベンゾ）シクロオクテン−１−オン−５−スピロ−５’−ビシクロ［２．２．１］−２’−ヘプテン、３，４−（５’’−シクロヘキシルベンゾ）シクロヘプテン−１−オン−５−スピロ−５’−ビシクロ［２．２．１］−２’−ヘプテン、３，４−（６’’−シクロヘキシルベンゾ）シクロオクテン−１−オン−５−スピロ−５’−ビシクロ［２．２．１］−２’−ヘプテン、３，４−（３’’−フェニルベンゾ）シクロオクテン−１−オン−５−スピロ−５’−ビシクロ［２．２．１］−２’−ヘプテン、３，４−（４’’−フェニルベンゾ）シクロオクテン−１−オン−５−スピロ−５’−ビシクロ［２．２．１］−２’−ヘプテン、３，４−（５’’−フェニルベンゾ）シクロオクテン−１−オン−５−スピロ−５’−ビシクロ［２．２．１］−２’−ヘプテン、３，４−（６’’−フェニルベンゾ）シクロオクテン−１−オン−５−スピロ−５’−ビシクロ［２．２．１］−２’−ヘプテン、３，４−（３’’−クロロベンゾ）シクロヘオクテン−１−オン−５−スピロ−５’−ビシクロ［２．２．１］−２’−ヘプテン、３，４−（４’’−クロロベンゾ）シクロオクテン−１−オン−５−スピロ−５’−ビシクロ［２．２．１］−２’−ヘプテン、３，４−（４’’−クロロベンゾ）シクロオクテン−１−オン−５−スピロ−５’−ビシクロ［２．２．１］−２’−ヘプテン、３，４−（４’’−クロロベンゾ）シクロオクテン−１−オン−５−スピロ−５’−ビシクロ［２．２．１］−２’−ヘプテン、３，４−（５’’−クロロベンゾ）シクロオクテン−１−オン−５−スピロ−５’−ビシクロ［２．２．１］−２’−ヘプテン、３，４−（６’’−クロロベンゾ）シクロオクテン−１−オン−５−スピロ−５’−ビシクロ［２．２．１］−２’−ヘプテン、３，４−（３’’−アミノベンゾ）シクロオクテン−１−オン−５−スピロ−５’−ビシクロ［２．２．１］−２’−ヘプテン、３，４−（４’’−アミノベンゾ）シクロオクテン−１−オン−５−スピロ−５’−ビシクロ［２．２．１］−２’−ヘプテン、３，４−（５’’−アミノベンゾ）シクロオクテン−１−オン−５−スピロ−５’−ビシクロ［２．２．１］−２’−ヘプテン、３，４−（６’’−アミノベンゾ）シクロオクテン−１−オン−５−スピロ−５’−ビシクロ［２．２．１］−２’−ヘプテン、３，４−（３’’−メトキシベンゾ）シクロオクテン−１−オン−５−スピロ−５‘−ビシクロ［２．２．１］−２’−ヘプテン、３，４−（４’’−メトキシベンゾ）シクロオクテン−１−オン−５−スピロ−５’−ビシクロ［２．２．１］−２’−ヘプテン、３，４−（５’’−メトキシベンゾ）シクロオクテン−１−オン−５−スピロ−５’−ビシクロ［２．２．１］−２’−ヘプテン、３，４−（６’’−メトキシベンゾ）シクロオクテン−１−オン−５−スピロ−５’−ビシクロ［２．２．１］−２’−ヘプテン、３，４−ベンゾシクロオクテン−１−オン−６−スピロ−５’−ビシクロ［２．２．１］−２’−ヘプテン、３，４−（３’’−メチルベンゾ）シクロオクテン−１−オン−６−スピロ−５’−ビシクロ［２．２．１］−２’−ヘプテン、３，４−（４’’−メチルベンゾ）シクロオクテン−１−オン−６−スピロ−５’−ビシクロ［２．２．１］−２’−ヘプテン、３，４−（５’’−メチルベンゾ）シクロオクテン−１−オン−６−スピロ−５’−ビシクロ［２．２．１］−２’−ヘプテン、３，４−（６’’−メチルベンゾ）シクロオクテン−１−オン−６−スピロ−５’−ビシクロ［２．２．１］−２’−ヘプテン、３，４−（３’’−エチルベンゾ）シクロオクテン−１−オン−６−スピロ−５’−ビシクロ［２．２．１］−２’−ヘプテン、３，４−（４’’−エチルベンゾ）シクロオクテン−１−オン−６−スピロ−５’−ビシクロ［２．２．１］−２’−ヘプテン、３，４−（５’’−エチルベンゾ）シクロオクテン−１−オン−６−スピロ−５’−ビシクロ［２．２．１］−２’−ヘプテン、３，４−（６’’−エチルベンゾ）シクロオクテン−１−オン−６−スピロ−５’−ビシクロ［２．２．１］−２’−ヘプテン、３，４−（３’’−ｎ−プロピルベンゾ）シクロオクテン−１−オン−６−スピロ−５’−ビシクロ［２．２．１］−２’−ヘプテン、３，４−（４’’−ｎ−プロピルベンゾ）シクロオクテン−１−オン−６−スピロ−５’−ビシクロ［２．２．１］−２’−ヘプテン、３，４−（５’’−ｎ−プロピルベンゾ）シクロオクテン−１−オン−６−スピロ−５’−ビシクロ［２．２．１］−２’−ヘプテン、３，４−（６’’−ｎ−プロピルベンゾ）シクロオクテン−１−オン−６−スピロ−５’−ビシクロ［２．２．１］−２’−ヘプテン、３，４−（３’’−ｉ
ｓｏ−プロピルベンゾ）シクロオクテン−１−オン−６−スピロ−５’−ビシクロ［２．２．１］−２’−ヘプテン、３，４−（４’’−ｉｓｏ−プロピルベンゾ）シクロオクテン−１−オン−６−スピロ−５’−ビシクロ［２．２．１］−２’−ヘプテン、３，４−（５’’−ｉｓｏ−プロピルベンゾ）シクロオクテン−１−オン−６−スピロ−５’−ビシクロ［２．２．１］−２’−ヘプテン、３，４−（６’’−ｉｓｏ−プロピルベンゾ）シクロオクテン−１−オン−６−スピロ−５’−ビシクロ［２．２．１］−２’−ヘプテン、３，４−（３’’−ｎ−ブチルベンゾ）シクロオクテン−１−オン−６−スピロ−５’−ビシクロ［２．２．１］−２’−ヘプテン、３，４−（４’’−ｎ−ブチルベンゾ）シクロオクテン−１−オン−６−スピロ−５’−ビシクロ［２．２．１］−２’−ヘプテン、３，４−（５’’−ｎ−ブチルベンゾ）シクロオクテン−１−オン−６−スピロ−５’−ビシクロ［２．２．１］−２’−ヘプテン、３，４−（６’’−ｎ−ブチルベンゾ）シクロオクテン−１−オン−６−スピロ−５’−ビシクロ［２．２．１］−２’−ヘプテン、３，４−（３’’−ｉｓｏ−ブチルベンゾ）シクロオクテン−１−オン−６−スピロ−５’−ビシクロ［２．２．１］−２’−ヘプテン、３，４−（４’’−ｉｓｏ−ブチルベンゾ）シクロオクテン−１−オン−６−スピロ−５’−ビシクロ［２．２．１］−２’−ヘプテン、３，４−（５’’−ｉｓｏ−ブチルベンゾ）シクロオクテン−１−オン−６−スピロ−５’−ビシクロ［２．２．１］−２’−ヘプテン、３，４−（６’’−ｉｓｏ−ブチルベンゾ）シクロオクテン−１−オン−６−スピロ−５’−ビシクロ［２．２．１］−２’−ヘプテン、３，４−（３’’−ｓｅｃ−ブチルベンゾ）シクロオクテン−１−オン−６−スピロ−５’−ビシクロ［２．２．１］−２’−ヘプテン、３，４−（４’’−ｓｅｃ−ブチルベンゾ）シクロオクテン−１−オン−６−スピロ−５’−ビシクロ［２．２．１］−２’−ヘプテン、３，４−（５’’−ｓｅｃ−ブチルベンゾ）シクロオクテン−１−オン−６−スピロ−５’−ビシクロ［２．２．１］−２’−ヘプテン、３，４−（６’’−ｓｅｃ−ブチルベンゾ）シクロオクテン−１−オン−６−スピロ−５’−ビシクロ［２．２．１］−２’−ヘプテン、３，４−（３’’−ｔ−ブチルベンゾ）シクロオクテン−１−オン−６−スピロ−５’−ビシクロ［２．２．１］−２’−ヘプテン、３，４−（４’’−ｔ−ブチルベンゾ）シクロオクテン−１−オン−６−スピロ−５’−ビシクロ［２．２．１］−２’−ヘプテン、３，４−（５’’−ｔ−ブチルベンゾ）シクロオクテン−１−オン−６−スピロ−５’−ビシクロ［２．２．１］−２’−ヘプテン、３，４−（６’’−ｔ−ブチルベンゾ）シクロオクテン−１−オン−６−スピロ−５’−ビシクロ［２．２．１］−２’−ヘプテン、３，４−（３’’−シクロヘキシルベンゾ）シクロオクテン−１−オン−６−スピロ−５‘−ビシクロ［２．２．１］−２’−ヘプテン、３，４−（４’’−シクロヘキシルベンゾ）シクロオクテン−１−オン−６−スピロ−５’−ビシクロ［２．２．１］−２’−ヘプテン、３，４−（５’’−シクロヘキシルベンゾ）シクロヘプテン−１−オン−６−スピロ−５’−ビシクロ［２．２．１］−２’−ヘプテン、３，４−（６’’−シクロヘキシルベンゾ）シクロオクテン−１−オン−６−スピロ−５’−ビシクロ［２．２．１］−２’−ヘプテン、３，４−（３’’−フェニルベンゾ）シクロオクテン−１−オン−６−スピロ−５’−ビシクロ［２．２．１］−２’−ヘプテン、３，４−（４’’−フェニルベンゾ）シクロオクテン−１−オン−６−スピロ−５’−ビシクロ［２．２．１］−２’−ヘプテン、３，４−（５’’−フェニルベンゾ）シクロオクテン−１−オン−６−スピロ−５’−ビシクロ［２．２．１］−２’−ヘプテン、３，４−（６’’−フェニルベンゾ）シクロオクテン−１−オン−６−スピロ−５’−ビシクロ［２．２．１］−２’−ヘプテン、３，４−（３’’−クロロベンゾ）シクロヘオクテン−１−オン−６−スピロ−５’−ビシクロ［２．２．１］−２’−ヘプテン、３，４−（４’’−クロロベンゾ）シクロオクテン−１−オン−６−スピロ−５’−ビシクロ［２．２．１］−２’−ヘプテン、３，４−（４’’−クロロベンゾ）シクロオクテン−１−オン−６−スピロ−５’−ビシクロ［２．２．１］−２’−ヘプテン、３，４−（４’’−クロロベンゾ）シクロオクテン−１−オン−６−スピロ−５’−ビシクロ［２．２．１］−２’−ヘプテン、３，４−（５’’−クロロベンゾ）シクロオクテン−１−オン−６−スピロ−５’−ビシクロ［２．２．１］−２’−ヘプテン、３，４−（６’’−クロロベンゾ）シクロオクテン−１−オン−６−スピロ−５’−ビシクロ［２．２．１］−２’−ヘプテン、３，４−（３’’−アミノベンゾ）シクロオクテン−１−オン−６−スピロ−５’−ビシクロ［２．２．１］−２’−ヘプテン、３，４−（４’’−アミノベンゾ）シクロオクテン−１−オン−６−スピロ−５’−ビシクロ［２．２．１］−２’−ヘプテン、３，４−（５’’−アミノベンゾ）シクロオクテン−１−オン−６−スピロ−５’−ビシクロ［２．２．１］−２’−ヘプテン、３，４−（６’’−アミノベンゾ）シクロオクテン−１−オン−６−スピロ−５’−ビシクロ［２．２．１］−２’−ヘプテン、３，４−（３’’−メトキシベンゾ）シクロオクテン−１−オン−６−スピロ−５‘−ビシクロ［２．２．１］−２’−ヘプテン、３，４−（４’’−メトキシベンゾ）シクロオクテン−１−オン−６−スピロ−５’−ビシクロ［２．２．１］−２’−ヘプテン、３，４−（５’’−メトキシベンゾ）シクロオクテン−１−オン−６−スピロ−５’−ビシクロ［２．２．１］−２’−ヘプテン、３，４−（６’’−メトキシベンゾ）シクロオクテン−１−オン−６−スピロ−５’−ビシクロ［２．２．１］−２’−ヘプテン
３，４−ベンゾシクロオクテン−１−オン−７−スピロ−５’−ビシクロ［２．２．１］−２’−ヘプテン、３，４−（３’’−メチルベンゾ）シクロオクテン−１−オン−７−スピロ−５’−ビシクロ［２．２．１］−２’−ヘプテン、３，４−（４’’−メチルベンゾ）シクロオクテン−１−オン−７−スピロ−５’−ビシクロ［２．２．１］−２’−ヘプテン、３，４−（５’’−メチルベンゾ）シクロオクテン−１−オン−７−スピロ−５’−ビシクロ［２．２．１］−２’−ヘプテン、３，４−（６’’−メチルベンゾ）シクロオクテン−１−オン−７−スピロ−５’−ビシクロ［２．２．１］−２’−ヘプテン、３，４−（３’’−エチルベンゾ）シクロオクテン−１−オン−７−スピロ−５’−ビシクロ［２．２．１］−２’−ヘプテン、３，４−（４’’−エチルベンゾ）シクロオクテン−１−オン−７−スピロ−５’−ビシクロ［２．２．１］−２’−ヘプテン、３，４−（５’’−エチルベンゾ）シクロオクテン−１−オン−７−スピロ−５’−ビシクロ［２．２．１］−２’−ヘプテン、３，４−（６’’−エチルベンゾ）シクロオクテン−１−オン−７−スピロ−５’−ビシクロ［２．２．１］−２’−ヘプテン、３，４−（３’’−ｎ−プロピルベンゾ）シクロオクテン−１−オン−７−スピロ−５’−ビシクロ［２．２．１］−２’−ヘプテン、３，４−（４’’−ｎ−プロピルベンゾ）シクロオクテン−１−オン−７−スピロ−５’−ビシクロ［２．２．１］−２’−ヘプテン、３，４−（５’’−ｎ−プロピルベンゾ）シクロオクテン−１−オン−７−スピロ−５’−ビシクロ［２．２．１］−２’−ヘプテン、３，４−（６’’−ｎ−プロピルベンゾ）シクロオクテン−１−オン−７−スピロ−５’−ビシクロ［２．２．１］−２’−ヘプテン、３，４−（３’’−ｉｓｏ−プロピルベンゾ）シクロオクテン−１−オン−７−スピロ−５’−ビシクロ［２．２．１］−２’−ヘプテン、３，４−（４’’−ｉｓｏ−プロピルベンゾ）シクロオクテン−１−オン−７−スピロ−５’−ビシクロ［２．２．１］−２’−ヘプテン、３，４−（５’’−ｉｓｏ−プロピルベンゾ）シクロオクテン−１−オン−７−スピロ−５’−ビシクロ［２．２．１］−２’−ヘプテン、３，４−（６’’−ｉｓｏ−プロピルベンゾ）シクロオクテン−１−オン−７−スピロ−５’−ビシクロ［２．２．１］−２’−ヘプテン、３，４−（３’’−ｎ−ブチルベンゾ）シクロオクテン−１−オン−７−スピロ−５’−ビシクロ［２．２．１］−２’−ヘプテン、３，４−（４’’−ｎ−ブチルベンゾ）シクロオクテン−１−オン−７−スピロ−５’−ビシクロ［２．２．１］−２’−ヘプテン、３，４−（５’’−ｎ−ブチルベンゾ）シクロオクテン−１−オン−７−スピロ−５’−ビシクロ［２．２．１］−２’−ヘプテン、３，４−（６’’−ｎ−ブチルベンゾ）シクロオクテン−１−オン−７−スピロ−５’−ビシクロ［２．２．１］−２’−ヘプテン、３，４−（３’’−ｉｓｏ−ブチルベンゾ）シクロオクテン−１−オン−７−スピロ−５’−ビシクロ［２．２．１］−２’−ヘプテン、３，４−（４’’−ｉｓｏ−ブチルベンゾ）シクロオクテン−１−オン−７−スピロ−５’−ビシクロ［２．２．１］−２’−ヘプテン、３，４−（５’’−ｉｓｏ−ブチルベンゾ）シクロオクテン−１−オン−７−スピロ−５’−ビシクロ［２．２．１］−２’−ヘプテン、３，４−（６’’−ｉｓｏ−ブチルベンゾ）シクロオクテン−１−オン−７−スピロ−５’−ビシクロ［２．２．１］−２’−ヘプテン、３，４−（３’’−ｓｅｃ−ブチルベンゾ）シクロオクテン−１−オン−７−スピロ−５’−ビシクロ［２．２．１］−２’−ヘプテン、３，４−（４’’−ｓｅｃ−ブチルベンゾ）シクロオクテン−１−オン−７−スピロ−５’−ビシクロ［２．２．１］−２’−ヘプテン、３，４−（５’’−ｓｅｃ−ブチルベンゾ）シクロオクテン−１−オン−７−スピロ−５’−ビシクロ［２．２．１］−２’−ヘプテン、３，４−（６’’−ｓｅｃ−ブチルベンゾ）シクロオクテン−１−オン−７−スピロ−５’−ビシクロ［２．２．１］−２’−ヘプテン、３，４−（３’’−ｔ−ブチルベンゾ）シクロオクテン−１−オン−７−スピロ−５’−ビシクロ［２．２．１］−２’−ヘプテン、３，４−（４’’−ｔ−ブチルベンゾ）シクロオクテン−１−オン−７−スピロ−５’−ビシクロ［２．２．１］−２’−ヘプテン、３，４−（５’’−ｔ−ブチルベンゾ）シクロオクテン−１−オン−７−スピロ−５’−ビシクロ［２．２．１］−２’−ヘプテン、３，４−（６’’−ｔ−ブチルベンゾ）シクロオクテン−１−オン−７−スピロ−５’−ビシクロ［２．２．１］−２’−ヘプテン、３，４−（３’’−シクロヘキシルベンゾ）シクロオクテン−１−オン−７−スピロ−５‘−ビシクロ［２．２．１］−２’−ヘプテン、３，４−（４’’−シクロヘキシルベンゾ）シクロオクテン−１−オン−７−スピロ−５’−ビシクロ［２．２．１］−２’−ヘプテン、３，４−（５’’−シクロヘキシルベンゾ）シクロヘプテン−１−オン−７−スピロ−５’−ビシクロ［２．２．１］−２’−ヘプテン、３，４−（６’’−シクロヘキシルベンゾ）シクロオクテン−１−オン−７−スピロ−５’−ビシクロ［２．２．１］−２’−ヘプテン、３，４−（３’’−フェニルベンゾ）シクロオクテン−１−オン−７−スピロ−５’−ビシクロ［２．２．１］−２’−ヘプテン、３，４−（４’’−フェニルベンゾ）シクロオクテン−１−オン−７−スピロ−５’−ビシクロ［２．２．１］−２’−ヘプテン、３，４−（５’’−フェニルベンゾ）シクロオクテン−１−オン−７−スピロ−５’−ビシクロ［２．２．１］−２’−ヘプテン、３，４−（６’’−フェニルベンゾ）シクロオクテン−１−オン−７−スピロ−５’−ビシクロ［２．２．１］−２’−ヘプテン、３，４−（３’’−クロロベンゾ）シクロヘオクテン−１−オン−７−スピロ−５’−ビシクロ［２．２．１］−２’−ヘプテン、３，４−（４’’−クロロベンゾ）シクロオクテン−１−オン−７−スピロ−５’−ビシクロ［２．２．１］−２’−ヘプテン、３，４−（４’’−クロロベンゾ）シクロオクテン−１−オン−７−スピロ−５’−ビシクロ［２．２．１］−２’−ヘプテン、３，４−（４’’−クロロベンゾ）シクロオクテン−１−オン−７−スピロ−５’−ビシクロ［２．２．１］−２’−ヘプテン、３，４−（５’’−クロロベンゾ）シクロオクテン−１−オン−７−スピロ−５’−ビシクロ［２．２．１］−２’−ヘプテン、３，４−（６’’−クロロベンゾ）シクロオクテン−１−オン−７−スピロ−５’−ビシクロ［２．２．１］−２’−ヘプテン、３，４−（３’’−アミノベンゾ）シクロオクテン−１−オン−７−スピロ−５’−ビシクロ［２．２．１］−２’−ヘプテン、３，４−（４’’−アミノベンゾ）シクロオクテン−１−オン−７−スピロ−５’−ビシクロ［２．２．１］−２’−ヘプテン、３，４−（５’’−アミノベンゾ）シクロオクテン−１−オン−７−スピロ−５’−ビシクロ［２．２．１］−２’−ヘプテン、３，４−（６’’−アミノベンゾ）シクロオクテン−１−オン−７−スピロ−５’−ビシクロ［２．２．１］−２’−ヘプテン、３，４−（３’’−メトキシベンゾ）シクロオクテン−１−オン−７−スピロ−５‘−ビシクロ［２．２．１］−２’−ヘプテン、３，４−（４’’−メトキシベンゾ）シクロオクテン−１−オン−７−スピロ−５’−ビシクロ［２．２．１］−２’−ヘプテン、３，４−（５’’−メトキシベンゾ）シクロオクテン−１−オン−７−スピロ−５’−ビシクロ［２．２．１］−２’−ヘプテン、３，４−（６’’−メトキシベンゾ）シクロオクテン−１−オン−７−スピロ−５’−ビシクロ［２．２．１］−２’−ヘプテン、３，４−ベンゾシクロオクテン−１−オン−８−スピロ−５’−ビシクロ［２．２．１］−２’−ヘプテン、３，４−（３’’−メチルベンゾ）シクロオクテン−１−オン−８−スピロ−５’−ビシクロ［２．２．１］−２’−ヘプテン、３，４−（４’’−メチルベンゾ）シクロオクテン−１−オン−８−スピロ−５’−ビシクロ［２．２．１］−２’−ヘプテン、３，４−（５’’−メチルベンゾ）シクロオクテン−１−オン−８−スピロ−５’−ビシクロ［２．２．１］−２’−ヘプテン、３，４−（６’’−メチルベンゾ）シクロオクテン−１−オン−８−スピロ−５’−ビシクロ［２．２．１］−２’−ヘプテン、３，４−（３’’−エチルベンゾ）シクロオクテン−１−オン−８−スピロ−５’−ビシクロ［２．２．１］−２’−ヘプテン、３，４−（４’’−エチルベンゾ）シクロオクテン−１−オン−８−スピロ−５’−ビシクロ［２．２．１］−２’−ヘプテン、３，４−（５’’−エチルベンゾ）シクロオクテン−１−オン−８−スピロ−５’−ビシクロ［２．２．１］−２’−ヘプテン、３，４−（６’’−エチルベンゾ）シクロオクテン−１−オン−８−スピロ−５’−ビシクロ［２．２．１］−２’−ヘプテン、３，４−（３’’−ｎ−プロピルベンゾ）シクロオクテン−１−オン−８−スピロ−５’−ビシクロ［２．２．１］−２’−ヘプテン、３，４−（４’’−ｎ−プロピルベンゾ）シクロオクテン−１−オン−８−スピロ−５’−ビシクロ［２．２．１］−２’−ヘプテン、３，４−（５’’−ｎ−プロピルベンゾ）シクロオクテン−１−オン−８−スピロ−５’−ビシクロ［２．２．１］−２’−ヘプテン、３，４−（６’’−ｎ−プロピルベンゾ）シクロオクテン−１−オン−８−スピロ−５’−ビシクロ［２．２．１］−２’−ヘプテン、３，４−（３’’−ｉｓｏ−プロピルベンゾ）シクロオクテン−１−オン−８−スピロ−５’−ビシクロ［２．２．１］−２’−ヘプテン、３，４−（４’’−ｉｓｏ−プロピルベンゾ）シクロオクテン−１−オン−８−スピロ−５’−ビシクロ［２．２．１］−２’−ヘプテン、３，４−（５’’−ｉｓｏ−プロピルベンゾ）シクロオクテン−１−オン−８−スピロ−５’−ビシクロ［２．２．１］−２’−ヘプテン、３，４−（６’’−ｉｓｏ−プロピルベンゾ）シクロオクテン−１−オン−８−スピロ−５’−ビシクロ［２．２．１］−２’−ヘプテン、３，４−（３’’−ｎ−ブチルベンゾ）シクロオクテン−１−オン−８−スピロ−５’−ビシクロ［２．２．１］−２’−ヘプテン、３，４−（４’’−ｎ−ブチルベンゾ）シクロオクテン−１−オン−８−スピロ−５’−ビシクロ［２．２．１］−２’−ヘプテン、３，４−（５’’−ｎ−ブチルベンゾ）シクロオクテン−１−オン−８−スピロ−５’−ビシクロ［２．２．１］−２’−ヘプテン、３，４−（６’’−ｎ−ブチルベンゾ）シクロオクテン−１−オン−８−スピロ−５’−ビシクロ［２．２．１］−２’−ヘプテン、３，４−（３’’−ｉｓｏ−ブチルベンゾ）シクロオクテン−１−オン−８−スピロ−５’−ビシクロ［２．２．１］−２’−ヘプテン、３，４−（４’’−ｉｓｏ−ブチルベンゾ）シクロオクテン−１−オン−８−スピロ−５’−ビシクロ［２．２．１］−２’−ヘプテン、３，４−（５’’−ｉｓｏ−ブチルベンゾ）シクロオクテン−１−オン−８−スピロ−５’−ビシクロ［２．２．１］−２’−ヘプテン、３，４−（６’’−ｉｓｏ−ブチルベンゾ）シクロオクテン−１−オン−８−スピロ−５’−ビシクロ［２．２．１］−２’−ヘプテン、３，４−（３’’−ｓｅｃ−ブチルベンゾ）シクロオクテン−１−オン−８−スピロ−５’−ビシクロ［２．２．１］−２’−ヘプテン、３，４−（４’’−ｓｅｃ−ブチルベンゾ）シクロオクテン−１−オン−８−スピロ−５’−ビシクロ［２．２．１］−２’−ヘプテン、３，４−（５’’−ｓｅｃ−ブチルベンゾ）シクロオクテン−１−オン−８−スピロ−５’−ビシクロ［２．２．１］−２’−ヘプテン、３，４−（６’’−ｓｅｃ−ブチルベンゾ）シクロオクテン−１−オン−８−スピロ−５’−ビシクロ［２．２．１］−２’−ヘプテン、３，４−（３’’−ｔ−ブチルベンゾ）シクロオクテン−１−オン−８−スピロ−５’−ビシクロ［２．２．１］−２’−ヘプテン、３，４−（４’’−ｔ−ブチルベンゾ）シクロオクテン−１−オン
−８−スピロ−５’−ビシクロ［２．２．１］−２’−ヘプテン、３，４−（５’’−ｔ−ブチルベンゾ）シクロオクテン−１−オン−８−スピロ−５’−ビシクロ［２．２．１］−２’−ヘプテン、３，４−（６’’−ｔ−ブチルベンゾ）シクロオクテン−１−オン−８−スピロ−５’−ビシクロ［２．２．１］−２’−ヘプテン、３，４−（３’’−シクロヘキシルベンゾ）シクロオクテン−１−オン−８−スピロ−５‘−ビシクロ［２．２．１］−２’−ヘプテン、３，４−（４’’−シクロヘキシルベンゾ）シクロオクテン−１−オン−８−スピロ−５’−ビシクロ［２．２．１］−２’−ヘプテン、３，４−（５’’−シクロヘキシルベンゾ）シクロヘプテン−１−オン−８−スピロ−５’−ビシクロ［２．２．１］−２’−ヘプテン、３，４−（６’’−シクロヘキシルベンゾ）シクロオクテン−１−オン−８−スピロ−５’−ビシクロ［２．２．１］−２’−ヘプテン、３，４−（３’’−フェニルベンゾ）シクロオクテン−１−オン−８−スピロ−５’−ビシクロ［２．２．１］−２’−ヘプテン、３，４−（４’’−フェニルベンゾ）シクロオクテン−１−オン−８−スピロ−５’−ビシクロ［２．２．１］−２’−ヘプテン、３，４−（５’’−フェニルベンゾ）シクロオクテン−１−オン−８−スピロ−５’−ビシクロ［２．２．１］−２’−ヘプテン、３，４−（６’’−フェニルベンゾ）シクロオクテン−１−オン−８−スピロ−５’−ビシクロ［２．２．１］−２’−ヘプテン、３，４−（３’’−クロロベンゾ）シクロヘオクテン−１−オン−８−スピロ−５’−ビシクロ［２．２．１］−２’−ヘプテン、３，４−（４’’−クロロベンゾ）シクロオクテン−１−オン−８−スピロ−５’−ビシクロ［２．２．１］−２’−ヘプテン、３，４−（４’’−クロロベンゾ）シクロオクテン−１−オン−８−スピロ−５’−ビシクロ［２．２．１］−２’−ヘプテン、３，４−（４’’−クロロベンゾ）シクロオクテン−１−オン−８−スピロ−５’−ビシクロ［２．２．１］−２’−ヘプテン、３，４−（５’’−クロロベンゾ）シクロオクテン−１−オン−８−スピロ−５’−ビシクロ［２．２．１］−２’−ヘプテン、３，４−（６’’−クロロベンゾ）シクロオクテン−１−オン−８−スピロ−５’−ビシクロ［２．２．１］−２’−ヘプテン、３，４−（３’’−アミノベンゾ）シクロオクテン−１−オン−８−スピロ−５’−ビシクロ［２．２．１］−２’−ヘプテン、３，４−（４’’−アミノベンゾ）シクロオクテン−１−オン−８−スピロ−５’−ビシクロ［２．２．１］−２’−ヘプテン、３，４−（５’’−アミノベンゾ）シクロオクテン−１−オン−６−スピロ−５’−ビシクロ［２．２．１］−２’−ヘプテン、３，４−（６’’−アミノベンゾ）シクロオクテン−１−オン−８−スピロ−５’−ビシクロ［２．２．１］−２’−ヘプテン、３，４−（３’’−メトキシベンゾ）シクロオクテン−１−オン−８−スピロ−５‘−ビシクロ［２．２．１］−２’−ヘプテン、３，４−（４’’−メトキシベンゾ）シクロオクテン−１−オン−８−スピロ−５’−ビシクロ［２．２．１］−２’−ヘプテン、３，４−（５’’−メトキシベンゾ）シクロオクテン−１−オン−８−スピロ−５’−ビシクロ［２．２．１］−２’−ヘプテン、３，４−（６’’−メトキシベンゾ）シクロオクテン−１−オン−８−スピロ−５’−ビシクロ［２．２．１］−２’−ヘプテン、４，５−ベンゾシクロオクテン−１−オン−２−スピロ−５’−ビシクロ［２．２．１］−２’−ヘプテン、４，５−（３’’−メチルベンゾ）シクロオクテン−１−オン−２−スピロ−５’−ビシクロ［２．２．１］−２’−ヘプテン、４，５−（４’’−メチルベンゾ）シクロオクテン−１−オン−２−スピロ−５’−ビシクロ［２．２．１］−２’−ヘプテン、４，５−（５’’−メチルベンゾ）シクロオクテン−１−オン−２−スピロ−５’−ビシクロ［２．２．１］−２’−ヘプテン、４，５−（６’’−メチルベンゾ）シクロオクテン−１−オン−２−スピロ−５’−ビシクロ［２．２．１］−２’−ヘプテン、４，５−（３’’−エチルベンゾ）シクロオクテン−１−オン−２−スピロ−５’−ビシクロ［２．２．１］−２’−ヘプテン、４，５−（４’’−エチルベンゾ）シクロオクテン−１−オン−２−スピロ−５’−ビシクロ［２．２．１］−２’−ヘプテン、４，５−（５’’−エチルベンゾ）シクロオクテン−１−オン−２−スピロ−５’−ビシクロ［２．２．１］−２’−ヘプテン、４，５−（６’’−エチルベンゾ）シクロオクテン−１−オン−２−スピロ−５’−ビシクロ［２．２．１］−２’−ヘプテン、４，５−（３’’−ｎ−プロピルベンゾ）シクロオクテン−１−オン−２−スピロ−５’−ビシクロ［２．２．１］−２’−ヘプテン、４，５−（４’’−ｎ−プロピルベンゾ）シクロオクテン−１−オン−２−スピロ−５’−ビシクロ［２．２．１］−２’−ヘプテン、４，５−（５’’−ｎ−プロピルベンゾ）シクロオクテン−１−オン−２−スピロ−５’−ビシクロ［２．２．１］−２’−ヘプテン、４，５−（６’’−ｎ−プロピルベンゾ）シクロオクテン−１−オン−２−スピロ−５’−ビシクロ［２．２．１］−２’−ヘプテン、４，５−（３’’−ｉｓｏ−プロピルベンゾ）シクロオクテン−１−オン−２−スピロ−５’−ビシクロ［２．２．１］−２’−ヘプテン、４，５−（４’’−ｉｓｏ−プロピルベンゾ）シクロオクテン−１−オン−２−スピロ−５’−ビシクロ［２．２．１］−２’−ヘプテン、４，５−（５’’−ｉｓｏ−プロピルベンゾ）シクロオクテン−１−オン−２−スピロ−５’−ビシクロ［２．２．１］−２’−ヘプテン、４，５−（６’’−ｉｓｏ−プロピルベンゾ）シクロオクテン−１−オン−２−スピロ−５’−ビシクロ［２．２．１］−２’−ヘプテン、４，５−（３’’−ｎ−ブチルベンゾ）シクロオクテン−１−オン−２−スピロ−５’−ビシクロ［２．２．１］−２’−ヘプテン、４，５−（４’’−ｎ−ブチルベンゾ）シクロオクテン−１−オン−２−スピロ−５’−ビシクロ［２．２．１］−２’−ヘプテン、４，５−（５’’−ｎ−ブチルベンゾ）シクロオクテン−１−オン−２−スピロ−５’−ビシクロ［２．２．１］−２’−ヘプテン、４，５−（６’’−ｎ−ブチルベンゾ）シクロオクテン−１−オン−２−スピロ−５’−ビシクロ［２．２．１］−２’−ヘプテン、４，５−（３’’−ｉｓｏ−ブチルベンゾ）シクロオクテン−１−オン−２−スピロ−５’−ビシクロ［２．２．１］−２’−ヘプテン、４，５−（４’’−ｉｓｏ−ブチルベンゾ）シクロオクテン−１−オン−２−スピロ−５’−ビシクロ［２．２．１］−２’−ヘプテン、４，５−（５’’−ｉｓｏ−ブチルベンゾ）シクロオクテン−１−オン−２−スピロ−５’−ビシクロ［２．２．１］−２’−ヘプテン、４，５−（６’’−ｉｓｏ−ブチルベンゾ）シクロオクテン−１−オン−２−スピロ−５’−ビシクロ［２．２．１］−２’−ヘプテン、４，５−（３’’−ｓｅｃ−ブチルベンゾ）シクロオクテン−１−オン−２−スピロ−５’−ビシクロ［２．２．１］−２’−ヘプテン、４，５−（４’’−ｓｅｃ−ブチルベンゾ）シクロオクテン−１−オン−２−スピロ−５’−ビシクロ［２．２．１］−２’−ヘプテン、４，５−（５’’−ｓｅｃ−ブチルベンゾ）シクロオクテン−１−オン−２−スピロ−５’−ビシクロ［２．２．１］−２’−ヘプテン、４，５−（６’’−ｓｅｃ−ブチルベンゾ）シクロオクテン−１−オン−２−スピロ−５’−ビシクロ［２．２．１］−２’−ヘプテン、４，５−（３’’−ｔ−ブチルベンゾ）シクロオクテン−１−オン−２−スピロ−５’−ビシクロ［２．２．１］−２’−ヘプテン、４，５−（４’’−ｔ−ブチルベンゾ）シクロオクテン−１−オン−２−スピロ−５’−ビシクロ［２．２．１］−２’−ヘプテン、４，５−（５’’−ｔ−ブチルベンゾ）シクロオクテン−１−オン−２−スピロ−５’−ビシクロ［２．２．１］−２’−ヘプテン、４，５−（６’’−ｔ−ブチルベンゾ）シクロオクテン−１−オン−２−スピロ−５’−ビシクロ［２．２．１］−２’−ヘプテン、４，５−（３’’−シクロヘキシルベンゾ）シクロオクテン−１−オン−２−スピロ−５‘−ビシクロ［２．２．１］−２’−ヘプテン、４，５−（４’’−シクロヘキシルベンゾ）シクロオクテン−１−オン−２−スピロ−５’−ビシクロ［２．２．１］−２’−ヘプテン、４，５−（５’’−シクロヘキシルベンゾ）シクロヘプテン−１−オン−２−スピロ−５’−ビシクロ［２．２．１］−２’−ヘプテン、４，５−（６’’−シクロヘキシルベンゾ）シクロオクテン−１−オン−２−スピロ−５’−ビシクロ［２．２．１］−２’−ヘプテン、４，５−（３’’−フェニルベンゾ）シクロオクテン−１−オン−２−スピロ−５’−ビシクロ［２．２．１］−２’−ヘプテン、４，５−（４’’−フェニルベンゾ）シクロオクテン−１−オン−２−スピロ−５’−ビシクロ［２．２．１］−２’−ヘプテン、４，５−（５’’−フェニルベンゾ）シクロオクテン−１−オン−２−スピロ−５’−ビシクロ［２．２．１］−２’−ヘプテン、４，５−（６’’−フェニルベンゾ）シクロオクテン−１−オン−２−スピロ−５’−ビシクロ［２．２．１］−２’−ヘプテン、４，５−（３’’−クロロベンゾ）シクロヘオクテン−１−オン−２−スピロ−５’−ビシクロ［２．２．１］−２’−ヘプテン、４，５−（４’’−クロロベンゾ）シクロオクテン−１−オン−２−スピロ−５’−ビシクロ［２．２．１］−２’−ヘプテン、４，５−（４’’−クロロベンゾ）シクロオクテン−１−オン−２−スピロ−５’−ビシクロ［２．２．１］−２’−ヘプテン、４，５−（４’’−クロロベンゾ）シクロオクテン−１−オン−２−スピロ−５’−ビシクロ［２．２．１］−２’−ヘプテン、４，５−（５’’−クロロベンゾ）シクロオクテン−１−オン−２−スピロ−５’−ビシクロ［２．２．１］−２’−ヘプテン、４，５−（６’’−クロロベンゾ）シクロオクテン−１−オン−２−スピロ−５’−ビシクロ［２．２．１］−２’−ヘプテン、４，５−（３’’−アミノベンゾ）シクロオクテン−１−オン−２−スピロ−５’−ビシクロ［２．２．１］−２’−ヘプテン、４，５−（４’’−アミノベンゾ）シクロオクテン−１−オン−２−スピロ−５’−ビシクロ［２．２．１］−２’−ヘプテン、４，５−（５’’−アミノベンゾ）シクロオクテン−１−オン−２−スピロ−５’−ビシクロ［２．２．１］−２’−ヘプテン、４，５−（６’’−アミノベンゾ）シクロオクテン−１−オン−２−スピロ−５’−ビシクロ［２．２．１］−２’−ヘプテン、４，５−（３’’−メトキシベンゾ）シクロオクテン−１−オン−２−スピロ−５‘−ビシクロ［２．２．１］−２’−ヘプテン、４，５−（４’’−メトキシベンゾ）シクロオクテン−１−オン−２−スピロ−５’−ビシクロ［２．２．１］−２’−ヘプテン、４，５−（５’’−メトキシベンゾ）シクロオクテン−１−オン−２−スピロ−５’−ビシクロ［２．２．１］−２’−ヘプテン、４，５−（６’’−メトキシベンゾ）シクロオクテン−１−オン−２−スピロ−５’−ビシクロ［２．２．１］−２’−ヘプテン、４，５−ベンゾシクロオクテン−１−オン−３−スピロ−５’−ビシクロ［２．２．１］−２’−ヘプテン、４，５−（３’’−メチルベンゾ）シクロオクテン−１−オン−３−スピロ−５’−ビシクロ［２．２．１］−２’−ヘプテン、４，５−（４’’−メチルベンゾ）シクロオクテン−１−オン−３−スピロ−５’−ビシクロ［２．２．１］−２’−ヘプテン、４，５−（５’’−メチルベンゾ）シクロオクテン−１−オン−３−スピロ−５’−ビシクロ［２．２．１］−２’−ヘプテン、４，５−（６’’−メチルベンゾ）シクロオクテン−１−オン−３−スピロ−５’−ビシクロ［２．２．１］−２’−ヘプテン、４，５−（３’’−エチルベンゾ）シクロオクテン−１−オン−３−スピロ−５’−ビシクロ［２．２．１］−２’−ヘプテン、４，５−（４’’−エチルベンゾ）シクロオクテン−１−オン−３−スピロ−５’−ビシクロ［２．
２．１］−２’−ヘプテン、４，５−（５’’−エチルベンゾ）シクロオクテン−１−オン−３−スピロ−５’−ビシクロ［２．２．１］−２’−ヘプテン、４，５−（６’’−エチルベンゾ）シクロオクテン−１−オン−３−スピロ−５’−ビシクロ［２．２．１］−２’−ヘプテン、４，５−（３’’−ｎ−プロピルベンゾ）シクロオクテン−１−オン−３−スピロ−５’−ビシクロ［２．２．１］−２’−ヘプテン、４，５−（４’’−ｎ−プロピルベンゾ）シクロオクテン−１−オン−３−スピロ−５’−ビシクロ［２．２．１］−２’−ヘプテン、４，５−（５’’−ｎ−プロピルベンゾ）シクロオクテン−１−オン−３−スピロ−５’−ビシクロ［２．２．１］−２’−ヘプテン、４，５−（６’’−ｎ−プロピルベンゾ）シクロオクテン−１−オン−３−スピロ−５’−ビシクロ［２．２．１］−２’−ヘプテン、４，５−（３’’−ｉｓｏ−プロピルベンゾ）シクロオクテン−１−オン−３−スピロ−５’−ビシクロ［２．２．１］−２’−ヘプテン、４，５−（４’’−ｉｓｏ−プロピルベンゾ）シクロオクテン−１−オン−３−スピロ−５’−ビシクロ［２．２．１］−２’−ヘプテン、４，５−（５’’−ｉｓｏ−プロピルベンゾ）シクロオクテン−１−オン−３−スピロ−５’−ビシクロ［２．２．１］−２’−ヘプテン、４，５−（６’’−ｉｓｏ−プロピルベンゾ）シクロオクテン−１−オン−３−スピロ−５’−ビシクロ［２．２．１］−２’−ヘプテン、４，５−（３’’−ｎ−ブチルベンゾ）シクロオクテン−１−オン−３−スピロ−５’−ビシクロ［２．２．１］−２’−ヘプテン、４，５−（４’’−ｎ−ブチルベンゾ）シクロオクテン−１−オン−３−スピロ−５’−ビシクロ［２．２．１］−２’−ヘプテン、４，５−（５’’−ｎ−ブチルベンゾ）シクロオクテン−１−オン−３−スピロ−５’−ビシクロ［２．２．１］−２’−ヘプテン、４，５−（６’’−ｎ−ブチルベンゾ）シクロオクテン−１−オン−３−スピロ−５’−ビシクロ［２．２．１］−２’−ヘプテン、４，５−（３’’−ｉｓｏ−ブチルベンゾ）シクロオクテン−１−オン−３−スピロ−５’−ビシクロ［２．２．１］−２’−ヘプテン、４，５−（４’’−ｉｓｏ−ブチルベンゾ）シクロオクテン−１−オン−３−スピロ−５’−ビシクロ［２．２．１］−２’−ヘプテン、４，５−（５’’−ｉｓｏ−ブチルベンゾ）シクロオクテン−１−オン−３−スピロ−５’−ビシクロ［２．２．１］−２’−ヘプテン、４，５−（６’’−ｉｓｏ−ブチルベンゾ）シクロオクテン−１−オン−３−スピロ−５’−ビシクロ［２．２．１］−２’−ヘプテン、４，５−（３’’−ｓｅｃ−ブチルベンゾ）シクロオクテン−１−オン−３−スピロ−５’−ビシクロ［２．２．１］−２’−ヘプテン、４，５−（４’’−ｓｅｃ−ブチルベンゾ）シクロオクテン−１−オン−３−スピロ−５’−ビシクロ［２．２．１］−２’−ヘプテン、４，５−（５’’−ｓｅｃ−ブチルベンゾ）シクロオクテン−１−オン−３−スピロ−５’−ビシクロ［２．２．１］−２’−ヘプテン、４，５−（６’’−ｓｅｃ−ブチルベンゾ）シクロオクテン−１−オン−３−スピロ−５’−ビシクロ［２．２．１］−２’−ヘプテン、４，５−（３’’−ｔ−ブチルベンゾ）シクロオクテン−１−オン−３−スピロ−５’−ビシクロ［２．２．１］−２’−ヘプテン、４，５−（４’’−ｔ−ブチルベンゾ）シクロオクテン−１−オン−３−スピロ−５’−ビシクロ［２．２．１］−２’−ヘプテン、４，５−（５’’−ｔ−ブチルベンゾ）シクロオクテン−１−オン−３−スピロ−５’−ビシクロ［２．２．１］−２’−ヘプテン、４，５−（６’’−ｔ−ブチルベンゾ）シクロオクテン−１−オン−３−スピロ−５’−ビシクロ［２．２．１］−２’−ヘプテン、４，５−（３’’−シクロヘキシルベンゾ）シクロオクテン−１−オン−３−スピロ−５‘−ビシクロ［２．２．１］−２’−ヘプテン、４，５−（４’’−シクロヘキシルベンゾ）シクロオクテン−１−オン−３−スピロ−５’−ビシクロ［２．２．１］−２’−ヘプテン、４，５−（５’’−シクロヘキシルベンゾ）シクロヘプテン−１−オン−３−スピロ−５’−ビシクロ［２．２．１］−２’−ヘプテン、４，５−（６’’−シクロヘキシルベンゾ）シクロオクテン−１−オン−３−スピロ−５’−ビシクロ［２．２．１］−２’−ヘプテン、４，５−（３’’−フェニルベンゾ）シクロオクテン−１−オン−３−スピロ−５’−ビシクロ［２．２．１］−２’−ヘプテン、４，５−（４’’−フェニルベンゾ）シクロオクテン−１−オン−３−スピロ−５’−ビシクロ［２．２．１］−２’−ヘプテン、４，５−（５’’−フェニルベンゾ）シクロオクテン−１−オン−３−スピロ−５’−ビシクロ［２．２．１］−２’−ヘプテン、４，５−（６’’−フェニルベンゾ）シクロオクテン−１−オン−３−スピロ−５’−ビシクロ［２．２．１］−２’−ヘプテン、４，５−（３’’−クロロベンゾ）シクロヘオクテン−１−オン−３−スピロ−５’−ビシクロ［２．２．１］−２’−ヘプテン、４，５−（４’’−クロロベンゾ）シクロオクテン−１−オン−３−スピロ−５’−ビシクロ［２．２．１］−２’−ヘプテン、４，５−（４’’−クロロベンゾ）シクロオクテン−１−オン−３−スピロ−５’−ビシクロ［２．２．１］−２’−ヘプテン、４，５−（４’’−クロロベンゾ）シクロオクテン−１−オン−３−スピロ−５’−ビシクロ［２．２．１］−２’−ヘプテン、４，５−（５’’−クロロベンゾ）シクロオクテン−１−オン−３−スピロ−５’−ビシクロ［２．２．１］−２’−ヘプテン、４，５−（６’’−クロロベンゾ）シクロオクテン−１−オン−３−スピロ−５’−ビシクロ［２．２．１］−２’−ヘプテン、４，５−（３’’−アミノベンゾ）シクロオクテン−１−オン−３−スピロ−５’−ビシクロ［２．２．１］−２’−ヘプテン、４，５−（４’’−アミノベンゾ）シクロオクテン−１−オン−３−スピロ−５’−ビシクロ［２．２．１］−２’−ヘプテン、４，５−（５’’−アミノベンゾ）シクロオクテン−１−オン−３−スピロ−５’−ビシクロ［２．２．１］−２’−ヘプテン、４，５−（６’’−アミノベンゾ）シクロオクテン−１−オン−３−スピロ−５’−ビシクロ［２．２．１］−２’−ヘプテン、４，５−（３’’−メトキシベンゾ）シクロオクテン−１−オン−３−スピロ−５‘−ビシクロ［２．２．１］−２’−ヘプテン、４，５−（４’’−メトキシベンゾ）シクロオクテン−１−オン−３−スピロ−５’−ビシクロ［２．２．１］−２’−ヘプテン、４，５−（５’’−メトキシベンゾ）シクロオクテン−１−オン−３−スピロ−５’−ビシクロ［２．２．１］−２’−ヘプテン、４，５−（６’’−メトキシベンゾ）シクロオクテン−１−オン−３−スピロ−５’−ビシクロ［２．２．１］−２’−ヘプテン、４，５−ベンゾシクロオクテン−１−オン−６−スピロ−５’−ビシクロ［２．２．１］−２’−ヘプテン、４，５−（３’’−メチルベンゾ）シクロオクテン−１−オン−６−スピロ−５’−ビシクロ［２．２．１］−２’−ヘプテン、４，５−（４’’−メチルベンゾ）シクロオクテン−１−オン−６−スピロ−５’−ビシクロ［２．２．１］−２’−ヘプテン、４，５−（５’’−メチルベンゾ）シクロオクテン−１−オン−６−スピロ−５’−ビシクロ［２．２．１］−２’−ヘプテン、４，５−（６’’−メチルベンゾ）シクロオクテン−１−オン−６−スピロ−５’−ビシクロ［２．２．１］−２’−ヘプテン、４，５−（３’’−エチルベンゾ）シクロオクテン−１−オン−６−スピロ−５’−ビシクロ［２．２．１］−２’−ヘプテン、４，５−（４’’−エチルベンゾ）シクロオクテン−１−オン−６−スピロ−５’−ビシクロ［２．２．１］−２’−ヘプテン、４，５−（５’’−エチルベンゾ）シクロオクテン−１−オン−６−スピロ−５’−ビシクロ［２．２．１］−２’−ヘプテン、４，５−（６’’−エチルベンゾ）シクロオクテン−１−オン−６−スピロ−５’−ビシクロ［２．２．１］−２’−ヘプテン、４，５−（３’’−ｎ−プロピルベンゾ）シクロオクテン−１−オン−６−スピロ−５’−ビシクロ［２．２．１］−２’−ヘプテン、４，５−（４’’−ｎ−プロピルベンゾ）シクロオクテン−１−オン−６−スピロ−５’−ビシクロ［２．２．１］−２’−ヘプテン、４，５−（５’’−ｎ−プロピルベンゾ）シクロオクテン−１−オン−６−スピロ−５’−ビシクロ［２．２．１］−２’−ヘプテン、４，５−（６’’−ｎ−プロピルベンゾ）シクロオクテン−１−オン−６−スピロ−５’−ビシクロ［２．２．１］−２’−ヘプテン、４，５−（３’’−ｉｓｏ−プロピルベンゾ）シクロオクテン−１−オン−６−スピロ−５’−ビシクロ［２．２．１］−２’−ヘプテン、４，５−（４’’−ｉｓｏ−プロピルベンゾ）シクロオクテン−１−オン−６−スピロ−５’−ビシクロ［２．２．１］−２’−ヘプテン、４，５−（５’’−ｉｓｏ−プロピルベンゾ）シクロオクテン−１−オン−６−スピロ−５’−ビシクロ［２．２．１］−２’−ヘプテン、４，５−（６’’−ｉｓｏ−プロピルベンゾ）シクロオクテン−１−オン−６−スピロ−５’−ビシクロ［２．２．１］−２’−ヘプテン、４，５−（３’’−ｎ−ブチルベンゾ）シクロオクテン−１−オン−６−スピロ−５’−ビシクロ［２．２．１］−２’−ヘプテン、４，５−（４’’−ｎ−ブチルベンゾ）シクロオクテン−１−オン−６−スピロ−５’−ビシクロ［２．２．１］−２’−ヘプテン、４，５−（５’’−ｎ−ブチルベンゾ）シクロオクテン−１−オン−６−スピロ−５’−ビシクロ［２．２．１］−２’−ヘプテン、４，５−（６’’−ｎ−ブチルベンゾ）シクロオクテン−１−オン−６−スピロ−５’−ビシクロ［２．２．１］−２’−ヘプテン、４，５−（３’’−ｉｓｏ−ブチルベンゾ）シクロオクテン−１−オン−６−スピロ−５’−ビシクロ［２．２．１］−２’−ヘプテン、４，５−（４’’−ｉｓｏ−ブチルベンゾ）シクロオクテン−１−オン−６−スピロ−５’−ビシクロ［２．２．１］−２’−ヘプテン、４，５−（５’’−ｉｓｏ−ブチルベンゾ）シクロオクテン−１−オン−６−スピロ−５’−ビシクロ［２．２．１］−２’−ヘプテン、４，５−（６’’−ｉｓｏ−ブチルベンゾ）シクロオクテン−１−オン−６−スピロ−５’−ビシクロ［２．２．１］−２’−ヘプテン、４，５−（３’’−ｓｅｃ−ブチルベンゾ）シクロオクテン−１−オン−６−スピロ−５’−ビシクロ［２．２．１］−２’−ヘプテン、４，５−（４’’−ｓｅｃ−ブチルベンゾ）シクロオクテン−１−オン−６−スピロ−５’−ビシクロ［２．２．１］−２’−ヘプテン、４，５−（５’’−ｓｅｃ−ブチルベンゾ）シクロオクテン−１−オン−６−スピロ−５’−ビシクロ［２．２．１］−２’−ヘプテン、４，５−（６’’−ｓｅｃ−ブチルベンゾ）シクロオクテン−１−オン−６−スピロ−５’−ビシクロ［２．２．１］−２’−ヘプテン、４，５−（３’’−ｔ−ブチルベンゾ）シクロオクテン−１−オン−６−スピロ−５’−ビシクロ［２．２．１］−２’−ヘプテン、４，５−（４’’−ｔ−ブチルベンゾ）シクロオクテン−１−オン−６−スピロ−５’−ビシクロ［２．２．１］−２’−ヘプテン、４，５−（５’’−ｔ−ブチルベンゾ）シクロオクテン−１−オン−６−スピロ−５’−ビシクロ［２．２．１］−２’−ヘプテン、４，５−（６’’−ｔ−ブチルベンゾ）シクロオクテン−１−オン−６−スピロ−５’−ビシクロ［２．２．１］−２’−ヘプテン、４，５−（３’’−シクロヘキシルベンゾ）シクロオクテン−１−オン−６−スピロ−５‘−ビシクロ［２．２．１］−２’−ヘプテン、４，５−（４’’−シクロヘキシルベンゾ）シクロオクテン−１−オン−６−スピロ−５’−ビシクロ［２．２．１］−２’−ヘプテン、４，５−（５’’−シクロヘキシルベンゾ）シクロヘプテン−１−オン−６−スピロ−５’−ビシクロ［２．２．１］−２’−ヘプテン、４，５−（６’’−シクロヘキシルベンゾ）シクロオクテン−１−オン−６−スピロ−５’−ビシクロ［２
．２．１］−２’−ヘプテン、４，５−（３’’−フェニルベンゾ）シクロオクテン−１−オン−６−スピロ−５’−ビシクロ［２．２．１］−２’−ヘプテン、４，５−（４’’−フェニルベンゾ）シクロオクテン−１−オン−６−スピロ−５’−ビシクロ［２．２．１］−２’−ヘプテン、４，５−（５’’−フェニルベンゾ）シクロオクテン−１−オン−６−スピロ−５’−ビシクロ［２．２．１］−２’−ヘプテン、４，５−（６’’−フェニルベンゾ）シクロオクテン−１−オン−６−スピロ−５’−ビシクロ［２．２．１］−２’−ヘプテン、４，５−（３’’−クロロベンゾ）シクロヘオクテン−１−オン−６−スピロ−５’−ビシクロ［２．２．１］−２’−ヘプテン、４，５−（４’’−クロロベンゾ）シクロオクテン−１−オン−６−スピロ−５’−ビシクロ［２．２．１］−２’−ヘプテン、４，５−（４’’−クロロベンゾ）シクロオクテン−１−オン−６−スピロ−５’−ビシクロ［２．２．１］−２’−ヘプテン、４，５−（４’’−クロロベンゾ）シクロオクテン−１−オン−６−スピロ−５’−ビシクロ［２．２．１］−２’−ヘプテン、４，５−（５’’−クロロベンゾ）シクロオクテン−１−オン−６−スピロ−５’−ビシクロ［２．２．１］−２’−ヘプテン、４，５−（６’’−クロロベンゾ）シクロオクテン−１−オン−６−スピロ−５’−ビシクロ［２．２．１］−２’−ヘプテン、４，５−（３’’−アミノベンゾ）シクロオクテン−１−オン−６−スピロ−５’−ビシクロ［２．２．１］−２’−ヘプテン、４，５−（４’’−アミノベンゾ）シクロオクテン−１−オン−６−スピロ−５’−ビシクロ［２．２．１］−２’−ヘプテン、４，５−（５’’−アミノベンゾ）シクロオクテン−１−オン−６−スピロ−５’−ビシクロ［２．２．１］−２’−ヘプテン、４，５−（６’’−アミノベンゾ）シクロオクテン−１−オン−６−スピロ−５’−ビシクロ［２．２．１］−２’−ヘプテン、４，５−（３’’−メトキシベンゾ）シクロオクテン−１−オン−６−スピロ−５‘−ビシクロ［２．２．１］−２’−ヘプテン、４，５−（４’’−メトキシベンゾ）シクロオクテン−１−オン−６−スピロ−５’−ビシクロ［２．２．１］−２’−ヘプテン、４，５−（５’’−メトキシベンゾ）シクロオクテン−１−オン−６−スピロ−５’−ビシクロ［２．２．１］−２’−ヘプテン、４，５−（６’’−メトキシベンゾ）シクロオクテン−１−オン−６−スピロ−５’−ビシクロ［２．２．１］−２’−ヘプテン、４，５−ベンゾシクロオクテン−１−オン−７−スピロ−５’−ビシクロ［２．２．１］−２’−ヘプテン、４，５−（３’’−メチルベンゾ）シクロオクテン−１−オン−７−スピロ−５’−ビシクロ［２．２．１］−２’−ヘプテン、４，５−（４’’−メチルベンゾ）シクロオクテン−１−オン−７−スピロ−５’−ビシクロ［２．２．１］−２’−ヘプテン、４，５−（５’’−メチルベンゾ）シクロオクテン−１−オン−７−スピロ−５’−ビシクロ［２．２．１］−２’−ヘプテン、４，５−（６’’−メチルベンゾ）シクロオクテン−１−オン−７−スピロ−５’−ビシクロ［２．２．１］−２’−ヘプテン、４，５−（３’’−エチルベンゾ）シクロオクテン−１−オン−７−スピロ−５’−ビシクロ［２．２．１］−２’−ヘプテン、４，５−（４’’−エチルベンゾ）シクロオクテン−１−オン−７−スピロ−５’−ビシクロ［２．２．１］−２’−ヘプテン、４，５−（５’’−エチルベンゾ）シクロオクテン−１−オン−７−スピロ−５’−ビシクロ［２．２．１］−２’−ヘプテン、４，５−（６’’−エチルベンゾ）シクロオクテン−１−オン−７−スピロ−５’−ビシクロ［２．２．１］−２’−ヘプテン、４，５−（３’’−ｎ−プロピルベンゾ）シクロオクテン−１−オン−７−スピロ−５’−ビシクロ［２．２．１］−２’−ヘプテン、４，５−（４’’−ｎ−プロピルベンゾ）シクロオクテン−１−オン−７−スピロ−５’−ビシクロ［２．２．１］−２’−ヘプテン、４，５−（５’’−ｎ−プロピルベンゾ）シクロオクテン−１−オン−７−スピロ−５’−ビシクロ［２．２．１］−２’−ヘプテン、４，５−（６’’−ｎ−プロピルベンゾ）シクロオクテン−１−オン−７−スピロ−５’−ビシクロ［２．２．１］−２’−ヘプテン、４，５−（３’’−ｉｓｏ−プロピルベンゾ）シクロオクテン−１−オン−７−スピロ−５’−ビシクロ［２．２．１］−２’−ヘプテン、４，５−（４’’−ｉｓｏ−プロピルベンゾ）シクロオクテン−１−オン−７−スピロ−５’−ビシクロ［２．２．１］−２’−ヘプテン、４，５−（５’’−ｉｓｏ−プロピルベンゾ）シクロオクテン−１−オン−７−スピロ−５’−ビシクロ［２．２．１］−２’−ヘプテン、４，５−（６’’−ｉｓｏ−プロピルベンゾ）シクロオクテン−１−オン−７−スピロ−５’−ビシクロ［２．２．１］−２’−ヘプテン、４，５−（３’’−ｎ−ブチルベンゾ）シクロオクテン−１−オン−７−スピロ−５’−ビシクロ［２．２．１］−２’−ヘプテン、４，５−（４’’−ｎ−ブチルベンゾ）シクロオクテン−１−オン−７−スピロ−５’−ビシクロ［２．２．１］−２’−ヘプテン、４，５−（５’’−ｎ−ブチルベンゾ）シクロオクテン−１−オン−７−スピロ−５’−ビシクロ［２．２．１］−２’−ヘプテン、４，５−（６’’−ｎ−ブチルベンゾ）シクロオクテン−１−オン−７−スピロ−５’−ビシクロ［２．２．１］−２’−ヘプテン、４，５−（３’’−ｉｓｏ−ブチルベンゾ）シクロオクテン−１−オン−７−スピロ−５’−ビシクロ［２．２．１］−２’−ヘプテン、４，５−（４’’−ｉｓｏ−ブチルベンゾ）シクロオクテン−１−オン−７−スピロ−５’−ビシクロ［２．２．１］−２’−ヘプテン、４，５−（５’’−ｉｓｏ−ブチルベンゾ）シクロオクテン−１−オン−７−スピロ−５’−ビシクロ［２．２．１］−２’−ヘプテン、４，５−（６’’−ｉｓｏ−ブチルベンゾ）シクロオクテン−１−オン−７−スピロ−５’−ビシクロ［２．２．１］−２’−ヘプテン、４，５−（３’’−ｓｅｃ−ブチルベンゾ）シクロオクテン−１−オン−７−スピロ−５’−ビシクロ［２．２．１］−２’−ヘプテン、４，５−（４’’−ｓｅｃ−ブチルベンゾ）シクロオクテン−１−オン−７−スピロ−５’−ビシクロ［２．２．１］−２’−ヘプテン、４，５−（５’’−ｓｅｃ−ブチルベンゾ）シクロオクテン−１−オン−７−スピロ−５’−ビシクロ［２．２．１］−２’−ヘプテン、４，５−（６’’−ｓｅｃ−ブチルベンゾ）シクロオクテン−１−オン−７−スピロ−５’−ビシクロ［２．２．１］−２’−ヘプテン、４，５−（３’’−ｔ−ブチルベンゾ）シクロオクテン−１−オン−７−スピロ−５’−ビシクロ［２．２．１］−２’−ヘプテン、４，５−（４’’−ｔ−ブチルベンゾ）シクロオクテン−１−オン−７−スピロ−５’−ビシクロ［２．２．１］−２’−ヘプテン、４，５−（５’’−ｔ−ブチルベンゾ）シクロオクテン−１−オン−７−スピロ−５’−ビシクロ［２．２．１］−２’−ヘプテン、４，５−（６’’−ｔ−ブチルベンゾ）シクロオクテン−１−オン−７−スピロ−５’−ビシクロ［２．２．１］−２’−ヘプテン、４，５−（３’’−シクロヘキシルベンゾ）シクロオクテン−１−オン−７−スピロ−５‘−ビシクロ［２．２．１］−２’−ヘプテン、４，５−（４’’−シクロヘキシルベンゾ）シクロオクテン−１−オン−７−スピロ−５’−ビシクロ［２．２．１］−２’−ヘプテン、４，５−（５’’−シクロヘキシルベンゾ）シクロヘプテン−１−オン−７−スピロ−５’−ビシクロ［２．２．１］−２’−ヘプテン、４，５−（６’’−シクロヘキシルベンゾ）シクロオクテン−１−オン−７−スピロ−５’−ビシクロ［２．２．１］−２’−ヘプテン、４，５−（３’’−フェニルベンゾ）シクロオクテン−１−オン−７−スピロ−５’−ビシクロ［２．２．１］−２’−ヘプテン、４，５−（４’’−フェニルベンゾ）シクロオクテン−１−オン−７−スピロ−５’−ビシクロ［２．２．１］−２’−ヘプテン、４，５−（５’’−フェニルベンゾ）シクロオクテン−１−オン−７−スピロ−５’−ビシクロ［２．２．１］−２’−ヘプテン、４，５−（６’’−フェニルベンゾ）シクロオクテン−１−オン−７−スピロ−５’−ビシクロ［２．２．１］−２’−ヘプテン、４，５−（３’’−クロロベンゾ）シクロヘオクテン−１−オン−７−スピロ−５’−ビシクロ［２．２．１］−２’−ヘプテン、４，５−（４’’−クロロベンゾ）シクロオクテン−１−オン−７−スピロ−５’−ビシクロ［２．２．１］−２’−ヘプテン、４，５−（４’’−クロロベンゾ）シクロオクテン−１−オン−７−スピロ−５’−ビシクロ［２．２．１］−２’−ヘプテン、４，５−（４’’−クロロベンゾ）シクロオクテン−１−オン−７−スピロ−５’−ビシクロ［２．２．１］−２’−ヘプテン、４，５−（５’’−クロロベンゾ）シクロオクテン−１−オン−７−スピロ−５’−ビシクロ［２．２．１］−２’−ヘプテン、４，５−（６’’−クロロベンゾ）シクロオクテン−１−オン−７−スピロ−５’−ビシクロ［２．２．１］−２’−ヘプテン、４，５−（３’’−アミノベンゾ）シクロオクテン−１−オン−７−スピロ−５’−ビシクロ［２．２．１］−２’−ヘプテン、４，５−（４’’−アミノベンゾ）シクロオクテン−１−オン−７−スピロ−５’−ビシクロ［２．２．１］−２’−ヘプテン、４，５−（５’’−アミノベンゾ）シクロオクテン−１−オン−７−スピロ−５’−ビシクロ［２．２．１］−２’−ヘプテン、４，５−（６’’−アミノベンゾ）シクロオクテン−１−オン−７−スピロ−５’−ビシクロ［２．２．１］−２’−ヘプテン、４，５−（３’’−メトキシベンゾ）シクロオクテン−１−オン−７−スピロ−５‘−ビシクロ［２．２．１］−２’−ヘプテン、４，５−（４’’−メトキシベンゾ）シクロオクテン−１−オン−７−スピロ−５’−ビシクロ［２．２．１］−２’−ヘプテン、４，５−（５’’−メトキシベンゾ）シクロオクテン−１−オン−７−スピロ−５’−ビシクロ［２．２．１］−２’−ヘプテン、４，５−（６’’−メトキシベンゾ）シクロオクテン−１−オン−７−スピロ−５’−ビシクロ［２．２．１］−２’−ヘプテン、４，５−ベンゾシクロオクテン−１−オン−８−スピロ−５’−ビシクロ［２．２．１］−２’−ヘプテン、４，５−（３’’−メチルベンゾ）シクロオクテン−１−オン−８−スピロ−５’−ビシクロ［２．２．１］−２’−ヘプテン、４，５−（４’’−メチルベンゾ）シクロオクテン−１−オン−８−スピロ−５’−ビシクロ［２．２．１］−２’−ヘプテン、４，５−（５’’−メチルベンゾ）シクロオクテン−１−オン−８−スピロ−５’−ビシクロ［２．２．１］−２’−ヘプテン、４，５−（６’’−メチルベンゾ）シクロオクテン−１−オン−８−スピロ−５’−ビシクロ［２．２．１］−２’−ヘプテン、４，５−（３’’−エチルベンゾ）シクロオクテン−１−オン−８−スピロ−５’−ビシクロ［２．２．１］−２’−ヘプテン、４，５−（４’’−エチルベンゾ）シクロオクテン−１−オン−８−スピロ−５’−ビシクロ［２．２．１］−２’−ヘプテン、４，５−（５’’−エチルベンゾ）シクロオクテン−１−オン−８−スピロ−５’−ビシクロ［２．２．１］−２’−ヘプテン、４，５−（６’’−エチルベンゾ）シクロオクテン−１−オン−８−スピロ−５’−ビシクロ［２．２．１］−２’−ヘプテン、４，５−（３’’−ｎ−プロピルベンゾ）シクロオクテン−１−オン−８−スピロ−５’−ビシクロ［２．２．１］−２’−ヘプテン、４，５−（４’’−ｎ−プロピルベンゾ）シクロオクテン−１−オン−８−スピロ−５’−ビシクロ［２．２．１］−２’−ヘプテン、４，５−（５’’−ｎ−プロピルベンゾ）シクロオクテン−１−オン−８−スピロ−５’−ビシクロ［２．２．１］−２’−ヘプテン、４，５−（６’’−ｎ−プロピルベンゾ）シクロオクテン−１−オン−８−スピロ−５’−ビシクロ［２．２．１］−２’−ヘプテン、４，５−（３’’−ｉｓ
ｏ−プロピルベンゾ）シクロオクテン−１−オン−８−スピロ−５’−ビシクロ［２．２．１］−２’−ヘプテン、４，５−（４’’−ｉｓｏ−プロピルベンゾ）シクロオクテン−１−オン−８−スピロ−５’−ビシクロ［２．２．１］−２’−ヘプテン、４，５−（５’’−ｉｓｏ−プロピルベンゾ）シクロオクテン−１−オン−８−スピロ−５’−ビシクロ［２．２．１］−２’−ヘプテン、４，５−（６’’−ｉｓｏ−プロピルベンゾ）シクロオクテン−１−オン−８−スピロ−５’−ビシクロ［２．２．１］−２’−ヘプテン、４，５−（３’’−ｎ−ブチルベンゾ）シクロオクテン−１−オン−８−スピロ−５’−ビシクロ［２．２．１］−２’−ヘプテン、４，５−（４’’−ｎ−ブチルベンゾ）シクロオクテン−１−オン−８−スピロ−５’−ビシクロ［２．２．１］−２’−ヘプテン、４，５−（５’’−ｎ−ブチルベンゾ）シクロオクテン−１−オン−８−スピロ−５’−ビシクロ［２．２．１］−２’−ヘプテン、４，５−（６’’−ｎ−ブチルベンゾ）シクロオクテン−１−オン−８−スピロ−５’−ビシクロ［２．２．１］−２’−ヘプテン、４，５−（３’’−ｉｓｏ−ブチルベンゾ）シクロオクテン−１−オン−８−スピロ−５’−ビシクロ［２．２．１］−２’−ヘプテン、４，５−（４’’−ｉｓｏ−ブチルベンゾ）シクロオクテン−１−オン−８−スピロ−５’−ビシクロ［２．２．１］−２’−ヘプテン、４，５−（５’’−ｉｓｏ−ブチルベンゾ）シクロオクテン−１−オン−８−スピロ−５’−ビシクロ［２．２．１］−２’−ヘプテン、４，５−（６’’−ｉｓｏ−ブチルベンゾ）シクロオクテン−１−オン−８−スピロ−５’−ビシクロ［２．２．１］−２’−ヘプテン、４，５−（３’’−ｓｅｃ−ブチルベンゾ）シクロオクテン−１−オン−８−スピロ−５’−ビシクロ［２．２．１］−２’−ヘプテン、４，５−（４’’−ｓｅｃ−ブチルベンゾ）シクロオクテン−１−オン−８−スピロ−５’−ビシクロ［２．２．１］−２’−ヘプテン、４，５−（５’’−ｓｅｃ−ブチルベンゾ）シクロオクテン−１−オン−８−スピロ−５’−ビシクロ［２．２．１］−２’−ヘプテン、４，５−（６’’−ｓｅｃ−ブチルベンゾ）シクロオクテン−１−オン−８−スピロ−５’−ビシクロ［２．２．１］−２’−ヘプテン、４，５−（３’’−ｔ−ブチルベンゾ）シクロオクテン−１−オン−８−スピロ−５’−ビシクロ［２．２．１］−２’−ヘプテン、４，５−（４’’−ｔ−ブチルベンゾ）シクロオクテン−１−オン−８−スピロ−５’−ビシクロ［２．２．１］−２’−ヘプテン、４，５−（５’’−ｔ−ブチルベンゾ）シクロオクテン−１−オン−８−スピロ−５’−ビシクロ［２．２．１］−２’−ヘプテン、４，５−（６’’−ｔ−ブチルベンゾ）シクロオクテン−１−オン−８−スピロ−５’−ビシクロ［２．２．１］−２’−ヘプテン、４，５−（３’’−シクロヘキシルベンゾ）シクロオクテン−１−オン−８−スピロ−５‘−ビシクロ［２．２．１］−２’−ヘプテン、４，５−（４’’−シクロヘキシルベンゾ）シクロオクテン−１−オン−８−スピロ−５’−ビシクロ［２．２．１］−２’−ヘプテン、４，５−（５’’−シクロヘキシルベンゾ）シクロヘプテン−１−オン−８−スピロ−５’−ビシクロ［２．２．１］−２’−ヘプテン、４，５−（６’’−シクロヘキシルベンゾ）シクロオクテン−１−オン−８−スピロ−５’−ビシクロ［２．２．１］−２’−ヘプテン、４，５−（３’’−フェニルベンゾ）シクロオクテン−１−オン−８−スピロ−５’−ビシクロ［２．２．１］−２’−ヘプテン、４，５−（４’’−フェニルベンゾ）シクロオクテン−１−オン−８−スピロ−５’−ビシクロ［２．２．１］−２’−ヘプテン、４，５−（５’’−フェニルベンゾ）シクロオクテン−１−オン−８−スピロ−５’−ビシクロ［２．２．１］−２’−ヘプテン、４，５−（６’’−フェニルベンゾ）シクロオクテン−１−オン−８−スピロ−５’−ビシクロ［２．２．１］−２’−ヘプテン、４，５−（３’’−クロロベンゾ）シクロヘオクテン−１−オン−８−スピロ−５’−ビシクロ［２．２．１］−２’−ヘプテン、４，５−（４’’−クロロベンゾ）シクロオクテン−１−オン−８−スピロ−５’−ビシクロ［２．２．１］−２’−ヘプテン、４，５−（４’’−クロロベンゾ）シクロオクテン−１−オン−８−スピロ−５’−ビシクロ［２．２．１］−２’−ヘプテン、４，５−（４’’−クロロベンゾ）シクロオクテン−１−オン−８−スピロ−５’−ビシクロ［２．２．１］−２’−ヘプテン、４，５−（５’’−クロロベンゾ）シクロオクテン−１−オン−８−スピロ−５’−ビシクロ［２．２．１］−２’−ヘプテン、４，５−（６’’−クロロベンゾ）シクロオクテン−１−オン−８−スピロ−５’−ビシクロ［２．２．１］−２’−ヘプテン、４，５−（３’’−アミノベンゾ）シクロオクテン−１−オン−８−スピロ−５’−ビシクロ［２．２．１］−２’−ヘプテン、４，５−（４’’−アミノベンゾ）シクロオクテン−１−オン−８−スピロ−５’−ビシクロ［２．２．１］−２’−ヘプテン、４，５−（５’’−アミノベンゾ）シクロオクテン−１−オン−８−スピロ−５’−ビシクロ［２．２．１］−２’−ヘプテン、４，５−（６’’−アミノベンゾ）シクロオクテン−１−オン−８−スピロ−５’−ビシクロ［２．２．１］−２’−ヘプテン、４，５−（３’’−メトキシベンゾ）シクロオクテン−１−オン−８−スピロ−５‘−ビシクロ［２．２．１］−２’−ヘプテン、４，５−（４’’−メトキシベンゾ）シクロオクテン−１−オン−８−スピロ−５’−ビシクロ［２．２．１］−２’−ヘプテン、４，５−（５’’−メトキシベンゾ）シクロオクテン−１−オン−８−スピロ−５’−ビシクロ［２．２．１］−２’−ヘプテン、４，５−（６’’−メトキシベンゾ）シクロオクテン−１−オン−８−スピロ−５’−ビシクロ［２．２．１］−２’−ヘプテン。
【００５９】
（ix）１−オキサ−２，３−ベンゾシクロペンテン−４−スピロ−５’−ビシクロ［２．２．１］−２’−ヘプテン、１−オキサ−２，３−（３’’−メチルベンゾ）シクロペンテン−４−スピロ−５’−ビシクロ［２．２．１］−２’−ヘプテン、１−オキサ−２，３−（４’’−メチルベンゾ）シクロペンテン−４−スピロ−５’−ビシクロ［２．２．１］−２’−ヘプテン、１−オキサ−２，３（５’’−メチルベンゾ）シクロペンテン−４−スピロ−５’−ビシクロ［２．２．１］−２’−ヘプテン、１−オキサ−２，３−（６’’−メチルベンゾ）シクロペンテン−４−スピロ−５’−ビシクロ［２．２．１］−２’−ヘプテン、１−オキサ−２，３−（３’’−エチルベンゾ）シクロペンテン−４−スピロ−５’−ビシクロ［２．２．１］−２’−ヘプテン、１−オキサ−２，３−（４’’−エチルベンゾ）シクロペンテン−４−スピロ−５’−ビシクロ［２．２．１］−２’−ヘプテン、１−オキサ−２，３−（５’’−エチルベンゾ）シクロペンテン−４−スピロ−５’−ビシクロ［２．２．１］−２’−ヘプテン、１−オキサ−２，３−（６’’−エチルベンゾ）シクロペンテン−４−スピロ−５’−ビシクロ［２．２．１］−２’−ヘプテン、１−オキサ−２，３−（３’−ｎ−プロピルベンゾ）シクロペンテン−４−スピロ−５’−ビシクロ［２．２．１］−２’−ヘプテン、１−オキサ−２，３−（４’’−ｎ−プロピルベンゾ）シクロペンテン−４−スピロ−５’−ビシクロ［２．２．１］−２’−ヘプテン、１−オキサ−２，３−（５’−ｎ−プロピルベンゾ）シクロペンテン−４−スピロ−５’−ビシクロ［２．２．１］−２’−ヘプテン、１−オキサ−２，３−（６’’−ｎ−プロピルベンゾ）シクロペンテン−４−スピロ−５’−ビシクロ［２．２．１］−２’−ヘプテン、１−オキサ−２，３−（３’’−ｉｓｏ−プロピルベンゾ）シクロペンテン−４−スピロ−５’−ビシクロ［２．２．１］−２’−ヘプテン、１−オキサ−２，３−（４’’−ｉｓｏ−プロピルベンゾ）シクロペンテン−４−スピロ−５’−ビシクロ［２．２．１］−２’−ヘプテン、１−オキサ−２，３−（５’’−ｉｓｏ−プロピルベンゾ）シクロペンテン−４−スピロ−５’−ビシクロ［２．２．１］−２’−ヘプテン、１−オキサ−２，３−（６’’−ｉｓｏ−プロピルベンゾ）シクロペンテン−４−スピロ−５’−ビシクロ［２．２．１］−２’−ヘプテン、１−オキサ−２，３−（３’’−ｎ−ブチルベンゾ）シクロペンテン−４−スピロ−５’−ビシクロ［２．２．１］−２’−ヘプテン、１−オキサ−２，３−（４’’−ｎ−ブチルベンゾ）シクロペンテン−４−スピロ−５’−ビシクロ［２．２．１］−２’−ヘプテン、１−オキサ−２，３−（５’’−ｎ−ブチルベンゾ）シクロペンテン−４−スピロ−５’−ビシクロ［２．２．１］−２’−ヘプテン、１−オキサ−２，３−（６’’−ｎ−ブチルベンゾ）シクロペンテン−４−スピロ−５’−ビシクロ［２．２．１］−２’−ヘプテン、１−オキサ−２，３−（３’’−ｉｓｏ−ブチルベンゾ）シクロペンテン−４−スピロ−５’−ビシクロ［２．２．１］−２’−ヘプテン、１−オキサ−２，３−（４’’−ｉｓｏ−ブチルベンゾ）シクロペンテ���−４−スピロ−５’−ビシクロ［２．２．１］−２’−ヘプテン、１−オキサ−２，３−（５’’−ｉｓｏ−ブチルベンゾ）シクロペンテン−４−スピロ−５’−ビシクロ［２．２．１］−２’−ヘプテン、１−オキサ−２，３−（６’’−ｉｓｏ−ブチルベンゾ）シクロペンテン−４−スピロ−５’−ビシクロ［２．２．１］−２’−ヘプテン、１−オキサ−２，３−（３’’−ｓｅｃ−ブチルベンゾ）シクロペンテン−４−スピロ−５’−ビシクロ［２．２．１］−２’−ヘプテン、１−オキサ−２，３−（４’’−ｓｅｃ−ブチルベンゾ）シクロペンテン−４−スピロ−５’−ビシクロ［２．２．１］−２’−ヘプテン、１−オキサ−２，３−（５’’−ｓｅｃ−ブチルベンゾ）シクロペンテン−４−スピロ−５’−ビシクロ［２．２．１］−２’−ヘプテン、１−オキサ−２，３−（６’’−ｓｅｃ−ブチルベンゾ）シクロペンテン−４−スピロ−５’−ビシクロ［２．２．１］−２’−ヘプテン、１−オキサ−２，３−（３’’−ｔ−ブチルベンゾ）シクロペンテン−４−スピロ−５’−ビシクロ［２．２．１］−２’−ヘプテン、１−オキサ−２，３−（４’’−ｔ−ブチルベンゾ）シクロペンテン−４−スピロ−５’−ビシクロ［２．２．１］−２’−ヘプテン、１−オキサ−２，３−（５’’−ｔ−ブチルベンゾ）シクロペンテン−４−スピロ−５’−ビシクロ［２．２．１］−２’−ヘプテン、１−オキサ−２，３−（６’’−ｔ−ブチルベンゾ）シクロペンテン−４−スピロ−５’−ビシクロ［２．２．１］−２’−ヘプテン、１−オキサ−２，３−（３’’−シクロヘキシルベンゾ）シクロペンテン−４−スピロ−５’−ビシクロ［２．２．１］−２’−ヘプテン、１−オキサ−２，３−（４’’−シクロヘキシルベンゾ）シクロペンテン−４−スピロ−５’−ビシクロ［２．２．１］−２’−ヘプテン、１−オキサ−２，３−（５’’−シクロヘキシルベンゾ）シクロペンテン−４−スピロ−５’−ビシクロ［２．２．１］−２’−ヘプテン、１−オキサ−２，３−（６’’−シクロヘキシルベンゾ）シクロペンテン−４−スピロ−５’−ビシクロ［２．２．１］−２’−ヘプテン、１−オキサ−２，３−（３’’−フェニルベンゾ）シクロペンテン−４−スピロ−５’−ビシクロ［２．２．１］−２’−ヘプテン、１−オキサ−２，３−（４’’−フェニルベンゾ）シクロペンテン−４−スピロ−５’−ビシクロ［２．２．１］−２’−ヘプテン、１−オキサ−２，３−（５’’−フェニルベンゾ）シクロペンテン−４−スピロ−５’−ビシクロ［２．２．１］−２’−ヘプテン、１−オキサ−２，３−（６’’−フェニルベンゾ）シクロペンテン−４−スピロ−５’−ビシクロ［２．２．１］−２’−ヘプテン、１−オキサ−２，３−（３’’−クロロベンゾ）シクロペンテン−４−スピロ−５’−ビシクロ［２．２．１］−２’−ヘプテン、１−オキサ−２，３−（４’’−クロロベンゾ）シクロペンテン−４−スピロ−５’−ビシクロ［２．２．１］−２’−ヘプテン、１−オキサ−２，３−（５’’−クロロベンゾ）シクロペンテン−４−スピロ−５’−ビシクロ［２．２．１］−２’−ヘプテン、１−オキサ−２，３−（６’’−クロロベンゾ）シクロペンテン−４−スピロ−５’−ビシクロ���２．２．１］−２’−ヘプテン、１−オキサ−２，３−（３’’−アミノベンゾ）シクロペンテン−４−スピロ−５’−ビシクロ［２．２．１］−２’−ヘプテン、１−オキサ−２，３−（４’’−アミノベンゾ）シクロペンテン−４−スピロ−５’−ビシクロ［２．２．１］−２’−ヘプテン、１−オキサ−２，３−（５’’−アミノベンゾ）シクロペンテン−４−スピロ−５’−ビシクロ［２．２．１］−２’−ヘプテン、１−オキサ−２，３−（６’’−アミノベンゾ）シクロペンテン−４−スピロ−５’−ビシクロ［２．２．１］−２’−ヘプテン、１−オキサ−２，３−（３’’−メトキシベンゾ）シクロペンテン−４−スピロ−５’−ビシクロ［２．２．１］−２’−ヘプテン、１−オキサ−２，３−（４’’−メトキシベンゾ）シクロペンテン−４−スピロ−５’−ビシクロ［２．２．１］−２’−ヘプテン、１−オキサ−２，３−（５’’−メトキシベンゾ）シクロペンテン−４−スピロ−５’−ビシクロ［２．２．１］−２’−ヘプテン、１−オキサ−２，３−（６’’−メトキシベンゾ）シクロペンテン−４−スピロ−５’−ビシクロ［２．２．１］−２’−ヘプテン、１−オキサ−２，３−ベンゾシクロペンテン−５−スピロ−５’−ビシクロ［２．２．１］−２’−ヘプテン、１−オキサ−２，３−（３’’−メチルベンゾ）シクロペンテン−５−スピロ−５’−ビシクロ［２．２．１］−２’−ヘプテン、１−オキサ−２，３−（４’’−メチルベンゾ）シクロペンテン−５−スピロ−５’−ビシクロ［２．２．１］−２’−ヘプテン、１−オキサ−２，３（５’’−メチルベンゾ）シクロペンテン−５−スピロ−５’−ビシクロ［２．２．１］−２’−ヘプテン、１−オキサ−２，３−（６’’−メチルベンゾ）シクロペンテン−５−スピロ−５’−ビシクロ［２．２．１］−２’−ヘプテン、１−オキサ−２，３−（３’’−エチルベンゾ）シクロペンテン−５−スピロ−５’−ビシクロ［２．２．１］−２’−ヘプテン、１−オキサ−２，３−（４’’−エチルベンゾ）シクロペンテン−５−スピロ−５’−ビシクロ［２．２．１］−２’−ヘプテン、１−オキサ−２，３−（５’’−エチルベンゾ）シクロペンテン−５−スピロ−５’−ビシクロ［２．２．１］−２’−ヘプテン、１−オキサ−２，３−（６’’−エチルベンゾ）シクロペンテン−５−スピロ−５’−ビシクロ［２．２．１］−２’−ヘプテン、１−オキサ−２，３−（３’−ｎ−プロピルベンゾ）シクロペンテン−５−スピロ−５’−ビシクロ［２．２．１］−２’−ヘプテン、１−オキサ−２，３−（４’’−ｎ−プロピルベンゾ）シクロペンテン−５−スピロ−５’−ビシクロ［２．２．１］−２’−ヘプテン、１−オキサ−２，３−（５’−ｎ−プロピルベンゾ）シクロペンテン−５−スピロ−５’−ビシクロ［２．２．１］−２’−ヘプテン、１−オキサ−２，３−（６’’−ｎ−プロピルベンゾ）シクロペンテン−５−スピロ−５’−ビシクロ［２．２．１］−２’−ヘプテン、１−オキサ−２，３−（３’’−ｉｓｏ−プロピルベンゾ）シクロペンテン−５−スピロ−５’−ビシクロ［２．２．１］−２’−ヘプテン、１−オキサ−２，３−（４’’−ｉｓｏ−プロピルベンゾ）シクロペンテン−５−スピロ−５���−ビシクロ［２．２．１］−２’−ヘプテン、１−オキサ−２，３−（５’’−ｉｓｏ−プロピルベンゾ）シクロペンテン−５−スピロ−５’−ビシクロ［２．２．１］−２’−ヘプテン、１−オキサ−２，３−（６’’−ｉｓｏ−プロピルベンゾ）シクロペンテン−５−スピロ−５’−ビシクロ［２．２．１］−２’−ヘプテン、１−オキサ−２，３−（３’’−ｎ−ブチルベンゾ）シクロペンテン−５−スピロ−５’−ビシクロ［２．２．１］−２’−ヘプテン、１−オキサ−２，３−（４’’−ｎ−ブチルベンゾ）シクロペンテン−５−スピロ−５’−ビシクロ［２．２．１］−２’−ヘプテン、１−オキサ−２，３−（５’’−ｎ−ブチルベンゾ）シクロペンテン−５−スピロ−５’−ビシクロ［２．２．１］−２’−ヘプテン、１−オキサ−２，３−（６’’−ｎ−ブチルベンゾ）シクロペンテン−５−スピロ−５’−ビシクロ［２．２．１］−２’−ヘプテン、１−オキサ−２，３−（３’’−ｉｓｏ−ブチルベンゾ）シクロペンテン−５−スピロ−５’−ビシクロ［２．２．１］−２’−ヘプテン、１−オキサ−２，３−（４’’−ｉｓｏ−ブチルベンゾ）シクロペンテン−５−スピロ−５’−ビシクロ［２．２．１］−２’−ヘプテン、１−オキサ−２，３−（５’’−ｉｓｏ−ブチルベンゾ）シクロペンテン−５−スピロ−５’−ビシクロ［２．２．１］−２’−ヘプテン、１−オキサ−２，３−（６’’−ｉｓｏ−ブチルベンゾ）シクロペンテン−５−スピロ−５’−ビシクロ［２．２．１］−２’−ヘプテン、１−オキサ−２，３−（３’’−ｓｅｃ−ブチルベンゾ）シクロペンテン−５−スピロ−５’−ビシクロ［２．２．１］−２’−ヘプテン、１−オキサ−２，３−（４’’−ｓｅｃ−ブチルベンゾ）シクロペンテン−５−スピロ−５’−ビシクロ［２．２．１］−２’−ヘプテン、１−オキサ−２，３−（５’’−ｓｅｃ−ブチルベンゾ）シクロペンテン−５−スピロ−５’−ビシクロ［２．２．１］−２’−ヘプテン、１−オキサ−２，３−（６’’−ｓｅｃ−ブチルベンゾ）シクロペンテン−５−スピロ−５’−ビシクロ［２．２．１］−２’−ヘプテン、１−オキサ−２，３−（３’’−ｔ−ブチルベンゾ）シクロペンテン−５−スピロ−５’−ビシクロ［２．２．１］−２’−ヘプテン、１−オキサ−２，３−（４’’−ｔ−ブチルベンゾ）シクロペンテン−５−スピロ−５’−ビシクロ［２．２．１］−２’−ヘプテン、１−オキサ
−２，３−（５’’−ｔ−ブチルベンゾ）シクロペンテン−５−スピロ−５’−ビシクロ［２．２．１］−２’−ヘプテン、１−オキサ−２，３−（６’’−ｔ−ブチルベンゾ）シクロペンテン−５−スピロ−５’−ビシクロ［２．２．１］−２’−ヘプテン、１−オキサ−２，３−（３’’−シクロヘキシルベンゾ）シクロペンテン−５−スピロ−５’−ビシクロ［２．２．１］−２’−ヘプテン、１−オキサ−２，３−（４’’−シクロヘキシルベンゾ）シクロペンテン−５−スピロ−５’−ビシクロ［２．２．１］−２’−ヘプテン、１−オキサ−２，３−（５’’−シクロヘキシルベンゾ）シクロペンテン−５−スピロ−５’−ビシクロ［２．２．１］−２’−ヘプテン、１−オキサ−２，３−（６’’−シクロヘキシルベンゾ）シクロペンテン−５−スピロ−５’−ビシクロ［２．２．１］−２’−ヘプテン、１−オキサ−２，３−（３’’−フェニルベンゾ）シクロペンテン−５−スピロ−５’−ビシクロ［２．２．１］−２’−ヘプテン、１−オキサ−２，３−（４’’−フェニルベンゾ）シクロペンテン−５−スピロ−５’−ビシクロ［２．２．１］−２’−ヘプテン、１−オキサ−２，３−（５’’−フェニルベンゾ）シクロペンテン−５−スピロ−５’−ビシクロ［２．２．１］−２’−ヘプテン、１−オキサ−２，３−（６’’−フェニルベンゾ）シクロペンテン−５−スピロ−５’−ビシクロ［２．２．１］−２’−ヘプテン、１−オキサ−２，３−（３’’−クロロベンゾ）シクロペンテン−５−スピロ−５’−ビシクロ［２．２．１］−２’−ヘプテン、１−オキサ−２，３−（４’’−クロロベンゾ）シクロペンテン−５−スピロ−５’−ビシクロ［２．２．１］−２’−ヘプテン、１−オキサ−２，３−（５’’−クロロベンゾ）シクロペンテン−５−スピロ−５’−ビシクロ［２．２．１］−２’−ヘプテン、１−オキサ−２，３−（６’’−クロロベンゾ）シクロペンテン−５−スピロ−５’−ビシクロ［２．２．１］−２’−ヘプテン、１−オキサ−２，３−（３’’−アミノベンゾ）シクロペンテン−５−スピロ−５’−ビシクロ［２．２．１］−２’−ヘプテン、１−オキサ−２，３−（４’’−アミノベンゾ）シクロペンテン−５−スピロ−５’−ビシクロ［２．２．１］−２’−ヘプテン、１−オキサ−２，３−（５’’−アミノベンゾ）シクロペンテン−５−スピロ−５’−ビシクロ［２．２．１］−２’−ヘプテン、１−オキサ−２，３−（６’’−アミノベンゾ）シクロペンテン−５−スピロ−５’−ビシクロ［２．２．１］−２’−ヘプテン、１−オキサ−２，３−（３’’−メトキシベンゾ）シクロペンテン−５−スピロ−５’−ビシクロ［２．２．１］−２’−ヘプテン、１−オキサ−２，３−（４’’−メトキシベンゾ）シクロペンテン−５−スピロ−５’−ビシクロ［２．２．１］−２’−ヘプテン、１−オキサ−２，３−（５’’−メトキシベンゾ）シクロペンテン−５−スピロ−５’−ビシクロ［２．２．１］−２’−ヘプテン、１−オキサ−２，３−（６’’−メトキシベンゾ）シクロペンテン−５−スピロ−５’−ビシクロ［２．２．１］−２’−ヘプテン、１−オキサ−３，４−ベンゾシクロペンテン−２−スピロ−５’−ビシクロ［２．２．１］−２’−ヘプテン、１−オキサ−３，４−（３’’−メチルベンゾ）シクロペンテン−２−スピロ−５’−ビシクロ［２．２．１］−２’−ヘプテン、１−オキサ−３，４−（４’’−メチルベンゾ）シクロペンテン−２−スピロ−５’−ビシクロ［２．２．１］−２’−ヘプテン、１−オキサ−３，４−（５’’−メチルベンゾ）シクロペンテン−２−スピロ−５’−ビシクロ［２．２．１］−２’−ヘプテン、１−オキサ−３，４−（６’’−メチルベンゾ）シクロペンテン−２−スピロ−５’−ビシクロ［２．２．１］−２’−ヘプテン、１−オキサ−３，４−（３’’−エチルベンゾ）シクロペンテン−２−スピロ−５’−ビシクロ［２．２．１］−２’−ヘプテン、１−オキサ−３，４−（４’’−エチルベンゾ）シクロペンテン−２−スピロ−５’−ビシクロ［２．２．１］−２’−ヘプテン、１−オキサ−３，４−（５’’−エチルベンゾ）シクロペンテン−２−スピロ−５’−ビシクロ［２．２．１］−２’−ヘプテン、１−オキサ−３，４−（６’’−エチルベンゾ）シクロペンテン−２−スピロ−５’−ビシクロ［２．２．１］−２’−ヘプテン、１−オキサ−３，４−（３’−ｎ−プロピルベンゾ）シクロペンテン−２−スピロ−５’−ビシクロ［２．２．１］−２’−ヘプテン、１−オキサ−３，４−（４’’−ｎ−プロピルベンゾ）シクロペンテン−２−スピロ−５’−ビシクロ［２．２．１］−２’−ヘプテン、１−オキサ−３，４−（５’−ｎ−プロピルベンゾ）シクロペンテン−２−スピロ−５’−ビシクロ［２．２．１］−２’−ヘプテン、１−オキサ−３，４−（６’’−ｎ−プロピルベンゾ）シクロペンテン−２−スピロ−５’−ビシクロ［２．２．１］−２’−ヘプテン、１−オキサ−３，４−（３’’−ｉｓｏ−プロピルベンゾ）シクロペンテン−２−スピロ−５’−ビシクロ［２．２．１］−２’−ヘプテン、１−オキサ−３，４−（４’’−ｉｓｏ−プロピルベンゾ）シクロペンテン−２−スピロ−５’−ビシクロ［２．２．１］−２’−ヘプテン、１−オキサ−３，４−（５’’−ｉｓｏ−プロピルベンゾ）シクロペンテン−２−スピロ−５’−ビシクロ［２．２．１］−２’−ヘプテン、１−オキサ−３，４−（６’’−ｉｓｏ−プロピルベンゾ）シクロペンテン−２−スピロ−５’−ビシクロ［２．２．１］−２’−ヘプテン、１−オキサ−３，４−（３’’−ｎ−ブチルベンゾ）シクロペンテン−２−スピロ−５’−ビシクロ［２．２．１］−２’−ヘプテン、１−オキサ−３，４−（４’’−ｎ−ブチルベンゾ）シクロペンテン−２−スピロ−５’−ビシクロ［２．２．１］−２’−ヘプテン、１−オキサ−３，４−（５’’−ｎ−ブチルベンゾ）シクロペンテン−２−スピロ−５’−ビシクロ［２．２．１］−２’−ヘプテン、１−オキサ−３，４−（６’’−ｎ−ブチルベンゾ）シクロペンテン−２−スピロ−５’−ビシクロ［２．２．１］−２’−ヘプテン、１−オキサ−３，４−（３’’−ｉｓｏ−ブチルベンゾ）シクロペンテン−２−スピロ−５’−ビシクロ［２．２．１］−２’−ヘプテン、１−オキサ−３，４−（４’’−ｉｓｏ−ブチルベンゾ）シクロペンテン−２−スピロ−５’−ビシクロ［２．２．１］−２’−ヘプテン、１−オキサ−３，４−（５’’−ｉｓｏ−ブチルベンゾ）シクロペンテン−２−スピロ−５’−ビシクロ［２．２．１］−２’−ヘプテン、１−オキサ−３，４−（６’’−ｉｓｏ−ブチルベンゾ）シクロペンテン−２−スピロ−５’−ビシクロ［２．２．１］−２’−ヘプテン、１−オキサ−３，４−（３’’−ｓｅｃ−ブチルベンゾ）シクロペンテン−２−スピロ−５’−ビシクロ［２．２．１］−２’−ヘプテン、１−オキサ−３，４−（４’’−ｓｅｃ−ブチルベンゾ）シクロペンテン−２−スピロ−５’−ビシクロ［２．２．１］−２’−ヘプテン、１−オキサ−３，４−（５’’−ｓｅｃ−ブチルベンゾ）シクロペンテン−２−スピロ−５’−ビシクロ［２．２．１］−２’−ヘプテン、１−オキサ−３，４−（６’’−ｓｅｃ−ブチルベンゾ）シクロペンテン−２−スピロ−５’−ビシクロ［２．２．１］−２’−ヘプテン、１−オキサ−３，４−（３’’−ｔ−ブチルベンゾ）シクロペンテン−２−スピロ−５’−ビシクロ［２．２．１］−２’−ヘプテン、１−オキサ−３，４−（４’’−ｔ−ブチルベンゾ）シクロペンテン−２−スピロ−５’−ビシクロ［２．２．１］−２’−ヘプテン、１−オキサ−３，４−（５’’−ｔ−ブチルベンゾ）シクロペンテン−２−スピロ−５’−ビシクロ［２．２．１］−２’−ヘプテン、１−オキサ−３，４−（６’’−ｔ−ブチルベンゾ）シクロペンテン−２−スピロ−５’−ビシクロ［２．２．１］−２’−ヘプテン、１−オキサ−３，４−（３’’−シクロヘキシルベンゾ）シクロペンテン−２−スピロ−５’−ビシクロ［２．２．１］−２’−ヘプテン、１−オキサ−３，４−（４’’−シクロヘキシルベンゾ）シクロペンテン−２−スピロ−５’−ビシクロ［２．２．１］−２’−ヘプテン、１−オキサ−３，４−（５’’−シクロヘキシルベンゾ）シクロペンテン−２−スピロ−５’−ビシクロ［２．２．１］−２’−ヘプテン、１−オキサ−３，４−（６’’−シクロヘキシルベンゾ）シクロペンテン−２−スピロ−５’−ビシクロ［２．２．１］−２’−ヘプテン、１−オキサ−３，４−（３’’−フェニルベンゾ）シクロペンテン−２−スピロ−５’−ビシクロ［２．２．１］−２’−ヘプテン、１−オキサ−３，４−（４’’−フェニルベンゾ）シクロペンテン−２−スピロ−５’−ビシクロ［２．２．１］−２’−ヘプテン、１−オキサ−３，４−（５’’−フェニルベンゾ）シクロペンテン−２−スピロ−５’−ビシクロ［２．２．１］−２’−ヘプテン、１−オキサ−３，４−（６’’−フェニルベンゾ）シクロペンテン−２−スピロ−５’−ビシクロ［２．２．１］−２’−ヘプテン、１−オキサ−３，４−（３’’−クロロベンゾ）シクロペンテン−２−スピロ−５’−ビシクロ［２．２．１］−２’−ヘプテン、１−オキサ−３，４−（４’’−クロロベンゾ）シクロペンテン−２−スピロ−５’−ビシクロ［２．２．１］−２’−ヘプテン、１−オキサ−３，４−（５’’−クロロベンゾ）シクロペンテン−２−スピロ−５’−ビシクロ［２．２．１］−２’−ヘプテン、１−オキサ−３，４−（６’’−クロロベンゾ）シクロペンテン−２−スピロ−５’−ビシクロ［２．２．１］−２’−ヘプテン、１−オキサ−３，４−（３’’−アミノベンゾ）シクロペンテン−２−スピロ−５’−ビシクロ［２．２．１］−２’−ヘプテン、１−オキサ−３，４−（４’’−アミノベンゾ）シクロペンテン−２−スピロ−５’−ビシクロ［２．２．１］−２’−ヘプテン、１−オキサ−３，４−（５’’−アミノベンゾ）シクロペンテン−２−スピロ−５’−ビシクロ［２．２．１］−２’−ヘプテン、１−オキサ−３，４−（６’’−アミノベンゾ）シクロペンテン−２−スピロ−５’−ビシクロ［２．２．１］−２’−ヘプテン、１−オキサ−３，４−（３’’−メトキシベンゾ）シクロペンテン−２−スピロ−５’−ビシクロ［２．２．１］−２’−ヘプテン、１−オキサ−３，４−（４’’−メトキシベンゾ）シクロペンテン−２−スピロ−５’−ビシクロ［２．２．１］−２’−ヘプテン、１−オキサ−３，４−（５’’−メトキシベンゾ）シクロペンテン−２−スピロ−５’−ビシクロ［２．２．１］−２’−ヘプテン、１−オキサ−３，４−（６’’−メトキシベンゾ）シクロペンテン−２−スピロ−５’−ビシクロ［２．２．１］−２’−ヘプテン。
【００６０】
（x）１−オキサ−２，３−ベンゾシクロヘキセン−４−スピロ−５’−ビシクロ［２．２．１］−２’−ヘプテン、１−オキサ−２，３−（３’’−メチルベンゾ）シクロヘキセン−４−スピロ−５’−ビシクロ［２．２．１］−２’−ヘプテン、１−オキサ−２，３−（４’’−メチルベンゾ）シクロヘキセン−４−スピロ−５’−ビシクロ［２．２．１］−２’−ヘプテン、１−オキサ−２，３−（５’’−メチルベンゾ）シクロヘキセン−４−スピロ−５’−ビシクロ［２．２．１］−２’−ヘプテン、１−オキサ−２，３−（５’’−メチルベンゾ）シクロヘキセン−４−スピロ−５’−ビシクロ［２．２．１］−２’−ヘプテン、１−オキサ−２，３−（３’’−エチルベンゾ）シクロヘキセン−４−スピロ−５’−ビシクロ［２．２．１］−２’−ヘプテン、１−オキサ−２，３−（４’’−エチルベンゾ）シクロヘキセン−４−スピロ−５’−ビシクロ［２．２．１］−２’−ヘプテン、１−オキサ−２，３−（５’’−エチルベンゾ）シクロヘキセン−４−スピロ−５’−ビシクロ［２．２．１］−２’−ヘプテン、１−オキサ−２，３−（６’’−エチルベンゾ）シクロヘキセン−４−スピロ−５’−ビシクロ［２．２．１］−２’−ヘプテン、１−オキサ−２，３−（３’’−ｎ−プロピルベンゾ）シクロヘキセン−４−スピロ−５’−ビシクロ［２．２．１］−２’−ヘプテン、１−オキサ−２，３−（４’’−ｎ−プロピルベンゾ）シクロヘキセン−４−スピロ−５’−ビシクロ［２．２．１］−２’−ヘプテン、１−オキサ−２，３−（５’’−ｎ−プロピルベンゾ）シクロヘキセン−４−スピロ−５’−ビシクロ［２．２．１］−２’−ヘプテン、１−オキサ−２，３−（６’’−ｎ−プロピルベンゾ）シクロヘキセン−４−スピロ−５’−ビシクロ［２．２．１］−２’−ヘプテン、１−オキサ−２，３−（３’’−ｉｓｏ−プロピルベンゾ）シクロヘキセン−４−スピロ−５’−ビシクロ［２．２．１］−２’−ヘプテン、１−オキサ−２，３−（４’’−ｉｓｏ−プロピルベンゾ）シクロヘキセン−４−スピロ−５’−ビシクロ［２．２．１］−２’−ヘプテン、１−オキサ−２，３−（５’’−ｉｓｏ−プロピルベンゾ）シクロヘキセン−４−スピロ−５’−ビシクロ［２．２．１］−２’−ヘプテン、１−オキサ−２，３−（６’’−ｉｓｏ−プロピルベンゾ）シクロヘキセン−４−スピロ−５’−ビシクロ［２．２．１］−２’−ヘプテン、１−オキサ−２，３−（３’’−ｎ−ブチルベンゾ）シクロヘキセン−４−スピロ−５’−ビシクロ［２．２．１］−２’−ヘプテン、１−オキサ−２，３−（４’’−ｎ−ブチルベンゾ）シクロヘキセン−４−スピロ−５’−ビシクロ［２．２．１］−２’−ヘプテン、１−オキサ−２，３−（５’’−ｎ−ブチルベンゾ）シクロヘキセン−４−スピロ−５’−ビシクロ［２．２．１］−２’−ヘプテン、１−オキサ−２，３−（６’’−ｎ−ブチルベンゾ）シクロヘキセン−４−スピロ−５’−ビシクロ［２．２．１］−２’−ヘプテン、１−オキサ−２，３−（３’’−ｉｓｏ−ブチルベンゾ）シクロヘキセン−４−スピロ−５’−ビシクロ［２．２．１］−２’−ヘプテン、１−オキサ−２，３−（４’’−ｉｓｏ−ブチルベンゾ）シクロ��キセン−４−スピロ−５’−ビシクロ［２．２．１］−２’−ヘプテン、１−オキサ−２，３−（５’’−ｉｓｏ−ブチルベンゾ）シクロヘキセン−４−スピロ−５’−ビシクロ［２．２．１］−２’−ヘプテン、１−オキサ−２，３−（６’’−ｉｓｏ−ブチルベンゾ）シクロヘキセン−４−スピロ−５’−ビシクロ［２．２．１］−２’−ヘプテン、１−オキサ−２，３−（３’’−ｓｅｃ−ブチルベンゾ）シクロヘキセン−４−スピロ−５’−ビシクロ［２．２．１］−２’−ヘプテン、１−オキサ−２，３−（４’’−ｓｅｃ−ブチルベンゾ）シクロヘキセン−４−スピロ−５’−ビシクロ［２．２．１］−２’−ヘプテン、１−オキサ−２，３−（５’’−ｓｅｃ−ブチルベンゾ）シクロヘキセン−４−スピロ−５’−ビシクロ［２．２．１］−２’−ヘプテン、１−オキサ−２，３−（６’’−ｓｅｃ−ブチルベンゾ）シクロヘキセン−４−スピロ−５’−ビシクロ［２．２．１］−２’−ヘプテン、１−オキサ−２，３−（３’’−ｔ−ブチルベンゾ）シクロヘキセン−４−スピロ−５’−ビシクロ［２．２．１］−２’−ヘプテン、１−オキサ−２，３−（４’’−ｔ−ブチルベンゾ）シクロヘキセン−４−スピロ−５’−ビシクロ［２．２．１］−２’−ヘプテン、１−オキサ−２，３−（５’’−ｔ−ブチルベンゾ）シクロヘキセン−４−スピロ−５’−ビシクロ［２．２．１］−２’−ヘプテン、１−オキサ−２，３−（６’’−ｔ−ブチルベンゾ）シクロヘキセン−４−スピロ−５’−ビシクロ［２．２．１］−２’−ヘプテン、１−オキサ−２，３−（３’−シクロヘキシルベンゾ）シクロヘキセン−４−スピロ−５‘−ビシクロ［２．２．１］−２’−ヘプテン、１−オキサ−２，３−（４’’−シクロヘキシルベンゾ）シクロヘキセン−４−スピロ−５’−ビシクロ［２．２．１］−２’−ヘプテン、１−オキサ−２，３−（５’’−シクロヘキシルベンゾ）シクロヘキセン−４−スピロ−５’−ビシクロ［２．２．１］−２’−ヘプテン、１−オキサ−２，３−（６’’−シクロヘキシルベンゾ）シクロヘキセン−４−スピロ−５’−ビシクロ［２．２．１］−２’−ヘプテン、１−オキサ−２，３−（３’’−フェニルベンゾ）シクロヘキセン−４−スピロ−５’−ビシクロ［２．２．１］−２’−ヘプテン、１−オキサ−２，３−（４’’−フェニルベンゾ）シクロヘキセン−４−スピロ−５’−ビシクロ［２．２．１］−２’−ヘプテン、１−オキサ−２，３−（５’’−フェニルベンゾ）シクロヘキセン−４−スピロ−５’−ビシクロ［２．２．１］−２’−ヘプテン、１−オキサ−２，３−（６’’−フェニルベンゾ）シクロヘキセン−４−スピロ−５’−ビシクロ［２．２．１］−２’−ヘプテン、１−オキサ−２，３−（３’’−クロロベンゾ）シクロヘキセン−４−スピロ−５’−ビシクロ［２．２．１］−２’−ヘプテン、１−オキサ−２，３−（４’’−クロロベンゾ）シクロヘキセン−４−スピロ−５’−ビシクロ［２．２．１］−２’−ヘプテン、１−オキサ−２，３−（５’’−クロロベンゾ）シクロヘキセン−４−スピロ−５’−ビシクロ［２．２．１］−２’−ヘプテン、１−オキサ−２，３−（６’’−クロロベンゾ）シクロヘキセン−４−スピロ−５’−ビシ��ロ［２．２．１］−２’−ヘプテン、１−オキサ−２，３−（３’’−アミノベンゾ）シクロヘキセン−４−スピロ−５’−ビシクロ［２．２．１］−２’−ヘプテン、１−オキサ−２，３−（４’’−アミノベンゾ）シクロヘキセン−４−スピロ−５’−ビシクロ［２．２．１］−２’−ヘプテン、１−オキサ−２，３−（５’’−アミノベンゾ）シクロヘキセン−４−スピロ−５’−ビシクロ［２．２．１］−２’−ヘプテン、１−オキサ−２，３−（６’’−アミノベンゾ）シクロヘキセン−４−スピロ−５’−ビシクロ［２．２．１］−２’−ヘプテン、１−オキサ−２，３−（３’’−メトキシベンゾ）シクロヘキセン−４−スピロ−５‘−ビシクロ［２．２．１］−２’−ヘプテン、１−オキサ−２，３−（４’’−メトキシベンゾ）シクロヘキセン−４−スピロ−５’−ビシクロ［２．２．１］−２’−ヘプテン、１−オキサ−２，３−（５’’−メトキシベンゾ）シクロヘキセン−４−スピロ−５’−ビシクロ［２．２．１］−２’−ヘプテン、１−オキサ−２，３−（６’’−メトキシベンゾ）シクロヘキセン−４−スピロ−５’−ビシクロ［２．２．１］−２’−ヘプテン、１−オキサ−２，３−ベンゾシクロヘキセン−５−スピロ−５’−ビシクロ［２．２．１］−２’−ヘプテン、１−オキサ−２，３−（３’’−メチルベンゾ）シクロヘキセン−５−スピロ−５’−ビシクロ［２．２．１］−２’−ヘプテン、１−オキサ−２，３−（４’’−メチルベンゾ）シクロヘキセン−５−スピロ−５’−ビシクロ［２．２．１］−２’−ヘプテン、１−オキサ−２，３−（５’’−メチルベンゾ）シクロヘキセン−５−スピロ−５’−ビシクロ［２．２．１］−２’−ヘプテン、１−オキサ−２，３−（５’’−メチルベンゾ）シクロヘキセン−５−スピロ−５’−ビシクロ［２．２．１］−２’−ヘプテン、１−オキサ−２，３−（３’’−エチルベンゾ）シクロヘキセン−５−スピロ−５’−ビシクロ［２．２．１］−２’−ヘプテン、１−オキサ−２，３−（４’’−エチルベンゾ）シクロヘキセン−５−スピロ−５’−ビシクロ［２．２．１］−２’−ヘプテン、１−オキサ−２，３−（５’’−エチルベンゾ）シクロヘキセン−５−スピロ−５’−ビシクロ［２．２．１］−２’−ヘプテン、１−オキサ−２，３−（６’’−エチルベンゾ）シクロヘキセン−５−スピロ−５’−ビシクロ［２．２．１］−２’−ヘプテン、１−オキサ−２，３−（３’’−ｎ−プロピルベンゾ）シクロヘキセン−５−スピロ−５’−ビシクロ［２．２．１］−２’−ヘプテン、１−オキサ−２，３−（４’’−ｎ−プロピルベンゾ）シクロヘキセン−５−スピロ−５’−ビシクロ［２．２．１］−２’−ヘプテン、１−オキサ−２，３−（５’’−ｎ−プロピルベンゾ）シクロヘキセン−５−スピロ−５’−ビシクロ［２．２．１］−２’−ヘプテン、１−オキサ−２，３−（６’’−ｎ−プロピルベンゾ）シクロヘキセン−５−スピロ−５’−ビシクロ［２．２．１］−２’−ヘプテン、１−オキサ−２，３−（３’’−ｉｓｏ−プロピルベンゾ）シクロヘキセン−５−スピロ−５’−ビシクロ［２．２．１］−２’−ヘプテン、１−オキサ−２，３−（４’’−ｉｓｏ−プロピルベンゾ）シクロヘキセン−５−��ピロ−５’−ビシクロ［２．２．１］−２’−ヘプテン、１−オキサ−２，３−（５’’−ｉｓｏ−プロピルベンゾ）シクロヘキセン−５−スピロ−５’−ビシクロ［２．２．１］−２’−ヘプテン、１−オキサ−２，３−（６’’−ｉｓｏ−プロピルベンゾ）シクロヘキセン−５−スピロ−５’−ビシクロ［２．２．１］−２’−ヘプテン、１−オキサ−２，３−（３’’−ｎ−ブチルベンゾ）シクロヘキセン−５−スピロ−５’−ビシクロ［２．２．１］−２’−ヘプテン、１−オキサ−２，３−（４’’−ｎ−ブチルベンゾ）シクロヘキセン−５−スピロ−５’−ビシクロ［２．２．１］−２’−ヘプテン、１−オキサ−２，３−（５’’−ｎ−ブチルベンゾ）シクロヘキセン−５−スピロ−５’−ビシクロ［２．２．１］−２’−ヘプテン、１−オキサ−２，３−（６’’−ｎ−ブチルベンゾ）シクロヘキセン−５−スピロ−５’−ビシクロ［２．２．１］−２’−ヘプテン、１−オキサ−２，３−（３’’−ｉｓｏ−ブチルベンゾ）シクロヘキセン−５−スピロ−５’−ビシクロ［２．２．１］−２’−ヘプテン、１−オキサ−２，３−（４’’−ｉｓｏ−ブチルベンゾ）シクロヘキセン−５−スピロ−５’−ビシクロ［２．２．１］−２’−ヘプテン、１−オキサ−２，３−（５’’−ｉｓｏ−ブチルベンゾ）シクロヘキセン−５−スピロ−５’−ビシクロ［２．２．１］−２’−ヘプテン、１−オキサ−２，３−（６’’−ｉｓｏ−ブチルベンゾ）シクロヘキセン−５−スピロ−５’−ビシクロ［２．２．１］−２’−ヘプテン、１−オキサ−２，３−（３’’−ｓｅｃ−ブチルベンゾ）シクロヘキセン−５−スピロ−５’−ビシクロ［２．２．１］−２’−ヘプテン、１−オキサ−２，３−（４’’−ｓｅｃ−ブチルベンゾ）シクロヘキセン−５−スピロ−５’−ビシクロ［２．２．１］−２’−ヘプテン、１−オキサ−２，３−（５’’−ｓｅｃ−ブチルベンゾ）シクロヘキセン−５−スピロ−５’−ビシクロ［２．２．１］−２’−ヘプテン、１−オキサ−２，３−（６’’−ｓｅｃ−ブチルベンゾ）シクロヘキセン−５−スピロ−５’−ビシクロ［２．２．１］−２’−ヘプテン、１−オキサ−２，３−（３’’−ｔ−ブチルベンゾ）シクロヘキセン−５−スピロ−５’−ビシクロ［２．２．１］−２’−ヘプテン、１−オキサ−２，３−（４’’−ｔ−ブチルベンゾ）シクロヘキセン−５−スピロ−５’−ビシクロ［２．２．１］−２’−ヘプテン、
１−オキサ−２，３−（５’’−ｔ−ブチルベンゾ）シクロヘキセン−５−スピロ−５’−ビシクロ［２．２．１］−２’−ヘプテン、１−オキサ−２，３−（６’’−ｔ−ブチルベンゾ）シクロヘキセン−５−スピロ−５’−ビシクロ［２．２．１］−２’−ヘプテン、１−オキサ−２，３−（３’−シクロヘキシルベンゾ）シクロヘキセン−５−スピロ−５‘−ビシクロ［２．２．１］−２’−ヘプテン、１−オキサ−２，３−（４’’−シクロヘキシルベンゾ）シクロヘキセン−５−スピロ−５’−ビシクロ［２．２．１］−２’−ヘプテン、１−オキサ−２，３−（５’’−シクロヘキシルベンゾ）シクロヘキセン−５−スピロ−５’−ビシクロ［２．２．１］−２’−ヘプテン、１−オキサ−２，３−（６’’−シクロヘキシルベンゾ）シクロヘキセン−５−スピロ−５’−ビシクロ［２．２．１］−２’−ヘプテン、１−オキサ−２，３−（３’’−フェニルベンゾ）シクロヘキセン−５−スピロ−５’−ビシクロ［２．２．１］−２’−ヘプテン、１−オキサ−２，３−（４’’−フェニルベンゾ）シクロヘキセン−５−スピロ−５’−ビシクロ［２．２．１］−２’−ヘプテン、１−オキサ−２，３−（５’’−フェニルベンゾ）シクロヘキセン−５−スピロ−５’−ビシクロ［２．２．１］−２’−ヘプテン、１−オキサ−２，３−（６’’−フェニルベンゾ）シクロヘキセン−５−スピロ−５’−ビシクロ［２．２．１］−２’−ヘプテン、１−オキサ−２，３−（３’’−クロロベンゾ）シクロヘキセン−５−スピロ−５’−ビシクロ［２．２．１］−２’−ヘプテン、１−オキサ−２，３−（４’’−クロロベンゾ）シクロヘキセン−５−スピロ−５’−ビシクロ［２．２．１］−２’−ヘプテン、１−オキサ−２，３−（５’’−クロロベンゾ）シクロヘキセン−５−スピロ−５’−ビシクロ［２．２．１］−２’−ヘプテン、１−オキサ−２，３−（６’’−クロロベンゾ）シクロヘキセン−５−スピロ−５’−ビシクロ［２．２．１］−２’−ヘプテン、１−オキサ−２，３−（３’’−アミノベンゾ）シクロヘキセン−５−スピロ−５’−ビシクロ［２．２．１］−２’−ヘプテン、１−オキサ−２，３−（４’’−アミノベンゾ）シクロヘキセン−５−スピロ−５’−ビシクロ［２．２．１］−２’−ヘプテン、１−オキサ−２，３−（５’’−アミノベンゾ）シクロヘキセン−５−スピロ−５’−ビシクロ［２．２．１］−２’−ヘプテン、１−オキサ−２，３−（６’’−アミノベンゾ）シクロヘキセン−５−スピロ−５’−ビシクロ［２．２．１］−２’−ヘプテン、１−オキサ−２，３−（３’’−メトキシベンゾ）シクロヘキセン−５−スピロ−５‘−ビシクロ［２．２．１］−２’−ヘプテン、１−オキサ−２，３−（４’’−メトキシベンゾ）シクロヘキセン−５−スピロ−５’−ビシクロ［２．２．１］−２’−ヘプテン、１−オキサ−２，３−（５’’−メトキシベンゾ）シクロヘキセン−５−スピロ−５’−ビシクロ［２．２．１］−２’−ヘプテン、１−オキサ−２，３−（６’’−メトキシベンゾ）シクロヘキセン−５−スピロ−５’−ビシクロ［２．２．１］−２’−ヘプテン、１−オキサ−２，３−ベンゾシクロヘキセン−６−スピロ−５’−ビシクロ［２．２．１］−２’−ヘプテン、１−オキサ−２，３−（３’’−メチルベンゾ）シクロヘキセン−６−スピロ−５’−ビシクロ［２．２．１］−２’−ヘプテン、１−オキサ−２，３−（４’’−メチルベンゾ）シクロヘキセン−６−スピロ−５’−ビシクロ［２．２．１］−２’−ヘプテン、１−オキサ−２，３−（５’’−メチルベンゾ）シクロヘキセン−６−スピロ−５’−ビシクロ［２．２．１］−２’−ヘプテン、１−オキサ−２，３−（５’’−メチルベンゾ）シクロヘキセン−６−スピロ−５’−ビシクロ［２．２．１］−２’−ヘプテン、１−オキサ−２，３−（３’’−エチルベンゾ）シクロヘキセン−６−スピロ−５’−ビシクロ［２．２．１］−２’−ヘプテン、１−オキサ−２，３−（４’’−エチルベンゾ）シクロヘキセン−６−スピロ−５’−ビシクロ［２．２．１］−２’−ヘプテン、１−オキサ−２，３−（５’’−エチルベンゾ）シクロヘキセン−６−スピロ−５’−ビシクロ［２．２．１］−２’−ヘプテン、１−オキサ−２，３−（６’’−エチルベンゾ）シクロヘキセン−６−スピロ−５’−ビシクロ［２．２．１］−２’−ヘプテン、１−オキサ−２，３−（３’’−ｎ−プロピルベンゾ）シクロヘキセン−６−スピロ−５’−ビシクロ［２．２．１］−２’−ヘプテン、１−オキサ−２，３−（４’’−ｎ−プロピルベンゾ）シクロヘキセン−６−スピロ−５’−ビシクロ［２．２．１］−２’−ヘプテン、１−オキサ−２，３−（５’’−ｎ−プロピルベンゾ）シクロヘキセン−６−スピロ−５’−ビシクロ［２．２．１］−２’−ヘプテン、１−オキサ−２，３−（６’’−ｎ−プロピルベンゾ）シクロヘキセン−６−スピロ−５’−ビシクロ［２．２．１］−２’−ヘプテン、１−オキサ−２，３−（３’’−ｉｓｏ−プロピルベンゾ）シクロヘキセン−６−スピロ−５’−ビシクロ［２．２．１］−２’−ヘプテン、１−オキサ−２，３−（４’’−ｉｓｏ−プロピルベンゾ）シクロヘキセン−６−スピロ−５’−ビシクロ［２．２．１］−２’−ヘプテン、１−オキサ−２，３−（５’’−ｉｓｏ−プロピルベンゾ）シクロヘキセン−６−スピロ−５’−ビシクロ［２．２．１］−２’−ヘプテン、１−オキサ−２，３−（６’’−ｉｓｏ−プロピルベンゾ）シクロヘキセン−６−スピロ−５’−ビシクロ［２．２．１］−２’−ヘプテン、１−オキサ−２，３−（３’’−ｎ−ブチルベンゾ）シクロヘキセン−６−スピロ−５’−ビシクロ［２．２．１］−２’−ヘプテン、１−オキサ−２，３−（４’’−ｎ−ブチルベンゾ）シクロヘキセン−６−スピロ−５’−ビシクロ［２．２．１］−２’−ヘプテン、１−オキサ−２，３−（５’’−ｎ−ブチルベンゾ）シクロヘキセン−６−スピロ−５’−ビシクロ［２．２．１］−２’−ヘプテン、１−オキサ−２，３−（６’’−ｎ−ブチルベンゾ）シクロヘキセン−６−スピロ−５’−ビシクロ［２．２．１］−２’−ヘプテン、１−オキサ−２，３−（３’’−ｉｓｏ−ブチルベンゾ）シクロヘキセン−６−スピロ−５’−ビシクロ［２．２．１］−２’−ヘプテン、１−オキサ−２，３−（４’’−ｉｓｏ−ブチルベンゾ）シクロヘキセン−６−スピロ−５’−ビシクロ［２．２．１］−２’−ヘプテン、１−オキサ−２，３−（５’’−ｉｓｏ−ブチルベンゾ）シクロヘキセン−６−スピロ−５’−ビシクロ［２．２．１］−２’−ヘプテン、１−オキサ−２，３−（６’’−ｉｓｏ−ブチルベンゾ）シクロヘキセン−６−スピロ−５’−ビシクロ［２．２．１］−２’−ヘプテン、１−オキサ−２，３−（３’’−ｓｅｃ−ブチルベンゾ）シクロヘキセン−６−スピロ−５’−ビシクロ［２．２．１］−２’−ヘプテン、１−オキサ−２，３−（４’’−ｓｅｃ−ブチルベンゾ）シクロヘキセン−６−スピロ−５’−ビシクロ［２．２．１］−２’−ヘプテン、１−オキサ−２，３−（５’’−ｓｅｃ−ブチルベンゾ）シクロヘキセン−６−スピロ−５’−ビシクロ［２．２．１］−２’−ヘプテン、１−オキサ−２，３−（６’’−ｓｅｃ−ブチルベンゾ）シクロヘキセン−６−スピロ−５’−ビシクロ［２．２．１］−２’−ヘプテン、１−オキサ−２，３−（３’’−ｔ−ブチルベンゾ）シクロヘキセン−６−スピロ−５’−ビシクロ［２．２．１］−２’−ヘプテン、１−オキサ−２，３−（４’’−ｔ−ブチルベンゾ）シクロヘキセン−６−スピロ−５’−ビシクロ［２．２．１］−２’−ヘプテン、１−オキサ−２，３−（５’’−ｔ−ブチルベンゾ）シクロヘキセン−６−スピロ−５’−ビシクロ［２．２．１］−２’−ヘプテン、１−オキサ−２，３−（６’’−ｔ−ブチルベンゾ）シクロヘキセン−６−スピロ−５’−ビシクロ［２．２．１］−２’−ヘプテン、１−オキサ−２，３−（３’−シクロヘキシルベンゾ）シクロヘキセン−６−スピロ−５‘−ビシクロ［２．２．１］−２’−ヘプテン、１−オキサ−２，３−（４’’−シクロヘキシルベンゾ）シクロヘキセン−６−スピロ−５’−ビシクロ［２．２．１］−２’−ヘプテン、１−オキサ−２，３−（５’’−シクロヘキシルベンゾ）シクロヘキセン−６−スピロ−５’−ビシクロ［２．２．１］−２’−ヘプテン、１−オキサ−２，３−（６’’−シクロヘキシルベンゾ）シクロヘキセン−６−スピロ−５’−ビシクロ［２．２．１］−２’−ヘプテン、１−オキサ−２，３−（３’’−フェニルベンゾ）シクロヘキセン−６−スピロ−５’−ビシクロ［２．２．１］−２’−ヘプテン、１−オキサ−２，３−（４’’−フェニルベンゾ）シクロヘキセン−６−スピロ−５’−ビシクロ［２．２．１］−２’−ヘプテン、１−オキサ−２，３−（５’’−フェニルベンゾ）シクロヘキセン−６−スピロ−５’−ビシクロ［２．２．１］−２’−ヘプテン、１−オキサ−２，３−（６’’−フェニルベンゾ）シクロヘキセン−６−スピロ−５’−ビシクロ［２．２．１］−２’−ヘプテン、１−オキサ−２，３−（３’’−クロロベンゾ）シクロヘキセン−６−スピロ−５’−ビシクロ［２．２．１］−２’−ヘプテン、１−オキサ−２，３−（４’’−クロロベンゾ）シクロヘキセン−６−スピロ−５’−ビシクロ［２．２．１］−２’−ヘプテン、１−オキサ−２，３−（５’’−クロロベンゾ）シクロヘキセン−６−スピロ−５’−ビシクロ［２．２．１］−２’−ヘプテン、１−オキサ−２，３−（６’’−クロロベンゾ）シクロヘキセン−６−スピロ−５’−ビシクロ［２．２．１］−２’−ヘプテン、１−オキサ−２，３−（３’’−アミノベンゾ）シクロヘキセン−６−スピロ−５’−ビシクロ［２．２．１］−２’−ヘプテン、１−オキサ−２，３−（４’’−アミノベンゾ）シクロヘキセン−６−スピロ−５’−ビシクロ［２．２．１］−２’−ヘプテン、１−オキサ−２，３−（５’’−アミノベンゾ）シクロヘキセン−６−スピロ−５’−ビシクロ［２．２．１］−２’−ヘプテン、１−オキサ−２，３−（６’’−アミノベンゾ）シクロヘキセン−６−スピロ−５’−ビシクロ［２．２．１］−２’−ヘプテン、１−オキサ−２，３−（３’’−メトキシベンゾ）シクロヘキセン−６−スピロ−５‘−ビシクロ［２．２．１］−２’−ヘプテン、１−オキサ−２，３−（４’’−メトキシベンゾ）シクロヘキセン−６−スピロ−５’−ビシクロ［２．２．１］−２’−ヘプテン、１−オキサ−２，３−（５’’−メトキシベンゾ）シクロヘキセン−６−スピロ−５’−ビシクロ［２．２．１］−２’−ヘプテン、１−オキサ−２，３−（６’’−メトキシベンゾ）シクロヘキセン−６−スピロ−５’−ビシクロ［２．２．１］−２’−ヘプテン。
【００６１】
（xi）１，４−ジオキサ−２，３−ベンゾシクロヘキセン−５−スピロ−５’−ビシクロ［２．２．１］−２’−ヘプテン、１，４−ジオキサ−２，３−（３’’−メチルベンゾ）シクロヘキセン−５−スピロ−５’−ビシクロ［２．２．１］−２’−ヘプテン、１，４−ジオキサ−２，３−（４’’−メチルベンゾ）シクロヘキセン−５−スピロ−５’−ビシクロ［２．２．１］−２’−ヘプテン、１，４−ジオキサ−２，３−（５’’−メチルベンゾ）シクロヘキセン−５−スピロ−５’−ビシクロ［２．２．１］−２’−ヘプテン、１，４−ジオキサ−２，３−（５’’−メチルベンゾ）シクロヘキセン−５−スピロ−５’−ビシクロ［２．２．１］−２’−ヘプテン、１，４−ジオキサ−２，３−（３’’−エチルベンゾ）シクロヘキセン−５−スピロ−５’−ビシクロ［２．２．１］−２’−ヘプテン、１，４−ジオキサ−２，３−（４’’−エチルベンゾ）シクロヘキセン−５−スピロ−５’−ビシクロ［２．２．１］−２’−ヘプテン、１，４−ジオキサ−２，３−（５’’−エチルベンゾ）シクロヘキセン−５−スピロ−５’−ビシクロ［２．２．１］−２’−ヘプテン、１，４−ジオキサ−２，３−（６’’−エチルベンゾ）シクロヘキセン−５−スピロ−５’−ビシクロ［２．２．１］−２’−ヘプテン、１，４−ジオキサ−２，３−（３’’−ｎ−プロピルベンゾ）シクロヘキセン−５−スピロ−５’−ビシクロ［２．２．１］−２’−ヘプテン、１，４−ジオキサ−２，３−（４’’−ｎ−プロピルベンゾ）シクロヘキセン−５−スピロ−５’−ビシクロ［２．２．１］−２’−ヘプテン、１，４−ジオキサ−２，３−（５’’−ｎ−プロピルベンゾ）シクロヘキセン−５−スピロ−５’−ビシクロ［２．２．１］−２’−ヘプテン、１，４−ジオキサ−２，３−（６’’−ｎ−プロピルベンゾ）シクロヘキセン−５−スピロ−５’−ビシクロ［２．２．１］−２’−ヘプテン、１，４−ジオキサ−２，３−（３’’−ｉｓｏ−プロピルベンゾ）シクロヘキセン−５−スピロ−５’−ビシクロ［２．２．１］−２’−ヘプテン、１，４−ジオキサ−２，３−（４’’−ｉｓｏ−プロピルベンゾ）シクロヘキセン−５−スピロ−５’−ビシクロ［２．２．１］−２’−ヘプテン、１，４−ジオキサ−２，３−（５’’−ｉｓｏ−プロピルベンゾ）シクロヘキセン−５−スピロ−５’−ビシクロ［２．２．１］−２’−ヘプテン、１，４−ジオキサ−２，３−（６’’−ｉｓｏ−プロピルベンゾ）シクロヘキセン−５−スピロ−５’−ビシクロ［２．２．１］−２’−ヘプテン、１，４−ジオキサ−２，３−（３’’−ｎ−ブチルベンゾ）シクロヘキセン−５−スピロ−５’−ビシクロ［２．２．１］−２’−ヘプテン、１，４−ジオキサ−２，３−（４’’−ｎ−ブチルベンゾ）シクロヘキセン−５−スピロ−５’−ビシクロ［２．２．１］−２’−ヘプテン、１，４−ジオキサ−２，３−（５’’−ｎ−ブチルベンゾ）シクロヘキセン−５−スピロ−５’−ビシクロ［２．２．１］−２’−ヘプテン、１，４−ジオキサ−２，３−（６’’−ｎ−ブチルベンゾ）シクロヘキセン−５−スピロ−５’−ビシクロ［２．２．１］−２’−ヘプテン、１，４−ジオキサ−２，３−（３’’−ｉｓｏ−ブチルベンゾ）���クロヘキセン−５−スピロ−５’−ビシクロ［２．２．１］−２’−ヘプテン、１，４−ジオキサ−２，３−（４’’−ｉｓｏ−ブチルベンゾ）シクロヘキセン−５−スピロ−５’−ビシクロ［２．２．１］−２’−ヘプテン、１，４−ジオキサ−２，３−（５’’−ｉｓｏ−ブチルベンゾ）シクロヘキセン−５−スピロ−５’−ビシクロ［２．２．１］−２’−ヘプテン、１，４−ジオキサ−２，３−（６’’−ｉｓｏ−ブチルベンゾ）シクロヘキセン−５−スピロ−５’−ビシクロ［２．２．１］−２’−ヘプテン、１，４−ジオキサ−２，３−（３’’−ｓｅｃ−ブチルベンゾ）シクロヘキセン−５−スピロ−５’−ビシクロ［２．２．１］−２’−ヘプテン、１，４−ジオキサ−２，３−（４’’−ｓｅｃ−ブチルベンゾ）シクロヘキセン−５−スピロ−５’−ビシクロ［２．２．１］−２’−ヘプテン、１，４−ジオキサ−２，３−（５’’−ｓｅｃ−ブチルベンゾ）シクロヘキセン−５−スピロ−５’−ビシクロ［２．２．１］−２’−ヘプテン、１，４−ジオキサ−２，３−（６’’−ｓｅｃ−ブチルベンゾ）シクロヘキセン−５−スピロ−５’−ビシクロ［２．２．１］−２’−ヘプテン、１，４−ジオキサ−２，３−（３’’−ｔ−ブチルベンゾ）シクロヘキセン−５−スピロ−５’−ビシクロ［２．２．１］−２’−ヘプテン、１，４−ジオキサ−２，３−（４’’−ｔ−ブチルベンゾ）シクロヘキセン−５−スピロ−５’−ビシクロ［２．２．１］−２’−ヘプテン、１，４−ジオキサ−２，３−（５’’−ｔ−ブチルベンゾ）シクロヘキセン−５−スピロ−５’−ビシクロ［２．２．１］−２’−ヘプテン、１，４−ジオキサ−２，３−（６’’−ｔ−ブチルベンゾ）シクロヘキセン−５−スピロ−５’−ビシクロ［２．２．１］−２’−ヘプテン、１，４−ジオキサ−２，３−（３’−シクロヘキシルベンゾ）シクロヘキセン−５−スピロ−５‘−ビシクロ［２．２．１］−２’−ヘプテン、１，４−ジオキサ−２，３−（４’’−シクロヘキシルベンゾ）シクロヘキセン−５−スピロ−５’−ビシクロ［２．２．１］−２’−ヘプテン、１−オキサ−２，３−（５’’−シクロヘキシルベンゾ）シクロヘキセン−５−スピロ−５’−ビシクロ［２．２．１］−２’−ヘプテン、１，４−ジオキサ−２，３−（６’’−シクロヘキシルベンゾ）シクロヘキセン−５−スピロ−５’−ビシクロ［２．２．１］−２’−ヘプテン、１，４−ジオキサ−２，３−（３’’−フェニルベンゾ）シクロヘキセン−５−スピロ−５’−ビシクロ［２．２．１］−２’−ヘプテン、１，４−ジオキサ−２，３−（４’’−フェニルベンゾ）シクロヘキセン−５−スピロ−５’−ビシクロ［２．２．１］−２’−ヘプテン、１，４−ジオキサ−２，３−（５’’−フェニルベンゾ）シクロヘキセン−５−スピロ−５’−ビシクロ［２．２．１］−２’−ヘプテン、１，４−ジオキサ−２，３−（６’’−フェニルベンゾ）シクロヘキセン−５−スピロ−５’−ビシクロ［２．２．１］−２’−ヘプテン、１，４−ジオキサ−２，３−（３’’−クロロベンゾ）シクロヘキセン−５−スピロ−５’−ビシクロ［２．２．１］−２’−ヘプテン、１，４−ジオキサ−２，３−（４’’−クロロベンゾ）シクロヘキセン−５−ス���ロ−５’−ビシクロ［２．２．１］−２’−ヘプテン、１，４−ジオキサ−２，３−（５’’−クロロベンゾ）シクロヘキセン−５−スピロ−５’−ビシクロ［２．２．１］−２’−ヘプテン、１，４−ジオキサ−２，３−（６’’−クロロベンゾ）シクロヘキセン−５−スピロ−５’−ビシクロ［２．２．１］−２’−ヘプテン、１，４−ジオキサ−２，３−（３’’−アミノベンゾ）シクロヘキセン−５−スピロ−５’−ビシクロ［２．２．１］−２’−ヘプテン、１，４−ジオキサ−２，３−（４’’−アミノベンゾ）シクロヘキセン−５−スピロ−５’−ビシクロ［２．２．１］−２’−ヘプテン、１，４−ジオキサ−２，３−（５’’−アミノベンゾ）シクロヘキセン−５−スピロ−５’−ビシクロ［２．２．１］−２’−ヘプテン、１，４−ジオキサ−２，３−（６’’−アミノベンゾ）シクロヘキセン−５−スピロ−５’−ビシクロ［２．２．１］−２’−ヘプテン、１，４−ジオキサ−２，３−（３’’−メトキシベンゾ）シクロヘキセン−５−スピロ−５‘−ビシクロ［２．２．１］−２’−ヘプテン、１，４−ジオキサ−２，３−（４’’−メトキシベンゾ）シクロヘキセン−５−スピロ−５’−ビシクロ［２．２．１］−２’−ヘプテン、１，４−ジオキサ−２，３−（５’’−メトキシベンゾ）シクロヘキセン−５−スピロ−５’−ビシクロ［２．２．１］−２’−ヘプテン、１，４−ジオキサ−２，３−（６’’−メトキシベンゾ）シクロヘキセン−５−スピロ−５’−ビシクロ［２．２．１］−２’−ヘプテン。
【００６２】
（xii）１−アザ−２，３−ベンゾシクロペンテン−４−スピロ−５’−ビシクロ［２．２．１］−２’−ヘプテン、１−アザ−２，３−（３’’−メチルベンゾ）シクロペンテン−４−スピロ−５’−ビシクロ［２．２．１］−２’−ヘプテン、１−アザ−２，３−（４’’−メチルベンゾ）シクロペンテン−４−スピロ−５’−ビシクロ［２．２．１］−２’−ヘプテン、１−アザ−２，３（５’’−メチルベンゾ）シクロペンテン−４−スピロ−５’−ビシクロ［２．２．１］−２’−ヘプテン、１−アザ−２，３−（６’’−メチルベンゾ）シクロペンテン−４−スピロ−５’−ビシクロ［２．２．１］−２’−ヘプテン、１−アザ−２，３−（３’’−エチルベンゾ）シクロペンテン−４−スピロ−５’−ビシクロ［２．２．１］−２’−ヘプテン、１−アザ−２，３−（４’’−エチルベンゾ）シクロペンテン−４−スピロ−５’−ビシクロ［２．２．１］−２’−ヘプテン、１−アザ−２，３−（５’’−エチルベンゾ）シクロペンテン−４−スピロ−５’−ビシクロ［２．２．１］−２’−ヘプテン、１−アザ−２，３−（６’’−エチルベンゾ）シクロペンテン−４−スピロ−５’−ビシクロ［２．２．１］−２’−ヘプテン、１−アザ−２，３−（３’−ｎ−プロピルベンゾ）シクロペンテン−４−スピロ−５’−ビシクロ［２．２．１］−２’−ヘプテン、１−アザ−２，３−（４’’−ｎ−プロピルベンゾ）シクロペンテン−４−スピロ−５’−ビシクロ［２．２．１］−２’−ヘプテン、１−アザ−２，３−（５’−ｎ−プロピルベンゾ）シクロペンテン−４−スピロ−５’−ビシクロ［２．２．１］−２’−ヘプテン、１−アザ−２，３−（６’’−ｎ−プロピルベンゾ）シクロペンテン−４−スピロ−５’−ビシクロ［２．２．１］−２’−ヘプテン、１−アザ−２，３−（３’’−ｉｓｏ−プロピルベンゾ）シクロペンテン−４−スピロ−５’−ビシクロ［２．２．１］−２’−ヘプテン、１−アザ−２，３−（４’’−ｉｓｏ−プロピルベンゾ）シクロペンテン−４−スピロ−５’−ビシクロ［２．２．１］−２’−ヘプテン、１−アザ−２，３−（５’’−ｉｓｏ−プロピルベンゾ）シクロペンテン−４−スピロ−５’−ビシクロ［２．２．１］−２’−ヘプテン、１−アザ−２，３−（６’’−ｉｓｏ−プロピルベンゾ）シクロペンテン−４−スピロ−５’−ビシクロ［２．２．１］−２’−ヘプテン、１−アザ−２，３−（３’’−ｎ−ブチルベンゾ）シクロペンテン−４−スピロ−５’−ビシクロ［２．２．１］−２’−ヘプテン、１−アザ−２，３−（４’’−ｎ−ブチルベンゾ）シクロペンテン−４−スピロ−５’−ビシクロ［２．２．１］−２’−ヘプテン、１−アザ−２，３−（５’’−ｎ−ブチルベンゾ）シクロペンテン−４−スピロ−５’−ビシクロ［２．２．１］−２’−ヘプテン、１−アザ−２，３−（６’’−ｎ−ブチルベンゾ）シクロペンテン−４−スピロ−５’−ビシクロ［２．２．１］−２’−ヘプテン、１−アザ−２，３−（３’’−ｉｓｏ−ブチルベンゾ）シクロペンテン−４−スピロ−５’−ビシクロ［２．２．１］−２’−ヘプテン、１−アザ−２，３−（４’’−ｉｓｏ−ブチルベンゾ）シクロペンテン−４−スピロ−５’−ビシクロ［２．２．１］−２’−ヘプテン、１−アザ−２，３−（５’’−ｉｓｏ−ブチルベンゾ）シクロペンテン−４−スピロ−５’−ビシクロ［２．２．１］−２’−ヘプテン、１−アザ−２，３−（６’’−ｉｓｏ−ブチルベンゾ）シクロペンテン−４−スピロ−５’−ビシクロ［２．２．１］−２’−ヘプテン、１−アザ−２，３−（３’’−ｓｅｃ−ブチルベンゾ）シクロペンテン−４−スピロ−５’−ビシクロ［２．２．１］−２’−ヘプテン、１−アザ−２，３−（４’’−ｓｅｃ−ブチルベンゾ）シクロペンテン−４−スピロ−５’−ビシクロ［２．２．１］−２’−ヘプテン、１−アザ−２，３−（５’’−ｓｅｃ−ブチルベンゾ）シクロペンテン−４−スピロ−５’−ビシクロ［２．２．１］−２’−ヘプテン、１−アザ−２，３−（６’’−ｓｅｃ−ブチルベンゾ）シクロペンテン−４−スピロ−５’−ビシクロ［２．２．１］−２’−ヘプテン、１−アザ−２，３−（３’’−ｔ−ブチルベンゾ）シクロペンテン−４−スピロ−５’−ビシクロ［２．２．１］−２’−ヘプテン、１−アザ−２，３−（４’’−ｔ−ブチルベンゾ）シクロペンテン−４−スピロ−５’−ビシクロ［２．２．１］−２’−ヘプテン、１−アザ−２，３−（５’’−ｔ−ブチルベンゾ）シクロペンテン−４−スピロ−５’−ビシクロ［２．２．１］−２’−ヘプテン、１−アザ−２，３−（６’’−ｔ−ブチルベンゾ）シクロペンテン−４−スピロ−５’−ビシクロ［２．２．１］−２’−ヘプテン、１−アザ−２，３−（３’’−シクロヘキシルベンゾ）シクロペンテン−４−スピロ−５’−ビシクロ［２．２．１］−２’−ヘプテン、１−アザ−２，３−（４’’−シクロヘキシルベンゾ）シクロペンテン−４−スピロ−５’−ビシクロ［２．２．１］−２’−ヘプテン、１−アザ−２，３−（５’’−シクロヘキシルベンゾ）シクロペンテン−４−スピロ−５’−ビシクロ［２．２．１］−２’−ヘプテン、１−アザ−２，３−（６’’−シクロヘキシルベンゾ）シクロペンテン−４−スピロ−５’−ビシクロ［２．２．１］−２’−ヘプテン、１−アザ−２，３−（３’’−フェニルベンゾ）シクロペンテン−４−スピロ−５’−ビシクロ［２．２．１］−２’−ヘプテン、１−アザ−２，３−（４’’−フェニルベンゾ）シクロペンテン−４−スピロ−５’−ビシクロ［２．２．１］−２’−ヘプテン、１−アザ−２，３−（５’’−フェニルベンゾ）シクロペンテン−４−スピロ−５’−ビシクロ［２．２．１］−２’−ヘプテン、１−アザ−２，３−（６’’−フェニルベンゾ）シクロペンテン−４−スピロ−５’−ビシクロ［２．２．１］−２’−ヘプテン、１−アザ−２，３−（３’’−クロロベンゾ）シクロペンテン−４−スピロ−５’−ビシクロ［２．２．１］−２’−ヘプテン、１−アザ−２，３−（４’’−クロロベンゾ）シクロペンテン−４−スピロ−５’−ビシクロ［２．２．１］−２’−ヘプテン、１−アザ−２，３−（５’’−クロロベンゾ）シクロペンテン−４−スピロ−５’−ビシクロ［２．２．１］−２’−ヘプテン、１−アザ−２，３−（６’’−クロロベンゾ）シクロペンテン−４−スピロ−５’−ビシクロ［２．２．１］−２’−ヘプテン、１−アザ−２，３−（３’’−アミノベンゾ）シクロペンテン−４−スピロ−５’−ビシクロ［２．２．１］−２’−ヘプテン、１−アザ−２，３−（４’’−アミノベンゾ）シクロペンテン−４−スピロ−５’−ビシクロ［２．２．１］−２’−ヘプテン、１−アザ−２，３−（５’’−アミノベンゾ）シクロペンテン−４−スピロ−５’−ビシクロ［２．２．１］−２’−ヘプテン、１−アザ−２，３−（６’’−アミノベンゾ）シクロペンテン−４−スピロ−５’−ビシクロ［２．２．１］−２’−ヘプテン、１−アザ−２，３−（３’’−メトキシベンゾ）シクロペンテン−４−スピロ−５’−ビシクロ［２．２．１］−２’−ヘプテン、１−アザ−２，３−（４’’−メトキシベンゾ）シクロペンテン−４−スピロ−５’−ビシクロ［２．２．１］−２’−ヘプテン、１−アザ−２，３−（５’’−メトキシベンゾ）シクロペンテン−４−スピロ−５’−ビシクロ［２．２．１］−２’−ヘプテン、１−アザ−２，３−（６’’−メトキシベンゾ）シクロペンテン−４−スピロ−５’−ビシクロ［２．２．１］−２’−ヘプテン、１−アザ−２，３−ベンゾシクロペンテン−５−スピロ−５’−ビシクロ［２．２．１］−２’−ヘプテン、１−アザ−２，３−（３’’−メチルベンゾ）シクロペンテン−５−スピロ−５’−ビシクロ［２．２．１］−２’−ヘプテン、１−アザ−２，３−（４’’−メチルベンゾ）シクロペンテン−５−スピロ−５’−ビシクロ［２．２．１］−２’−ヘプテン、１−アザ−２，３（５’’−メチルベンゾ）シクロペンテン−５−スピロ−５’−ビシクロ［２．２．１］−２’−ヘプテン、１−アザ−２，３−（６’’−メチルベンゾ）シクロペンテン−５−スピロ−５’−ビシクロ［２．２．１］−２’−ヘプテン、１−アザ−２，３−（３’’−エチルベンゾ）シクロペンテン−５−スピロ−５’−ビシクロ［２．２．１］−２’−ヘプテン、１−アザ−２，３−（４’’−エチルベンゾ）シクロペンテン−５−スピロ−５’−ビシクロ［２．２．１］−２’−ヘプテン、１−アザ−２，３−（５’’−エチルベンゾ）シクロペンテン−５−スピロ−５’−ビシクロ［２．２．１］−２’−ヘプテン、１−アザ−２，３−（６’’−エチルベンゾ）シクロペンテン−５−スピロ−５’−ビシクロ［２．２．１］−２’−ヘプテン、１−アザ−２，３−（３’−ｎ−プロピルベンゾ）シクロペンテン−５−スピロ−５’−ビシクロ［２．２．１］−２’−ヘプテン、１−アザ−２，３−（４’’−ｎ−プロピルベンゾ）シクロペンテン−５−スピロ−５’−ビシクロ［２．２．１］−２’−ヘプテン、１−アザ−２，３−（５’−ｎ−プロピルベンゾ）シクロペンテン−５−スピロ−５’−ビシクロ［２．２．１］−２’−ヘプテン、１−アザ−２，３−（６’’−ｎ−プロピルベンゾ）シクロペンテン−５−スピロ−５’−ビシクロ［２．２．１］−２’−ヘプテン、１−アザ−２，３−（３’’−ｉｓｏ−プロピルベンゾ）シクロペンテン−５−スピロ−５’−ビシクロ［２．２．１］−２’−ヘプテン、１−アザ−２，３−（４’’−ｉｓｏ−プロピルベンゾ）シクロペンテン−５−スピロ−５’−ビシクロ［２．２．１］−２’−ヘプテン、１−アザ−２，３−（５’’−ｉｓｏ−プロピルベンゾ）シクロペンテン−５−スピロ−５’−ビシクロ［２．２．１］−２’−ヘプテン、１−アザ−２，３−（６’’−ｉｓｏ−プロピルベンゾ）シクロペンテン−５−スピロ−５’−ビシクロ［２．２．１］−２’−ヘプテン、１−アザ−２，３−（３’’−ｎ−ブチルベンゾ）シクロペンテン−５−スピロ−５’−ビシクロ［２．２．１］−２’−ヘプテン、１−アザ−２，３−（４’’−ｎ−ブチルベンゾ）シクロペンテン−５−スピロ−５’−ビシクロ［２．２．１］−２’−ヘプテン、１−アザ−２，３−（５’’−ｎ−ブチルベンゾ）シクロペンテン−５−スピロ−５’−ビシクロ［２．２．１］−２’−ヘプテン、１−アザ−２，３−（６’’−ｎ−ブチルベンゾ）シクロペンテン−５−スピロ−５’−ビシクロ［２．２．１］−２’−ヘプテン、１−アザ−２，３−（３’’−ｉｓｏ−ブチルベンゾ）シクロペンテン−５−スピロ−５’−ビシクロ［２．２．１］−２’−ヘプテン、１−アザ−２，３−（４’’−ｉｓｏ−ブチルベンゾ）シクロペンテン−５−スピロ−５’−ビシクロ［２．２．１］−２’−ヘプテン、１−アザ−２，３−（５’’−ｉｓｏ−ブチルベンゾ）シクロペンテン−５−スピロ−５’−ビシクロ［２．２．１］−２’−ヘプテン、１−アザ−２，３−（６’’−ｉｓｏ−ブチルベンゾ）シクロペンテン−５−スピロ−５’−ビシクロ［２．２．１］−２’−ヘプテン、１−アザ−２，３−（３’’−ｓｅｃ−ブチルベンゾ）シクロペンテン−５−スピロ−５’−ビシクロ［２．２．１］−２’−ヘプテン、１−アザ−２，３−（４’’−ｓｅｃ−ブチルベンゾ）シクロペンテン−５−スピロ−５’−ビシクロ［２．２．１］−２’−ヘプテン、１−アザ−２，３−（５’’−ｓｅｃ−ブチルベンゾ）シクロペンテン−５−スピロ−５’−ビシクロ［２．２．１］−２’−ヘプテン、１−アザ−２，３−（６’’−ｓｅｃ−ブチルベンゾ）シクロペンテン−５−スピロ−５’−ビシクロ［２．２．１］−２’−ヘプテン、１−アザ−２，３−（３’’−ｔ−ブチルベンゾ）シクロペンテン−５−スピロ−５’−ビシクロ［２．２．１］−２’−ヘプテン、１−アザ−２，３−（４’’−ｔ−ブチルベンゾ）シクロペンテン−５−スピロ−５’−ビシクロ［２．２．１］−２’−ヘプテン、１−アザ−２，３−（５’’−ｔ−ブチルベンゾ）シクロペンテン−５−スピロ−５’−ビシクロ［２．２．１］−２’−ヘプテン、１−アザ−２，３−（６’’−ｔ−ブチルベンゾ）シクロペン
テン−５−スピロ−５’−ビシクロ［２．２．１］−２’−ヘプテン、１−アザ−２，３−（３’’−シクロヘキシルベンゾ）シクロペンテン−５−スピロ−５’−ビシクロ［２．２．１］−２’−ヘプテン、１−アザ−２，３−（４’’−シクロヘキシルベンゾ）シクロペンテン−５−スピロ−５’−ビシクロ［２．２．１］−２’−ヘプテン、１−アザ−２，３−（５’’−シクロヘキシルベンゾ）シクロペンテン−５−スピロ−５’−ビシクロ［２．２．１］−２’−ヘプテン、１−アザ−２，３−（６’’−シクロヘキシルベンゾ）シクロペンテン−５−スピロ−５’−ビシクロ［２．２．１］−２’−ヘプテン、１−アザ−２，３−（３’’−フェニルベンゾ）シクロペンテン−５−スピロ−５’−ビシクロ［２．２．１］−２’−ヘプテン、１−アザ−２，３−（４’’−フェニルベンゾ）シクロペンテン−５−スピロ−５’−ビシクロ［２．２．１］−２’−ヘプテン、１−アザ−２，３−（５’’−フェニルベンゾ）シクロペンテン−５−スピロ−５’−ビシクロ［２．２．１］−２’−ヘプテン、１−アザ−２，３−（６’’−フェニルベンゾ）シクロペンテン−５−スピロ−５’−ビシクロ［２．２．１］−２’−ヘプテン、１−アザ−２，３−（３’’−クロロベンゾ）シクロペンテン−５−スピロ−５’−ビシクロ［２．２．１］−２’−ヘプテン、１−アザ−２，３−（４’’−クロロベンゾ）シクロペンテン−５−スピロ−５’−ビシクロ［２．２．１］−２’−ヘプテン、１−アザ−２，３−（５’’−クロロベンゾ）シクロペンテン−５−スピロ−５’−ビシクロ［２．２．１］−２’−ヘプテン、１−アザ−２，３−（６’’−クロロベンゾ）シクロペンテン−５−スピロ−５’−ビシクロ［２．２．１］−２’−ヘプテン、１−アザ−２，３−（３’’−アミノベンゾ）シクロペンテン−５−スピロ−５’−ビシクロ［２．２．１］−２’−ヘプテン、１−アザ−２，３−（４’’−アミノベンゾ）シクロペンテン−５−スピロ−５’−ビシクロ［２．２．１］−２’−ヘプテン、１−アザ−２，３−（５’’−アミノベンゾ）シクロペンテン−５−スピロ−５’−ビシクロ［２．２．１］−２’−ヘプテン、１−アザ−２，３−（６’’−アミノベンゾ）シクロペンテン−５−スピロ−５’−ビシクロ［２．２．１］−２’−ヘプテン、１−アザ−２，３−（３’’−メトキシベンゾ）シクロペンテン−５−スピロ−５’−ビシクロ［２．２．１］−２’−ヘプテン、１−アザ−２，３−（４’’−メトキシベンゾ）シクロペンテン−５−スピロ−５’−ビシクロ［２．２．１］−２’−ヘプテン、１−アザ−２，３−（５’’−メトキシベンゾ）シクロペンテン−５−スピロ−５’−ビシクロ［２．２．１］−２’−ヘプテン、１−アザ−２，３−（６’’−メトキシベンゾ）シクロペンテン−５−スピロ−５’−ビシクロ［２．２．１］−２’−ヘプテン。
【００６３】
（xiii）１，４−ジアザ−２，３−ベンゾシクロヘキセン−５−スピロ−５’−ビシクロ［２．２．１］−２’−ヘプテン、１，４−ジアザ−２，３−（３’’−メチルベンゾ）シクロヘキセン−５−スピロ−５’−ビシクロ［２．２．１］−２’−ヘプテン、１，４−ジアザ−２，３−（４’’−メチルベンゾ）シクロヘキセン−５−スピロ−５’−ビシクロ［２．２．１］−２’−ヘプテン、１，４−ジアザ−２，３−（５’’−メチルベンゾ）シクロヘキセン−５−スピロ−５’−ビシクロ［２．２．１］−２’−ヘプテン、１，４−ジアザ−２，３−（５’’−メチルベンゾ）シクロヘキセン−５−スピロ−５’−ビシクロ［２．２．１］−２’−ヘプテン、１，４−ジアザ−２，３−（３’’−エチルベンゾ）シクロヘキセン−５−スピロ−５’−ビシクロ［２．２．１］−２’−ヘプテン、１，４−ジアザ−２，３−（４’’−エチルベンゾ）シクロヘキセン−５−スピロ−５’−ビシクロ［２．２．１］−２’−ヘプテン、１，４−ジアザ−２，３−（５’’−エチルベンゾ）シクロヘキセン−５−スピロ−５’−ビシクロ［２．２．１］−２’−ヘプテン、１，４−ジアザ−２，３−（６’’−エチルベンゾ）シクロヘキセン−５−スピロ−５’−ビシクロ［２．２．１］−２’−ヘプテン、１，４−ジアザ−２，３−（３’’−ｎ−プロピルベンゾ）シクロヘキセン−５−スピロ−５’−ビシクロ［２．２．１］−２’−ヘプテン、１，４−ジアザ−２，３−（４’’−ｎ−プロピルベンゾ）シクロヘキセン−５−スピロ−５’−ビシクロ［２．２．１］−２’−ヘプテン、１，４−ジアザ−２，３−（５’’−ｎ−プロピルベンゾ）シクロヘキセン−５−スピロ−５’−ビシクロ［２．２．１］−２’−ヘプテン、１，４−ジアザ−２，３−（６’’−ｎ−プロピルベンゾ）シクロヘキセン−５−スピロ−５’−ビシクロ［２．２．１］−２’−ヘプテン、１，４−ジアザ−２，３−（３’’−ｉｓｏ−プロピルベンゾ）シクロヘキセン−５−スピロ−５’−ビシクロ［２．２．１］−２’−ヘプテン、１，４−ジアザ−２，３−（４’’−ｉｓｏ−プロピルベンゾ）シクロヘキセン−５−スピロ−５’−ビシクロ［２．２．１］−２’−ヘプテン、１，４−ジアザ−２，３−（５’’−ｉｓｏ−プロピルベンゾ）シクロヘキセン−５−スピロ−５’−ビシクロ［２．２．１］−２’−ヘプテン、１，４−ジアザ−２，３−（６’’−ｉｓｏ−プロピルベンゾ）シクロヘキセン−５−スピロ−５’−ビシクロ［２．２．１］−２’−ヘプテン、１，４−ジアザ−２，３−（３’’−ｎ−ブチルベンゾ）シクロヘキセン−５−スピロ−５’−ビシクロ［２．２．１］−２’−ヘプテン、１，４−ジアザ−２，３−（４’’−ｎ−ブチルベンゾ）シクロヘキセン−５−スピロ−５’−ビシクロ［２．２．１］−２’−ヘプテン、１，４−ジアザ−２，３−（５’’−ｎ−ブチルベンゾ）シクロヘキセン−５−スピロ−５’−ビシクロ［２．２．１］−２’−ヘプテン、１，４−ジアザ−２，３−（６’’−ｎ−ブチルベンゾ）シクロヘキセン−５−スピロ−５’−ビシクロ［２．２．１］−２’−ヘプテン、１，４−ジアザ−２，３−（３’’−ｉｓｏ−ブチルベンゾ）シクロヘキセン−５−スピロ−５’−ビシクロ��２．２．１］−２’−ヘプテン、１，４−ジアザ−２，３−（４’’−ｉｓｏ−ブチルベンゾ）シクロヘキセン−５−スピロ−５’−ビシクロ［２．２．１］−２’−ヘプテン、１，４−ジアザ−２，３−（５’’−ｉｓｏ−ブチルベンゾ）シクロヘキセン−５−スピロ−５’−ビシクロ［２．２．１］−２’−ヘプテン、１，４−ジアザ−２，３−（６’’−ｉｓｏ−ブチルベンゾ）シクロヘキセン−５−スピロ−５’−ビシクロ［２．２．１］−２’−ヘプテン、１，４−ジアザ−２，３−（３’’−ｓｅｃ−ブチルベンゾ）シクロヘキセン−５−スピロ−５’−ビシクロ［２．２．１］−２’−ヘプテン、１，４−ジアザ−２，３−（４’’−ｓｅｃ−ブチルベンゾ）シクロヘキセン−５−スピロ−５’−ビシクロ［２．２．１］−２’−ヘプテン、１，４−ジアザ−２，３−（５’’−ｓｅｃ−ブチルベンゾ）シクロヘキセン−５−スピロ−５’−ビシクロ［２．２．１］−２’−ヘプテン、１，４−ジアザ−２，３−（６’’−ｓｅｃ−ブチルベンゾ）シクロヘキセン−５−スピロ−５’−ビシクロ［２．２．１］−２’−ヘプテン、１，４−ジアザ−２，３−（３’’−ｔ−ブチルベンゾ）シクロヘキセン−５−スピロ−５’−ビシクロ［２．２．１］−２’−ヘプテン、１，４−ジアザ−２，３−（４’’−ｔ−ブチルベンゾ）シクロヘキセン−５−スピロ−５’−ビシクロ［２．２．１］−２’−ヘプテン、１，４−ジアザ−２，３−（５’’−ｔ−ブチルベンゾ）シクロヘキセン−５−スピロ−５’−ビシクロ［２．２．１］−２’−ヘプテン、１，４−ジアザ−２，３−（６’’−ｔ−ブチルベンゾ）シクロヘキセン−５−スピロ−５’−ビシクロ［２．２．１］−２’−ヘプテン、１，４−ジアザ−２，３−（３’−シクロヘキシルベンゾ）シクロヘキセン−５−スピロ−５‘−ビシクロ［２．２．１］−２’−ヘプテン、１，４−ジアザ−２，３−（４’’−シクロヘキシルベンゾ）シクロヘキセン−５−スピロ−５’−ビシクロ［２．２．１］−２’−ヘプテン、１−ジアザ−２，３−（５’’−シクロヘキシルベンゾ）シクロヘキセン−５−スピロ−５’−ビシクロ［２．２．１］−２’−ヘプテン、１，４−ジアザ−２，３−（６’’−シクロヘキシルベンゾ）シクロヘキセン−５−スピロ−５’−ビシクロ［２．２．１］−２’−ヘプテン、１，４−ジアザ−２，３−（３’’−フェニルベンゾ）シクロヘキセン−５−スピロ−５’−ビシクロ［２．２．１］−２’−ヘプテン、１，４−ジアザ−２，３−（４’’−フェニルベンゾ）シクロヘキセン−５−スピロ−５’−ビシクロ［２．２．１］−２’−ヘプテン、１，４−ジアザ−２，３−（５’’−フェニルベンゾ）シクロヘキセン−５−スピロ−５’−ビシクロ［２．２．１］−２’−ヘプテン、１，４−ジアザ−２，３−（６’’−フェニルベンゾ）シクロヘキセン−５−スピロ−５’−ビシクロ［２．２．１］−２’−ヘプテン、１，４−ジアザ−２，３−（３’’−クロロベンゾ）シクロヘキセン−５−スピロ−５’−ビシクロ［２．２．１］−２’−ヘプテン、１，４−ジオキサ−２，３−（４’’−クロロベンゾ）シクロヘキセン−５−スピロ−５’−ビシクロ［２．２．１］−２’−ヘプテン、１，４−ジオキサ−２，３−（��’’−クロロベンゾ）シクロヘキセン−５−スピロ−５’−ビシクロ［２．２．１］−２’−ヘプテン、１，４−ジアザ−２，３−（６’’−クロロベンゾ）シクロヘキセン−５−スピロ−５’−ビシクロ［２．２．１］−２’−ヘプテン、１，４−ジアザ−２，３−（３’’−アミノベンゾ）シクロヘキセン−５−スピロ−５’−ビシクロ［２．２．１］−２’−ヘプテン、１，４−ジアザ−２，３−（４’’−アミノベンゾ）シクロヘキセン−５−スピロ−５’−ビシクロ［２．２．１］−２’−ヘプテン、１，４−ジアザ−２，３−（５’’−アミノベンゾ）シクロヘキセン−５−スピロ−５’−ビシクロ［２．２．１］−２’−ヘプテン、１，４−ジアザ−２，３−（６’’−アミノベンゾ）シクロヘキセン−５−スピロ−５’−ビシクロ［２．２．１］−２’−ヘプテン、１，４−ジアザ−２，３−（３’’−メトキシベンゾ）シクロヘキセン−５−スピロ−５‘−ビシクロ［２．２．１］−２’−ヘプテン、１，４−ジアザ−２，３−（４’’−メトキシベンゾ）シクロヘキセン−５−スピロ−５’−ビシクロ［２．２．１］−２’−ヘプテン、１，４−ジアザ−２，３−（５’’−メトキシベンゾ）シクロヘキセン−５−スピロ−５’−ビシクロ［２．２．１］−２’−ヘプテン、１，４−ジアザ−２，３−（６’’−メトキシベンゾ）シクロヘキセン−５−スピロ−５’−ビシクロ［２．２．１］−２’−ヘプテン。
【００６４】
（xiv）スピロ［３，４−ジヒドロ−２Ｈ−アントラセン−１，５’−２’−ノルボルネン］、スピロ［５−メチル−３，４−ジヒドロ−２Ｈ−アントラセン−１，５’−２’−ノルボルネン］、スピロ［６−メチル−３，４−ジヒドロ−２Ｈ−アントラセン−１，５’−２’−ノルボルネン］、スピロ［７−メチル−３，４−ジヒドロ−２Ｈ−アントラセン−１，５’−２’−ノルボルネン］、スピロ［８−メチル−３，４−ジヒドロ−２Ｈ−アントラセン−１，５’−２’−ノルボルネン］、スピロ［５−エチル−３，４−ジヒドロ−２Ｈ−アントラセン−１，５’−２’−ノルボルネン］、スピロ［６−エチル−３，４−ジヒドロ−２Ｈ−アントラセン−１，５’−２’−ノルボルネン］、スピロ［７−エチル−３，４−ジヒドロ−２Ｈ−アントラセン−１，５’−２’−ノルボルネン］、スピロ［８−エチル−３，４−ジヒドロ−２Ｈ−アントラセン−１，５’−２’−ノルボルネン］、スピロ［５−ｎ−プロピル−３，４−ジヒドロ−２Ｈ−アントラセン−１，５’−２’−ノルボルネン］、スピロ［６−ｎ−プロピル−３，４−ジヒドロ−２Ｈ−アントラセン−１，５’−２’−ノルボルネン］、スピロ［７−ｎ−プロピル−３，４−ジヒドロ−２Ｈ−アントラセン−１，５’−２’−ノルボルネン］、スピロ［８−ｎ−プロピル−３，４−ジヒドロ−２Ｈ−アントラセン−１，５’−２’−ノルボルネン］、スピロ［５−ｉｓｏ−プロピル−３，４−ジヒドロ−２Ｈ−アントラセン−１，５’−２’−ノルボルネン］、スピロ［６−ｉｓｏ−プロピル−３，４−ジヒドロ−２Ｈ−アントラセン−１，５’−２’−ノルボルネン］、スピロ［７−ｉｓｏ−プロピル−３，４−ジヒドロ−２Ｈ−アントラセン−１，５’−２’−ノルボルネン］、スピロ［８−ｉｓｏ−プロピル−３，４−ジヒドロ−２Ｈ−アントラセン−１，５’−２’−ノルボルネン］、スピロ［９−ｎ−ブチル−３，４−ジヒドロ−２Ｈ−アントラセン−１，５’−２’−ノルボルネン］、スピロ［５−ｎ−ブチル−３，４−ジヒドロ−２Ｈ−アントラセン−１，５’−２’−ノルボルネン］、スピロ［７−ｎ−ブチル−３，４−ジヒドロ−２Ｈ−アントラセン−１，５’−２’−ノルボルネン］、スピロ［８−ｎ−ブチル−３，４−ジヒドロ−２Ｈ−アントラセン−１，５’−２’−ノルボルネン］、スピロ［５−ｉｓｏ−ブチル−３，４−ジヒドロ−２Ｈ−アントラセン−１，５’−２’−ノルボルネン］、スピロ［６−ｉｓｏ−ブチル−３，４−ジヒドロ−２Ｈ−アントラセン−１，５’−２’−ノルボルネン］、スピロ［７−ｉｓｏ−ブチル−３，４−ジヒドロ−２Ｈ−アントラセン−１，５’−２’−ノルボルネン］、スピロ［８−ｉｓｏ−ブチル−３，４−ジヒドロ−２Ｈ−アントラセン−１，５’−２’−ノルボルネン］、スピロ［９−ｓｅｃ−ブチル−３，４−ジヒドロ−２Ｈ−アントラセン−１，５’−２’−ノルボルネン］、スピロ［５−ｓｅｃ−ブチル−３，４−ジヒドロ−２Ｈ−アントラセン−１，５’−２’−ノルボルネン］、スピロ［７−ｓｅｃ−ブチル−３，４−ジヒドロ−２Ｈ−アントラセン−１，５’−２’−ノルボルネン］、スピロ［８−ｓｅｃ−ブチル−３，４−ジヒドロ−２Ｈ−アントラセン−１，５’−２’−ノルボルネン］、スピロ［５−ｔ−ブチル−３，４−ジヒドロ−２Ｈ−アントラセン−１，５’−２’−ノルボルネン］、スピロ［６−ｔ−ブチル−３，４−ジヒドロ−２Ｈ−アントラセン−１，５’−２’−ノルボルネン］、スピロ［７−ｔ−ブチル−３，４−ジヒドロ−２Ｈ−アントラセン−１，５’−２’−ノルボルネン］、スピロ［８−ｔ−ブチル−３，４−ジヒドロ−２Ｈ−アントラセン−１，５’−２’−ノルボルネン］、スピロ［５−シクロヘキシル−３，４−ジヒドロ−２Ｈ−アントラセン−１，５’−２’−ノルボルネン］、スピロ［６−シクロヘキシル−３，４−ジヒドロ−２Ｈ−アントラセン−１，５’−２’−ノルボルネン］、スピロ［７−シクロヘキシル−３，４−ジヒドロ−２Ｈ−アントラセン−１，５’−２’−ノルボルネン］、スピロ［８−シクロヘキシル−３，４−ジヒドロ−２Ｈ−アントラセン−１，５’−２’−ノルボルネン］、スピロ［５−フェニル−３，４−ジヒドロ−２Ｈ−アントラセン−１，５’−２’−ノルボルネン］、スピロ［６−フェニル−３，４−ジヒドロ−２Ｈ−アントラセン−１，５’−２’−ノルボルネン］、スピロ［７−フェニル−３，４−ジヒドロ−２Ｈ−アントラセン−１，５’−２’−ノルボルネン］、スピロ［８−フェニル−３，４−ジヒドロ−２Ｈ−アントラセン−１，５’−２’−ノルボルネン］、スピロ［５−クロロ−３，４−ジヒドロ−２Ｈ−アントラセン−１，５’−２’−ノルボルネン］、スピロ［６−クロロ−３，４−ジヒドロ−２Ｈ−アントラセン−１，５’−２’−ノルボルネン］、スピロ［７−クロロ−３，４−ジヒドロ−２Ｈ−アントラセン−１，５’−２’−ノルボルネン］、スピロ［８−クロロ−３，４−ジヒドロ−２Ｈ−アントラセン−１，５’−２’−ノルボルネン］、スピロ［５−フェニル−３，４−ジヒドロ−２Ｈ−アントラセン−１，５’−２’−ノルボルネン］スピロ［６−フェニル−３，４−ジヒドロ−２Ｈ−アントラセン−１，５’−２’−ノルボルネン］、スピロ［７−フェニル−３，４−ジヒドロ−２Ｈ−アントラセン−１，５’−２’−ノルボルネン］、スピロ［８−フェニル−３，４−ジヒドロ−２Ｈ−アントラセン−１，５’−２’−ノルボルネン］、スピロ［５−アミノ−３，４−ジヒドロ−２Ｈ−アントラセン−１，５’−２’−ノルボルネン］、スピロ［６−アミノ−３，４−ジヒドロ−２Ｈ−アントラセン−１，５’−２’−ノルボルネン］、スピロ［７−アミノ−３，４−ジヒドロ−２Ｈ−アントラセン−１，５’−２’−ノルボルネン］、スピロ［８−アミノ−３，４−ジヒドロ−２Ｈ−アントラセン−１，５’−２’−ノルボルネン］、スピロ［５−メトキシ−３，４−ジヒドロ−２Ｈ−アントラセン−１，５’−２’−ノルボルネン］、スピロ［６−メトキシ−３，４−ジヒドロ−２Ｈ−アントラセン−１，５’−２’−ノルボルネン］、スピロ［７−メトキシ−３，４−ジヒドロ−２Ｈ−アントラセン−１，５’−２’−ノルボルネン］、スピロ［８−メトキシ−３，４−ジヒドロ−２Ｈ−アントラセン−１，５’−２’−ノルボルネン］、スピロ［３，４−ジヒドロ−１Ｈ−アントラセン−2，５’−２’−ノルボルネン］、スピロ［５−メチル−３，４−ジヒドロ−１Ｈ−��ントラセン−2，５’−２’−ノルボルネン］、スピロ［６−メチル−３，４−ジヒドロ−２Ｈ−アントラセン−2，５’−２’−ノルボルネン］、スピロ［７−メチル−３，４−ジヒドロ−1Ｈ−アントラセン−2，５’−２’−ノルボルネン］、スピロ［８−メチル−３，４−ジヒドロ−1Ｈ−アントラセン−2，５’−２’−ノルボルネン］、スピロ［５−エチル−３，４−ジヒドロ−1Ｈ−アントラセン−2，５’−２’−ノルボルネン］、スピロ［６−エチル−３，４−ジヒドロ−1Ｈ−アントラセン−2，５’−２’−ノルボルネン］、スピロ［７−エチル−３，４−ジヒドロ−1Ｈ−アントラセン−2，５’−２’−ノルボルネン］、スピロ［８−エチル−３，４−ジヒドロ−1Ｈ−アントラセン−2，５’−２’−ノルボルネン］、スピロ［５−ｎ−プロピル−３，４−ジヒドロ−1Ｈ−アントラセン−2，５’−２’−ノルボルネン］、スピロ［６−ｎ−プロピル−３，４−ジヒドロ−1Ｈ−アントラセン−２，５’−２’−ノルボルネン］、スピロ［７−ｎ−プロピル−３，４−ジヒドロ−1Ｈ−アントラセン−２，５’−２’−ノルボルネン］、スピロ［８−ｎ−プロピル−３，４−ジヒドロ−1Ｈ−アントラセン−２，５’−２’−ノルボルネン］、スピロ［５−ｉｓｏ−プロピル−３，４−ジヒドロ−1Ｈ−アントラセン−２，５’−２’−ノルボルネン］、スピロ［６−ｉｓｏ−プロピル−３，４−ジヒドロ−１Ｈ−アントラセン−２，５’−２’−ノルボルネン］、スピロ［７−ｉｓｏ−プロピル−３，４−ジヒドロ−1Ｈ−アントラセン−２，５’−２’−ノルボルネン］、スピロ［８−ｉｓｏ−プロピル−３，４−ジヒドロ−1Ｈ−アントラセン−２，５’−５’−ノルボルネン］、スピロ［５−ｎ−ブチル−３，４−ジヒドロ−1Ｈ−アントラセン−２，５’−２’−ノルボルネン］、スピロ［６−ｎ−ブチル−３，４−ジヒドロ−１Ｈ−アントラセン−２，５’−２’−ノルボルネン］、スピロ［７−ｎ−ブチル−３，４−ジヒドロ−１Ｈ−アントラセン−２，５’−２’−ノルボルネン］、スピロ［８−ｎ−ブチル−３，４−ジヒドロ−１Ｈ−アントラセン−２，５’−２’−ノルボルネン］、スピロ［５−ｉｓｏ−ブチル−３，４−ジヒドロ−１Ｈ−アントラセン−２，５’−２’−ノルボルネン］、スピロ［６−ｉｓｏ−ブチル−３，４−ジヒドロ−１Ｈ−アントラセン−２，５’−２’−ノルボルネン］、スピロ［７−ｉｓｏ−ブチル−３，４−ジヒドロ−１Ｈ−アントラセン−２，５’−２’−ノルボルネン］、スピロ［８−ｉｓｏ−ブチル−３，４−ジヒドロ−１Ｈ−アントラセン−２，５’−２’−ノルボルネン］、スピロ［５−ｓｅｃ−ブチル−３，４−ジヒドロ−１Ｈ−アントラセン−２，５’−２’−ノルボルネン］、スピロ［６−ｓｅｃ−ブチル−３，４−ジヒドロ−１Ｈ−アントラセン−２，５’−２’−ノルボルネン］、スピロ［７−ｓｅｃ−ブチル−３，４−ジヒドロ−１Ｈ−アントラセン−２，５’−２’−ノルボルネン］、スピロ［８−ｓｅｃ−ブチル−３，４−ジヒドロ−１Ｈ−アントラセン−２，５’−２’−ノルボルネン］、スピロ［５−ｔ−ブチル−３，４−ジヒドロ−１Ｈ−アントラセン−２，５’−２’−ノルボルネン］、スピロ［６−ｔ−ブチル−３，４−ジヒドロ−１Ｈ−アントラセン−２，５’−２’−ノルボルネン］、スピロ［７−ｔ−ブチル−３，４−ジヒドロ−１Ｈ−アントラセン−２，５’−２’−ノルボルネン］、スピロ［８−ｔ−ブチル−３，４−ジヒドロ−１Ｈ−アントラセン−２，５’−２’−ノルボルネン］、スピロ［５−シクロヘキシル−３，４−ジヒドロ−１Ｈ−アントラセン−２，５’−２’−ノルボルネン］、スピロ［６−シクロヘキシル−３，４−ジヒドロ−１Ｈ−アントラセン−２，５’−２’−ノルボルネン］、スピロ［７−シクロヘキシル−３，４−ジヒドロ−１Ｈ−アントラセン−２，５’−２’−ノルボルネン］、スピロ［８−シクロヘキシル−３，４−ジヒドロ−１Ｈ−アントラセン−２，５’−２’−ノルボルネン］、スピロ［５−フェニル−３，４−ジヒドロ−１Ｈ−アントラセン−２，５’−２’−ノルボルネン］、スピロ［６−フェニル−３，４−ジヒドロ−１Ｈ−アントラセン−２，５’−２’−ノルボルネン］、スピロ［７−フェニル−３，４−ジヒドロ−１Ｈ−アントラセン−２，５’−２’−ノルボルネン］、スピロ［８−フェニル−３，４−ジヒドロ−１Ｈ−アントラセン−２，５’−２’−ノルボルネン］、スピロ［５−クロロ−３，４−ジヒドロ−１Ｈ−アントラセン−２，５’−２’−ノルボルネン］、スピロ［６−クロロ−３，４−ジヒドロ−１Ｈ−アントラセン−２，５’−２’−ノルボルネン］、スピロ［７−クロロ−３，４−ジヒドロ−１Ｈ−アントラセン−２，５’−２’−ノルボルネン］、スピロ［８−クロロ−３，４−ジヒドロ−１Ｈ−アントラセン−２，５’−２’−ノルボルネン］、スピロ［５−フェニル−３，４−ジヒドロ−１Ｈ−アントラセン−２，５’−２’−ノルボルネン］、スピロ［６−フェニル−３，４−ジヒドロ−１Ｈ−アントラセン−２，５’−２’−ノルボルネン］、スピロ［７−フェニル−３，４−ジヒドロ−１Ｈ−アントラセン−２，５’−２’−ノルボルネン］、スピロ［８−フェニル−３，４−ジヒドロ−１Ｈ−アントラセン−２，５’−２’−ノルボルネン］、スピロ［５−アミノ−３，４−ジヒドロ−１Ｈ−アントラセン−２，５’−２’−ノルボルネン］、スピロ［６−アミノ−３，４−ジヒドロ−１Ｈ−アントラセン−２，５’−２’−ノルボルネン］、スピロ［７−アミノ−３，４−ジヒドロ−１Ｈ−アントラセン−２，５’−２’−ノルボルネン］、スピロ［８−アミノ−３，４−ジヒドロ−１Ｈ−アン
トラセン−２，５’−２’−ノルボルネン］、スピロ［５−メトキシ−３，４−ジヒドロ−１Ｈ−アントラセン−２，５’−２’−ノルボルネン］、スピロ［６−メトキシ−３，４−ジヒドロ−１Ｈ−アントラセン−２，５’−２’−ノルボルネン］、スピロ［７−メトキシ−３，４−ジヒドロ−１Ｈ−アントラセン−２，５’−２’−ノルボルネン］、スピロ［８−メトキシ−３，４−ジヒドロ−１Ｈ−アントラセン−２，５’−２’−ノルボルネン］。
【００６５】
（xv）スピロ［３，４−ジヒドロアントラセン−１−オン−２，５’−２’−ノルボルネン］、スピロ［５−メチル−３，４−ジヒドロアントラセン−１−オン−２，５’−２’−ノルボルネン］、スピロ［６−メチル−３，４−ジヒドロアントラセン−１−オン−２，５’−２’−ノルボルネン］、スピロ［７−メチル−３，４−ジヒドロアントラセン−１−オン−２，５’−２’−ノルボルネン］、スピロ［８−メチル−３，４−ジヒドロアントラセン−１−オン−２，５’−２’−ノルボルネン］、スピロ［５−エチル−３，４−ジヒドロアントラセン−１−オン−２，５’−２’−ノルボルネン］、スピロ［６−エチル−３，４−ジヒドロアントラセン−１−オン−２，５’−２’−ノルボルネン］、スピロ［７−エチル−３，４−ジヒドロアントラセン−１−オン−２，５’−２’−ノルボルネン］、スピロ［８−エチル−３，４−ジヒドロアントラセン−１−オン−２，５’−２’−ノルボルネン］、スピロ［５−ｎ−プロピル−３，４−ジヒドロアントラセン−１−オン−２，５’−２’−ノルボルネン］、スピロ［６−ｎ−プロピル−３，４−ジヒドロアントラセン−１−オン−２，５’−２’−ノルボルネン］、スピロ［７−ｎ−プロピル−３，４−ジヒドロアントラセン−１−オン−２，５’−２’−ノルボルネン］、スピロ［８−ｎ−プロピル−３，４−ジヒドロアントラセン−１−オン−２，５’−２’−ノルボルネン］、スピロ［５−ｉｓｏ−プロピル−３，４−ジヒドロアントラセン−１−オン−２，５’−２’−ノルボルネン］、スピロ［６−ｉｓｏ−プロピル−３，４−ジヒドロアントラセン−１−オン−２，５’−２’−ノルボルネン］、スピロ［７−ｉｓｏ−プロピル−３，４−ジヒドロアントラセン−１−オン−２，５’−２’−ノルボルネン］、スピロ［８−ｉｓｏ−プロピル−３，４−ジヒドロアントラセン−１−オン−２，５’−２’−ノルボルネン］、スピロ［５−ｎ−ブチル−３，４−ジヒドロアントラセン−１−オン−２，５’−２’−ノルボルネン］、スピロ［６−ｎ−ブチル−３，４−ジヒドロアントラセン−１−オン−２，５’−２’−ノルボルネン］、スピロ［７−ｎ−ブチル−３，４−ジヒドロアントラセン−１−オン−２，５’−２’−ノルボルネン］、スピロ［８−ｎ−ブチル−３，４−ジヒドロアントラセン−１−オン−２，５’−２’−ノルボルネン］、スピロ［５−ｉｓｏ−ブチル−３，４−ジヒドロアントラセン−１−オン−２，５’−２’−ノルボルネン］、スピロ［６−ｉｓｏ−ブチル−３，４−ジヒドロアントラセン−１−オン−２，５’−２’−ノルボルネン］、スピロ［７−ｉｓｏ−ブチル−３，４−ジヒドロアントラセン−１−オン−２，５’−２’−ノルボルネン］、スピロ［８−ｉｓｏ−ブチル−３，４−ジヒドロアントラセン−１−オン−２，５’−２’−ノルボルネン］、スピロ［５−ｓｅｃ−ブチル−３，４−ジヒドロアントラセン−１−オン−２，５’−２’−ノルボルネン］、スピロ［６−ｓｅｃ−ブチル−３，４−ジヒドロアントラセン−１−オン−２，５’−２’−ノルボルネン］、スピロ［７−ｓｅｃ−ブチル−３，４−ジヒドロアントラセン−１−オン−２，５’−２’−ノルボルネン］、スピロ［８−ｓｅｃ−ブチ���−３，４−ジヒドロアントラセン−１−オン−２，５’−２’−ノルボルネン］、スピロ［５−ｔ−ブチル−３，４−ジヒドロアントラセン−１−オン−２，５’−２’−ノルボルネン］、スピロ［６−ｔ−ブチル−３，４−ジヒドロアントラセン−１−オン−２，５’−２’−ノルボルネン］、スピロ［７−ｔ−ブチル−３，４−ジヒドロアントラセン−１−オン−２，５’−２’−ノルボルネン］、スピロ［８−ｔ−ブチル−３，４−ジヒドロアントラセン−１−オン−２，５’−２’−ノルボルネン］、スピロ［５−シクロヘキシル−３，４−ジヒドロアントラセン−１−オン−２，５’−２’−ノルボルネン］、スピロ［６−シクロヘキシル−３，４−ジヒドロアントラセン−１−オン−２，５’−２’−ノルボルネン］、スピロ［７−シクロヘキシル−３，４−ジヒドロアントラセン−１−オン−２，５’−２’−ノルボルネン］、スピロ［８−シクロヘキシル−３，４−ジヒドロアントラセン−１−オン−２，５’−２’−ノルボルネン］、スピロ［５−フェニル−３，４−ジヒドロアントラセン−１−オン−２，５’−２’−ノルボルネン］、スピロ［６−フェニル−３，４−ジヒドロアントラセン−１−オン−２，５’−２’−ノルボルネン］、スピロ［７−フェニル−３，４−ジヒドロアントラセン−１−オン−２，５’−２’−ノルボルネン］、スピロ［８−フェニル−３，４−ジヒドロアントラセン−１−オン−２，５’−２’−ノルボルネン］、スピロ［５−クロロ−３，４−ジヒドロアントラセン−１−オン−２，５’−２’−ノルボルネン］、スピロ［６−クロロ−３，４−ジヒドロアントラセン−１−オン−２，５’−２’−ノルボルネン］、スピロ［７−クロロ−３，４−ジヒドロアントラセン−１−オン−２，５’−２’−ノルボルネン］、スピロ［８−クロロ−３，４−ジヒドロアントラセン−１−オン−２，５’−２’−ノルボルネン］、スピロ［５−フェニル−３，４−ジヒドロアントラセン−１−オン−２，５’−２’−ノルボルネン］、スピロ［６−フェニル−３，４−ジヒドロアントラセン−１−オン−２，５’−２’−ノルボルネン］、スピロ［７−フェニル−３，４−ジヒドロナフタレン−１−オン−２，５’−２’−ノルボルネン］、スピロ［８−フェニル−３，４−ジヒドロアントラセン−１−オン−２，５’−２’−ノルボルネン］、スピロ［５−アミノ−３，４−ジヒドロアントラセン−１−オン−２，５’−２’−ノルボルネン］、スピロ［６−アミノ−３，４−ジヒドロアントラセン−１−オン−２，５’−２’−ノルボルネン］、スピロ［７−アミノ−３，４−ジヒドロアントラセン−１−オン−２，５’−２’−ノルボルネン］、スピロ［８−アミノ−３，４−ジヒドロアントラセン−２，５’−２’−ノルボルネン］、スピロ［５−メトキシ−３，４−ジヒドロアントラセン−１−オン−２，５’−２’−ノルボルネン］、スピロ［６−メトキシ−３，４−ジヒドロアントラセン−１−オン−２，５’−２’−ノルボルネン］、スピロ［７−メトキシ−３，４−ジヒドロアントラセン−１−オン−２，５’−２’−ノルボルネン］、スピロ［８−メトキシ−３，４−ジヒドロアントラセン−１−オン−２，５’−２’−ノルボルネン］、スピロ［２，４−ジ���ドロナフタレン−１−オン−３，５’−２’−ノルボルネン］、スピロ［５−メチル−２，４−ジヒドロナフタレン−１−オン−３，５’−２’−ノルボルネン］、スピロ［６−メチル−２，４−ジヒドロナフタレン−１−オン−３，５’−２’−ノルボルネン］、スピロ［７−メチル−２，４−ジヒドロナフタレン−１−オン−３，５’−２’−ノルボルネン］、スピロ［８−メチル−２，４−ジヒドロナフタレン−１−オン−３，５’−２’−ノルボルネン］、スピロ［５−エチル−２，４−ジヒドロナフタレン−１−オン−３，５’−２’−ノルボルネン］、スピロ［６−エチル−２，４−ジヒドロナフタレン−１−オン−３，５’−２’−ノルボルネン］、スピロ［７−エチル−２，４−ジヒドロナフタレン−１−オン−３，５’−２’−ノルボルネン］、スピロ［８−エチル−２，４−ジヒドロナフタレン−１−オン−３，５’−２’−ノルボルネン］、スピロ［５−ｎ−プロピル−２，４−ジヒドロナフタレン−１−オン−３，５’−２’−ノルボルネン］、スピロ［６−ｎ−プロピル−２，４−ジヒドロナフタレン−１−オン−３，５’−２’−ノルボルネン］、スピロ［７−ｎ−プロピル−２，４−ジヒドロナフタレン−１−オン−３，５’−２’−ノルボルネン］、スピロ［８−ｎ−プロピル−２，４−ジヒドロナフタレン−１−オン−３，５’−２’−ノルボルネン］、スピロ［５−ｉｓｏ−プロピル−２，４−ジヒドロナフタレン−１−オン−３，５’−２’−ノルボルネン］、スピロ［６−ｉｓｏ−プロピル−２，４−ジヒドロナフタレン−１−オン−３，５’−２’−ノルボルネン］、スピロ［７−ｉｓｏ−プロピル−２，４−ジヒドロナフタレン−１−オン−３，５’−２’−ノルボルネン］、スピロ［８−ｉｓｏ−プロピル−２，４−ジヒドロナフタレン−１−オン−３，５’−２’−ノルボルネン］、スピロ［５−ｎ−ブチル−２，４−ジヒドロナフタレン−１−オン−３，５’−２’−ノルボルネン］、スピロ［６−ｎ−ブチル−２，４−ジヒドロナフタレン−１−オン−３，５’−２’−ノルボルネン］、スピロ［７−ｎ−ブチル−２，４−ジヒドロナフタレン−１−オン−３，５’−２’−ノルボルネン］、スピロ［８−ｎ−ブチル−２，４−ジヒドロナフタレン−１−オン−３，５’−２’−ノルボルネン］、スピロ［５−ｉｓｏ−ブチル−２，４−ジヒドロナフタレン−１−オン−３，５’−２’−ノルボルネン］、スピロ［６−ｉｓｏ−ブチル−２，４−ジヒドロナフタレン−１−オン−３，５’−２’−ノルボルネン］、スピロ［７−ｉｓｏ−ブチル−２，４−ジヒドロナフタレン−１−オン−３，５’−２’−ノルボルネン］、スピロ［８−ｉｓｏ−ブチル−２，４−ジヒドロナフタレン−１−オン−３，５’−２’−ノルボルネン］、スピロ［５−ｓｅｃ−ブチル−２，４−ジヒドロナフタレン−１−オン−３，５’−２’−ノルボルネン］、スピロ［６−ｓｅｃ−ブチル−２，４−ジヒドロナフタレン−１−オン−３，５’−２’−ノルボルネン］、スピロ［７−ｓｅｃ−ブチル−２，４−ジヒドロナフタレン−１−オン−３，５’−２’−ノルボルネン］、スピロ［８−ｓｅｃ−ブチル−２，４−ジヒドロナフタレン−１−オン−３，５’−２’−ノルボルネン］、スピロ���５−ｔ−ブチル−２，４−ジヒドロナフタレン−１−オン−３，５’−２’−ノルボルネン］、スピロ［６−ｔ−ブチル−２，４−ジヒドロナフタレン−１−オン−３，５’−２’−ノルボルネン］、スピロ［７−ｔ−ブチル−２，４−ジヒドロナフタレン−１−オン−３，５’−２’−ノルボルネン］、スピロ［８−ｔ−ブチル−２，４−ジヒドロナフタレン−１−オン−３，５’−２’−ノルボルネン］、スピロ［５−シクロヘキシル−２，４−ジヒドロナフタレン−１−オン−３，５’−２’−ノルボルネン］、スピロ［６−シクロヘキシル−２，４−ジヒドロナフタレン−１−オン−３，５’−２’−ノルボルネン］、スピロ［７−シクロヘキシル−２，４−ジヒドロナフタレン−１−オン−３，５’−２’−ノルボルネン］、スピロ［８−シクロヘキシル−２，４−ジヒドロナフタレン−１−オン−３，５’−２’−ノルボルネン］、スピロ［５−フェニル−２，４−ジヒドロナフタレン−１−オン−３，５’−２’−ノルボルネン］、スピロ［６−フェニル−２，４−ジヒドロナフタレン−１−オン−３，５’−２’−ノルボルネン］、スピロ［７−フェニル−２，４−ジヒドロナフタレン−１−オン−３，５’−２’−ノルボルネン］、スピロ［８−フェニル−２，４−ジヒドロナフタレン−１−オン−３，５’−２’−ノルボルネン］、スピロ［５−クロロ−２，４−ジヒドロナフタレン−１−オン−３，５’−２’−ノルボルネン］、スピロ［６−クロロ−２，４−ジヒドロナフタレン−１−オン−３，５’−２’−ノルボルネン］、スピロ［７−クロロ−２，４−ジヒドロナフタレン−１−オン−３，５’−２’−ノルボルネン］、スピロ［８−クロロ−２，４−ジヒドロナフタレン−１−オン−３，５’−２’−ノルボルネン］、スピロ［５−フェニル−２，４−ジヒドロナフタレン−１−オン−３，５’−２’−ノルボルネン］、スピロ［６−フェニル−２，４−ジヒドロナフタレン−１−オン−３，５’−２’−ノルボルネン］、スピロ［７−フェニル−２，４−ジヒドロナフタレン−１−オン−３，５’−２’−ノルボルネン］、スピロ［８−フェニル−２，４−ジヒドロナフタレン−１−オン−３，５’−２’−ノルボルネン］、スピロ［５−アミノ−２，４−ジヒドロナフタレン−１−オン−３，５’−２’−ノルボルネン］、スピロ［６−アミノ−２，４−ジヒドロナフタレン−１−オン−３，５’−２’−ノルボルネン］、スピロ［７−
アミノ−２，４−ジヒドロナフタレン−１−オン−３，５’−２’−ノルボルネン］、スピロ［８−アミノ−２，４−ジヒドロナフタレン−１−オン−３，５’−２’−ノルボルネン］、スピロ［５−メトキシ−２，４−ジヒドロナフタレン−１−オン−３，５’−２’−ノルボルネン］、スピロ［６−メトキシ−２，４−ジヒドロナフタレン−１−オン−３，５’−２’−ノルボルネン］、スピロ［７−メトキシ−２，４−ジヒドロナフタレン−１−オン−３，５’−２’−ノルボルネン］、スピロ［８−メトキシ−２，４−ジヒドロナフタレン−１−オン−３，５’−２’−ノルボルネン］、スピロ［２，３−ジヒドロアントラセン−１−オン−４，５’−２’−ノルボルネン］、スピロ［５−メチル−２，３−ジヒドロアントラセン−１−オン−４，５’−２’−ノルボルネン］、スピロ［６−メチル−２，３−ジヒドロアントラセン−１−オン−４，５’−２’−ノルボルネン］、スピロ［７−メチル−２，３−ジヒドロアントラセン−１−オン−４，５’−２’−ノルボルネン］、スピロ［８−メチル−２，３−ジヒドロアントラセン−１−オン−４，５’−２’−ノルボルネン］、スピロ［５−エチル−２，３−ジヒドロアントラセン−１−オン−４，５’−２’−ノルボルネン］、スピロ［６−エチル−２，３−ジヒドロアントラセン−１−オン−４，５’−２’−ノルボルネン］、スピロ［７−エチル−２，３−ジヒドロアントラセン−１−オン−４，５’−２’−ノルボルネン］、スピロ［８−エチル−２，３−ジヒドロアントラセン−１−オン−４，５’−２’−ノルボルネン］、スピロ［５−ｎ−プロピル−２，３−ジヒドロアントラセン−１−オン−３，５’−２’−ノルボルネン］、スピロ［６−ｎ−プロピル−２，３−ジヒドロアントラセン−１−オン−３，５’−２’−ノルボルネン］、スピロ［７−ｎ−プロピル−２，３−ジヒドロアントラセン−１−オン−４，５’−２’−ノルボルネン］、スピロ［８−ｎ−プロピル−２，３−ジヒドロアントラセン−１−オン−４，５’−２’−ノルボルネン］、スピロ［５−ｉｓｏ−プロピル−２，３−ジヒドロアントラセン−１−オン−４，５’−２’−ノルボルネン］、スピロ［６−ｉｓｏ−プロピル−２，３−ジヒドロアントラセン−１−オン−４，５’−２’−ノルボルネン］、スピロ［７−ｉｓｏ−プロピル−２，３−ジヒドロアントラセン−１−オン−４，５’−２’−ノルボルネン］、スピロ［８−ｉｓｏ−プロピル−２，３−ジヒドロアントラセン−１−オン−４，５’−２’−ノルボルネン］、スピロ［５−ｎ−ブチル−２，３−ジヒドロアントラセン−１−オン−４，５’−２’−ノルボルネン］、スピロ［６−ｎ−ブチル−２，３−ジヒドロアントラセン−１−オン−４，５’−２’−ノルボルネン］、スピロ［７−ｎ−ブチル−２，３−ジヒドロアントラセン−１−オン−４，５’−２’−ノルボルネン］、スピロ［８−ｎ−ブチル−２，３−ジヒドロアントラセン−１−オン−４，５’−２’−ノルボルネン］、スピロ［５−ｉｓｏ−ブチル−２，３−ジヒドロアントラセン−１−オン−４，５’−２’−ノルボルネン］、スピロ［６−ｉｓｏ−ブチル−２，３−ジヒドロアントラセン−１−オン−４，５’−２’−ノルボルネン］、スピロ［７−ｉｓｏ−ブチル−２，３−ジヒドロアントラセン−１−オン−４，５’−２’−ノルボルネン］、スピロ［８−ｉｓｏ−ブチル−２，３−ジヒドロアントラセン−１−オン−４，５’−２’−ノルボルネン］、スピロ［５−ｓｅｃ−ブチル−２，３−ジヒドロアントラセン−１−オン−４，５’−２’−ノルボルネン］、スピロ［６−ｓｅｃ−ブチル−２，３−ジヒドロアントラセン−１−オン−４，５’−２’−ノルボルネン］、スピロ［７−ｓｅｃ−ブチル−２，３−ジヒドロアントラセン−１−オン−３，５’−２’−ノルボルネン］、スピロ［８−ｓｅｃ−ブチル−２，３−ジヒドロアントラセン−１−オン−４，５’−２’−ノルボルネン］、スピロ［５−ｔ−ブチル−２，３−ジヒドロアントラセン−１−オン−４，５’−２’−ノルボルネン］、スピロ［６−ｔ−ブチル−２，３−ジヒドロアントラセン−１−オン−４，５’−２’−ノルボルネン］、スピロ［７−ｔ−ブチル−２，３−ジヒドロアントラセン−１−オン−４，５’−２’−ノルボルネン］、スピロ［８−ｔ−ブチル−２，３−ジヒドロアントラセン−１−オン−４，５’−２’−ノルボルネン］、スピロ［５−シクロヘキシル−２，３−ジヒドロアントラセン−１−オン−４，５’−２’−ノルボルネン］、スピロ［６−シクロヘキシル−２，３−ジヒドロアントラセン−１−オン−４，５’−２’−ノルボルネン］、スピロ［７−シクロヘキシル−２，３−ジヒドロアントラセン−１−オン−４，５’−２’−ノルボルネン］、スピロ［８−シクロヘキシル−２，３−ジヒドロアントラセン−１−オン−４，５’−２’−ノルボルネン］、スピロ［５−フェニル−２，３−ジヒドロアントラセン−１−オン−４，５’−２’−ノルボルネン］、スピロ［６−フェニル−２，３−ジヒドロアントラセン−１−オン−４，５’−２’−ノルボルネン］、スピロ［７−フェニル−２，３−ジヒドロアントラセン−１−オン−４，５’−２’−ノルボルネン］、スピロ［８−フェニル−２，３−ジヒドロアントラセン−１−オン−４，５’−２’−ノルボルネン］、スピロ［５−クロロ−２，３−ジヒドロアントラセン−１−オン−４，５’−２’−ノルボルネン］、スピロ［６−クロロ−２，３−ジヒドロアントラセン−１−オン−４，５’−２’−ノルボルネン］、スピロ［７−クロロ−２，３−ジヒドロアントラセン−１−オン−４，５’−２’−ノルボルネン］、スピロ［８−クロロ−２，３−ジヒドロアントラセン−１−オン−４，５’−２’−ノルボルネン］、スピロ［５−フェニル−２，３−ジヒドロアントラセン−１−オン−４，５’−２’−ノルボルネン］、スピロ［６−フェニル−２，３−ジヒドロアントラセン−１−オン−４，５’−２’−ノルボルネン］、スピロ［７−フェニル−２，３−ジヒドロアントラセン−１−オン−４，５’−２’−ノルボルネン］、スピロ［８−フェニル−２，３−ジヒドロアントラセン−１−オン−４，５’−２’−ノルボルネン］、スピロ［５−アミノ−２，３−ジヒドロアントラセン−１−オン−４，５’−２’−ノルボルネン］、スピロ［６−アミノ−２，３−ジヒドロアントラセン−１−オン−４，５’−２’−ノルボルネン］、スピロ［７−アミノ−２，３−ジヒドロアントラセン−１−オン−４，５’−２’−ノルボルネン］、スピロ［８−アミノ−２，３−ジヒドロアントラセン−１−オン−４，５’−２’−ノルボルネン］、スピロ［５−メトキシ−２，３−ジヒドロアントラセン−１−オン−４，５’−２’−ノルボルネン］、スピロ［６−メトキシ−２，３−ジヒドロアントラセン−１−オン−３，５’−２’−ノルボルネン］、スピロ［７−メトキシ−２，３−ジヒドロアントラセン−１−オン−４，５’−２’−ノルボルネン］、スピロ［８−メトキシ−２，３−ジヒドロアントラセン−１−オン−４，５’−２’−ノルボルネン］、スピロ［３，４−ジヒドロアントラセン−２−オン−１，５’−２’−ノルボルネン］、スピロ［５−メチル−３，４−ジヒドロアントラセン−２−オン−１，５’−２’−ノルボルネン］、スピロ［６−メチル−３，４−ジヒドロアントラセン−２−オン−１，５’−２’−ノルボルネン］、スピロ［７−メチル−３，４−ジヒドロアントラセン−２−オン−１，５’−２’−ノルボルネン］、スピロ［８−メチル−３，４−ジヒドロアントラセン−２−オン−１，５’−２’−ノルボルネン］、スピロ［５−エチル−３，４−ジヒドロアントラセン−２−オン−１，５’−２’−ノルボルネン］、スピロ［６−エチル−３，４−ジヒドロアントラセン−２−オン−１，５’−２’−ノルボルネン］、スピロ［７−エチル−３，４−ジヒドロアントラセン−２−オン−１，５’−２’−ノルボルネン］、スピロ［８−エチル−３，４−ジヒドロアントラセン−２−オン−１，５’−２’−ノルボルネン］、スピロ［５−ｎ−プロピル−３，４−ジヒドロアントラセン−２−オン−１，５’−２’−ノルボルネン］、スピロ［６−ｎ−プロピル−３，４−ジヒドロアントラセン−２−オン−１，５’−２’−ノルボルネン］、スピロ［７−ｎ−プロピル−３，４−ジヒドロアントラセン−２−オン−１，５’−２’−ノルボルネン］、スピロ［８−ｎ−プロピル−３，４−ジヒドロアントラセン−２−オン−１，５’−２’−ノルボルネン］、スピロ［５−ｉｓｏ−プロピル−３，４−ジヒドロアントラセン−２−オン−１，５’−２’−ノルボルネン］、スピロ［６−ｉｓｏ−プロピル−３，４−ジヒドロアントラセン−２−オン−１，５’−２’−ノルボルネン］、スピロ［７−ｉｓｏ−プロピル−３，４−ジヒドロアントラセン−２−オン−１，５’−２’−ノルボルネン］、スピロ［８−ｉｓｏ−プロピル−３，４−ジヒドロアントラセン−２−オン−１，５’−２’−ノルボルネン］、スピロ［５−ｎ−ブチル−３，４−ジヒドロアントラセン−２−オン−１，５’−２’−ノルボルネン］、スピロ［６−ｎ−ブチル−３，４−ジヒドロアントラセン−２−オン−１，５’−２’−ノルボルネン］、スピロ［７−ｎ−ブチル−３，４−ジヒドロアントラセン−２−オン−１，５’−２’−ノルボルネン］、スピロ［８−ｎ−ブチル−３，４−ジヒドロアントラセン−２−オン−１，５’−２’−ノルボルネン］、スピロ［５−ｉｓｏ−ブチル−３，４−ジヒドロアントラセン−２−オン−１，５’−２’−ノルボルネン］、スピロ［６−ｉｓｏ−ブチル−３，４−ジヒドロアントラセン−２−オン−１，５’−２’−ノルボルネン］、スピロ［７−ｉｓｏ−ブチル−３，４−ジヒドロアントラセン−２−オン−１，５’−２’−ノルボルネン］、スピロ［８−ｉｓｏ−ブチル−３，４−ジヒドロアントラセン−２−オン−１，５’−２’−ノルボルネン］、スピロ［５−ｓｅｃ−ブチル−３，４−ジヒドロアントラセン−２−オン−１，５’−２’−ノルボルネン］、スピロ［６−ｓｅｃ−ブチル−３，４−ジヒドロアントラセン−２−オン−１，５’−２’−ノルボルネン］、スピロ［７−ｓｅｃ−ブチル−３，４−ジヒドロアントラセン−２−オン−１，５’−２’−ノルボルネン］、スピロ［８−ｓｅｃ−ブチル−３，４−ジヒドロアントラセン−２−オン−１，５’−２’−ノルボルネン］、スピロ［５−ｔ−ブチル−３，４−ジヒドロアントラセン−２−オン−１，５’−２’−ノルボルネン］、スピロ［６−ｔ−ブチル−３，４−ジヒドロアントラセン−２−オン−１，５’−２’−ノルボルネン］、スピロ［７−ｔ−ブチル−３，４−ジヒドロアントラセン−２−オン−１，５’−２’−ノルボルネン］、スピロ［８−ｔ−ブチル−３，４−ジヒドロアントラセン−２−オン−１，５’−２’−ノルボルネン］、スピロ［５−シクロヘキシル−３，４−ジヒドロアントラセン−２−オン−１，５’−２’−ノルボルネン］、スピロ［６−シクロヘキシル−３，４−ジヒドロアントラセン−２−オン−１，５’−２’−ノルボルネン］、スピロ［７−シクロヘキシル−３，４−ジヒドロアントラセン−２−オン−１，５’−２’−ノルボルネン］、スピロ［８−シクロヘキシル−３，４−ジヒドロアントラセン−２−オン−１，５’−２’−ノルボルネン］、スピロ［５−フェニル−３，４−ジヒドロアントラセン−２−オン−１，５’−２’−ノルボルネン］、スピロ［６−フェニル−３，４−ジヒドロアントラセン−２−オン−１，５’−２’−ノルボルネン］、スピロ［７−フェニル−３，４−ジヒドロアントラセン−２−オン−１，５’−２’−ノルボルネン］、スピロ［８−フェニル−３，４−ジヒドロアントラセン−２−オン−１，５’−２’−ノルボルネン］、スピロ［５−クロロ−３，４−ジヒドロアントラセン−２−オン−１，５’−２’−ノルボルネン］、スピロ［６−クロロ−３，４−ジヒドロアントラセン−２−オン−１，５’−２’−ノルボルネン］、スピロ［７−クロロ−３，４−ジヒドロアントラセン−２−オン−１，５’−２’−ノルボルネン］、スピロ［８−クロロ−３
，４−ジヒドロアントラセン−２−オン−１，５’−２’−ノルボルネン］、スピロ［５−フェニル−３，４−ジヒドロアントラセン−２−オン−１，５’−２’−ノルボルネン］、スピロ［６−フェニル−３，４−ジヒドロアントラセン−２−オン−１，５’−２’−ノルボルネン］、スピロ［７−フェニル−３，４−ジヒドロアントラセン−２−オン−１，５’−２’−ノルボルネン］、スピロ［８−フェニル−３，４−ジヒドロアントラセン−２−オン−１，５’−２’−ノルボルネン］、スピロ［５−アミノ−３，４−ジヒドロアントラセン−２−オン−１，５’−２’−ノルボルネン］、スピロ［６−アミノ−３，４−ジヒドロアントラセン−２−オン−１，５’−２’−ノルボルネン］、スピロ［７−アミノ−３，４−ジヒドロアントラセン−２−オン−１，５’−２’−ノルボルネン］、スピロ［８−アミノ−３，４−ジヒドロアントラセン−２−オン−１，５’−２’−ノルボルネン］、スピロ［５−メトキシ−３，４−ジヒドロアントラセン−２−オン−１，５’−２’−ノルボルネン］、スピロ［６−メトキシ−３，４−ジヒドロアントラセン−２−オン−１，５’−２’−ノルボルネン］、スピロ［７−メトキシ−３，４−ジヒドロアントラセン−２−オン−１，５’−２’−ノルボルネン］、スピロ［８−メトキシ−３，４−ジヒドロアントラセン−２−オン−１，５’−２’−ノルボルネン］、スピロ［１，４−ジヒドロアントラセン−２−オン−３，５’−２’−ノルボルネン］、スピロ［５−メチル−１，４−ジヒドロアントラセン−２−オン−３，５’−２’−ノルボルネン］、スピロ［６−メチル−１，４−ジヒドロアントラセン−２−オン−３，５’−２’−ノルボルネン］、スピロ［７−メチル−１，４−ジヒドロアントラセン−２−オン−３，５’−２’−ノルボルネン］、スピロ［８−メチル−１，４−ジヒドロアントラセン−２−オン−３，５’−２’−ノルボルネン］、スピロ［５−エチル−１，４−ジヒドロアントラセン−２−オン−３，５’−２’−ノルボルネン］、スピロ［６−エチル−１，４−ジヒドロアントラセン−２−オン−３，５’−２’−ノルボルネン］、スピロ［７−エチル−１，４−ジヒドロアントラセン−２−オン−３，５’−２’−ノルボルネン］、スピロ［８−エチル−１，４−ジヒドロアントラセン−２−オン−３，５’−２’−ノルボルネン］、スピロ［５−ｎ−プロピル−１，４−ジヒドロアントラセン−２−オン−３，５’−２’−ノルボルネン］、スピロ［６−ｎ−プロピル−１，４−ジヒドロアントラセン−２−オン−３，５’−２’−ノルボルネン］、スピロ［７−ｎ−プロピル−１，４−ジヒドロアントラセン−２−オン−３，５’−２’−ノルボルネン］、スピロ［８−ｎ−プロピル−１，４−ジヒドロアントラセン−２−オン−３，５’−２’−ノルボルネン］、スピロ［５−ｉｓｏ−プロピル−１，４−ジヒドロアントラセン−２−オン−３，５’−２’−ノルボルネン］、スピロ［６−ｉｓｏ−プロピル−１，４−ジヒドロアントラセン−２−オン−３，５’−２’−ノルボルネン］、スピロ［７−ｉｓｏ−プロピル−１，４−ジヒドロアントラセン−２−オン−３，５’−２’−ノルボルネン］、スピロ［８−ｉｓｏ−プロピル−１，４−ジヒドロアントラセン−２−オン−３，５’−２’−ノルボルネン］、スピロ［５−ｎ−ブチル−１，４−ジヒドロアントラセン−２−オン−３，５’−２’−ノルボルネン］、スピロ［６−ｎ−ブチル−１，４−ジヒドロアントラセン−２−オン−３，５’−２’−ノルボルネン］、スピロ［７−ｎ−ブチル−１，４−ジヒドロアントラセン−２−オン−３，５’−２’−ノルボルネン］、スピロ［８−ｎ−ブチル−１，４−ジヒドロアントラセン−２−オン−３，５’−２’−ノルボルネン］、スピロ［５−ｉｓｏ−ブチル−１，４−ジヒドロアントラセン−２−オン−３，５’−２’−ノルボルネン］、スピロ［６−ｉｓｏ−ブチル−１，４−ジヒドロアントラセン−２−オン−３，５’−２’−ノルボルネン］、スピロ［７−ｉｓｏ−ブチル−１，４−ジヒドロアントラセン−２−オン−３，５’−２’−ノルボルネン］、スピロ［８−ｉｓｏ−ブチル−１，４−ジヒドロアントラセン−２−オン−３，５’−２’−ノルボルネン］、スピロ［５−ｓｅｃ−ブチル−１，４−ジヒドロアントラセン−２−オン−３，５’−２’−ノルボルネン］、スピロ［６−ｓｅｃ−ブチル−１，４−ジヒドロアントラセン−２−オン−３，５’−２’−ノルボルネン］、スピロ［７−ｓｅｃ−ブチル−１，４−ジヒドロナフタレン−２−オン−３，５’−２’−ノルボルネン］、スピロ［８−ｓｅｃ−ブチル−１，４−ジヒドロアントラセン−２−オン−３，５’−２’−ノルボルネン］、スピロ［５−ｔ−ブチル−１，４−ジヒドロアントラセン−２−オン−３，５’−２’−ノルボルネン］、スピロ［６−ｔ−ブチル−１，４−ジヒドロアントラセン−２−オン−３，５’−２’−ノルボルネン］、スピロ［７−ｔ−ブチル−１，４−ジヒドロアントラセン−２−オン−３，５’−２’−ノルボルネン］、スピロ［８−ｔ−ブチル−１，４−ジヒドロアントラセン−２−オン−３，５’−２’−ノルボルネン］、スピロ［５−シクロヘキシル−１，４−ジヒドロアントラセン−２−オン−３，５’−２’−ノルボルネン］、スピロ［６−シクロヘキシル−１，４−ジヒドロアントラセン−２−オン−３，５’−２’−ノルボルネン］、スピロ［７−シクロヘキシル−１，４−ジヒドロアントラセン−２−オン−３，５’−２’−ノルボルネン］、スピロ［８−シクロヘキシル−１，４−ジヒドロアントラセン−２−オン−３，５’−２’−ノルボルネン］、スピロ［５−フェニル−１，４−ジヒドロアントラセン−２−オン−３，５’−２’−ノルボルネン］、スピロ［６−フェニル−１，４−ジヒドロアントラセン−２−オン−３，５’−２’−ノルボルネン］、スピロ［７−フェニル−１，４−ジヒドロアントラセン−２−オン−３，５’−２’−ノルボルネン］、スピロ［８−フェニル−１，４−ジヒドロアントラセン−２−オン−３，５’−２’−ノルボルネン］、スピロ［５−クロロ−１，４−ジヒドロアントラセン−２−オン−３，５’−２’−ノルボルネン］、スピロ［６−クロロ−１，４−ジヒドロアントラセン−２−オン−３，５’−２’−ノルボルネン］、スピロ［７−クロロ−１，４−ジヒドロアントラセン−２−オン−３，５’−２’−ノルボルネン］、スピロ［８−クロロ−１，４−ジヒドロアントラセン−２−オン−３，５’−２’−ノルボルネン］、スピロ［５−フェニル−１，４−ジヒドロアントラセン−２−オン−３，５’−２’−ノルボルネン］、スピロ［６−フェニル−１，４−ジヒドロアントラセン−２−オン−３，５’−２’−ノルボルネン］、スピロ［７−フェニル−１，４−ジヒドロアントラセン−２−オン−３，５’−２’−ノルボルネン］、スピロ［８−フェニル−１，４−ジヒドロアントラセン−２−オン−３，５’−２’−ノルボルネン］、スピロ［５−アミノ−１，４−ジヒドロアントラセン−２−オン−３，５’−２’−ノルボルネン］、スピロ［６−アミノ−１，４−ジヒドロアントラセン−２−オン−３，５’−２’−ノルボルネン］、スピロ［７−アミノ−１，４−ジヒドロアントラセン−２−オン−３，５’−２’−ノルボルネン］、スピロ［８−アミノ−１，４−ジヒドロアントラセン−２−オン−３，５’−２’−ノルボルネン］、スピロ［５−メトキシ−１，４−ジヒドロアントラセン−２−オン−３，５’−２’−ノルボルネン］、スピロ［６−メトキシ−１，４−ジヒドロアントラセン−２−オン−３，５’−２’−ノルボルネン］、スピロ［７−メトキシ−１，４−ジヒドロアントラセン−２−オン−３，５’−２’−ノルボルネン］、スピロ［８−メトキシ−１，４−ジヒドロアントラセン−２−オン−３，５’−２’−ノルボルネン］、スピロ［１，３−ジヒドロアントラセン−２−オン−４，５’−２’−ノルボルネン］、スピロ［５−メチル−１，３−ジヒドロアントラセン−２−オン−４，５’−２’−ノルボルネン］、スピロ［６−メチル−１，３−ジヒドロアントラセン−２−オン−４，５’−２’−ノルボルネン］、スピロ［７−メチル−１，３−ジヒドロアントラセン−２−オン−４，５’−２’−ノルボルネン］、スピロ［８−メチル−１，３−ジヒドロアントラセン−２−オン−４，５’−２’−ノルボルネン］、スピロ［５−エチル−１，３−ジヒドロアントラセン−２−オン−４，５’−２’−ノルボルネン］、スピロ［６−エチル−１，３−ジヒドロアントラセン−２−オン−４，５’−２’−ノルボルネン］、スピロ［７−エチル−１，３−ジヒドロアントラセン−２−オン−４，５’−２’−ノルボルネン］、スピロ［８−エチル−１，３−ジヒドロアントラセン−２−オン−４，５’−２’−ノルボルネン］、スピロ［５−ｎ−プロピル−１，３−ジヒドロアントラセン−２−オン−４，５’−２’−ノルボルネン］、スピロ［６−ｎ−プロピル−１，３−ジヒドロアントラセン−２−オン−４，５’−２’−ノルボルネン］、スピロ［７−ｎ−プロピル−１，３−ジヒドロアントラセン−２−オン−４，５’−２’−ノルボルネン］、スピロ［８−ｎ−プロピル−１，３−ジヒドロアントラセン−２−オン−４，５’−２’−ノルボルネン］、スピロ［５−ｉｓｏ−プロピル−１，３−ジヒドロアントラセン−２−オン−４，５’−２’−ノルボルネン］、スピロ［６−ｉｓｏ−プロピル−１，３−ジヒドロアントラセン−２−オン−４，５’−２’−ノルボルネン］、スピロ［７−ｉｓｏ−プロピル−１，３−ジヒドロアントラセン−２−オン−４，５’−２’−ノルボルネン］、スピロ［８−ｉｓｏ−プロピル−１，３−ジヒドロアントラセン−２−オン−４，５’−２’−ノルボルネン］、スピロ［５−ｎ−ブチル−１，３−ジヒドロアントラセン−２−オン−４，５’−２’−ノルボルネン］、スピロ［６−ｎ−ブチル−１，３−ジヒドロアントラセン−２−オン−４，５’−２’−ノルボルネン］、スピロ［７−ｎ−ブチル−１，３−ジヒドロアントラセン−２−オン−４，５’−２’−ノルボルネン］、スピロ［８−ｎ−ブチル−１，３−ジヒドロアントラセン−２−オン−４，５’−２’−ノルボルネン］、スピロ［５−ｉｓｏ−ブチル−１，３−ジヒドロアントラセン−２−オン−４，５’−２’−ノルボルネン］、スピロ［６−ｉｓｏ−ブチル−１，３−ジヒドロアントラセン−２−オン−４，５’−２’−ノルボルネン］、スピロ［７−ｉｓｏ−ブチル−１，３−ジヒドロアントラセン−２−オン−４，５’−２’−ノルボルネン］、スピロ［８−ｉｓｏ−ブチル−１，３−ジヒドロアントラセン−２−オン−４，５’−２’−ノルボルネン］、スピロ［５−ｓｅｃ−ブチル−１，３−ジヒドロアントラセン−２−オン−４，５’−２’−ノルボルネン］、スピロ［６−ｓｅｃ−ブチル−１，３−ジヒドロアントラセン−２−オン−４，５’−２’−ノルボルネン］、スピロ［７−ｓｅｃ−ブチル−１，３−ジヒドロアントラセン−２−オン−４，５’−２’−ノルボルネン］、スピロ［８−ｓｅｃ−ブチル−１，３−ジヒドロアントラセン−２−オン−４，５’−２’−ノルボルネン］、スピロ［５−ｔ−ブチル−１，３−ジヒドロアントラセン−２−オン−４，５’−２’−ノルボルネン］、スピロ［６−ｔ−ブチル−１，３−ジヒドロアントラセン−２−オン−４，５’−２’−ノルボルネン］、スピロ［７−ｔ−ブチル−１，３−ジヒドロアントラセン−２−オン−４，５’−２’−ノルボルネン］、スピロ［８−ｔ−ブチル−１，３−ジヒドロナフタレン−２−オン−４，５’−２’−ノルボルネン］、スピロ［５−シクロヘキシル−１，３−ジヒドロアントラセン−２−オン−４，５’−２’−ノルボルネン］、スピロ［６−シクロヘキシル−１，３−ジヒドロアントラセン−２−オン−４，５’−２’−ノルボルネン］、スピロ［７−シクロヘキシル−１，３−ジヒドロアントラセン−２−オン−４，５’−２’−ノルボルネン］、スピロ［８−シクロヘキシル−１，３−ジヒドロアントラセン−２−オン−４，５’−２’−ノルボルネン］、スピロ［５−フェニル−１
，３−ジヒドロアントラセン−２−オン−４，５’−２’−ノルボルネン］、スピロ［６−フェニル−１，３−ジヒドロアントラセン−２−オン−４，５’−２’−ノルボルネン］、スピロ［７−フェニル−１，３−ジヒドロアントラセン−２−オン−４，５’−２’−ノルボルネン］、スピロ［８−フェニル−１，３−ジヒドロアントラセン−２−オン−４，５’−２’−ノルボルネン］、スピロ［５−クロロ−１，３−ジヒドロアントラセン−２−オン−４，５’−２’−ノルボルネン］、スピロ［６−クロロ−１，３−ジヒドロアントラセン−２−オン−４，５’−２’−ノルボルネン］、スピロ［７−クロロ−１，３−ジヒドロアントラセン−２−オン−４，５’−２’−ノルボルネン］、スピロ［８−クロロ−１，３−ジヒドロアントラセン−２−オン−４，５’−２’−ノルボルネン］、スピロ［５−フェニル−１，３−ジヒドロアントラセン−２−オン−４，５’−２’−ノルボルネン］、スピロ［６−フェニル−１，３−ジヒドロアントラセン−２−オン−４，５’−２’−ノルボルネン］、スピロ［７−フェニル−１，３−ジヒドロアントラセン−２−オン−４，５’−２’−ノルボルネン］、スピロ［８−フェニル−１，３−ジヒドロアントラセン−２−オン−４，５’−２’−ノルボルネン］、スピロ［５−アミノ−１，３−ジヒドロアントラセン−２−オン−４，５’−２’−ノルボルネン］、スピロ［６−アミノ−１，３−ジヒドロアントラセン−２−オン−４，５’−２’−ノルボルネン］、スピロ［７−アミノ−１，３−ジヒドロアントラセン−２−オン−４，５’−２’−ノルボルネン］、スピロ［８−アミノ−１，３−ジヒドロアントラセン−２−オン−４，５’−２’−ノルボルネン］、スピロ［５−メトキシ−１，３−ジヒドロアントラセン−２−オン−４，５’−２’−ノルボルネン］、スピロ［６−メトキシ−１，３−ジヒドロアントラセン−２−オン−４，５’−２’−ノルボルネン］、スピロ［７−メトキシ−１，３−ジヒドロアントラセン−２−オン−４，５’−２’−ノルボルネン］、スピロ［８−メトキシ−１，３−ジヒドロアントラセン−２−オン−４，５’−２’−ノルボルネン］。
【００６６】
このようなスピロ型ノルボルネン単量体の中でも、合成原料の入手性、合成のしやすさの観点から、１，２−ベンゾシクロペンテン−３−スピロ−５’−ビシクロ［２．２．１］−２’−ヘプテン、１，２−ベンゾシクロペンテン−４−スピロ−５’−ビシクロ［２．２．１］−２’−ヘプテン、スピロ［３，４−ジヒドロ−２Ｈ−ナフタレン−１，５’−２’−ノルボルネン］、スピロ［３，４−ジヒドロ−１Ｈ−ナフタレン−２，５’−２’−ノルボルネン］、１，２−ベンゾシクロオクテン−３−スピロ−５’−ビシクロ［２．２．１］−２’−ヘプテン、１，２−ベンゾシクロオクテン−４−スピロ−５’−ビシクロ［２．２．１］−２’−ヘプテン、１，２−ベンゾシクロオクテン−５−スピロ−５’−ビシクロ［２．２．１］−２’−ヘプテン、２，３−ベンゾシクロペンテン−１−オン−４−スピロ−５’−ビシクロ［２．２．１］−２’−ヘプテン、２，３−ベンゾシクロペンテン−１−オン−５−スピロ−５’−ビシクロ［２．２．１］−２’−ヘプテン、３，４−ベンゾシクロペンテン−１−オン−２−スピロ−５’−ビシクロ［２．２．１］−２’−ヘプテン、スピロ［３，４−ジヒドロナフタレン−１−オン−２，５’−２’−ノルボルネン］、スピロ［３，４−ジヒドロナフタレン−２−オン−１，５’−２’−ノルボルネン］、スピロ［１，４−ジヒドロナフタレン−２−オン−３，５’−２’−ノルボルネン］、２，３−ベンゾシクロオクテン−１−オン−８−スピロ−５’−ビシクロ［２．２．１］−２’−ヘプテン、３，４−ベンゾシクロオクテン−１−オン−２−スピロ−５’−ビシクロ［２．２．１］−２’−ヘプテン、３，４−ベンゾシクロオクテン−１−オン−８−スピロ−５’−ビシクロ［２．２．１］−２’−ヘプテン、スピロ［３，４−ジヒドロ−２Ｈ−アントラセン−１，５’−２’−ノルボルネン］、スピロ［３，４−ジヒドロ−１Ｈ−アントラセン−2，５’−２’−ノルボルネン］、スピロ［３，４−ジヒドロアントラセン−１−オン−２，５’−２’−ノルボルネン］、スピロ［３，４−ジヒドロアントラセン−２−オン−１，５’−２’−ノルボルネン］、スピロ［１，４−ジヒドロアントラセン−２−オン−３，５’−２’−ノルボルネン］が好ましい。
【００６７】
このようなスピロ型ノルボルネン単量体を得る方法は特に制限されないが、例えば、下記反応式（Ｉ）：
【００６８】
【化７】
2010169952.tif 000008
【００６９】
［反応式（Ｉ）中、Ｒ１、Ｙ、Ｚ、ａ、ｂはそれぞれ前記一般式（１）中のＲ１、Ｙ、Ｚ、ａ、ｂと同義である。］
で表される反応を利用して、上記一般式（５）で表されるシクロペンタジエンと、上記一般式（６）で表されるｅｘｏ−メチレン化合物とをＤｉｅｌｓ−Ａｌｄｅｒ反応によって反応させてスピロ型ノルボルネン単量体を得る方法が挙げられる。
【００７０】
このような一般式（６）で表されるｅｘｏ−メチレン化合物は、電子吸引性置換基を有しているため、Ｄｉｅｌｓ−Ａｌｄｅｒ反応において優れたジエノフィルとして作用する。そのため、このような一般式（６）で表されるｅｘｏ−メチレン化合物を利用することで、工業生産に望ましい反応速度を得ることが可能となる。また、このような一般式（６）で表されるｅｘｏ−メチレン化合物によって、室温、無溶媒という条件下においても、ほぼ定量的に目的とするスピロ型ノルボルネン単量体を得ることができる。また、このような一般式（６）で表されるｅｘｏ−メチレン化合物を得る方法としては特に制限されず、公知の方法を適宜採用でき、例えば、Ｏｒｇａｎｉｃ  Ｓｙｎｔｈｅｓｅｓ，Ｖｏｌ．６０，ｐ．８８に記載されている方法等が挙げられる。
【００７１】
また、前記一般式（４）で表される芳香族型ノルボルネン単量体としては、以下に示す単量体を挙げることができる。
【００７２】
５−フェニルビシクロ［２．２．１］−２−ヘプテン、８−フェニルテトラシクロ[4．４．１2,5．17,10．０]−3−ドデセン、5−(p−t−ブチルフェニル)ビシクロ[２．２．１]−２−ヘプテン、８−(p-t-ブチルフェニル)テトラシクロ[４．４．１2,5．１7,10．０]−3−ドデセン、５−(p−アミノフェニル)ビシクロ[２．２．1]−２−ヘプテン、８−(p−アミノフェニル)テトラシクロ[４．４．１2,5．17,10．０]−3−ドデセン、５−(o−アセトキシフェニル)ビシクロ[２．２．１]−２−ヘプテン、８−(o−アセトキシフェニル)テトラシクロ[４．４．１2,5．１7,10．０]−３−ドデセン、５−(p−アセトキシフェニル)ビシクロ[２．２．１]−２−ヘプテン、８−(p−アセトキシフェニル)テトラシクロ[４．４．１2,5．１7,10．０]−３−ドデセン、６−ブロモ−５−フェニル-ビシクロ[２．２．１]−２−ヘプテン、８−フェニル−９−ブロモテトラシクロ[４．４．１2,5．１7,1．０]−３−ドデセン、５−(p−イソプロピルフェニル)ビシクロ[２．２．１]−２−ヘプテン、８−(p−イソプロピルフェニル)テトラシクロ[４．４．１2,5．１7,10．０]−３−ドデセン、５−(m−ブロモフェニル)ビシクロ[２．２．１]−２−ヘプテン、８−(m−ブロモフェニル)テトラシクロ[４．４．１2,5．１7,10．０]−３−ドデセン、５−(p−ブロモフェニル)ビシクロ[２．２．１]−２−ヘプテン、８−(p−ブロモフェニル)テトラシクロ[４．４．１2,5．１7,10．０]−３−ドデセン、５−(o−ブロモフェニル)ビシクロ[２．２．１]−２−ヘプテン、８−(o−ブロモフェニル)テトラシクロ[４．４．１2,5．１7,10．０]−３−ドデセン、６，６−ジフルオロ−５−(p−ブロモフェニル)ビシクロ[２．２．１]−２−ヘプテン、８−(p−ブロモフェニル)−９，９−ジフルオロテトラシクロ[４．４．１2,5．１7,10．０]−３−ドデセン、５−(p−クロロフェニル)−５−メチルビシクロ[２．２．１]−２−ヘプテン、８−(p−クロロフェニル)−９−メチルテトラシクロ[４．４．１2,5．１7,10．０]−３−ドデセン、５−(o−クロロフェニル)ビシクロ[２．２．１]−2−ヘプテン、８−(o−クロロフェニル)テトラシクロ[４．４．１2,5．１7,10．０]−３−ドデセン、５−(m−クロロフェニル)ビシクロ[２．２．１]−２−ヘプテン、８−(m−クロロフェニル)テトラシクロ[４．４．１2,5．１7,10．０]−３−ドデセン、５−(p−クロロフェニル)ビシクロ[２．２．１]−２−ヘプテン、８−(p−クロロフェニル)テトラシクロ[４．４．１2,5．１7,10．０]−３−ドデセン、５−(m−クロロメチルフェニル)ビシクロ[２．２．１]−２−ヘプテン、８−(m−クロロメチルフェニル)テトラシクロ[４．４．１2,5．１7,10．０]−３−ドデセン、５−(p−クロロメチルフェニル)ビシクロ[２．２．１]−２−ヘプテン、８−(p−クロロメチルフェニル)テトラシクロ[４．４．１2,5．１7,10．０]−３−ドデセン、５−(p−シアノメチルフェニル)ビシクロ[２．２．１]−２−ヘプテン、８−(p−シアノメチルフェニル)テトラシクロ[４．４．１2,5．１7,10．０]−３−ドデセン、５−(o−クロロメチルフェニル)ビシクロ[２．２．１]−２−ヘプテン、８−(o−クロロメチルフェニル)テトラシクロ[４．４．１2,5．１7,10．０]−３−ドデセン、５−(２，６−ジクロロフェニル)ビシクロ[２．２．１]−２−ヘプテン、８−(２，６−ジクロロフェニル)テトラシクロ[４．４．１2,5．１7,10．０]−３−ドデセン、５−(p−フルオロフェニル)−５−メチルビシクロ[２．２．１]−２−ヘプテン、８−(p−フルオロフェニル)−９−メチルテトラシクロ[４．４．１2,5．１7,10．０]−３−ドデセン、５−(o−フルオロフェニル)ビシクロ[２．２．１]−２−ヘプテン、８−(o−フルオロフェニル)テトラシクロ[４．４．１2,5．１7,10．０]−３−ドデセン、５−(m−フルオロフェニル)ビシクロ[２．２．１]−２−ヘプテン、８−(m−フルオロフェニル)テトラシクロ[４．４．１2,5．１7,10．０]−３−ドデセン、５−(p−フルオロフェニル)ビシクロ２．２．１]−２−ヘプテン、８−(p−フルオロフェニル)テトラシクロ[４．４．１2,5．１7,10．０]−３−ドデセン、５−(ペンタフルオロフェニル)ビシクロ[２．２．１]−２−ヘプテン、８−(ペンタフルオロフェニル)テトラシクロ[４．４．１2,5．１7,10．０]−３−ドデセン、５−(o−メトキシフェニル)ビシクロ[２．２．１]−２−ヘプテン、８−(o−メトキシフェニル)テトラシクロ[４．４．１2,5．１7,10．０]−３−ドデセン、５−(p−エトキシフェニル)ビシクロ[２．２．１]−２−ヘプテン、８−(p−エトキシフェニル)テトラシクロ[４．４．１2,5．１7,10．０]−３−ドデセン、５−(p−フェノキシフェニル)ビシクロ[２．２．１]−２−ヘプテン、８−(p−フェノキシフェニル)テトラシクロ[４．４．１2,5．１7,10．０]−３−ドデセン、５−(p−ヒドロキシメチルフェニル)ビシクロ[２．２．１]−２−ヘプテン、８−(p−ヒドロキシメチルフェニル)テトラシクロ[４．４．１2,5．１7,10．０]−３−ドデセン、５−(p−メトキシフェニル)ビシクロ[２．２．１]−２−ヘプテン、８−(p−メトキシフェニル)テトラシクロ[４．４．１2,5．１7,10．０]−３−ドデセン、５−(o−メチルフェニル)ビシクロ[２．２．１]−２−ヘプテン、８−(o−メチルフェニル)テトラシクロ[４．４．１2,5．１7,10．０]−３−ドデセン、５−(m−メチルフェニル)ビシクロ[２．２．１]−２−ヘプテン、８−(m−メチルフェニル)テトラシクロ[４．４．１2,5．１7,10．０]−３−ドデセン、５−(p−メチルフェニル)ビシクロ[２．２．１]−２−ヘプテン、８−(p−メチルフェニル)テトラシクロ[４．４．１2,5．１7,10．０]−３−ドデセン、５−メチル−５−フェニルビシクロ[２．２．１]−２−ヘプテン、８−メチル−８−フェニルテトラシクロ[４．４．１2,5．１7,10．０]−３−ドデセン、６−メチル−５−フェニルビシクロ[２．２．１]−２−ヘプテン、９−メチル−８−フェニルテトラシクロ[４．４．１2,5．１7,10．０]−３−ドデセン、５−(m−ニトロフェニル)ビシクロ[２．２．１]−２−ヘプテン、８−(m−ニトロフェニル)テトラシクロ[４．４．１2,5．１7,10．０]−３−ドデセン、５−(p−ニトロフェニル)ビシクロ[２．２．１]−２−ヘプテン、８−(p−ニトロフェニル)テトラシクロ[４．４．１2,5．１7,10．０]−３−ドデセン、５−(p−シアノフェニル)ビシクロ[２．２．１]−２−ヘプテン、８−(p−シアノフェニル)テトラシクロ[４．４．１2,5．１7,10．０]−３−ドデセン、５−(p−n−オクチルフェニル)ビシクロ[２．２．１]−２−ヘプテン、８−(p−ｎ−オクチルフェニル)テトラシクロ[４．４．１2,5．１7,10．０]−３−ドデセン、５−トリメチルシロキシ−５−フェニルビシクロ[２．２．１]−２−ヘプテン、８−(トリメチルシロキシ)−���−フェニルテトラシクロ[４．４．１2,5．１7,10．０]−３−ドデセン、５−(２，４，６−トリメチルフェニル)ビシクロ[２．２．１]−２−ヘプテン、８−(２，４，６−トリメチルフェニル)テトラシクロ[４．４．１2,5．１7,10．０]−３−ドデセン、５−(o−メチルフェニル)ビシクロ[２．２．１]−２−ヘプテン、８−(o−メチルフェニル)テトラシクロ[４．４．１2,5．１7,10．０]−３−ドデセン、５−(m−メチルフェニル)ビシクロ[２．２．１]−２−ヘプテン、８−(m−メチルフェニル)テトラシクロ[４．４．１2,5．１7,10．０]−３−ドデセン、５−(p−メチルフェニル)ビシクロ[２．２．１]−２−ヘプテン、８−(p−メチルフェニル)テトラシクロ[４．４．１2,5．１7,10．０]−３−ドデセン、５−(２，４−ジメチルフェニル)ビシクロ[２．２．１]−２−ヘプテン、８−(２，４−ジメチルフェニル)テトラシクロ[４．４．１2,5．１7,10．０]−３−ドデセン、５−(２，５−ジメチルフェニル)ビシクロ[２．２．１]−２−ヘプテン、８−(２，５−ジメチルフェニル)テトラシクロ[４．４．１2,5．１7,10．０]−３−ドデセン、５−(２，５−ジクロロフェニル)ビシクロ[２．２．１]−２−ヘプテン、８−(２，５−ジクロロフェニル)テトラシクロ[４．４．１2,5．１7,10．０]−３−ドデセン、５−(２，６−ジクロロフェニル)ビシクロ[２．２．１]−２−ヘプテン、８−(２，６−ジクロロフェニル)テトラシクロ[４．４．１2,5．１7,10．０]−３−ドデセン、５−(３，４−ジクロロフェニル)ビシクロ[２．２．１]−２−ヘプテン、８−(２，４−ジクロロフェニル)テトラシクロ[４．４．１2,5．１7,10．０]−３−ドデセン、５−(o−ヨードフェニル)ビシクロ[２．２．１]−２−ヘプテン、８−(o−ヨードフェニル)テトラシクロ[４．４．１2,5．１7,10．０]−３−ドデセン、５−(ビフェニル)ビシクロ[２．２．１]−２−ヘプテン、８−(ビフェニル)テトラシクロ[４．４．１2,5．１7,10．０]−３−ドデセン、５−(p−スルホン酸フェニル)ビシクロ[2.2.1]−２−ヘプテン、８−(p−スルホン酸フェニル)テトラシクロ[４．４．１2,5．１7,10．０]−３−ドデセン、５−(p−スルホン酸クロライドフェニル)ビシクロ[２．２．１]−２−ヘプテン、８−(p−スルホン酸クロライドフェニル)テトラシクロ[４．４．１2,5．１7,10．０]−３−ドデセン、５−(p−カルボキシフェニル)ビシクロ[２．２．１]−２−ヘプテン、８−(p−カルボキシフェニル)テトラシクロ[４．４．１2,5．１7,10．０]−３−ドデセン、５，６−ジフェニルビシクロ[２．２．１]−２−ヘプテン、８，９−ジフェニルテトラシクロ[４．４．１2,5．１7,10．０]−３−ドデセン、５，５−ジフェニルビシクロ[２．２．１]−２−ヘプテン、８，８−ジフェニルテトラシクロ[４．４．１2,5．１7,10．０]−３−ドデセン、５−(１−ナフチル)ビシクロ[２．２．１]−２−ヘプテン、８−(１−ナフチル)テトラシクロ[４．４．１2,5．１7,10．０]−３−ドデセン、５−(２−ナフチル)ビシクロ[２．２．１]−２−ヘプテン、８−(２−ナフチル)テトラシクロ[４．４．１2,5．１7,10．０]−３−ドデセン、５−(９−アントラセニル)ビシクロ[２．２．１]−２−ヘプテン、８−(９−アントラセニル)テトラシクロ[４．４．１2,5．１7,10．０]−３−ドデセン、５−(m−イソプロペニルフェニル)−５−メチルビシクロ[２．２．１]−２−ヘプテン、８−(m−イソプロペニルフェニル)−８−メチルテトラシクロ[４．４．１2,5．１7,10．０]−３−ドデセン、５−(p−イソプロペニルフェニル)−５−メチルビシクロ[２．２．１]−２−ヘプテン、８−(p−イソプロペニルフェニル)−８−メチルテトラシクロ[４．４．１2,5．１7,10．０]−３−ドデセン、５−(p−クロロフェニル)−５−メチルビシクロ[２．２．１]−２−ヘプテン、８−(p−クロロフェニル)−８−メチルテトラシ
クロ[４．４．１2,5．１7,10．０]−３−ドデセン、５−シアノ−５−(p−メチルフェニル)ビシクロ[２．２．１]−２−ヘプテン、８−シアノ−８−(p−メチルフェニル)テトラシクロ[４．４．１2,5．１7,10．０]−３−ドデセン、６−メチル−５−フェニルビシクロ[２．２．１]−２−ヘプテン、９−メチル−８−フェニルテトラシクロ[４．４．１2,5．１7,10．０]−３−ドデセン、５−(p−メトキシフェニル)−６−メチルビシクロ[２．２．１]−２−ヘプテン、８−(p−メトキシフェニル)−９−メチルテトラシクロ[４．４．１2,5．１7,10．０]−３−ドデセン、５−(p−ヒドロキシ−o−メトキシフェニル)−６−メチルビシクロ[２．２．１]−２−ヘプテン、８−(p−ヒドロキシ−o−メトキシフェニル)−９−メチルテトラシクロ[４．４．１2,5．１7,10．０]−３−[４．４．１2,5．１7,10．０]−３−ドデセン、５−(３，４−メチレンジオキシフェニル)−６−メチルビシクロ[２．２．１]−２−ヘプテン、８−(３，４−メチレンジオキシフェニル)−９−メチルテトラシクロ[４．４．１2,5．１7,10．０]−３−ドデセン、６−ブロモ−５−フェニルビシクロ[２．２．１]−２−ヘプテン、８−フェニル−９−ブロモテトラシクロ[４．４．１2,5．１7,10．０]−３−ドデセン、６−ホルミル−５−フェニルビシクロ[２．２．１]−２−ヘプテン、９−ホルミル−８−フェニルテトラシクロ[４．４．１2,5．１7,10．０]−３−ドデセン、６−アセチル−５−フェニルビシクロ[２．２．１]−２−ヘプテン、９−アセチル−８−フェニルテトラシクロ[４．４．１2,5．１7,10．０]−３−ドデセン、６−ベンゾイル−５−フェニルビシクロ[２．２．１]−２−ヘプテン、８−フェニル−９−ベンゾイルテトラシクロ[４．４．１2,5．１7,10．０]−３−ドデセン、６−シアノ−５−フェニルビシクロ[２．２．１]−２−ヘプテン、９−シアノ−８−フェニルテトラシクロ[４．４．１2,5．１7,10．０]−３−ドデセン、６−ニトロ−５−フェニルビシクロ[２．２．１]−２−ヘプテン、９−ニトロ−８−フェニルテトラシクロ[４．４．１2,5．１7,10．０]−３−ドデセン、テトラシクロ[８．４．１11,14．０1,10．０4,9]ペンタデカ−４，６，８，１２−テトラエン、ペンタシクロ[７．６．１11,14．１1,9．０10,15．０5,17]ヘプタデカ−１，３，５，６，８，１２−ヘキサエン、ペンタシクロ[１０．６．１14,17．０13,18．０1,6．０7,12]ノナデカ−１，３，５，７，９，１１，１５−ヘプタエン、テトラシクロ[７．４．１10,13．０1,9．０2,7]テトラデカ−２，４，６，１１−テトラエン、２−オキソテトラシクロ[７．４．１10,13．０1,9．０3,8]テトラデカ−３，５，７，１１−テトラエン、３−オキソテトラシクロ[８．４．１１11,14．０1,10．０4,9]ペンタデカ−４，６，８，１２−テトラエン−２−オン、５−フェニル−６−カルボキシ(ｐ−メトキシフェニル)ビシクロ[２．２．１]−２−ヘプテン、５−フェニル−６−カルボキシ(m−メトキシフェニル)ビシクロ[２．２．１]−２−ヘプテン、５−フェニル−６−カルボキシ(o−メトキシフェニル)ビシクロ[２．２．１]−２−ヘプテン、５−フェニル−６−カルボキシ(p−メチルフェニル)ビシクロ[２．２．１]−２−ヘプテン、５−フェニル−６−カルボキシ(m−メチルフェニル)ビシクロ[２．２．１]−２−ヘプテン、５−フェニル−６−カルボキシ(o−メ���ルフェニル)ビシクロ[２．２．１]−２−ヘプテン、５−フェニル−６−カルボキシ(p−クロロフェニル)ビシクロ[２．２．１]−２−ヘプテン、５−フェニル−６−カルボキシ(m−クロロフェニル)ビシクロ[２．２．１]−２−ヘプテン、５−フェニル−６−カルボキシ(o−クロロフェニル)ビシクロ[２．２．１]−２−ヘプテン、５−フェニル−６−カルボキシ(p−ニトロフェニル)ビシクロ[２．２．１]−２−ヘプテン、５−フェニル−６−カルボキシ(m−ニトロフェニル)ビシクロ[２．２．１]−２−ヘプテン、５−フェニル−６−カルボキシ(o−ニトロフェニル)ビシクロ[２．２．１]−２−ヘプテン、５−フェニル−６−カルボキシ(p−ブロモフェニル)ビシクロ[２．２．１]−２−ヘプテン、５−フェニル−６−カルボキシ(m−ブロモフェニル)ビシクロ[２．２．１]−２−ヘプテン、５−フェニル−６−カルボキシ(o−ブロモフェニル)ビシクロ[２．２．１]−２−ヘプテン、５−(p−アミノフェニル)−６−カルボキシメチルビシクロ[２．２．１]−２−ヘプテン、５−(p−アミノフェニル)−６−カルボキシエチルビシクロ[２．２．１]−２−ヘプテン、５−(p−ブロモフェニル)−６−カルボン酸ビシクロ[２．２．１]−２−ヘプテン、５−(p−ブロモフェニル)−６−カルボキシメチルビシクロ[２．２．１]−２−ヘプテン、５−(p−ブロモフェニル)−６−カルボキシエチルビシクロ[２．２．１]−２−ヘプテン、５−(o−ブロモフェニル)−６−カルボン酸ビシクロ[２．２．１]−２−ヘプテン、５−(o−ブロモフェニル)−６−カルボキシメチルビシクロ[２．２．１]−２−ヘプテン、５−(o−ブロモフェニル)−６−カルボキシエチルビシクロ[２．２．１]−２−ヘプテン、５−(m−ブロモフェニル)−６−カルボン酸ビシクロ[２．２．１]−２−ヘプテン、５−(m−ブロモフェニル)−６−カルボキシメチルビシクロ[２．２．１]−２−ヘプテン、５−(m−ブロモフェニル)−６−カルボキシエチルビシクロ[２．２．１]−２−ヘプテン、５−(p−クロロフェニル)−６−カルボン酸ビシクロ[２．２．１]−２−ヘプテン、５−(p−クロロフェニル)−６−カルボキシメチルビシクロ[２．２．１]−２−ヘプテン、５−(p−クロロフェニル)−６−カルボキシエチルビシクロ[２．２．１]−２−ヘプテン、５−(m−クロロフェニル)−６−カルボン酸ビシクロ[２．２．１]−２−ヘプテン、５−(m−クロロフェニル)−６−カルボキシメチルビシクロ[２．２．１]−２−ヘプテン、５−(m−クロロフェニル)−６−カルボキシエチルビシクロ[２．２．１]−２−ヘプテン、５−(o−クロロフェニル)−６−カルボン酸ビシクロ[２．２．１]−２−ヘプテン、５−(o−クロロフェニル)−６−カルボキシメチルビシクロ[２．２．１]−２−ヘプテン、５−(o−クロロフェニル)−６−カルボキシエチルビシクロ[２．２．１]−２−ヘプテン、５−フェニル−６−カルボン酸ビシクロ[２．２．１]−２−ヘプテン、５−フェニル−６−カルボキシベンジルビシクロ[２．２．１]−２−ヘプテン、５−フェニル−６−カルボキシエチルビシクロ[２．２．１]−２−ヘプテン、５−フェニル−６−カルボキシフェニルビシクロ[２．２．１]−２−ヘプテン、５−フェニル−６−カルボキシメチルビシクロ[２．２．１]−２−ヘプテン、５−(p−ヒドロキシフェニル)−６−カルボン酸ビシクロ[２．���．１]−２−ヘプテン、５−(p−ヒドロキシフェニル)−６−カルボキシメチルビシクロ[２．２．１]−２−ヘプテン、５−(p−ヒドロキシフェニル)−６−カルボキシエチルビシクロ[２．２．１]−２−ヘプテン、５−(o−ヒドロキシフェニル)−６−カルボン酸ビシクロ[２．２．１]−２−ヘプテン、５−(o−ヒドロキシフェニル)−６−カルボキシメチルビシクロ[２．２．１]−２−ヘプテン、５−(o−ヒドロキシフェニル)−６−カルボキシエチルビシクロ[２．２．１]−２−ヘプテン、５−シアノ−５−フェニル−６−カルボン酸ビシクロ[２．２．１]−２−ヘプテン、５−シアノ−５−フェニル−６−カルボキシメチルビシクロ[２．２．１]−２−ヘプテン、５−シアノ−５−フェニル−６−カルボキシエチルビシクロ[２．２．１]−２−ヘプテン、５−シアノ−５−フェニル−６−カルボキシコレステリルビシクロ[２．２．１]−２−ヘプテン、５−(m−ヒドロキシフェニル)−６−カルボン酸ビシクロ[２．２．１]−２−ヘプテン、５−(m−ヒドロキシフェニル)−６−カルボキシメチルビシクロ[２．２．１]−２−ヘプテン、５−(m−ヒドロキシフェニル)−６−カルボキシエチルビシクロ[２．２．１]−２−ヘプテン、５−フェニル−６−カルボキシアリルビシクロ[２．２．１]−２−ヘプテン、５−フェニル−６−カルボキシビニルビシクロ[２．２．１]−２−ヘプテン、５−フェニル−６−カルボキシシンナミルビシクロ[２．２．１]−２−ヘプテン、５−(p−クロロ−m−ニトロフェニル)−６−カルボン酸ビシクロ[２．２．１]−２−ヘプテン、５−(p−クロロ−m−ニトロフェニル)−６−カルボキシメチルビシクロ[２．２．１]−２−ヘプテン、５−(p−クロロ−m−ニトロフェニル)−６−カルボキシエチルビシクロ[２．２．１]−２−ヘプテン、５−(２−クロロ−５−ニトロフェニル)−６−カルボン酸ビシクロ[２．２．１]−２−ヘプテン、５−(２−クロロ−５−ニトロフェニル)−６−カルボキシメチルビシクロ[２．２．１]−２−ヘプテン、５−（２−クロロ−５−ニトロフェニル)−６−カルボキシエチルビシクロ[２．２．１]−２−ヘプテン、５−シアノ−５−(p−ハイドロキシフェニル)−６−カルボン酸ビシクロ[２．２．１]−２−ヘプテン、５−シアノ−５−(p−ハイドロキシフェニル)−６−カルボキシメチルビシクロ[２．２．１]−２−ヘプテン、５−シアノ−５−(p−ハイドロキシフェニル)−６−カルボキシエチルビシクロ[２．２．１]−２−ヘプテン、５−フェニル−６−カルボキシイソプロピルビシクロ[２．２．１]−２−ヘプテン、５，６−ジブロモ−５−フェニル−６−カルボン酸ビシクロ[２．２．１]−２−ヘプテン、５，６−ジブロモ−５−フェニル−６−カルボキシメチルビシクロ[２．２．１]−２−ヘプテン、５，６−ジブロモ−５−フェニル−６−カルボキシエチルビシクロ[２．２．１]−２−ヘプテン、５−(３，４−ジメトキシフェニル)−６−カルボン酸ビシクロ[２．２．１]−２−ヘプテン、５−(３，５−ジメトキシフェニル)−６−カルボキシメチルビシクロ[２．２．１]−２−ヘプテン、５−(３，４−ジメトキシフェニル)−６−カルボキシエチルビシクロ[２．２．１]−２−ヘプテン、５−(３，５−ジメトキシ−４−ハイドロキシフェニル)−６−カルボン酸ビシクロ[２．２．１]−２−ヘプテン、���−(３，５−ジメトキシ−４−ハイドロキシフェニル)−６−カルボキシメチルビシクロ[２．２．１]−２−ヘプテン、５−(３，５−ジメトキシ−４−ハイドロキシフェニル)−６−カルボキシエチルビシクロ[２．２．１]−２−ヘプテン、５−(２，５−ジメトキシフェニル)−６−カルボン酸メチルビシクロ[２．２．１]−２−ヘプテン、５−(２，５−ジメトキシフェニル)−６−カルボキシメチルビシクロ[２．２．１]−２−ヘプテン、５−(２，５−ジメトキシフェニル)−６−カルボキシエチルビシクロ[２．２．１]−２−ヘプテン、５−(２，３−ジメトキシフェニル)−６−カルボン酸ビシクロ[２．２．１]−２−ヘプテン、５−(２，３−ジメトキシフェニル)−６−カルボキシメチルビシクロ[２．２．１]−２−ヘプテン、５−(２，３−ジメトキシフェニル)−６−カルボキシエチルビシクロ[２．２．１]−２−ヘプテン、５−(２，４−ジフルオロフェニル)−６−カルボン酸ビシクロ[２．２．１]−２−ヘプテン、５−(２，４−ジフルオロフェニル)−６−カルボキシメチルビシクロ[２．２．１]−２−ヘプテン、５−(２，４−ジフルオロフェニル)−６−カルボキシエチルビシクロ[２．２．１]−２−ヘプテン、５−(２，４−ジメトキシフェニル)−６−カルボン酸ビシクロ[２．２．１]−２−ヘプテン、５−(２，４−ジメトキシフェニル)−６−カルボキシメチルビシクロ[２．２．１]−２−ヘプテン、５−(２，４−ジメトキシフェニル)−６−カルボキシエチルビシクロ[２．２．１]−２−ヘプテン、５−(２，４−ジクロロフェニル)−６−カルボン酸ビシクロ[２．２．１]−２−ヘプテン
、５−(２，４−ジクロロフェニル)−６−カルボキシメチルビシクロ[２．２．１]−２−ヘプテン、５−(２，４−ジクロロフェニル)−６−カルボキシエチルビシクロ[２．２．１]−２−ヘプテン、５−(４−フルオロフェニル)−６−カルボン酸ビシクロ[２．２．１]−２−ヘプテン、５−(４−フルオロフェニル)−６−カルボキシメチルビシクロ[２．２．１]−２−ヘプテン、５−(４−フルオロフェニル)−６−カルボキシエチルビシクロ[２．２．１]−２−ヘプテン、５−(２−フルオロフェニル)−６−カルボン酸ビシクロ[２．２．１]−２−ヘプテン、５−(２−フルオロフェニル)−６−カルボキシメチルビシクロ[２．２．１]−２−ヘプテン、５−(２−フルオロフェニル)−６−カルボキシエチルビシクロ[２．２．１]−２−ヘプテン、５−(３−フルオロフェニル)−６−カルボン酸ビシクロ[２．２．１]−２−ヘプテン、５−(３−フルオロフェニル)−６−カルボキシメチルビシクロ[２．２．１]−２−ヘプテン、５−(３−フルオロフェニル)−６−カルボキシエチルビシクロ[２．２．１]−２−ヘプテン、５−(４−ハイドロキシ−３−メトキシフェニル)−６−カルボン酸ビシクロ[２．２．１]−２−ヘプテン、５−(４−ハイドロキシ−３−メトキシフェニル)−６−カルボキシメチルビシクロ[２．２．１]−２−ヘプテン、５−(４−ハイドロキシ−３−メトキシフェニル)−６−カルボキシエチルビシクロ[２．２．1]−２−ヘプテン、５−(３−ハイドロキシ−４−メトキシフェニル)−６−カルボン酸ビシクロ[２．２．１]−２−ヘプテン、５−(３−ハイドロキシ−４−メトキシフェニル)−６−カルボキシメチルビシクロ[２．２．１]−２−ヘプテン、５−(３−ハイドロキシ−４−メトキシフェニル)−６−カルボキシエチルビシクロ[２．２．１]−２−ヘプテン、５−(３−メトキシフェニル)−６−カルボン酸ビシクロ[２．２．１]−２−ヘプテン、５−(３−メトキシフェニル)−６−カルボキシメチルビシクロ[２．２．１]−２−ヘプテン、５−(３−メトキシフェニル)−６−カルボキシエチルビシクロ[２．２．１]−２−ヘプテン、５−(２−メトキシフェニル)−６−カルボン酸ビシクロ[２．２．１]−２−ヘプテン、５−(２−メトキシフェニル)−６−カルボキシメチルビシクロ[２．２．１]−２−ヘプテン、５−(２−メトキシフェニル)−６−カルボキシエチルビシクロ[２．２．１]−２−ヘプテン、５−(４−メトキシフェニル)−６−カルボン酸ビシクロ[２．２．１]−２−ヘプテン、５−(４−メトキシフェニル)−６−カルボキシメチルビシクロ[２．２．１]−２−ヘプテン、５−(４−メトキシフェニル)−６−カルボキシエチルビシクロ[２．２．１]−２−ヘプテン、５−(３，４−メチレンジオキシフェニル)−６−カルボン酸ビシクロ[２．２．１]−２−ヘプテン、５−(３，４−メチレンジオキシフェニル)−６−カルボキシメチルビシクロ[２．２．１]−２−ヘプテン、５−(３，４−メチレンジオキシフェニル)−６−カルボキシエチルビシクロ[２．２．１]−２−ヘプテン、５−(４−メチルフェニル)−６−カルボン酸ビシクロ[２．２．１]−２−ヘプテン、５−(４−メチルフェニル)−６−カルボキシメチルビシクロ[２．２．１]−２−ヘプテン、５−(４−メチルフェニル)−６−カルボキシエチルビシクロ[２．２．１]−２−ヘプテン、５−(４−メルカプトフェニル)−６−カルボン酸ビシクロ[２．２．１]−２−ヘプテン、５−(４−メルカプトフェニル)−６−カルボキシメチルビシクロ[２．２．１]−２−ヘプテン、５−(４−メルカプトフェニル)−６−カルボキシエチルビシクロ[２．２．１]−２−ヘプテン、５−(２−メチルフェニル)−６−カルボン酸ビシクロ[２．２．１]−２−ヘプテン、５−(２−メチルフェニル)−６−カルボキシメチルビシクロ[２．２．１]−２−ヘプテン、５−(２−メチルフェニル)−６−カルボキシエチルビシクロ[２．２．１]−２−ヘプテン、５−(３−メチルフェニル)−６−カルボン酸ビシクロ[２．２．１]−２−ヘプテン、５−(３−メチルフェニル)−６−カルボキシメチルビシクロ[２．２．１]−２−ヘプテン、５−(３−メチルフェニル)−６−カルボキシエチルビシクロ[２．２．１]−２−ヘプテン、５−メチル−５−フェニル−６−カルボン酸ビシクロ[２．２．１]−２−ヘプテン、５−メチル−５−フェニル−６−カルボキシメチルビシクロ[２．２．１]−２−ヘプテン、５−メチル−５−フェニル−６−カルボキシエチルビシクロ[２．２．１]−２−ヘプテン、５−(３−ニトロフェニル)−６−カルボン酸ビシクロ[２．２．１]−２−ヘプテン、５−(３−ニトロフェニル)−６−カルボキシメチルビシクロ[２．２．１]−２−ヘプテン、５−(３−ニトロフェニル)−６−カルボキシエチルビシクロ[２．２．１]−２−ヘプテン、５−(４−ニトロフェニル)−６−カルボン酸ビシクロ[２．２．１]−２−ヘプテン、５−(４−ニトロフェニル)−６−カルボキシメチルビシクロ[２．２．１]−２−ヘプテン、５−(４−ニトロフェニル)−６−カルボキシエチルビシクロ[２．２．１]−２−ヘプテン、５−(２−ニトロフェニル)−６−カルボン酸ビシクロ[２．２．１]−２−ヘプテン、５−(２−ニトロフェニル)−６−カルボキシメチルビシクロ[２．２．１]−２−ヘプテン、５−(２−ニトロフェニル)−６−カルボキシエチルビシクロ[２．２．１]−２−ヘプテン、５−(４―ｎ−オクタデシロキシフェニル)−６−カルボン酸ビシクロ[２．２．１]−２−ヘプテン、５−(４−n−オクタデシロキシフェニル)−６−カルボキシメチルビシクロ[２．２．１]−２−ヘプテン、５−(４−n−オクタデシロキシフェニル)−６−カルボキシエチルビシクロ[２．２．１]−２−ヘプテン、５−(４−ステアリロキシフェニル)−６−カルボン酸ビシクロ[２．２．１]−２−ヘプテン、５−(４−ステアリロキシフェニル)−６−カルボキシメチルビシクロ[２．２．１]−２−ヘプテン、５−(４−ステアリロキシフェニル)−６−カルボキシエチルビシクロ[２．２．１]−２−ヘプテン、５，５−ジフェニル−6−カルボン酸ビシクロ[２．２．１]−２−ヘプテン、５，５−ジフェニル−６−カルボキシメチルビシクロ[２．２．１]−２−ヘプテン、５，５−ジフェニル−６−カルボキシエチルビシクロ[２．２．１]−２−ヘプテン、５−(３，４，５−トリメトキシフェニル)−６−カルボン酸ビシクロ[２．２．１]−２−ヘプテン、５−(３，４，５−トリメトキシフェニル)−６−カルボキシメチルビシクロ[２．２．１]−２−ヘプテン、５−(３，４，５−トリメトキシフェニル)−６−カルボキシエチルビシクロ[２．２．１]−２−ヘプテン、５−(２，４，５−トリメトキシ��ェニル)−６−カルボン酸ビシクロ[２．２．１]−２−ヘプテン、５−(２，４，５−トリメトキシフェニル)−６−カルボキシメチルビシクロ[２．２．１]−２−ヘプテン、５−(２，４，５−トリメトキシフェニル)−６−カルボキシエチルビシクロ[２．２．１]−２−ヘプテン、５−(３−トリフルオロメチルフェニル)−６−カルボン酸ビシクロ[２．２．１]−２−ヘプテン、５−(３−トリフルオロメチルフェニル)−６−カルボキシメチルビシクロ[２．２．１]−２−ヘプテン、５−(３−トリフルオロメチルフェニル)−６−カルボキシエチルビシクロ[２．２．１]−２−ヘプテン、５−(３−トリフルオロメトキシフェニル)−６−カルボン酸ビシクロ[２．２．１]−２−ヘプテン、５−(３−トリフルオロメトキシフェニル)−６−カルボキシメチルビシクロ[２．２．１]−２−ヘプテン、５−(３−トリフルオロメトキシフェニル)−６−カルボキシエチルビシクロ[２．２．１]−２−ヘプテン、５−(２，３，４−トリメトキシフェニル)−６−カルボン酸ビシクロ[２．２．１]−２−ヘプテン、５−(２，３，４−トリメトキシフェニル)−６−カルボキシメチルビシクロ[２．２．１]−２−ヘプテン、５−(２，３，４−トリメトキシフェニル)−６−カルボキシエチルビシクロ[２．２．１]−２−ヘプテン、５−(４−シアノメチルフェニル)ビシクロ[２．２．１]−２−ヘプテン、８−(４−アノメチルフェニル)テトラシクロ[４．４．１2,5．１7,10．０]−３−ドデセン、５，５，６，６−テトラフェニルビシクロ[２．２．１]−２−ヘプテン、８，８，９，９−テトラフェニルテトラシクロ[４．４．１2,5．１7,10．０]−３−ドデセン、６−ブロモ−５，５，６−トリフェニルビシクロ[２．２．１]−２−ヘプテン、９−ブロモ−８，８，９−トリフェニルテトラシクロ[４．４．１2,5．１7,10．０]−３−ドデセン、５，５，６−トリフェニルビシクロ[２．２．１]−２−ヘプテン、８，８，９−トリフェニルテトラシクロ[４．４．１2,5．１7,10．０]-3-ドデセン等。
【００７３】
また、このような芳香族型ノルボルネン単量体を製造する方法は特に制限されず、例えば、下記反応式（II）：
【００７４】
【化８】
2010169952.tif 000009
【００７５】
［反応式（II）中、Ｒ２、Ｒ３、Ｒ４、Ｒ５、ｄ、ｅ、ｆ、ｎは、それぞれ前記一般式（２）中のＲ２、Ｒ３、Ｒ４、Ｒ５、ｄ、ｅ、ｆ、ｎと同義である。］
で表される反応を利用して、前記式（８）で表されるシクロペンタジエンと前記式（９）で表されるスチレン誘導体とをＤｉｅｌｓ−Ａｌｄｅｒ反応により反応させる方法を好適に採用することができ、これによって前記式（１０）又は（１０’）で表される芳香族型ノルボルネン単量体を得ることができる。
【００７６】
前記一般式（９）で表されるスチレン誘導体の例としては、スチレンや桂皮酸等を挙げることができる。このようなスチレン誘導体は、Ｄｉｅｌｓ−Ａｌｄｅｒ反応において優れたジエノフィルとして作用するものであり、工業生産に望ましい反応速度を得ることが可能なものである。すなわち、シクロペンタジエンの前駆体（ジシクロペンタジエン）からシクロペンタジエンが発生する温度（１６０〜２００℃）条件下において、前記スチレン誘導体とシクロペンタジエンとを反応させることにより、目的とする芳香族型ノルボルネン単量体を収率良く得ることができる。このようなスチレン誘導体を得る方法は特に制限されないが、工業的に生産されているものもあるので入手は容易であり、工業的に市販されていない化合物についても成書（高分子データハンドブック基礎編、高分子学会編、１９８６、培風館等）に記載されている方法で合成することができる。
【００７７】
また、このようなスチレン誘導体としては以下のようなものが挙げられる。
４−アミノスチレン、２−アセトキシスチレン、４−アセトキシスチレン、β−ブロモスチレン、４−ｔｅｒｔ−ブチルスチレン、4−イソプロピルスチレン、３−ブロモスチレン、４−ブロモスチレン、２−ブロモスチレン、４−ブロモ−β,β−ジフルオロスチレン、４−クロロ−α−メチルスチレン、２−クロロスチレン、３−クロロスチレン、４−クロロスチレン、m−クロロメチルスチレン、p−クロロメチルスチレン、シアノメチルスチレン、o−クロロメチルスチレン、２，６−ジクロロスチレン、４−フルオロ−α−メチルスチレン、２−フルオロスチレン、３−フルオロスチレン、４−フルオロスチレン、ペンタフルオロスチレン、２−メトキシスチレン、４−エトキシスチレン、ｐ−フェノキシスチレン、p−ビニルベンジルアルコール、４−メトキシスチレン、２−メチルスチレン、３−メチルスチレン、４−メチルスチレン、α−メチルスチレン、cis−β−メチルスチレン、3−トロスチレン、４−ニトロスチレン、4−シアノスチレン、４−n−オクチルスチレン、β−メチルスチレン、２，３，４，５，６−ペンタフルオロスチレン、α−(トリメチルシロキシ)スチレン、スチレン、２，４，６−トリメチルスチレン、o−メチルスチレン、m−メチルスチレン、p−メチルスチレン、２，４−ジメチルスチレン、２，５−ジメチルスチレン、２，４，６−トリメチルスチレン、２，５−ジクロロスチレン、２，６−ジクロロスチレン、３，４−ジクロロスチレン、o−ヨードスチレン、p−フェニルスチレン、p−スチレンスルホン酸、p−スチレンスルホニルクロライド、４−カルボキシスチレン、cis−スチルベン、trans−スチルベン、１，１−ジフェニルエチレン、１−ビニルナフタレン、２−ビニルナフタレン、９−ビニルアントラセン、ｍ−ジイソプロペニルベンゼン、p−ジイソプロペニルベンゼン、p-クロロ−α−メチルスチレン、α−シアノ−p−メチルスチレン、プロペニルベンゼン、アネトール、イソオイゲノール、イソサフロール、β−ブロモスチレン、シンナムアルデヒド、ベンザルアセトン、ベンザルアセトフェノン、β−シアノスチレン、β−ニトロスチレン、1,2−ジヒドロナフタレン、アセナフチレン、フェナントレン、インデン、メチレンベンゾインデン、クマロン、4−アミノ桂皮酸、4−ブロモ桂皮酸、2−ブロモ桂皮酸、trans−３−ブロモ桂皮酸、３，４−ジハイドロキシ桂皮酸、４−クロロ桂皮酸、trans−桂皮酸、桂皮酸ベンジルエステル、桂皮酸エチルエステル、桂皮酸フェニルエステル、桂皮酸メチルエステル、trans−４−ハイドロキシ桂皮酸、trans−２−ハイドロキシ桂皮酸、α−シアノ桂皮酸、α−シアノ桂皮酸エチルエステル、trans−桂皮酸コレステロールエステル、trans−３−ハイドロキシ桂皮酸、桂皮酸アリルエステル、桂皮酸ビニルエステル、桂皮酸シンナミルエステル、２−クロロ桂皮酸、３−クロロ桂皮酸、４−クロロ−３−ニトロ桂皮酸、２−クロロ−５−ニトロ桂皮酸、４−クロロ桂皮酸メチルエステル、α−シアノ−４−ハイドロキシ桂皮酸、桂皮酸イソプロピルエステル、α,β−ジブロモ桂皮酸エチルエステル、３，４−ジメトキシ桂皮酸、３，５−-ジメトキシ-4-ハイドロキシ桂皮酸、３，４−-ジメトキシ桂皮酸、２，５−ジメトキシ桂皮酸、trans−２，３−ジメトキシ桂皮酸��２，４−ジフルオロ桂皮酸、２，４−ジメトキシ桂皮酸、trans−２，４−ジクロロ桂皮酸、α,β−ジブロモ桂皮酸、３，５−ジメトキシ−４−ハイドロキシ桂皮酸、４−フルオロ桂皮酸、２−フルオロ桂皮酸、３−フルオロ桂皮酸、桂皮酸、trans−４−ハイドロキシ−３−メトキシ桂皮酸、３−ハイドロキシ−４−メトキシ桂皮酸、４−ハイドロキシ桂皮酸、３−メトキシ桂皮酸、trans−２−メトキシ桂皮酸、４−メトキシ桂皮酸、３，４−メチレンジオキシ桂皮酸、４−メチル桂皮酸、cis−２−メトキシ桂皮酸、４−メルカプト桂皮酸、４−メトキシ桂皮酸、２−エチルヘキシルエステル、４−メトキシ桂皮酸オクチルエステル、４−メトキシ桂皮酸エチルエステル、２−メチル桂皮酸、３−メチル桂皮酸、α−メチル桂皮酸、３−ニトロ桂皮酸、４−ニトロ桂皮酸、２−ニトロ桂皮酸、４−ニトロ桂皮酸エチルエステル、４−n−オクタデシロキシ桂皮酸、４−ステアリロキシ桂皮酸、α−フェニル桂皮酸、３，４，５−トリメトキシ桂皮酸、２，４，５−トリメトキシ桂皮酸、３−(トリフルオロメチル)桂皮酸、３−(トリフルオロメトキシ)桂皮酸、２，３，４−トリメトキシ桂皮酸、クマリン、ビニルベンジルシアニド、テトラフェニルエチレン、２−ブロモ−１，１，２−トリフェニルエチレン、トリフェニルエチレン等。
【００７８】
また、このようにして得られる芳香族型ノルボルネン単量体においては、芳香族構造とビシクロ環構造が連結する部位の立体異性体としてｅｘｏ異性体とｅｎｄｏ異性体が存在する。このようなｅｘｏ又はｅｎｄｏ異性体の生成物中での比率は、例えば、単量体の製造時の反応条件を適宜変更することで容易に変更することができ、また、単量体を製造した後においても、熱処理を施し、この熱処理の条件を変更することによっても容易に変更できる。
【００７９】
また、前記芳香族型ノルボルネン単量体のｅｘｏ又はｅｎｄｏ異性体の生成物中での比率は、別途製造したｅｘｏ異性体を添加することによっても調整することが可能である。また、このような芳香族型ノルボルネン単量体のｅｘｏ異性体を選択的に製造する方法としては、下記反応式（III）：
【００８０】
【化９】
2010169952.tif 000010
【００８１】
［反応式（III）中、ｐは０又は１の整数を示し、Ｒ５、d、e、は前記一般式（２）中のＲ５、d、eと同義であり、Ｘは、塩素原子、臭素原子又はヨウ素原子を示す。］
で表される方法を好適に利用できる。このような反応式（III）で表されるｅｘｏ異性体を選択的に得る方法は、上記一般式（１１）で表されるノルボルナジエン誘導体と、上記一般式（１２）で表されるハロゲン化ベンゼン誘導体とを還元的Ｈｅｃｋ反応により反応させ、上記一般式（１３）で表される芳香族型ノルボルネン単量体を得る方法である。このような方法によって、上記一般式（１３）中のベンゼン環の立体配置がｅｘｏ配置となる芳香族型ノルボルネン単量体を選択的に得ることができる。
【００８２】
また、反応式（ＩＩＩ）において、上記一般式（１１）中のｐの値が０のノルボルナジエン誘導体を用いた場合（ノルボルナジエンの場合）には、上記一般式（１３）中のベンゼン環の立体配置がｅｘｏとなる芳香族型ノルボルネン単量体のみが得られる。一方、上記一般式（１１）中のｐの値が１の場合（テトラシクロ［４．４．０．１２，５．１７，１０］−３，８−ドデカジエンの場合）は、ｐの値が０の場合と同様にベンゼン環の立体配置がノルボルネン環に対してｅｘｏ配置となるが、ノルボルネン環同士が連結する部位の立体異性体としてｅｘｏ異性体とｅｎｄｏ異性体の２種類が存在することになる。この様な異性体は、例えば、上記一般式（１１）で表されるノルボルナジエン誘導体を製造する際の反応条件を適宜変更することで、その含有比率を容易に変更することができる。また、一般式（１３）で表される芳香族型ノルボルネン単量体を製造した後においても、異性化処理を施し、この異性化処理の条件を変更することによっても、前記異性体の含有比率を変更できる。
【００８３】
また、前記一般式（３）で表されるスピロ型ノルボルネン単量体と前記一般式（４）で表される芳香族型ノルボルネン単量体を開環共重合せしめる反応に用いる開環重合用の触媒としては、Ｏｌｅｆｉｎ  Ｍｅｔａｔｈｅｓｉｓ  ａｎｄ  Ｍｅｔａｔｈｅｓｉｓ  Ｐｏｌｙｍｅｒｉｚａｔｉｏｎ（Ｋ．Ｊ．ＩＶＩＮ，Ｊ．Ｃ．ＭＯＬ，Ａｃａｄｅｍｉｃ  Ｐｒｅｓｓ  １９９７）に記載されているメタセシス重合触媒が用いられる。すなわち、（ａ）Ｗ、Ｍｏ、Ｒｅ、ＶおよびＴｉの化合物から選ばれた少なくとも１種と、（ｂ）Ｌｉ、Ｎａ、Ｋ、Ｍｇ、Ｃａ、Ｚｎ、Ｃｄ、Ｈｇ、Ｂ、Ａｌ、Ｓｉ、Ｓｎ、Ｐｂ等の化合物であって、少なくとも１つの元素−炭素結合あるいは当該元素−水素結合を有するものから選ばれた少なくとも１種との組合せからなる触媒である。この場合に触媒の活性を高めるために、後述の添加剤（ｃ）が添加されてもよい。また、その他の触媒として（ｄ）助触媒を用いない周期表第４族〜８族遷移金属−カルベン錯体やメタラシクロブテン錯体等からなるメタセシス触媒が挙げられる。なお、前記の（ａ）成分として適当なＷ、Ｍｏ、Ｒｅ、ＶまたはＴｉの化合物の代表例としては、ＷＣｌ６、ＭｏＣｌ５、ＲｅＯＣｌ３、ＶＯＣｌ３、ＴｉＣｌ４等を挙げることができる。また、（ｂ）成分として用いられる化合物の具体例としては、ｎ−Ｃ４Ｈ９Ｌｉ、（Ｃ２Ｈ５）３Ａｌ、（Ｃ２Ｈ５）２ＡｌＣｌ、（Ｃ２Ｈ５）１．５ＡｌＣｌ１．５、（Ｃ２Ｈ５）ＡｌＣｌ２、メチルアルモキサン、ＬｉＨ等の化合物を挙げることができる。さらに、（ｃ）成分である添加剤の代表例としては、アルコール類、アルデヒド類、ケトン類、アミン類等を用いることができる。また、（ｄ）成分の代表例としては、Ｗ（＝Ｎ−２，６−Ｃ６Ｈ３ｉＰｒ２）（＝ＣＨｔＢｕ）（ＯｔＢｕ）２、Ｍｏ（＝Ｎ−２，６−Ｃ６Ｈ３ｉＰｒ２）（＝ＣＨｔＢｕ）（ＯｔＢｕ）２、Ｒｕ（＝ＣＨＣＨ＝ＣＰｈ２）（ＰＰｈ３）２Ｃｌ２、Ｒｕ（＝ＣＨＰｈ）（ＰＣ６Ｈ１１）２Ｃｌ２（Ｇｒｕｂｂｓ  Ｉ（第一世代）触媒）、Ｇｒｕｂｂｓ  ＩＩ（第二世代）触媒、Ｈｏｖｅｙｄａ−Ｇｒｕｂｂｓ触媒（第一及び第二世代）等が挙げられる。
【００８４】
このようなメタセシス触媒の使用量としては、上記（ａ）成分と、前記スピロノルボルネン単量体と芳香族型ノルボルネン単量体の総和との割合が、モル比で「（ａ）成分：スピロ型ノルボルネン単量体と芳香族型ノルボルネン単量体の総和」が１：５００〜１：５０００００となる範囲が好ましく、１：１０００〜１：１０００００となる範囲がより好ましい。また、（ａ）成分と（ｂ）成分との割合は、金属原子比で「（ａ）成分：（ｂ）成分」が１：１〜１：１００となる範囲が好ましく、１：２〜１：５０となる範囲がより好ましい。さらに（ａ）成分と（ｃ）成分との割合は、モル比で「（ｃ）成分：（ａ）成分」が０．００５：１〜１５：１となる範囲が好ましく、０．０５：１〜１０：１となる範囲がより好ましい。また、触媒（ｄ）の使用量は、（ｄ）成分と、スピロ型ノルボルネン単量体と芳香族型ノルボルネン単量体の総和との割合がモル比で「（ｄ）成分：スピロ型ノルボルネン単量体と芳香族型ノルボルネン単量体の総和」が１：３０〜１：１０００００となる範囲が好ましく、１：５０〜１：５００００となる範囲がより好ましい。
【００８５】
また、前記芳香族型ノルボルネン単量体を開環重合せしめる反応において、得られるノルボルネン系開環共重合体の分子量を調節する方法は特に制限されず、例えば、重合温度、触媒の種類、溶媒の種類等を変更することによって分子量を適宜調節する方法を採用してもよい。そして、このような分子量を調節する方法としては、分子量調節剤を反応系に共存させる方法を好適に採用することができる。このような分子量調節剤として好適なものとしては、例えばエチレン、プロペン、１−ブテン、１−ペンテン、１−ヘキセン、１−ヘプテン、１−オクテン、１−ノネン、１−デセン等のα−オレフィン類、並びにスチレンを挙げることができ、中でも１−ブテン、１−ヘキセンが特に好ましい。これらの分子量調節剤は、単独であるいは２種以上を混合して用いることができる。このような分子量調節剤の使用量としては、スピロ型ノルボルネン単量体と芳香族型ノルボルネン単量体の総和１モルに対して０．００５〜１．０モル、好ましくは０．０２〜０．５モルの範囲がより好ましい。
【００８６】
また、前記スピロ型ノルボルネン単量体と芳香族型ノルボルネン単量体を開環共重合せしめる反応において用いられる溶媒としては、スピロ型ノルボルネン単量体、芳香族型ノルボルネン単量体、メタセシス触媒及び分子量調節剤を溶解する溶媒が好ましく、例えばペンタン、ヘキサン、ヘプタン、オクタン、ノナン、デカン等のアルカン類；シクロヘキサン、シクロヘプタン、シクロオクタン、デカリン、ノルボルナン等のシクロアルカン類；ベンゼン、トルエン、キシレン、エチルベンゼン、クメン等の芳香族炭化水素；クロロブタン、ブロムヘキサン、塩化メチレン、ジクロロエタン、ヘキサメチレンジブロミド、クロロベンゼン、クロロホルム、テトラクロロエチレン等のハロゲン化アルカン；アリール等の化合物；酢酸エチル、酢酸ｎ−ブチル、酢酸ｉｓｏ−ブチル、プロピオン酸メチル、ジメトキシエタン、γ−ブチロラクトン等の飽和カルボン酸エステル類；ジブチルエーテル、テトラヒドロフラン、ジメトキシエタン等のエーテル類を挙げることができ、中でも芳香族炭化水素が好ましい。これらの溶媒は、単独であるいは２種以上を混合して用いることができる。このような溶媒の使用量としては、質量比で「溶媒：スピロ型ノルボルネン単量体と芳香族型ノルボルネン単量体の総和」が１：１〜３０：１となる量が好ましく、１：１〜２０：１となる量がより好ましい。
【００８７】
また、上記一般式（３）で表されるスピロ型ノルボルネン系単量体と、上記一般式（４）で表される芳香族型ノルボルネン単量体とを開環重合させた状態で得られるノルボルネン系開環共重合体は、前記一般式（１）中のＸ１が式：−ＣＨ＝ＣＨ−で表される基である構造単位（Ａ）と前記一般式（２）中のＸ２が式：−ＣＨ＝ＣＨ−で表される基である構造単位（Ｂ）とを含有するものであり、その構造単位中にビニレン基を有するノルボルネン系開環共重合体（以下、場合により「ビニレン基含有共重合体」という。）である。このようなビニレン基含有共重合体は、そのままでも各種用途の本発明の位相差フィルムに使用することができるが、得られる位相差フィルムの耐熱安定性をより向上させるという観点からは、そのノルボルネン系開環重合体（ビニレン基含有共重合体）の一部又は全部のビニレン基に対して水素添加して、前記一般式（１）中のＸ１が式：−ＣＨ２ＣＨ２−で表される基である構造単位（Ａ）と前記一般式（２）中のＸ２が式：−ＣＨ２ＣＨ２−で表される基である構造単位（Ｂ）とを含有するノルボルネン系開環共重合体（以下、場合により「水素添加物」という。）とすることが好ましい。このような水素添加物は、芳香族型ノルボルネン単量体の側鎖の芳香環は実質的に水素添加されていないものである。また、前記ビニレン基に対する水素添加率は、９０％以上であることが好ましく、より好ましくは９５％以上であることがより好ましく、９８％以上であることが特に好ましい。ビニレン基に対する水素添加率が高いほど、得られる芳香族型ノルボルネン系開環重合体の耐熱性が向上し、熱による着色や劣化が十分に抑制される傾向にある。
【００８８】
また、前記ビニレン基含有共重合体に対して水素添加する反応は、上述のように、側鎖の芳香環に実質的に水素添加がされない条件で行われる必要があり、通常は、前記ビニレン基含有共重合体の溶液に水素添加触媒を添加し、これに常圧〜３０ＭＰａ、好ましくは３〜２０ＭＰａの水素ガスを０〜２００℃、好ましくは２０〜１８０℃で作用させることによって行われる。
【００８９】
また、このような水素添加反応の際に用いられる水素添加触媒としては、通常のオレフィン性化合物の水素添加反応に用いられるものを使用することができ、不均一系触媒でも均一系触媒でも用いることができる。このような不均一系触媒の具体例としては、パラジウム、白金、ニッケル、ロジウム、ルテニウム等の貴金属触媒物質を、カーボン、シリカ、アルミナ、チタニア等の担体に担持させた固体触媒を挙げることができる。また、均一系触媒の具体例としては、ナフテン酸ニッケル／トリエチルアルミニウム、ニッケルアセチルアセトナート／トリエチルアルミニウム、オクテン酸コバルト／ｎ−ブチルリチウム、チタノセンジクロリド／ジエチルアルミニウムモノクロリド、酢酸ロジウム、クロロトリス（トリフェニルホスフィン）ロジウム、ジクロロトリス（トリフェニルホスフィン）ルテニウム、クロロヒドロカルボニルトリス（トリフェニルホスフィン）ルテニウム、ジクロロカルボニルトリス（トリフェニルホスフィン）ルテニウム、ジクロロカルボニルトリス（トリフェニルホスフィン）ルテニウム、トリカルボニルトリス（トリフェニルホスフィン）ルテニウム、ジヒドロカルボニルトリス（トリフェニルホスフィン）ルテニウム、ヒドロカルボメトキシカルボニルトリス（トリフェニルホスフィン）ルテニウム等を挙げることができる。このような水素添加触媒の形態は粉末でも粒状でもよい。
【００９０】
さらに、このような水素添加触媒は、スピロ型ノルボルネン単量体および芳香族型ノルボルネン単量体に基づく側鎖の芳香環が実質的に水素添加されないようにするために、その添加量を調整する必要であり、重量比で「開環共重合体：水素添加触媒」が１：１×１０−６〜１：２となる割合で使用することが好ましい。
【００９１】
また、本発明の位相差フィルムは、前述の本発明にかかるノルボルネン系開環共重合体からなるフィルムを延伸してなるものである。このようなノルボルネン系開環共重合体からなるフィルムを製造する方法は特に制限されず、公知の方法を適宜採用することができる。また、このようなフィルムを製造する際には、本発明の主旨を越えない範囲で、その他の高分子、界面活性剤、高分子電解質、導電性錯体、シリカ、アルミナ、色素材料、熱安定剤、紫外線吸収剤、帯電防止剤、アンチブロッキング剤、滑剤、可塑剤、オイル等を加えることができる。また、前述のノルボルネン系開環共重合体をフィルム化した後に延伸する方法も特に制限されず、従来公知の延伸方法を適宜採用することができる。
【００９２】
また、このようなノルボルネン系開環共重合体のフィルムを製造するのに好適な方法としては、例えば、キャスティング法（溶液流延法）、溶融押出法、カレンダー法、圧縮成形法等の公知公用の方法が挙げられる。更に、このようなキャスティング法に用いられる成形装置としては、ドラム式キャスティングマシン、バンド式キャスティングマシン、スピンコーター等が使用できる。また、溶融押出法としては、Ｔダイ法、及びインフレーション法が挙げられる。
【００９３】
また、前記キャスティング法に使用する溶媒の具体例としては、例えばシクロヘキサノン、シクロペンタノン等の環状ケトン類；γ−ブチロラクトン、δ−バレロラクトン等のラクトン類；ベンゼン、トルエン、キシレン、エチルベンゼン、クメン等の芳香族炭化水素；塩化メチレン、ジクロロエタン、クロロベンゼン、ジクロロベンゼン、クロロホルム、テトラクロロエチレン等のハロゲン化アルカン；アリール等の化合物、ジブチルエーテル、テトラヒドロフラン、ジメトキシエタン等のエーテル類、Ｎ−メチルピロリドン、Ｎ，Ｎ−ジメチルホルムアミド、Ｎ，Ｎ−ジメチルアセトアミド、ジメチルスルホキシド等の極性溶媒を挙げることができ、中でも芳香族炭化水素、ハロゲン化アルカン、アリール類が好ましい。なお、これらの溶媒は単独であるいは２種以上を混合して用いることができる。
【００９４】
さらに、ノルボルネン系開環共重合体をフィルム化した後に延伸する方法としては、二軸延伸法としてテンター法、チューブ法等が挙げられ、更に、一軸延伸法として水槽延伸法、輻射延伸法、熱風加熱法、熱板過熱法、ロール加熱法等が挙げられる。
【００９５】
このようにして得られる本発明の位相差フィルムの厚みは特に制限されないが、１０〜５００μｍであることが望ましく、３０〜２００μｍであることがより好ましい。位相差フィルム厚みが１０μｍ未満の場合は、機械特性および２次加工時におけるハンドリング性が低下する傾向にあり、他方、５００μｍを超える場合には、可撓性に問題が生じる傾向にある。また、本発明の位相差フィルムを得る際における延伸倍率も特に制限されないが１．１〜５．０倍程度であることが好ましい。
【００９６】
本発明の位相差フィルムの位相差値としては、５〜２０００ｎｍの範囲で、目的に応じて選択されるべきものであるが、１／２λ板として用いる場合には、波長５５０ｎｍの可視光における位相差が２００〜４００ｎｍであることが望ましく、１／４λ板として用いる場合には、波長５５０ｎｍの可視光における位相差が９０〜２００ｎｍとすることが望ましい。
【００９７】
また、本発明の位相差フィルムにおいては、ガスバリヤー性、耐傷つき性、耐薬品性、防眩性等の機能を付与する目的にて、更に薄膜を備えていてもよい。このような薄膜を形成する方法としては、例えば、各種の熱可塑性樹脂、アミノ基、イミノ基、エポキシ基、シリル基等を有する熱硬化性樹脂、アクリロイル基、メタクリロイル基、ビニル基等を有する放射線硬化型樹脂、あるいはこれら樹脂の混合物に重合禁止剤、ワックス類、分散剤、色素材料、溶剤、可塑剤、紫外線吸収剤、無機フィラー等を加え、これを、グラビアロールコーティング法、マイヤーバーコーティング法、リバースロールコーティング法、ディップコーティング法、エアーナイフコーティング法、カレンダーコーティング法、スキーズコーティング法、キスコーティング法、ファンテンコーティング法、スプレーコーティング法、スピンコーティング法等の方法により塗工する方法を採用することができる。さらに、このような薄膜は、塗工後、必要に応じて放射線照射による硬化、または加熱による熱硬化を行わせて硬化薄膜層としてもよい。また、このような薄膜を形成する際に印刷を行う場合には、グラビア方式、オフセット方式、フレキソ方式、シルクスクリーン方式等の方法を用いることができる。また、本発明の位相差フィルムにおいては、ガスシール性等を付与する目的から、アルミニウム、ケイ素、マグネシウム、亜鉛等を主成分とする金属酸化物層を更に備えてもよい。このような金属酸化物層は真空蒸着法、スパッタリング法、イオンプレーティング法、プラズマＣＶＤ法等により形成される。
【００９８】
また、本発明の位相差フィルムと他のフィルムとを積層化させてもよい。このように積層化させる方法としては、従来公知の方法が適宜採用でき、例えば、ヒートシール法、インパルスシール法、超音波接合法、高周波接合法等の熱接合方法、押出ラミネート法、ホットメルトラミネート法、ドライラミネート法、ウェットラミネート法、無溶剤接着ラミネート法、サーマルラミネート法、共押出法等のラミネート加工方法等が挙げられる。また、積層化させるフィルムとしては、例えば、ポリエステル系樹脂フィルム、ポリビニルアルコール系樹脂フィルム、セルロース系樹脂フィルム、ポリフッ化ビニル樹脂フィルム、ポリ塩化ビニリデン樹脂フィルム、ポリアクリロニトリル樹脂フィルム、ナイロン系樹脂フィルム、ポリエチレン系樹脂フィルム、ポリプロピレン系樹脂フィルム、アセテート樹脂フィルム、ポリイミド樹脂フィルム、ポリカーボネート樹脂フィルム、ポリアクリレート系樹脂フィルム等が挙げられる。
【００９９】
次に、本発明の液晶表示装置について説明する。すなわち、本発明の液晶表示装置は上記本発明の位相差フィルムを備えることを特徴とするものである。
【０１００】
上記本発明の位相差フィルムは、単層のフィルムからなり、複屈折の波長分散特性が逆分散性を示し、更に、フィッシュアイの少ない高品質の位相差フィルムであって反射型液晶表示装置における１／４λ板、液晶プロジェクタ装置における１／２λ板および１／４λ板、透過型液晶表示装置における１／２λ板および１／４λ板、液晶表示装置において使用される偏光フィルムの保護フィルム、反射防止フィルム等として有用である。
【０１０１】
従って、本発明の液晶表示装置は、上記本発明の位相差フィルムを１／２λ板、１／４λ板、保護フィルム、反射防止フィルム等として備えていれば良く、その他の構成は従来公知の液晶表示装置と同様のものでよい。
【０１０２】
また、本発明の位相差フィルムは、その面上にインジウムスズオキサイドやインジウムジンクオキサイド等のセラミック薄膜をＤＣあるいはグロー放電を用いたプラズマプロセスにより成膜し、タッチパネルや液晶表示装置等における透明電極フィルムとして使用することも可能である。
【実施例】
【０１０３】
以下、実施例及び比較例に基づいて本発明をより具体的に説明するが、本発明は以下の実施例に限定されるものではない。
【０１０４】
先ず、各合成例で得られた重合体及び各実施例で得られた位相差フィルムの特性の評価方法について説明する。
【０１０５】
＜ガラス転移温度：Ｔｇ＞
示差走査熱量計（Ｐｅｒｋｉｎ−Ｅｌｍｅｒ社製、商品名：ＤＳＣ７）を用い、昇温速度を毎分２０℃として窒素気流下において、各実施例で得られた開環共重合体の水素化物のガラス転移温度の測定を行った。
【０１０６】
＜分子量および分子量分布＞
測定装置としてゲルパーミエーションクロマトグラフィー（ＧＰＣ、東ソー株式会社製、商品名：ＨＬＣ−８０２０／カラム４本：東ソー株式会社製、商品名：ＴＳＫ  ｇｅｌ  ＧＭＨＨＲ）を用い、溶媒としてテトラヒドロフラン（ＴＨＦ）を用い、各合成例で得られた重合体及び各実施例で得られた開環共重合体の水素化物のポリスチレン換算の重量平均分子量（Ｍｗ）、分子量分布（Ｍｗ／Ｍｎ）を求めた。なお、Ｍｎは数平均分子量を表す。
【０１０７】
＜単量体及び重合体分子構造＞
超伝導核磁気共鳴吸収装置（ＮＭＲ、ＶＡＲＩＡＮ社製、商品名：ＵＮＩＴＹ  ＩＮＯＶＡ−６００）を用い、重水素化クロロホルム中で、各合成例で得られた重合体の１Ｈ、１３Ｃ−ＮＭＲを測定した。得られたデータから、単量体のｅｎｄｏ／ｅｘｏ比及び重合体の水素添加率（前記一般式（１）及び（５）で表されるノルボルネン系開環共重合体中のＸが式：−ＣＨ２ＣＨ２−で表される基に変換されている割合）の算出および分子構造の同定を行なった。
【０１０８】
＜位相差、複屈折評価、複屈折の波長分散値評価＞
各実施例及び比較例で得られた位相差フィルムに対して、レターデーション測定器（王子計測社製、商品名：ＫＯＢＲＡ２１ＤＨ）を用いて、下記式により定義されるレターデーション（Ｒｅ）及び複屈折の波長分散値（Ｄ）を測定した。
レターデーション（Ｒｅ）：Ｒｅ＝（ｎｘ−ｎｙ）×ｄ
ｎｘ：延伸方向の屈折率
ｎｙ：延伸方向に対して垂直方向の屈折率
ｄ：フィルムの厚み（ｎｍ）
複屈折の波長分散値（Ｄ）：Ｄ＝Δｎ（λ＝４８１ｎｍ）／Δｎ（λ＝５８９ｎｍ）。
【０１０９】
（合成例１：芳香族型ノルボルネン単量体Ａの合成）
０．２Ｌのオートクレーブに、４−ｔ-ブチルスチレン（７６．９２ｇ：０．４８ｍｏｌ）、ジシクロペンタジエン（３８．３４ｇ：０．２９ｍｏｌ）、４−ｔブチルカテコール（３．９９ｇ：０．０２４ｍｏｌ）、トルエン（２０ｍｌ）を投入して混合物を得た後、前記混合物に対して１８０℃で４時間加熱攪拌を行った後、加熱を停止し、室温（２５℃）まで自然放冷した後、オートクレーブを開蓋し、反応物を取り出した。なお、加熱撹拌の際に、前記混合物の反応初期においては０．４ＭＰａの圧力を示したが、時間の経過とともに圧力が減少し最終的に０．２ＭＰａを示した。
【０１１０】
次に、このようにして得られた反応物に対して、理論段数２０段の蒸留塔を用いて精密蒸留を行い、１１８〜１２０℃／１ｍｍＨｇの留分を取得した。このようにして得られた留分の収量は５２．２３ｇ（収率４８％、４−ｔ−ブチルスチレンベース）であった。また、前記留分のガスクロマト分析及びＮＭＲ分析を行った結果、生成物はｅｘｏ／ｅｎｄｏ比（異性体比率）が２０／８０の５−（ｐ−ｔ−ブチルフェニル）ビシクロ［２．２．１］−２−ヘプテン（芳香族型ノルボルネン単量体Ａ）であり、純度が９８％であることが確認された。
【０１１１】
（合成例２：芳香族型ノルボルネン単量体Ｂの合成）
２０００年に発行された「Ａｎｇｅｗ．Ｃｈｅｍ．Ｉｎｔ．Ｅｄ．，ｖｏｌ.３９」の１９４６頁及び１９９５年に発行された「ｉｂｉｄ．，ｖｏｌ.３４」の１８４４頁に記載されている方法に準拠して、ｅｘｏ型芳香族型ノルボルネンＢの合成を行った。すなわち、先ず、３Ｌの三口フラスコに、４−ｔ−ブチルヨードベンゼン（５．００ｇ：１９．２２ｍｍｏｌ）、ノルボルナジエン（５．６６ｇ：６１．５０ｍｍｏｌ）、トランス−ジ（μ−アセトナト）ビス［ｏ−（ジ−ｏ−トリル−ホスフィノ）ベンジル］ジパラジウム（II）（９０ｍｇ：０．５ｍｏｌ％）、ジメチルスルホキシド（ＤＭＳＯ：８２ｍｌ）、トリエチルアミン（ＮＥｔ３：６．２２ｇ：６１．５ｍｍｏｌ）、ギ酸（２．２６ｇ：４９．２ｍｍｏｌ）を投入し、１２０℃で１６時間加熱攪拌を行い、反応溶液を得た。次に、得られた反応溶液を冷却した後、３００ｍｌの氷水中に注ぎ、分液ロートを用いて５０ｍｌのｎ−へキサンで３回抽出（５０ｍｌ×３回）を行い、ｎ−へキサン溶液（抽出液）を得た。その後、前記抽出液を飽和食塩水で洗浄した後、無水硫酸マグネシウムで乾燥を行い、前記抽出液をろ過、濃縮することで３．６２ｇの粗生成物を得た。次いで、得られた粗生成物を蒸留精製し、１０４℃／１ｍｍＨｇの留分を取得した。前記留分の収量は２．４５ｇ（収率５５％）であった。また、前記留分のガスクロマト分析及びＮＭＲ分析を行った結果、生成物はｅｘｏ／ｅｎｄｏ比（異性体比率）が１００／０の５−（ｐ−ｔ−ブチルフェニル）ビシクロ［２．２．１］−２−ヘプテン（芳香族型ノルボルネン単量体Ｂ）であることが確認された。
【０１１２】
（合成例３：スピロ型ノルボルネン単量体Ａの合成）
先ず、「Ｏｒｇａｎｉｃ  Ｓｙｎｔｈｅｓｅｓ，Ｖｏｌ．６０」の８８頁に記載された方法に従って、α-テトラロン、パラホルムアルデヒド、Ｎ−メチルアニリニウムトリフロオロ酢酸を反応させることにより、２−メチレン−１−オキソ−１，２，３，４−テトラハイドロナフタレンを合成した（収率５４％）。次に、２−メチレン−１−オキソ−１，２，３，４−テトラハイドロナフタレン（１５．８２ｇ，０．１０ｍｏｌ）と、シクロペンタジエン（１３．２２ｇ，０．２０ｍｏｌ）とを混合して混合物を得た。次いで、窒素雰囲気、室温（２５℃）の条件下において、前記混合物を２０時間攪拌し、ロータリーエバポレーターで過剰のシクロペンタジエンを除去してオイル状物質を得た。次に、このようにして得られたオイル状物質をクーゲルロアで蒸留精製（１５０℃／１ｍｍＨｇ）し、淡黄色の液状物質を２２．００ｇ（収率９８％）得た。このようにして得られた液状物質に対してＮＭＲ分析を行った結果、生成物はスピロ［３，４−ジヒドロナフタレン−２，２’−［５’］ノルボルネン］−１−オン（スピロ型ノルボルネン単量体Ａ）であることが確認された。
【０１１３】
（合成例４：スピロ型ノルボルネン単量体Ｂの合成）
先ず、１００ｍｌナス型フラスコに、α−メチレン−γ−ブチロラクトン９．８１ｇ（０．１０ｍｏｌ）とシクロペンタジエン１３．２２ｇ（０．２０ｍｏｌ）とを仕込み、窒素雰囲気下、室温で２４時間攪拌した後、ロータリーエバポレーターで未反応のシクロペンタジエンを除去してオイル状物質を得た。次に、このようにして得られたオイル状物質をクーゲルロアで蒸留（９５℃／１ｍｍＨｇ）し、無色透明な液状物質を１６．１ｇ（収率９６％）得た。このようにして得られた液状物質に対してＮＭＲ分析を行ったところ、生成物は４，５−ジヒドロフラン−２−オン−３−スピロ−５’−ビシクロ［２．２．１］−２’−ヘプテン（スピロ型ノルボルネン単量体Ｂ）であることが確認された。
【０１１４】
（実施例１）
先ず、合成例１で得られた芳香族型ノルボルネン単量体Ａ（ｅｘｏ／ｅｎｄｏ比（異性体比率）が２０／８０の５−（ｐ−ｔ−ブチルフェニル）ビシクロ［２．２．１］−２−ヘプテン）３０．００ｇを、１５０ｍＬのメタノール中に５０℃の条件で加熱溶解し、自然放冷して、ｅｘｏ／ｅｎｄｏ比が１５／８５の５−(ｐ−ｔ-ブチルフェニル）ビシクロ［２．２．１］−２−ヘプテン（芳香族型ノルボルネン単量体Ｃ）の結晶を１８．０２ｇ得た。このようにして得られた芳香族型ノルボルネン単量体Ｃの結晶の純度は９９%であった。
【０１１５】
次に、窒素雰囲気下、１００ｍｌの三口フラスコに、前記芳香族型ノルボルネン単量体Ｃ（９．１７ｇ：４０．５ｍｍｏｌ）と、合成例３で得られたスピロ型ノルボルネン単量体Ａ（１．０１ｇ：４．５ｍｍｏｌ）と、無水トルエン溶液（１８ｍｌ）と、１−ヘキセン（１０．０μｌ：０．２ｍｏｌ％）と、Ｇｒｕｂｂｓ  Ｉ触媒（１８．５ｍｇ：０．０５ｍｏｌ％）の無水トルエン溶液（１８ｍｌ）とを添加し、６０℃で４時間攪拌して粘調な重合液を得た。次いで、前記重合液を２００ｍｌのトルエンで希釈した後、これを６０００ｍｌのメタノール中に投入し、得られた沈殿を濾過した。その後、得られた沈殿を真空乾燥機によって乾燥して、５−（ｐ−ｔ−ブチルフェニル）ビシクロ［２．２．１］−２−ヘプテン／１，２−ベンゾシクロヘキセン−３−オン−４−スピロ−５’−ビシクロ［２．２．１］−２’−ヘプテンの開環共重合体（ノルボルネン系開環共重合体（Ｉ））を９．５７ｇ（収率９４％）得た。このようにして得られたノルボルネン系開環共重合体（Ｉ）をＧＰＣによって確認したところ、ポリスチレン換算の重量平均分子量（Ｍｗ）は１４６，２００、Ｍｗ／Ｍｎは２．３であった。
【０１１６】
次に、前記ノルボルネン系開環共重合体（Ｉ）の水素化を行った。このような水素化に際しては、先ず、前記ノルボルネン系開環共重合体（Ｉ）９．００ｇと、トルエン６０ｍｌと、ＲｕＨＣｌ（ＣＯ）（ＰＰｈ３）３２２．５ｍｇとを容量０．２Ｌのオートクレーブに仕込んで混合物を得た後、オートクレーブ内を窒素置換した。次いで、前記オートクレーブ内において、水素ガス圧１０ＭＰａ、温度１６５℃の条件下で前記混合物を４時間加熱して、前記ノルボルネン系開環共重合体（Ｉ）の水素化反応を行い、反応溶液を得た。次に、前記反応溶液を３０℃となるまで自然冷却した後、オートクレーブ内の水素ガスを放圧した。次いで、得られた反応溶液を６０００ｍｌのメタノール中に注ぎ、生じた沈殿を分離回収した。その後、得られた沈殿を乾燥し、５−(ｐ−ｔ−ブチルフェニル）ビシクロ［２．２．１］−２−ヘプテン／スピロ［３，４−ジヒドロナフタレン−２，２’−［５’］ノルボルネン］−１−オンの開環共重合体の水素添加物（ノルボルネン系開環共重合体（Ｉ）の水素化物）を８．２９ｇ（収率９２％）得た。
【０１１７】
このようにして得られたノルボルネン系開環共重合体（Ｉ）の水素化物についてＮＭＲを用いてオレフィン性不飽和結合の水素添加率を測定した。得られたＮＭＲチャートを図１に示す。このような測定の結果、ノルボルネン系開環共重合体（Ｉ）の水素化物においては水素添加率が１００％であることが確認された。また、得られたＮＭＲチャートから、前記ノルボルネン系開環共重合体（Ｉ）の水素化物においては、芳香環は実質的に水素化されていないことが確認された。更に、前記ノルボルネン系開環共重合体（Ｉ）の水素化物をＧＰＣ及びＤＳＣによって確認したところ、ポリスチレン換算の重量平均分子量（Ｍｗ）は１４１，１００であり、Ｍｗ／Ｍｎは２．２であり、Ｔｇは１１１℃であることが確認された。このようなノルボルネン系開環共重合体（Ｉ）の水素化物のＭｗ及びＴｇを表１に示す。
【０１１８】
次に、前記ノルボルネン系開環共重合体（Ｉ）の水素化物を用い、本発明の位相差フィルムを製造した。すなわち、先ず、ノルボルネン系開環共重合体（Ｉ）の水素化物を５ｗｔ％濃度で含有するクロロベンゼン溶液を調製し、０．２μｍのフィルターでろ過した。次に、前記クロロベンゼン溶液を、乾燥後のフィルムの膜厚が１００μｍ〜２００μｍになるように、ガラス板上にキャスト法によってフィルム状に流延し、自然乾燥を７２時間行ってフィルムを得た。次いで、前記フィルムをガラス板上から剥離した後、フィルムの材料となったノルボルネン系開環共重合体（Ｉ）の水素化物のＴｇよりも１０℃低い温度（Ｔｇ−１０℃）に保った真空乾燥機を用いて、残溶剤濃度が１．０重量％以下になるまで乾燥し、乾燥フィルムを得た。次に、得られた乾燥フィルムを短冊状（大きさ：５．０×４．０ｃｍ）に切断し、二軸延伸装置（柴山科学製：ＳＳ−６０型）を用いて、フィルムの材料となったノルボルネン系開環共重合体（Ｉ）の水素化物のＴｇよりも１０℃高い温度（Ｔｇ＋１０℃）の条件下、５０ｍｍ／ｍｉｎ．の引張り速度で延伸倍率が２００％（２．０倍）となるように一軸延伸を行って、位相差フィルムを得た。
【０１１９】
このようにして得られた位相差フィルムに関して、上述の評価方法に記載の方法を利用してレターデーション及び波長分散値を測定した。結果を表１に示す。
【０１２０】
（実施例２）
芳香族ノルボルネン単量体Ｃの代わりに、芳香族型ノルボルネン単量体Ａ４６．８８ｇと芳香族型ノルボルネン単量体Ｂ３．１２ｇを混合して得られるｅｘｏ／ｅｎｄｏ比＝２５／７５の５−（ｐ−ｔＢｕフェニル）ビシクロ［２．２．１］−２−ヘプテン（芳香族型ノルボルネン単量体Ｄ）を用い、前記芳香族型ノルボルネン単量体Ｄ（１１．３２ｇ：５０ｍｍｏｌ）と前記スピロ型ノルボルネン単量体Ａとの混合割合をモル比で９０／１０とした以外は、実施例１で採用している方法と同様の方法を採用して、前記芳香族型ノルボルネン単量体Ｄと前記スピロ型ノルボルネン単量体Ａとの開環共重合、開環重合体の水素化、フィルム化、フィルムの延伸を行い、位相差フィルムを得た。このようにして得られたノルボルネン系開環共重合体の水素化物の分子量、分子量分布及びＴｇを表１に示す。また、得られた位相差フィルムのレターデーション及び波長分散値を表１に示す。
【０１２１】
（実施例３）
前記芳香族型ノルボルネン単量体Ｄ（１１．３２ｇ：５０ｍｍｏｌ）と前記スピロ型ノルボルネン単量体Ａとの混合割合（モル比）を８０／２０に変更した以外は、実施例２と同様にして位相差フィルムを得た。このようにして得られたノルボルネン系開環共重合体の水素化物の分子量、分子量分布及びＴｇを表１に示す。また、得られた位相差フィルムのレターデーション及び波長分散値を表１に示す。
【０１２２】
（実施例４）
前記芳香族型ノルボルネン単量体Ｄ（１１．３２ｇ：５０ｍｍｏｌ）と前記スピロ型ノルボルネン単量体Ａとの混合割合（モル比）を７５／２５に変更した以外は、実施例２と同様にして位相差フィルムを得た。このようにして得られたノルボルネン系開環共重合体の水素化物の分子量、分子量分布及びＴｇを表１に示す。また、得られた位相差フィルムのレターデーション及び波長分散値を表１に示す。
【０１２３】
（実施例５）
芳香族ノルボルネン単量体Ｃの代わりに、芳香族型ノルボルネン単量体Ａ６．２５ｇと芳香族型ノルボルネン単量体Ｂ３．７５ｇとを混合して得られるｅｘｏ／ｅｎｄｏ比＝５０／５０の５−（ｐ−ｔ−ブチルフェニル）ビシクロ［２．２．１］−２−ヘプテン（芳香族型ノルボルネン単量体Ｅ）を用い、芳香族型ノルボルネン単量体Ｅと前記スピロ型ノルボルネン単量体Ａとの混合割合をモル比で９０／１０とした以外は、実施例１で採用している方法と同様の方法を採用して、前記芳香族型ノルボルネン単量体Ｅと前記スピロ型ノルボルネン単量体Ａとの開環共重合、開環重合体の水素化、フィルム化を行い、位相差フィルムを得た。このようにして得られたノルボルネン系開環共重合体の水素化物の分子量、分子量分布及びＴｇを表１に示す。また、得られた位相差フィルムのレターデーション及び波長分散値を表１に示す。
【０１２４】
（比較例１）
前記ノルボルネン系開環共重合体（Ｉ）の代わりに、以下に示す方法を採用して得られた芳香族型ノルボルネン単量体Ｄの開環重合体を用いた以外は、実施例１で採用した方法と同様の方法を採用して、芳香族型ノルボルネン単量体Ｄの開環重合体の水素化、フィルム化、フィルムの延伸を行い、比較のための位相差フィルムを得た。このようにして得られた芳香族型ノルボルネン単量体Ｄの開環重合体の水素化物の分子量、分子量分布及びＴｇを表１に示す。また、得られた位相差フィルムのレターデーション及び波長分散値を表１に示す。なお、得られた位相差フィルムは、Ｄ値が０．９５であり、逆分散特性を示すものであったが、Ｔｇが１０６℃と低い値であった。
【０１２５】
〈芳香族型ノルボルネン単量体Ｄの開環重合体の調製方法〉
窒素雰囲気下、１００ｍｌの三口フラスコにｅｘｏ／ｅｎｄｏ比が２５／７５の５−（ｐ−ｔ−ブチルフェニル）ビシクロ［２．２．１］−２−ヘプテン（芳香族型ノルボルネン単量体Ｄ）１０．１９ｇ、無水トルエン溶液（１８ｍｌ）、１−ヘキセン（１０．０μｌ：０．２ｍｏｌ％）及びＧｒｕｂｂｓ  Ｉ触媒（１８．５ｍｇ：０．０５ｍｏｌ％）の無水トルエン溶液（１８ｍｌ）を添加し、室温で２４時間攪拌して粘調な重合液を得た。次に、前記重合液を２００ｍｌのトルエンで希釈し、６０００mｌのメタノール中に投入し、得られた沈殿を濾過した。その後、得られた沈殿を真空乾燥機によって乾燥し、芳香族型ノルボルネン単量体Ｄの開環重合体を９．５８ｇ（収率９４％）得た。
【０１２６】
なお、このようにして得られた芳香族型ノルボルネン単量体Ｄの開環重合体についてＧＰＣによって確認したところ、ポリスチレン換算の重量平均分子量（Ｍｗ）は１３９，０００Ｍｗ／Ｍｎは２．１であった。
【０１２７】
（比較例２）
芳香族型ノルボルネン単量体Ｄの代わりに、芳香族型ノルボルネン単量体Ａ６．８８ｇと芳香族型ノルボルネン単量体Ｃ３．１２ｇとを混合して得られたｅｘｏ／ｅｎｄｏ比が４５／５５の５−（ｐ−ｔ−ブチルフェニル）ビシクロ［２．２．１］−２−ヘプテン（芳香族型ノルボルネン単量体Ｆ）を用いた以外は、比較例１で採用している方法と同様の方法を採用して、前記芳香族型ノルボルネン単量体Ｆの開環共重合、開環重合体の水素化、フィルム化、フィルムの延伸を行い、位相差フィルムを得た。このようにして得られた芳香族型ノルボルネン単量体Ｆの開環重合体の水素化物の分子量、分子量分布及びＴｇを表１に示す。また、得られた位相差フィルムのレターデーション及び波長分散値を表１に示す。
【０１２８】
（比較例３）
前記芳香族型ノルボルネン単量体Ｃの代わりに前記芳香族型ノルボルネン単量体Ｄを用い、前記芳香族型ノルボルネン単量体Ｄと合成例３で得られたスピロ型ノルボルネン単量体Ａとの混合比率がモル比で４０／６０となるようにした以外は、実施例１と同様にして、前記芳香族型ノルボルネン単量体Ｄと前記スピロ型ノルボルネン単量体Ａとの開環共重合、開環重合物の水素化、フィルム化、フィルムの延伸を行い、位相差フィルムを得た。なお、芳香族型ノルボルネン単量体Ｄと前記スピロ型ノルボルネン単量体Ａとの開環共重合体（ノルボルネン系開環共重合体（ＩＩ））の調製時において、芳香族型ノルボルネン単量体Ｄのｅｘｏ体とスピロ型ノルボルネン単量体Ａとの総量の比率は、全単量体に対して７０ｍｏｌ％であった。また、このようにして得られたノルボルネン系開環共重合体（ＩＩ）の水素化物の分子量、分子量分布及びＴｇを表１に示す。また、得られた位相差フィルムのレターデーション及び波長分散値を表１に示す。
【０１２９】
（比較例４）
前記芳香族型ノルボルネン単量体Ｃと合成例３で得られたスピロ型ノルボルネン単量体Ａの混合比をモル比で９５／５に変更した以外は、実施例１と同様にして、前記芳香族型ノルボルネン単量体Ｃと前記スピロ型ノルボルネン単量体Ａとの開環共重合、開環重合物の水素化、フィルム化、フィルムの延伸を行い、位相差フィルムを得た。なお、芳香族型ノルボルネン単量体Ｃと前記スピロ型ノルボルネン単量体Ａとの開環共重合体（ノルボルネン系開環共重合体（ＩＩＩ））の調製時において、前記芳香族型ノルボルネン単量体Ｃのｅｘｏ体とスピロ型ノルボルネン単量体Ａとの総量の比率は、全モノマーに対して１９．２ｍｏｌ％であった。また、このようにして得られたノルボルネン系開環共重合体（ＩＩＩ）の水素化物の分子量、分子量分布及びＴｇを表１に示す。また、得られた位相差フィルムのレターデーション及び波長分散値を表１に示す。
【０１３０】
（比較例５）
前記芳香族型ノルボルネン単量体Ｃの代わりに芳香族型ノルボルネン単量体Ｄを用い、前記スピロ型ノルボルネン単量体Ａの代わりに合成例４で得られたスピロ型ノルボルネン単量体Ｂを用い、更に、前記芳香族型ノルボルネン単量体Ｄと前記スピロ型ノルボルネン単量体Ｂとの混合比率をモル比で７５／２５とした以外は、実施例１と同様にして、前記芳香族型ノルボルネン単量体Ｄと前記スピロ型ノルボルネン単量体Ｂとの開環共重合、開環重合物の水素化、フィルム化、フィルムの延伸を行い、位相差フィルムを得た。このようにして得られた芳香族型ノルボルネン単量体Ｄと前記スピロ型ノルボルネン単量体Ｂとの開環共重合体の水素化物の分子量、分子量分布及びＴｇを表１に示す。また、得られた位相差フィルムのレターデーション及び波長分散値を表１に示す。なお、芳香族型ノルボルネン単量体Ｄと前記スピロ型ノルボルネン単量体Ｂとの開環共重合体（ノルボルネン系開環共重合体（ＩＶ））の調製時において、前記芳香族型ノルボルネン単量体Ｄのｅｘｏ体とスピロ型ノルボルネン単量体Ｂとの総量の比率は全モノマーに対して４３．８ｍｏｌ％であった。
【０１３１】
【表１】
2010169952.tif 000011
【０１３２】
表１に示す結果からも明らかなように、本発明の位相差フィルム（実施例１〜５）は、複屈折の波長分散特性が逆分散特性を示し、且つ、十分に高度な耐熱性（共重合体のＴｇが１１０℃以上）を有する位相差フィルムであることが確認された。
【０１３３】
一方、芳香族型ノルボルネン単量体を単独で用いて得られた芳香族ノルボルネン系開環重合体の水素化物を含有する位相差フィルム（比較例１〜２）においては、複屈折の波長分散特性は逆分散特性であったが、用いた芳香族ノルボルネン系開環重合体の水素化物のＴｇが１１０℃未満であった。このような結果から、本発明の位相差フィルム（実施例１〜５）は比較例１〜２で得られた位相差フィルムよりも、より十分な耐熱性を有し、例えば液晶パネル等への実使用下において、コントラスト低下や色むら等の不具合をより高い水準で抑制できることが分かった。
【０１３４】
また、スピロ型ノルボルネン単量体に由来する構造単位と、芳香族型ノルボルネン単量体のｅｘｏ体に由来するｅｘｏ型構造単位との総量が全構造単位に対して６０モル％超の位相差フィルム（比較例３）においては、Ｔｇは十分に高いものとなるものの、複屈折の波長分散特性は逆分散特性を示さずに通常分散特性を示し、逆分散性の位相差フィルムが得られず、特異な光学特性を示すフィルムが得られなかった。更に、スピロ型ノルボルネン単量体に由来する構造単位と、芳香族型ノルボルネン単量体のｅｘｏ体に由来するｅｘｏ型構造単位との総量が全構造単位に対して２０モル％未満の位相差フィルム（比較例４）においては、複屈折の波長分散特性は逆分散特性を示すものの、用いたノルボルネン系開環共重合体の水素化物のＴｇは１１０℃未満（１０８℃）と低いものとなっていた。このような実施例１〜５と比較例３〜４に示す結果から、スピロ型ノルボルネン単量体と芳香族型ノルボルネン単量体のｅｘｏ体との総量の比率を特定の割合とすることにより、逆分散特性と耐熱性とを両立させることが可能となることが分かった。
【０１３５】
さらに、芳香環を有しないスピロ型ノルボルネン単量体を用いた位相差フィルム（比較例５）においては、Ｔｇは十分なものとなったが、複屈折の波長分散特性は逆分散特性を示さずに通常分散となっていた。このような比較例５で得られた位相差フィルムの波長分散特性は、製造時に用いたスピロ型ノルボルネン単量体Ｂが芳香環を含まないものであることに起因して通常分散となったものと推察される。
【０１３６】
以上のような結果から、芳香環を含有する特定のスピロ型ノルボルネン単量体に由来する構造単位（構造単位（Ａ））と、側鎖に芳香環を有する特定の芳香族ノルボルネン系単量体（構造単位（Ｂ））とを含み、且つ、前記スピロ型ノルボルネン単量体に由来する構造単位および前記芳香族ノルボルネン系単量体のｅｘｏ体（側鎖の芳香環の立体配置がｅｘｏのもの）に由来する構造単位の総量の比率を特定の範囲とすることにより、逆分散特性と耐熱性とを高水準で両立させることが可能となることが確認された。
【産業上の利用可能性】
【０１３７】
以上説明したように、本発明によれば、複屈折の波長分散特性が逆分散性を示すフィルムであって、空気中の水分による劣化を十分に防止でき、単層であっても逆分散性と耐熱性とを高水準でバランスよく発揮することが可能な逆分散性位相差フィルム、並びに、それを用いた液晶表示装置を提供することが可能となる。
【０１３８】
したがって、本発明の逆分散性位相差フィルムは、液晶表示装置等に用いる１／２λ板、１／４λ板、保護フィルム、反射防止フィルム等として特に有用である。
【図１】
2010169952.tif 000014